(57)【要約】【課題】地球温暖化防止が急務であり、燃焼ガス排気温度を−２７３℃に近付け、低温燃焼ガスにより水道水を冷却して、膨大な冷熱を製造原価略０で需要家に供給し、ＣＯ２等の排気を０に近付ける内燃機関として地球温暖化防止。【解決手段】全動翼蒸気ガスタービン合体機関の燃焼器兼熱交換器で限りなく高圧燃焼熱交換し、燃焼ガス排気温度を−２７３℃に近付けて、圧縮空気略全熱量を含めて既存ボイラの２倍前後の熱回収量とし、燃焼ガス熱量発電量＋燃焼ガス質量発電量＝既存ガスタービンの２７０〜５４０倍仮説発電量に増大して、電気料金を１／１０等とし、気化潜熱回収器を設けた全動翼蒸気タービンを使用して、加えた熱量略全部の１００℃以下の水道水温熱を製造原価略０で需要家に供給し、全動翼ガスタービン冷熱回収器により、低温燃焼ガス全部を水道水冷熱に変換して、５℃前後の水道水冷熱で需要家に供給し、ＣＯ２排気を０等にする。【選択図】        図２
2005113683.tif 000002
【特許請求の範囲】
【請求項１】
燃焼器兼熱交換器（４）により超臨界温度等複数温度の高温水に変換して、高温水供給熱量を最少の気化熱に近付けることが特徴の全動翼蒸気ガスタービン合体機関。
【請求項２】
燃焼器兼熱交換器（４）により超臨界温度等複数温度の高温水に変換して、超臨界圧力高温水供給熱量を最少の気化熱に近付けることが特徴の全動翼蒸気ガスタービン合体機関。
【請求項３】
燃焼器兼熱交換器（４）により超臨界温度等複数温度の高温水に変換して、高温水供給熱量を気化熱に近付けることが特徴の全動翼蒸気ガスタービン合体機関。
【請求項４】
燃焼器兼熱交換器（４）により超臨界温度等複数温度の高温水に変換して、超臨界圧力高温水供給熱量を気化熱に近付けることが特徴の全動翼蒸気ガスタービン合体機関。
【請求項５】
燃焼器兼熱交換器（４）により超臨界温度等複数温度の高温水に変換して、高温水供給熱量を最少の気化熱に近付けて気化爆発力を利用することが特徴の全動翼蒸気ガスタービン合体機関。
【請求項６】
燃焼器兼熱交換器（４）により超臨界温度等複数温度の高温水に変換して、超臨界圧力高温水供給熱量を最少の気化熱に近付けて気化爆発力を利用することが特徴の全動翼蒸気ガスタービン合体機関。
【請求項７】
燃焼器兼熱交換器（４）により超臨界温度等複数温度の高温水に変換して、高温水供給熱量を気化熱に近付けて気化爆発力を利用することが特徴の全動翼蒸気ガスタービン合体機関。
【請求項８】
燃焼器兼熱交換器（４）により超臨界温度等複数温度の高温水に変換して、超臨界圧力高温水供給熱量を気化熱に近付けて気化爆発力を利用することが特徴の全動翼蒸気ガスタービン合体機関。
【請求項９】
燃焼器兼熱交換器（４）により超臨界温度等複数温度の高温水に変換して、高温水供給熱量を最少の気化熱に近付けて気化爆発力を利用して高温水噴射ノズル（５９ｂ）より噴射することが特徴の全動翼蒸気ガスタービン合体機関。
【請求項１０】
燃焼器兼熱交換器（４）により超臨界温度等複数温度の高温水に変換して、超臨界圧力高温水供給熱量を最少の気化熱に近付けて気化爆発力を利用して高温水噴射ノズル（５９ｂ）より噴射することが特徴の全動翼蒸気ガスタービン合体機関。
【請求項１１】
燃焼器兼熱交換器（４）により超臨界温度等複数温度の高温水に変換して、高温水供給熱量を気化熱に近付けて気化爆発力を利用して高温水噴射ノズル（５９ｂ）より噴射することが特徴の全動翼蒸気ガスタービン合体機関。
【請求項１２】
燃焼器兼熱交換器（４）により超臨界温度等複数温度の高温水に変換して、超臨界圧力高温水供給熱量を気化熱に近付けて気化爆発力を利用して高温水噴射ノズル（５９ｂ）より噴射することが特徴の全動翼蒸気ガスタービン合体機関。
【請求項１３】
燃焼器兼熱交換器（４）により超臨界温度等複数温度の高温水に変換して、高温水供給熱量を最少の気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項１４】
燃焼器兼熱交換器（４）により超臨界温度等複数温度の高温水に変換して、超臨界圧力高温水供給熱量を最少の気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項１５】
燃焼器兼熱交換器（４）により超臨界温度等複数温度の高温水に変換して、高温水供給熱量を気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項１６】
燃焼器兼熱交換器（４）により超臨界温度等複数温度の高温水に変換して、超臨界圧力高温水供給熱量を気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項１７】
燃焼器兼熱交換器（４）により超臨界温度等複数温度の高温水に変換して、高温水供給熱量を最少の気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項１８】
燃焼器兼熱交換器（４）により超臨界温度等複数温度の高温水に変換して、超臨界圧力高温水供給熱量を最少の気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項１９】
燃焼器兼熱交換器（４）により超臨界温度等複数温度の高温水に変換して、高温水供給熱量を気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項２０】
燃焼器兼熱交換器（４）により超臨界温度等複数温度の高温水に変換して、超臨界圧力高温水供給熱量を気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項２１】
燃焼器兼熱交換器（４）により超臨界温度等複数温度の高温水に変換して、高温水供給熱量を最少の気化熱に近付けて気化爆発力を利用して高温水噴射ノズル（５９ｂ）より全動翼蒸気タービンの最上流に噴射することが特徴の全動翼蒸気ガスタービン合体機関。
【請求項２２】
燃焼器兼熱交換器（４）により超臨界温度等複数温度の高温水に変換して、超臨界圧力高温水供給熱量を最少の気化熱に近付けて気化爆発力を利用して高温水噴射ノズル（５９ｂ）より全動翼蒸気タービンの最上流に噴射することが特徴の全動翼蒸気ガスタービン合体機関。
【請求項２３】
燃焼器兼熱交換器（４）により超臨界温度等複数温度の高温水に変換して、高温水供給熱量を気化熱に近付けて気化爆発力を利用して高温水噴射ノズル（５９ｂ）より全動翼蒸気タービンの最上流に噴射することが特徴の全動翼蒸気ガスタービン合体機関。
【請求項２４】
燃焼器兼熱交換器（４）により超臨界温度等複数温度の高温水に変換して、超臨界圧力高温水供給熱量を気化熱に近付けて気化爆発力を利用して高温水噴射ノズル（５９ｂ）より全動翼蒸気タービンの最上流に噴射することが特徴の全動翼蒸気ガスタービン合体機関。
【請求項２５】
燃焼器兼熱交換器（４）により超臨界温度等複数温度の高温水に変換して、高温水供給熱量を最少の気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２６】
燃焼器兼熱交換器（４）により超臨界温度等複数温度の高温水に変換して、超臨界圧力高温水供給熱量を最少の気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２７】
燃焼器兼熱交換器（４）により超臨界温度等複数温度の高温水に変換して、高温水供給熱量を気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２８】
燃焼器兼熱交換器（４）により超臨界温度等複数温度の高温水に変換して、超臨界圧力高温水供給熱量を気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２９】
燃焼器兼熱交換器（４）により超臨界温度等複数温度の高温水に変換して、高温水供給熱量を最少の気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項３０】
燃焼器兼熱交換器（４）により超臨界温度等複数温度の高温水に変換して、超臨界圧力高温水供給熱量を最少の気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項３１】
燃焼器兼熱交換器（４）により超臨界温度等複数温度の高温水に変換して、高温水供給熱量を気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項３２】
燃焼器兼熱交換器（４）により超臨界温度等複数温度の高温水に変換して、超臨界圧力高温水供給熱量を気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項３３】
燃焼器兼熱交換器（４）により超臨界温度等複数温度の高温水に変換して、高温水供給熱量を最少の気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項３４】
燃焼器兼熱交換器（４）により超臨界温度等複数温度の高温水に変換して、超臨界圧力高温水供給熱量を最少の気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項３５】
燃焼器兼熱交換器（４）により超臨界温度等複数温度の高温水に変換して、高温水供給熱量を気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項３６】
燃焼器兼熱交換器（４）により超臨界温度等複数温度の高温水に変換して、超臨界圧力高温水供給熱量を気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項３７】
燃焼器兼熱交換器（４）により超臨界温度等複数温度の高温水に変換して、高温水供給熱量を最少の気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項３８】
燃焼器兼熱交換器（４）により超臨界温度等複数温度の高温水に変換して、超臨界圧力高温水供給熱量を最少の気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項３９】
燃焼器兼熱交換器（４）により超臨界温度等複数温度の高温水に変換して、高温水供給熱量を気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項４０】
燃焼器兼熱交換器（４）により超臨界温度等複数温度の高温水に変換して、超臨界圧力高温水供給熱量を気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項４１】
燃焼器兼熱交換器（４）により超臨界温度等複数温度の高温水に変換して、高温水供給熱量を最少の気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項４２】
燃焼器兼熱交換器（４）により超臨界温度等複数温度の高温水に変換して、超臨界圧力高温水供給熱量を最少の気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項４３】
燃焼器兼熱交換器（４）により超臨界温度等複数温度の高温水に変換して、高温水供給熱量を気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項４４】
燃焼器兼熱交換器（４）により超臨界温度等複数温度の高温水に変換して、超臨界圧力高温水供給熱量を気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項４５】
燃焼器兼熱交換器（４）により超臨界温度等複数温度の高温水に変換して、気化潜熱回収器（６６ａ）の回収熱量を含めて高温水供給熱量を最少の、気化熱に近付けることが特徴の全動翼蒸気ガスタービン合体機関。
【請求項４６】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けることが特徴の全動翼蒸気ガスタービン合体機関。
【請求項４７】
燃焼器兼熱交換器（４）により超臨界温度等複数温度の高温水に変換して、気化潜熱回収器（６６ａ）の回収熱量を含めて高温水供給熱量を、気化熱に近付けることが特徴の全動翼蒸気ガスタービン合体機関。
【請求項４８】
燃焼器兼熱交換器（４）により超臨界温度等複数温度の高温水に変換して、気化潜熱回収器（６６ａ）の回収熱量を含めて超臨界圧力高温水供給熱量を、気化熱に近付けることが特徴の全動翼蒸気ガスタービン合体機関。
【請求項４９】
燃焼器兼熱交換器（４）により超臨界温度等複数温度の高温水に変換して、気化潜熱回収器（６６ａ）の回収熱量を含めて高温水供給熱量を最少の、気化熱に近付けて全動翼蒸気タービンの最上流に噴射することが特徴の全動翼蒸気ガスタービン合体機関。
【請求項５０】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて全動翼蒸気タービンの最上流に噴射することが特徴の全動翼蒸気ガスタービン合体機関。
【請求項５１】
燃焼器兼熱交換器（４）により超臨界温度等複数温度の高温水に変換して、気化潜熱回収器（６６ａ）の回収熱量を含めて高温水供給熱量を、気化熱に近付けて全動翼蒸気タービンの最上流に噴射することが特徴の全動翼蒸気ガスタービン合体機関。
【請求項５２】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて全動翼蒸気タービンの最上流に噴射することが特徴の全動翼蒸気ガスタービン合体機関。
【請求項５３】
燃焼器兼熱交換器（４）により超臨界温度等複数温度の高温水に変換して、気化潜熱回収器（６６ａ）の回収熱量を含めて高温水供給熱量を最少の、気化熱に近付けて全動翼蒸気ガスタービンの最上流に噴射することが特徴の全動翼蒸気ガスタービン合体機関。
【請求項５４】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて全動翼蒸気ガスタービンの最上流に噴射することが特徴の全動翼蒸気ガスタービン合体機関。
【請求項５５】
燃焼器兼熱交換器（４）により超臨界温度等複数温度の高温水に変換して、気化潜熱回収器（６６ａ）の回収熱量を含めて高温水供給熱量を、気化熱に近付けて全動翼蒸気ガスタービンの最上流に噴射することが特徴の全動翼蒸気ガスタービン合体機関。
【請求項５６】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて全動翼蒸気ガスタービンの最上流に噴射することが特徴の全動翼蒸気ガスタービン合体機関。
【請求項５７】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用することが特徴の全動翼蒸気ガスタービン合体機関。
【請求項５８】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用することが特徴の全動翼蒸気ガスタービン合体機関。
【請求項５９】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用することが特徴の全動翼蒸気ガスタービン合体機関。
【請求項６０】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用することが特徴の全動翼蒸気ガスタービン合体機関。
【請求項６１】
燃焼器兼熱交換器（４）により超臨界温度等複数温度の高温水に変換して、気化潜熱回収器（６６ａ）の回収熱量を含めて高温水供給熱量を最少の、気化熱に近付けて全動翼蒸気タービンの最上流に噴射して気化爆発力を利用することが特徴の全動翼蒸気ガスタービン合体機関。
【請求項６２】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて全動翼蒸気タービンの最上流に噴射して気化爆発力を利用することが特徴の全動翼蒸気ガスタービン合体機関。
【請求項６３】
燃焼器兼熱交換器（４）により超臨界温度等複数温度の高温水に変換して、気化潜熱回収器（６６ａ）の回収熱量を含めて高温水供給熱量を、気化熱に近付けて全動翼蒸気タービンの最上流に噴射して気化爆発力を利用することが特徴の全動翼蒸気ガスタービン合体機関。
【請求項６４】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて全動翼蒸気タービンの最上流に噴射して気化爆発力を利用することが特徴の全動翼蒸気ガスタービン合体機関。
【請求項６５】
燃焼器兼熱交換器（４）により超臨界温度等複数温度の高温水に変換して、気化潜熱回収器（６６ａ）の回収熱量を含めて高温水供給熱量を最少の、気化熱に近付けて全動翼蒸気ガスタービンの最上流に噴射して気化爆発力を利用することが特徴の全動翼蒸気ガスタービン合体機関。
【請求項６６】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて全動翼蒸気ガスタービンの最上流に噴射して気化爆発力を利用することが特徴の全動翼蒸気ガスタービン合体機関。
【請求項６７】
燃焼器兼熱交換器（４）により超臨界温度等複数温度の高温水に変換して、気化潜熱回収器（６６ａ）の回収熱量を含めて高温水供給熱量を、気化熱に近付けて全動翼蒸気ガスタービンの最上流に噴射して気化爆発力を利用することが特徴の全動翼蒸気ガスタービン合体機関。
【請求項６８】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて全動翼蒸気ガスタービンの最上流に噴射して気化爆発力を利用することが特徴の全動翼蒸気ガスタービン合体機関。
【請求項６９】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して高温水噴射ノズル（５９ｂ）より噴射することが特徴の全動翼蒸気ガスタービン合体機関。
【請求項７０】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して高温水噴射ノズル（５９ｂ）より噴射することが特徴の全動翼蒸気ガスタービン合体機関。
【請求項７１】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して高温水噴射ノズル（５９ｂ）より噴射することが特徴の全動翼蒸気ガスタービン合体機関。
【請求項７２】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して高温水噴射ノズル（５９ｂ）より噴射することが特徴の全動翼蒸気ガスタービン合体機関。
【請求項７３】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して高温水噴射ノズル（５９ｂ）より全動翼蒸気タービンの最上流に噴射することが特徴の全動翼蒸気ガスタービン合体機関。
【請求項７４】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して高温水噴射ノズル（５９ｂ）より全動翼蒸気タービンの最上流に噴射することが特徴の全動翼蒸気ガスタービン合体機関。
【請求項７５】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して高温水噴射ノズル（５９ｂ）より全動翼蒸気タービンの最上流に噴射することが特徴の全動翼蒸気ガスタービン合体機関。
【請求項７６】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して高温水噴射ノズル（５９ｂ）より全動翼蒸気タービンの最上流に噴射することが特徴の全動翼蒸気ガスタービン合体機関。
【請求項７７】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項７８】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項７９】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項８０】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項８１】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項８２】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項８３】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項８４】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項８５】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項８６】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項８７】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項８８】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項８９】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項９０】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項９１】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項９２】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項９３】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項９４】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項９５】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項９６】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項９７】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項９８】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項９９】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項１００】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項１０１】
燃焼器兼熱交換器（４）により超臨界温度等複数温度の高温水に変換して、気化潜熱回収器（６６ａ）の回収熱量を含めて高温水供給熱量を最少の、気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項１０２】
燃焼器兼熱交換器（４）により超臨界温度等複数温度の高温水に変換して、気化潜熱回収器（６６ａ）の回収熱量を含めて超臨界圧力高温水供給熱量を最少の、気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項１０３】
燃焼器兼熱交換器（４）により超臨界温度等複数温度の高温水に変換して、気化潜熱回収器（６６ａ）の回収熱量を含めて高温水供給熱量を、気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項１０４】
燃焼器兼熱交換器（４）により超臨界温度等複数温度の高温水に変換して、気化潜熱回収器（６６ａ）の回収熱量を含めて超臨界圧力高温水供給熱量を、気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項１０５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けることが特徴の全動翼蒸気ガスタービン合体機関。
【請求項１０６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けることが特徴の全動翼蒸気ガスタービン合体機関。
【請求項１０７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けることが特徴の全動翼蒸気ガスタービン合体機関。
【請求項１０８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けることが特徴の全動翼蒸気ガスタービン合体機関。
【請求項１０９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて全動翼蒸気タービンの最上流に噴射することが特徴の全動翼蒸気ガスタービン合体機関。
【請求項１１０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて全動翼蒸気タービンの最上流に噴射することが特徴の全動翼蒸気ガスタービン合体機関。
【請求項１１１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて全動翼蒸気タービンの最上流に噴射することが特徴の全動翼蒸気ガスタービン合体機関。
【請求項１１２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて全動翼蒸気タービンの最上流に噴射することが特徴の全動翼蒸気ガスタービン合体機関。
【請求項１１３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて全動翼蒸気ガスタービンの最上流に噴射することが特徴の全動翼蒸気ガスタービン合体機関。
【請求項１１４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて全動翼蒸気ガスタービンの最上流に噴射することが特徴の全動翼蒸気ガスタービン合体機関。
【請求項１１５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて全動翼蒸気ガスタービンの最上流に噴射することが特徴の全動翼蒸気ガスタービン合体機関。
【請求項１１６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて全動翼蒸気ガスタービンの最上流に噴射することが特徴の全動翼蒸気ガスタービン合体機関。
【請求項１１７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用することが特徴の全動翼蒸気ガスタービン合体機関。
【請求項１１８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用することが特徴の全動翼蒸気ガスタービン合体機関。
【請求項１１９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用することが特徴の全動翼蒸気ガスタービン合体機関。
【請求項１２０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用することが特徴の全動翼蒸気ガスタービン合体機関。
【請求項１２１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて全動翼蒸気タービンの最上流に噴射して気化爆発力を利用することが特徴の全動翼蒸気ガスタービン合体機関。
【請求項１２２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて全動翼蒸気タービンの最上流に噴射して気化爆発力を利用することが特徴の全動翼蒸気ガスタービン合体機関。
【請求項１２３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて全動翼蒸気タービンの最上流に噴射して気化爆発力を利用することが特徴の全動翼蒸気ガスタービン合体機関。
【請求項１２４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて全動翼蒸気タービンの最上流に噴射して気化爆発力を利用することが特徴の全動翼蒸気ガスタービン合体機関。
【請求項１２５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて全動翼蒸気ガスタービンの最上流に噴射して気化爆発力を利用することが特徴の全動翼蒸気ガスタービン合体機関。
【請求項１２６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて全動翼蒸気ガスタービンの最上流に噴射して気化爆発力を利用することが特徴の全動翼蒸気ガスタービン合体機関。
【請求項１２７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて全動翼蒸気ガスタービンの最上流に噴射して気化爆発力を利用することが特徴の全動翼蒸気ガスタービン合体機関。
【請求項１２８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて全動翼蒸気ガスタービンの最上流に噴射して気化爆発力を利用することが特徴の全動翼蒸気ガスタービン合体機関。
【請求項１２９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して高温水噴射ノズル（５９ｂ）より噴射することが特徴の全動翼蒸気ガスタービン合体機関。
【請求項１３０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して高温水噴射ノズル（５９ｂ）より噴射することが特徴の全動翼蒸気ガスタービン合体機関。
【請求項１３１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して高温水噴射ノズル（５９ｂ）より噴射することが特徴の全動翼蒸気ガスタービン合体機関。
【請求項１３２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して高温水噴射ノズル（５９ｂ）より噴射することが特徴の全動翼蒸気ガスタービン合体機関。
【請求項１３３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して高温水噴射ノズル（５９ｂ）より全動翼蒸気タービンの最上流に噴射することが特徴の全動翼蒸気ガスタービン合体機関。
【請求項１３４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して高温水噴射ノズル（５９ｂ）より全動翼蒸気タービンの最上流に噴射することが特徴の全動翼蒸気ガスタービン合体機関。
【請求項１３５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して高温水噴射ノズル（５９ｂ）より全動翼蒸気タービンの最上流に噴射することが特徴の全動翼蒸気ガスタービン合体機関。
【請求項１３６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して高温水噴射ノズル（５９ｂ）より全動翼蒸気タービンの最上流に噴射することが特徴の全動翼蒸気ガスタービン合体機関。
【請求項１３７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項１３８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項１３９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項１４０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して高温水噴射ノズル（５９ｂ）より全動翼蒸気ガスタービンの最上流に噴射することが特徴の全動翼蒸気ガスタービン合体機関。
【請求項１４１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項１４２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項１４３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項１４４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して加熱高温手段（１０１）により加熱高温とした高温水噴射ノズル（５９ｂ）より噴射することが特徴の全動翼蒸気ガスタービン合体機関。
【請求項１４５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項１４６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項１４７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項１４８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項１４９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項１５０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項１５１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項１５２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項１５３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項１５４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項１５５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項１５６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して加熱高温手段（１０１）により加熱高温とした複数の高温水噴射ノズル（５９ｂ）より噴射することが特徴の全動翼蒸気ガスタービン合体機関。
【請求項１５７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項１５８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項１５９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項１６０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項１６１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項１６２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項１６３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項１６４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項１６５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡することが特徴の全動翼蒸気ガスタービン合体機関。
【請求項１６６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡することが特徴の全動翼蒸気ガスタービン合体機関。
【請求項１６７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡することが特徴の全動翼蒸気ガスタービン合体機関。
【請求項１６８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡することが特徴の全動翼蒸気ガスタービン合体機関。
【請求項１６９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して全動翼蒸気タービンの最上流に噴射することが特徴の全動翼蒸気ガスタービン合体機関。
【請求項１７０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して全動翼蒸気タービンの最上流に噴射することが特徴の全動翼蒸気ガスタービン合体機関。
【請求項１７１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して全動翼蒸気タービンの最上流に噴射することが特徴の全動翼蒸気ガスタービン合体機関。
【請求項１７２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して全動翼蒸気タービンの最上流に噴射することが特徴の全動翼蒸気ガスタービン合体機関。
【請求項１７３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して全動翼蒸気ガスタービンの最上流に噴射することが特徴の全動翼蒸気ガスタービン合体機関。
【請求項１７４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して全動翼蒸気ガスタービンの最上流に噴射することが特徴の全動翼蒸気ガスタービン合体機関。
【請求項１７５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して全動翼蒸気ガスタービンの最上流に噴射することが特徴の全動翼蒸気ガスタービン合体機関。
【請求項１７６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して全動翼蒸気ガスタービンの最上流に噴射することが特徴の全動翼蒸気ガスタービン合体機関。
【請求項１７７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して全動翼ガスタービンの最上流に噴射することが特徴の全動翼蒸気ガスタービン合体機関。
【請求項１７８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して全動翼ガスタービンの最上流に噴射することが特徴の全動翼蒸気ガスタービン合体機関。
【請求項１７９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して全動翼ガスタービンの最上流に噴射することが特徴の全動翼蒸気ガスタービン合体機関。
【請求項１８０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して全動翼ガスタービンの最上流に噴射することが特徴の全動翼蒸気ガスタービン合体機関。
【請求項１８１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して気化爆発力を利用することが特徴の全動翼蒸気ガスタービン合体機関。
【請求項１８２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して気化爆発力を利用することが特徴の全動翼蒸気ガスタービン合体機関。
【請求項１８３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して気化爆発力を利用することが特徴の全動翼蒸気ガスタービン合体機関。
【請求項１８４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して気化爆発力を利用することが特徴の全動翼蒸気ガスタービン合体機関。
【請求項１８５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して全動翼蒸気タービンの最上流に噴射して気化爆発力を利用することが特徴の全動翼蒸気ガスタービン合体機関。
【請求項１８６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して全動翼蒸気タービンの最上流に噴射して気化爆発力を利用することが特徴の全動翼蒸気ガスタービン合体機関。
【請求項１８７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して全動翼蒸気タービンの最上流に噴射して気化爆発力を利用することが特徴の全動翼蒸気ガスタービン合体機関。
【請求項１８８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して全動翼蒸気タービンの最上流に噴射して気化爆発力を利用することが特徴の全動翼蒸気ガスタービン合体機関。
【請求項１８９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して全動翼蒸気ガスタービンの最上流に噴射して気化爆発力を利用することが特徴の全動翼蒸気ガスタービン合体機関。
【請求項１９０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して全動翼蒸気ガスタービンの最上流に噴射して気化爆発力を利用することが特徴の全動翼蒸気ガスタービン合体機関。
【請求項１９１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して全動翼蒸気ガスタービンの最上流に噴射して気化爆発力を利用することが特徴の全動翼蒸気ガスタービン合体機関。
【請求項１９２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して全動翼蒸気ガスタービンの最上流に噴射して気化爆発力を利用することが特徴の全動翼蒸気ガスタービン合体機関。
【請求項１９３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して全動翼ガスタービンの最上流に噴射して気化爆発力を利用することが特徴の全動翼蒸気ガスタービン合体機関。
【請求項１９４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して全動翼ガスタービンの最上流に噴射して気化爆発力を利用することが特徴の全動翼蒸気ガスタービン合体機関。
【請求項１９５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して全動翼ガスタービンの最上流に噴射して気化爆発力を利用することが特徴の全動翼蒸気ガスタービン合体機関。
【請求項１９６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して全動翼ガスタービンの最上流に噴射して気化爆発力を利用することが特徴の全動翼蒸気ガスタービン合体機関。
【請求項１９７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して、気化爆発力を利用して高温水噴射ノズル（５９ｂ）より噴射することが特徴の全動翼蒸気ガスタービン合体機関。
【請求項１９８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して、気化爆発力を利用して高温水噴射ノズル（５９ｂ）より噴射することが特徴の全動翼蒸気ガスタービン合体機関。
【請求項１９９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して、気化爆発力を利用して高温水噴射ノズル（５９ｂ）より噴射することが特徴の全動翼蒸気ガスタービン合体機関。
【請求項２００】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して、気化爆発力を利用して高温水噴射ノズル（５９ｂ）より噴射することが特徴の全動翼蒸気ガスタービン合体機関。
【請求項２０１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して、気化爆発力を利用して高温水噴射ノズル（５９ｂ）より全動翼蒸気タービンの最上流に噴射することが特徴の全動翼蒸気ガスタービン合体機関。
【請求項２０２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して、気化爆発力を利用して高温水噴射ノズル（５９ｂ）より全動翼蒸気タービンの最上流に噴射することが特徴の全動翼蒸気ガスタービン合体機関。
【請求項２０３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して、気化爆発力を利用して高温水噴射ノズル（５９ｂ）より全動翼蒸気タービンの最上流に噴射することが特徴の全動翼蒸気ガスタービン合体機関。
【請求項２０４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して、気化爆発力を利用して高温水噴射ノズル（５９ｂ）より全動翼蒸気タービンの最上流に噴射することが特徴の全動翼蒸気ガスタービン合体機関。
【請求項２０５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して、気化爆発力を利用して高温水噴射ノズル（５９ｂ）より全動翼蒸気ガスタービンの最上流に噴射することが特徴の全動翼蒸気ガスタービン合体機関。
【請求項２０６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して、気化爆発力を利用して高温水噴射ノズル（５９ｂ）より全動翼蒸気ガスタービンの最上流に噴射することが特徴の全動翼蒸気ガスタービン合体機関。
【請求項２０７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して、気化爆発力を利用して高温水噴射ノズル（５９ｂ）より全動翼蒸気ガスタービンの最上流に噴射することが特徴の全動翼蒸気ガスタービン合体機関。
【請求項２０８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して、気化爆発力を利用して高温水噴射ノズル（５９ｂ）より全動翼蒸気ガスタービンの最上流に噴射することが特徴の全動翼蒸気ガスタービン合体機関。
【請求項２０９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して、気化爆発力を利用して高温水噴射ノズル（５９ｂ）より全動翼ガスタービンの最上流に噴射することが特徴の全動翼蒸気ガスタービン合体機関。
【請求項２１０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して、気化爆発力を利用して高温水噴射ノズル（５９ｂ）より全動翼ガスタービンの最上流に噴射することが特徴の全動翼蒸気ガスタービン合体機関。
【請求項２１１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して、気化爆発力を利用して高温水噴射ノズル（５９ｂ）より全動翼ガスタービンの最上流に噴射することが特徴の全動翼蒸気ガスタービン合体機関。
【請求項２１２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して、気化爆発力を利用して高温水噴射ノズル（５９ｂ）より全動翼ガスタービンの最上流に噴射することが特徴の全動翼蒸気ガスタービン合体機関。
【請求項２１３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して、気化爆発力を利用して加熱高温手段（１０１）により加熱高温とした高温水噴射ノズル（５９ｂ）より噴射することが特徴の全動翼蒸気ガスタービン合体機関。
【請求項２１４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して、気化爆発力を利用して加熱高温手段（１０１）により加熱高温とした高温水噴射ノズル（５９ｂ）より噴射することが特徴の全動翼蒸気ガスタービン合体機関。
【請求項２１５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して、気化爆発力を利用して加熱高温手段（１０１）により加熱高温とした高温水噴射ノズル（５９ｂ）より噴射することが特徴の全動翼蒸気ガスタービン合体機関。
【請求項２１６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して、気化爆発力を利用して加熱高温手段（１０１）により加熱高温とした高温水噴射ノズル（５９ｂ）より噴射することが特徴の全動翼蒸気ガスタービン合体機関。
【請求項２１７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２１８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２１９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２２０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２２１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して、気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項２２２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して、気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項２２３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して、気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項２２４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して、気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項２２５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）に連絡して、気化爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項２２６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）に連絡して、気化爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項２２７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）に連絡して、気化爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項２２８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）に連絡して、気化爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項２２９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡することが特徴の全動翼蒸気ガスタービン合体機関。
【請求項２３０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡することが特徴の全動翼蒸気ガスタービン合体機関。
【請求項２３１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡することが特徴の全動翼蒸気ガスタービン合体機関。
【請求項２３２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡することが特徴の全動翼蒸気ガスタービン合体機関。
【請求項２３３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼蒸気タービンの最上流に噴射することが特徴の全動翼蒸気ガスタービン合体機関。
【請求項２３４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して全動翼蒸気タービンの最上流に噴射することが特徴の全動翼蒸気ガスタービン合体機関。
【請求項２３５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼蒸気タービンの最上流に噴射することが特徴の全動翼蒸気ガスタービン合体機関。
【請求項２３６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して全動翼蒸気タービンの最上流に噴射することが特徴の全動翼蒸気ガスタービン合体機関。
【請求項２３７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼蒸気ガスタービンの最上流に噴射することが特徴の全動翼蒸気ガスタービン合体機関。
【請求項２３８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して全動翼蒸気ガスタービンの最上流に噴射することが特徴の全動翼蒸気ガスタービン合体機関。
【請求項２３９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼蒸気ガスタービンの最上流に噴射することが特徴の全動翼蒸気ガスタービン合体機関。
【請求項２４０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して全動翼蒸気ガスタービンの最上流に噴射することが特徴の全動翼蒸気ガスタービン合体機関。
【請求項２４１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼ガスタービンの最上流に噴射することが特徴の全動翼蒸気ガスタービン合体機関。
【請求項２４２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して全動翼ガスタービンの最上流に噴射することが特徴の全動翼蒸気ガスタービン合体機関。
【請求項２４３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼ガスタービンの最上流に噴射することが特徴の全動翼蒸気ガスタービン合体機関。
【請求項２４４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して全動翼ガスタービンの最上流に噴射することが特徴の全動翼蒸気ガスタービン合体機関。
【請求項２４５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して気化爆発力を利用することが特徴の全動翼蒸気ガスタービン合体機関。
【請求項２４６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して気化爆発力を利用することが特徴の全動翼蒸気ガスタービン合体機関。
【請求項２４７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して気化爆発力を利用することが特徴の全動翼蒸気ガスタービン合体機関。
【請求項２４８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して気化爆発力を利用することが特徴の全動翼蒸気ガスタービン合体機関。
【請求項２４９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼蒸気タービンの最上流に噴射して気化爆発力を利用することが特徴の全動翼蒸気ガスタービン合体機関。
【請求項２５０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して全動翼蒸気タービンの最上流に噴射して気化爆発力を利用することが特徴の全動翼蒸気ガスタービン合体機関。
【請求項２５１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼蒸気タービンの最上流に噴射して気化爆発力を利用することが特徴の全動翼蒸気ガスタービン合体機関。
【請求項２５２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して全動翼蒸気タービンの最上流に噴射して気化爆発力を利用することが特徴の全動翼蒸気ガスタービン合体機関。
【請求項２５３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼蒸気ガスタービンの最上流に噴射して気化爆発力を利用することが特徴の全動翼蒸気ガスタービン合体機関。
【請求項２５４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して全動翼蒸気ガスタービンの最上流に噴射して気化爆発力を利用することが特徴の全動翼蒸気ガスタービン合体機関。
【請求項２５５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼蒸気ガスタービンの最上流に噴射して気化爆発力を利用することが特徴の全動翼蒸気ガスタービン合体機関。
【請求項２５６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して全動翼蒸気ガスタービンの最上流に噴射して気化爆発力を利用することが特徴の全動翼蒸気ガスタービン合体機関。
【請求項２５７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼ガスタービンの最上流に噴射して気化爆発力を利用することが特徴の全動翼蒸気ガスタービン合体機関。
【請求項２５８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して全動翼ガスタービンの最上流に噴射して気化爆発力を利用することが特徴の全動翼蒸気ガスタービン合体機関。
【請求項２５９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼ガスタービンの最上流に噴射して気化爆発力を利用することが特徴の全動翼蒸気ガスタービン合体機関。
【請求項２６０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して全動翼ガスタービンの最上流に噴射して気化爆発力を利用することが特徴の全動翼蒸気ガスタービン合体機関。
【請求項２６１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して高温水噴射ノズル（５９ｂ）より噴射することが特徴の全動翼蒸気ガスタービン合体機関。
【請求項２６２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して高温水噴射ノズル（５９ｂ）より噴射することが特徴の全動翼蒸気ガスタービン合体機関。
【請求項２６３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して高温水噴射ノズル（５９ｂ）より噴射することが特徴の全動翼蒸気ガスタービン合体機関。
【請求項２６４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して高温水噴射ノズル（５９ｂ）より噴射することが特徴の全動翼蒸気ガスタービン合体機関。
【請求項２６５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して高温水噴射ノズル（５９ｂ）より全動翼蒸気タービンの最上流に噴射することが特徴の全動翼蒸気ガスタービン合体機関。
【請求項２６６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して高温水噴射ノズル（５９ｂ）より全動翼蒸気タービンの最上流に噴射することが特徴の全動翼蒸気ガスタービン合体機関。
【請求項２６７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して高温水噴射ノズル（５９ｂ）より全動翼蒸気タービンの最上流に噴射することが特徴の全動翼蒸気ガスタービン合体機関。
【請求項２６８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して高温水噴射ノズル（５９ｂ）より全動翼蒸気タービンの最上流に噴射することが特徴の全動翼蒸気ガスタービン合体機関。
【請求項２６９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して高温水噴射ノズル（５９ｂ）より全動翼蒸気ガスタービンの最上流に噴射することが特徴の全動翼蒸気ガスタービン合体機関。
【請求項２７０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して高温水噴射ノズル（５９ｂ）より全動翼蒸気ガスタービンの最上流に噴射することが特徴の全動翼蒸気ガスタービン合体機関。
【請求項２７１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して高温水噴射ノズル（５９ｂ）より全動翼蒸気ガスタービンの最上流に噴射することが特徴の全動翼蒸気ガスタービン合体機関。
【請求項２７２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して高温水噴射ノズル（５９ｂ）より全動翼蒸気ガスタービンの最上流に噴射することが特徴の全動翼蒸気ガスタービン合体機関。
【請求項２７３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して高温水噴射ノズル（５９ｂ）より全動翼ガスタービンの最上流に噴射することが特徴の全動翼蒸気ガスタービン合体機関。
【請求項２７４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して高温水噴射ノズル（５９ｂ）より全動翼ガスタービンの最上流に噴射することが特徴の全動翼蒸気ガスタービン合体機関。
【請求項２７５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して高温水噴射ノズル（５９ｂ）より全動翼ガスタービンの最上流に噴射することが特徴の全動翼蒸気ガスタービン合体機関。
【請求項２７６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して高温水噴射ノズル（５９ｂ）より全動翼ガスタービンの最上流に噴射することが特徴の全動翼蒸気ガスタービン合体機関。
【請求項２７７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より噴射することが特徴の全動翼蒸気ガスタービン合体機関。
【請求項２７８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より噴射することが特徴の全動翼蒸気ガスタービン合体機関。
【請求項２７９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より噴射することが特徴の全動翼蒸気ガスタービン合体機関。
【請求項２８０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より噴射することが特徴の全動翼蒸気ガスタービン合体機関。
【請求項２８１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２８２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２８３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２８４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項２８５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項２８６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項２８７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項２８８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項２８９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項２９０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項２９１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項２９２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項２９３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給することが特徴の全動翼蒸気ガスタービン合体機関。
【請求項２９４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給することが特徴の全動翼蒸気ガスタービン合体機関。
【請求項２９５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給することが特徴の全動翼蒸気ガスタービン合体機関。
【請求項２９６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給することが特徴の全動翼蒸気ガスタービン合体機関。
【請求項２９７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給することが特徴の全動翼蒸気ガスタービン合体機関。
【請求項２９８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給することが特徴の全動翼蒸気ガスタービン合体機関。
【請求項２９９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給することが特徴の全動翼蒸気ガスタービン合体機関。
【請求項３００】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給することが特徴の全動翼蒸気ガスタービン合体機関。
【請求項３０１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項３０２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項３０３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項３０４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項３０５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項３０６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項３０７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項３０８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項３０９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３１０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３１１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３１２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３１３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３１４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３１５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３１６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３１７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３１８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３１９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３２０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３２１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３２２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３２３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３２４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３２５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項３２６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項３２７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項３２８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項３２９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項３３０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項３３１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項３３２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項３３３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項３３４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項３３５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項３３６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項３３７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項３３８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項３３９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項３４０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項３４１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項３４２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項３４３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項３４４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項３４５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項３４６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項３４７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項３４８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項３４９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項３５０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項３５１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項３５２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項３５３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項３５４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項３５５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項３５６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項３５７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項３５８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項３５９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項３６０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項３６１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項３６２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項３６３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項３６４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項３６５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項３６６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項３６７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項３６８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項３６９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項３７０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項３７１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項３７２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項３７３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射することが特徴の全動翼蒸気ガスタービン合体機関。
【請求項３７４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射することが特徴の全動翼蒸気ガスタービン合体機関。
【請求項３７５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射することが特徴の全動翼蒸気ガスタービン合体機関。
【請求項３７６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射することが特徴の全動翼蒸気ガスタービン合体機関。
【請求項３７７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項３７８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項３７９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項３８０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項３８１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項３８２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項３８３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項３８４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項３８５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３８６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３８７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３８８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３８９】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３９０】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３９１】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３９２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項３９３】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３９４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３９５】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３９６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３９７】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３９８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項３９９】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項４００】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項４０１】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４０２】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４０３】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４０４】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４０５】
燃焼器兼熱交換器（４）により超臨界温度等複数温度の高温水に変換して、燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４０６】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を最少の、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４０７】
燃焼器兼熱交換器（４）により超臨界温度等複数温度の高温水に変換して、燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４０８】
燃焼器兼熱交換器（４）により超臨界温度等複数温度の高温水に変換して、燃料燃焼質量を低減する気化潜熱回収器（６６ａ）の回収熱量を含めて超臨界圧力高温水供給熱量を、気化熱に近付けて夫々の高温水加減弁（７ａ）の高温水管（６ａ）に連絡して、気化爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４０９】
燃焼器兼熱交換器（４）により超臨界温度等複数温度の高温水に変換して、超臨界圧力高温水供給熱量を気化熱に近付けて夫々の高温水加減弁（７ａ）により全動翼ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項４１０】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項４１１】
燃焼器兼熱交換器（４）により超臨界温度等複数温度の高温水に変換して、超臨界圧力高温水供給熱量を気化熱に近付けて夫々の高温水加減弁（７ａ）により全動翼ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項４１２】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項４１３】
燃焼器兼熱交換器（４）により超臨界温度等複数温度の高温水に変換して、超臨界圧力高温水供給熱量を気化熱に近付けて夫々の高温水加減弁（７ａ）により全動翼ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項４１４】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項４１５】
燃焼器兼熱交換器（４）により超臨界温度等複数温度の高温水に変換して、超臨界圧力高温水供給熱量を気化熱に近付けて夫々の高温水加減弁（７ａ）により全動翼ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項４１６】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項４１７】
燃焼器兼熱交換器（４）により超臨界温度等複数温度の高温水に変換して、高温水供給熱量を気化熱に近付けて夫々の高温水加減弁（７ａ）により全動翼ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項４１８】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項４１９】
燃焼器兼熱交換器（４）により超臨界温度等複数温度の高温水に変換して、高温水供給熱量を気化熱に近付けて夫々の高温水加減弁（７ａ）により全動翼ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項４２０】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項４２１】
燃焼器兼熱交換器（４）により超臨界温度等複数温度の高温水に変換して、超臨界圧力高温水供給熱量を気化熱に近付けて夫々の高温水加減弁（７ａ）により全動翼ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項４２２】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項４２３】
燃焼器兼熱交換器（４）により超臨界温度等複数温度の高温水に変換して、超臨界圧力高温水供給熱量を気化熱に近付けて夫々の高温水加減弁（７ａ）により全動翼ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項４２４】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項４２５】
燃焼器兼熱交換器（４）により超臨界温度等複数温度の高温水に変換して、高温水供給熱量を気化熱に近付けて夫々の高温水加減弁（７ａ）により全動翼ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項４２６】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項４２７】
燃焼器兼熱交換器（４）により超臨界温度等複数温度の高温水に変換して、高温水供給熱量を気化熱に近付けて夫々の高温水加減弁（７ａ）により全動翼ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項４２８】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項４２９】
燃焼器兼熱交換器（４）により超臨界温度等複数温度の高温水に変換して、超臨界圧力高温水供給熱量を気化熱に近付けて夫々の高温水加減弁（７ａ）により全動翼蒸気タービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３０】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３１】
燃焼器兼熱交換器（４）により超臨界温度等複数温度の高温水に変換して、超臨界圧力高温水供給熱量を気化熱に近付けて夫々の高温水加減弁（７ａ）により全動翼蒸気タービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３２】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３３】
燃焼器兼熱交換器（４）により超臨界温度等複数温度の高温水に変換して、高温水供給熱量を気化熱に近付けて夫々の高温水加減弁（７ａ）により全動翼蒸気タービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３４】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３５】
燃焼器兼熱交換器（４）により超臨界温度等複数温度の高温水に変換して、高温水供給熱量を気化熱に近付けて夫々の高温水加減弁（７ａ）により全動翼蒸気タービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３６】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３７】
燃焼器兼熱交換器（４）により超臨界温度等複数温度の高温水に変換して、超臨界圧力高温水供給熱量を気化熱に近付けて夫々の高温水加減弁（７ａ）により全動翼蒸気タービン及び複数の霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３８】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び複数の霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４３９】
燃焼器兼熱交換器（４）により超臨界温度等複数温度の高温水に変換して、超臨界圧力高温水供給熱量を気化熱に近付けて夫々の高温水加減弁（７ａ）により全動翼蒸気タービン及び霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４４０】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４４１】
燃焼器兼熱交換器（４）により超臨界温度等複数温度の高温水に変換して、高温水供給熱量を気化熱に近付けて夫々の高温水加減弁（７ａ）により全動翼蒸気タービン及び複数の霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４４２】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び複数の霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４４３】
燃焼器兼熱交換器（４）により超臨界温度等複数温度の高温水に変換して、高温水供給熱量を気化熱に近付けて夫々の高温水加減弁（７ａ）により全動翼蒸気タービン及び霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４４４】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項４４５】
燃焼器兼熱交換器（４）により超臨界温度等複数温度の高温水に変換して、超臨界圧力高温水供給熱量を気化熱に近付けて夫々の高温水加減弁（７ａ）により全動翼蒸気タービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４４６】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４４７】
燃焼器兼熱交換器（４）により超臨界温度等複数温度の高温水に変換して、超臨界圧力高温水供給熱量を気化熱に近付けて夫々の高温水加減弁（７ａ）により全動翼蒸気タービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４４８】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４４９】
燃焼器兼熱交換器（４）により超臨界温度等複数温度の高温水に変換して、高温水供給熱量を気化熱に近付けて夫々の高温水加減弁（７ａ）により全動翼蒸気タービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５０】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び複数の霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５１】
燃焼器兼熱交換器（４）により超臨界温度等複数温度の高温水に変換して、高温水供給熱量を気化熱に近付けて夫々の高温水加減弁（７ａ）により全動翼蒸気タービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５２】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び霧吹きの原理（９１ｅ）の最上流の夫々の高温水溜（３２ａ）に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５３】
燃焼器兼熱交換器（４）により超臨界温度等複数温度の高温水に変換して、超臨界圧力高温水供給熱量を気化熱に近付けて夫々の高温水加減弁（７ａ）により全動翼蒸気タービン及び複数の霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５４】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び複数の霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５５】
燃焼器兼熱交換器（４）により超臨界温度等複数温度の高温水に変換して、超臨界圧力高温水供給熱量を気化熱に近付けて夫々の高温水加減弁（７ａ）により全動翼蒸気タービン及び霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５６】
燃焼器兼熱交換器（４）により超臨界温度等複数温度の高温水に変換して、超臨界圧力高温水供給熱量を気化熱に近付けて夫々の高温水加減弁（７ａ）により全動翼蒸気ガスタービン及び霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５７】
燃焼器兼熱交換器（４）により超臨界温度等複数温度の高温水に変換して、高温水供給熱量を気化熱に近付けて夫々の高温水加減弁（７ａ）により全動翼蒸気タービン及び複数の霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５８】
燃焼器兼熱交換器（４）により超臨界温度等複数温度の高温水に変換して、高温水供給熱量を、気化熱に近付けて夫々の高温水加減弁（７ａ）により全動翼蒸気ガスタービン及び複数の霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４５９】
燃焼器兼熱交換器（４）により超臨界温度等複数温度の高温水に変換して、高温水供給熱量を気化熱に近付けて夫々の高温水加減弁（７ａ）により全動翼蒸気タービン及び霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４６０】
燃焼器兼熱交換器（４）により超臨界温度等複数温度の高温水に変換して、高温水供給熱量を気化熱に近付けて夫々の高温水加減弁（７ａ）により全動翼蒸気ガスタービン及び霧吹きの原理（９１ｅ）の最上流に連絡して、気化爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項４６１】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項４６２】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して複数の高温水噴射ノズル（５９ｂ）より噴射することが特徴の全動翼蒸気ガスタービン合体機関。
【請求項４６３】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射することが特徴の全動翼蒸気ガスタービン合体機関。
【請求項４６４】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して複数の高温水噴射ノズル（５９ｂ）より噴射することが特徴の全動翼蒸気ガスタービン合体機関。
【請求項４６５】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射し、霧吹きの原理（９１ｄ）の１以上のノズルより燃焼ガス（１０）全部を噴射することが特徴の全動翼蒸気ガスタービン合体機関。
【請求項４６６】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して複数の高温水噴射ノズル（５９ｂ）より噴射し、霧吹きの原理（９１ｄ）の１以上のノズルより燃焼ガス（１０）全部を噴射することが特徴の全動翼蒸気ガスタービン合体機関。
【請求項４６７】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射し、霧吹きの原理（９１ｄ）の１以上のノズルより燃焼ガス（１０）全部を噴射することが特徴の全動翼蒸気ガスタービン合体機関。
【請求項４６８】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して複数の高温水噴射ノズル（５９ｂ）より噴射し、霧吹きの原理（９１ｄ）の１以上のノズルより燃焼ガス（１０）全部を噴射することが特徴の全動翼蒸気ガスタービン合体機関。
【請求項４６９】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射し、霧吹きの原理（９１ｄ）の１以上のノズルより燃焼ガス（１０）全部を噴射して夫々前方の水を吸引して噴射推進することが特徴の全動翼蒸気ガスタービン合体機関。
【請求項４７０】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して複数の高温水噴射ノズル（５９ｂ）より噴射し、霧吹きの原理（９１ｄ）の１以上のノズルより燃焼ガス（１０）全部を噴射して夫々前方の水を吸引して噴射推進することが特徴の全動翼蒸気ガスタービン合体機関。
【請求項４７１】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射し、霧吹きの原理（９１ｄ）の１以上のノズルより燃焼ガス（１０）全部を噴射して夫々前方の水を吸引して噴射推進することが特徴の全動翼蒸気ガスタービン合体機関。
【請求項４７２】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して複数の高温水噴射ノズル（５９ｂ）より噴射し、霧吹きの原理（９１ｄ）の１以上のノズルより燃焼ガス（１０）全部を噴射して夫々前方の水を吸引して噴射推進することが特徴の全動翼蒸気ガスタービン合体機関。
【請求項４７３】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射し、霧吹きの原理（９１ｄ）の１以上のノズルより燃焼ガス（１０）全部を噴射して夫々前方の水を吸引して噴射推進し、全動翼蒸気タービン排気で浮上推進することが特徴の全動翼蒸気ガスタービン合体機関。
【請求項４７４】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して複数の高温水噴射ノズル（５９ｂ）より噴射し、霧吹きの原理（９１ｄ）の１以上のノズルより燃焼ガス（１０）全部を噴射して夫々前方の水を吸引して噴射推進し、全動翼蒸気タービン排気で浮上推進することが特徴の全動翼蒸気ガスタービン合体機関。
【請求項４７５】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射し、霧吹きの原理（９１ｄ）の１以上のノズルより燃焼ガス（１０）全部を噴射して夫々前方の水を吸引して噴射推進し、全動翼蒸気タービン排気で浮上推進することが特徴の全動翼蒸気ガスタービン合体機関。
【請求項４７６】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して複数の高温水噴射ノズル（５９ｂ）より噴射し、霧吹きの原理（９１ｄ）の１以上のノズルより燃焼ガス（１０）全部を噴射して夫々前方の水を吸引して噴射推進し、全動翼蒸気タービン排気で浮上推進することが特徴の全動翼蒸気ガスタービン合体機関。
【請求項４７７】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射し、霧吹きの原理（９１ｄ）の１以上のノズルより燃焼ガス（１０）全部を噴射して夫々前方の水を吸引して噴射推進し、燃焼ガスで水を冷却してＣＯ２等を海底などに供給することが特徴の全動翼蒸気ガスタービン合体機関。
【請求項４７８】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び複数の霧吹きの原理（９１ｃ）の最上流及び中流の夫々の高温水溜（３２ａ）に連絡して、気化爆発力を利用して複数の高温水噴射ノズル（５９ｂ）より噴射し、霧吹きの原理（９１ｄ）の１以上のノズルより燃焼ガス（１０）全部を噴射して夫々前方の水を吸引して噴射推進し、燃焼ガスで水を冷却してＣＯ２等を海底などに供給することが特徴の全動翼蒸気ガスタービン合体機関。
【請求項４７９】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して加熱高温手段（１０１）により加熱高温とした複数の高温水噴射ノズル（５９ｂ）より噴射し、霧吹きの原理（９１ｄ）の１以上のノズルより燃焼ガス（１０）全部を噴射して夫々前方の水を吸引して噴射推進し、燃焼ガスで水を冷却してＣＯ２等を海底などに供給することが特徴の全動翼蒸気ガスタービン合体機関。
【請求項４８０】
燃焼器兼熱交換器（４）により超臨界温度等複数温度の高温水に変換して、超臨界圧力高温水供給熱量を気化熱に近付けて夫々の高温水加減弁（７ａ）により、全動翼蒸気タービンの最上流の高温水溜（３２ａ）及び霧吹きの原理（９１ｃ）の最上流及び中流の夫々の高温水溜（３２ａ）に連絡して、気化爆発力を利用して複数の高温水噴射ノズル（５９ｂ）より噴射し、霧吹きの原理（９１ｄ）の１以上のノズルより燃焼ガス（１０）全部を噴射して夫々前方の水を吸引して噴射推進し、燃焼ガスで水を冷却してＣＯ２等を海底などに供給することが特徴の全動翼蒸気ガスタービン合体機関。
【請求項４８１】
加熱高温手段（１０１）により加熱高温とした霧吹きの原理（９１ｅ）を利用した高温水噴射ノズル（５９ｂ）より超臨界温度等複数温度の高温水（５ｂ）を噴射することが特徴の全動翼蒸気ガスタービン合体機関。
【請求項４８２】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射することが特徴の全動翼蒸気ガスタービン合体機関。
【請求項４８３】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射することが特徴の全動翼蒸気ガスタービン合体機関。
【請求項４８４】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射することが特徴の全動翼蒸気ガスタービン合体機関。
【請求項４８５】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速することが特徴の全動翼蒸気ガスタービン合体機関。
【請求項４８６】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速することが特徴の全動翼蒸気ガスタービン合体機関。
【請求項４８７】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速することが特徴の全動翼蒸気ガスタービン合体機関。
【請求項４８８】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速することが特徴の全動翼蒸気ガスタービン合体機関。
【請求項４８９】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項４９０】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項４９１】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項４９２】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項４９３】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項４９４】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項４９５】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項４９６】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項４９７】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項４９８】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項４９９】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項５００】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項５０１】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項５０２】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項５０３】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項５０４】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項５０５】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項５０６】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項５０７】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項５０８】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項５０９】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項５１０】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項５１１】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項５１２】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項５１３】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項５１４】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項５１５】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項５１６】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項５１７】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項５１８】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項５１９】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項５２０】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項５２１】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項５２２】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項５２３】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項５２４】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項５２５】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項５２６】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項５２７】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項５２８】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項５２９】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項５３０】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項５３１】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項５３２】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項５３３】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項５３４】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項５３５】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項５３６】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項５３７】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項５３８】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項５３９】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項５４０】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項５４１】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項５４２】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項５４３】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項５４４】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項５４５】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項５４６】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項５４７】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項５４８】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項５４９】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給することが特徴の全動翼蒸気ガスタービン合体機関。
【請求項５５０】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給することが特徴の全動翼蒸気ガスタービン合体機関。
【請求項５５１】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給することが特徴の全動翼蒸気ガスタービン合体機関。
【請求項５５２】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給することが特徴の全動翼蒸気ガスタービン合体機関。
【請求項５５３】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給することが特徴の全動翼蒸気ガスタービン合体機関。
【請求項５５４】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給することが特徴の全動翼蒸気ガスタービン合体機関。
【請求項５５５】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給することが特徴の全動翼蒸気ガスタービン合体機関。
【請求項５５６】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給することが特徴の全動翼蒸気ガスタービン合体機関。
【請求項５５７】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水にすることが特徴の全動翼蒸気ガスタービン合体機関。
【請求項５５８】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水にすることが特徴の全動翼蒸気ガスタービン合体機関。
【請求項５５９】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水にすることが特徴の全動翼蒸気ガスタービン合体機関。
【請求項５６０】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水にすることが特徴の全動翼蒸気ガスタービン合体機関。
【請求項５６１】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水にすることが特徴の全動翼蒸気ガスタービン合体機関。
【請求項５６２】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水にすることが特徴の全動翼蒸気ガスタービン合体機関。
【請求項５６３】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水にすることが特徴の全動翼蒸気ガスタービン合体機関。
【請求項５６４】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水にすることが特徴の全動翼蒸気ガスタービン合体機関。
【請求項５６５】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項５６６】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項５６７】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項５６８】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項５６９】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項５７０】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項５７１】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項５７２】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項５７３】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項５７４】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項５７５】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項５７６】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項５７７】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項５７８】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項５７９】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項５８０】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項５８１】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項５８２】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項５８３】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項５８４】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項５８５】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項５８６】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項５８７】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項５８８】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項５８９】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項５９０】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項５９１】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項５９２】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項５９３】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項５９４】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項５９５】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項５９６】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項５９７】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項５９８】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項５９９】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項６００】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項６０１】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項６０２】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項６０３】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項６０４】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項６０５】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項６０６】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項６０７】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項６０８】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項６０９】
加熱高温手段（１０１）により加熱高温とした霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項６１０】
加熱高温手段（１０１）により加熱高温とした霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項６１１】
加熱高温手段（１０１）により加熱高温とした複数の霧吹きの原理（９１ｅ）を利用した高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項６１２】
加熱高温手段（１０１）により加熱高温とした複数の霧吹きの原理（９１ｅ）を利用した高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項６１３】
加熱高温手段（１０１）により加熱高温とした高温水噴射ノズル（５９ｂ）より超臨界温度等複数温度の高温水（５ｂ）を噴射することが特徴の全動翼蒸気ガスタービン合体機関。
【請求項６１４】
加熱高温手段（１０１）により加熱高温とした高温水噴射ノズル（５９ｂ）より超臨界温度等複数温度の超臨界圧力高温水（５ｂ）を噴射することが特徴の全動翼蒸気ガスタービン合体機関。
【請求項６１５】
加熱高温手段（１０１）により加熱高温とした複数の高温水噴射ノズル（５９ｂ）より超臨界温度等複数温度の高温水（５ｂ）を噴射することが特徴の全動翼蒸気ガスタービン合体機関。
【請求項６１６】
加熱高温手段（１０１）により加熱高温とした複数の高温水噴射ノズル（５９ｂ）より超臨界温度等複数温度の超臨界圧力高温水（５ｂ）を噴射することが特徴の全動翼蒸気ガスタービン合体機関。
【請求項６１７】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速することが特徴の全動翼蒸気ガスタービン合体機関。
【請求項６１８】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速することが特徴の全動翼蒸気ガスタービン合体機関。
【請求項６１９】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速することが特徴の全動翼蒸気ガスタービン合体機関。
【請求項６２０】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速することが特徴の全動翼蒸気ガスタービン合体機関。
【請求項６２１】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項６２２】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項６２３】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項６２４】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項６２５】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項６２６】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項６２７】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項６２８】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項６２９】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項６３０】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項６３１】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項６３２】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項６３３】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項６３４】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項６３５】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項６３６】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項６３７】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項６３８】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項６３９】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項６４０】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項６４１】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項６４２】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項６４３】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項６４４】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項６４５】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項６４６】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項６４７】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項６４８】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項６４９】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項６５０】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項６５１】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項６５２】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項６５３】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項６５４】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項６５５】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項６５６】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項６５７】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項６５８】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項６５９】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項６６０】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項６６１】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項６６２】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項６６３】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項６６４】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項６６５】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項６６６】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項６６７】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項６６８】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項６６９】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項６７０】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項６７１】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項６７２】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項６７３】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項６７４】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項６７５】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項６７６】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項６７７】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項６７８】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項６７９】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項６８０】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項６８１】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給することが特徴の全動翼蒸気ガスタービン合体機関。
【請求項６８２】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給することが特徴の全動翼蒸気ガスタービン合体機関。
【請求項６８３】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給することが特徴の全動翼蒸気ガスタービン合体機関。
【請求項６８４】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給することが特徴の全動翼蒸気ガスタービン合体機関。
【請求項６８５】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給することが特徴の全動翼蒸気ガスタービン合体機関。
【請求項６８６】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給することが特徴の全動翼蒸気ガスタービン合体機関。
【請求項６８７】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給することが特徴の全動翼蒸気ガスタービン合体機関。
【請求項６８８】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給することが特徴の全動翼蒸気ガスタービン合体機関。
【請求項６８９】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水にすることが特徴の全動翼蒸気ガスタービン合体機関。
【請求項６９０】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水にすることが特徴の全動翼蒸気ガスタービン合体機関。
【請求項６９１】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水にすることが特徴の全動翼蒸気ガスタービン合体機関。
【請求項６９２】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水にすることが特徴の全動翼蒸気ガスタービン合体機関。
【請求項６９３】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水にすることが特徴の全動翼蒸気ガスタービン合体機関。
【請求項６９４】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水にすることが特徴の全動翼蒸気ガスタービン合体機関。
【請求項６９５】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水にすることが特徴の全動翼蒸気ガスタービン合体機関。
【請求項６９６】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水にすることが特徴の全動翼蒸気ガスタービン合体機関。
【請求項６９７】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項６９８】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項６９９】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項７００】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項７０１】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項７０２】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項７０３】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項７０４】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項７０５】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項７０６】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項７０７】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項７０８】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項７０９】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項７１０】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項７１１】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項７１２】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項７１３】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項７１４】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項７１５】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項７１６】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項７１７】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項７１８】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項７１９】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項７２０】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項７２１】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項７２２】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項７２３】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項７２４】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項７２５】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項７２６】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項７２７】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項７２８】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項７２９】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項７３０】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項７３１】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項７３２】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項７３３】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項７３４】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項７３５】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項７３６】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項７３７】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項７３８】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項７３９】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項７４０】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項７４１】
加熱高温手段（１０１）により加熱高温とした高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項７４２】
加熱高温手段（１０１）により加熱高温とした高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項７４３】
加熱高温手段（１０１）により加熱高温とした複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項７４４】
加熱高温手段（１０１）により加熱高温とした複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項７４５】
高温水噴射ノズル（５９ｂ）より超臨界温度等複数温度の高温水（５ｂ）を噴射することが特徴の全動翼蒸気ガスタービン合体機関。
【請求項７４６】
高温水噴射ノズル（５９ｂ）より超臨界温度等複数温度の超臨界圧力高温水（５ｂ）を噴射することが特徴の全動翼蒸気ガスタービン合体機関。
【請求項７４７】
複数の高温水噴射ノズル（５９ｂ）より超臨界温度等複数温度の高温水（５ｂ）を噴射することが特徴の全動翼蒸気ガスタービン合体機関。
【請求項７４８】
複数の高温水噴射ノズル（５９ｂ）より超臨界温度等複数温度の超臨界圧力高温水（５ｂ）を噴射することが特徴の全動翼蒸気ガスタービン合体機関。
【請求項７４９】
高温水噴射ノズル（５９ｂ）より超臨界温度等複数温度の高温水（５ｂ）を噴射して気化爆発力によりノズル内では機関銃の弾丸や吹雪等のように加速することが特徴の全動翼蒸気ガスタービン合体機関。
【請求項７５０】
高温水噴射ノズル（５９ｂ）より超臨界温度等複数温度の超臨界圧力高温水（５ｂ）を噴射して気化爆発力によりノズル内では機関銃の弾丸や吹雪等のように加速することが特徴の全動翼蒸気ガスタービン合体機関。
【請求項７５１】
複数の高温水噴射ノズル（５９ｂ）より超臨界温度等複数温度の高温水（５ｂ）を噴射して気化爆発力によりノズル内では機関銃の弾丸や吹雪等のように加速することが特徴の全動翼蒸気ガスタービン合体機関。
【請求項７５２】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速することが特徴の全動翼蒸気ガスタービン合体機関。
【請求項７５３】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項７５４】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項７５５】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項７５６】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速することが特徴の全動翼蒸気ガスタービン合体機関。
【請求項７５７】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項７５８】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項７５９】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項７６０】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して気化潜熱を最適利用することが特徴の全動翼蒸気ガスタービン合体機関。
【請求項７６１】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項７６２】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項７６３】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項７６４】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼に噴射することが特徴の全動翼蒸気ガスタービン合体機関。
【請求項７６５】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項７６６】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項７６７】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項７６８】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼の最上流に噴射することが特徴の全動翼蒸気ガスタービン合体機関。
【請求項７６９】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項７７０】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項７７１】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項７７２】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流に噴射することが特徴の全動翼蒸気ガスタービン合体機関。
【請求項７７３】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項７７４】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項７７５】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項７７６】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流に噴射することが特徴の全動翼蒸気ガスタービン合体機関。
【請求項７７７】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項７７８】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項７７９】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項７８０】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流に噴射することが特徴の全動翼蒸気ガスタービン合体機関。
【請求項７８１】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項７８２】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項７８３】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項７８４】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射することが特徴の全動翼蒸気ガスタービン合体機関。
【請求項７８５】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項７８６】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項７８７】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項７８８】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射することが特徴の全動翼蒸気ガスタービン合体機関。
【請求項７８９】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項７９０】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項７９１】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項７９２】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射することが特徴の全動翼蒸気ガスタービン合体機関。
【請求項７９３】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項７９４】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項７９５】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項７９６】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生することが特徴の全動翼蒸気ガスタービン合体機関。
【請求項７９７】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項７９８】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項７９９】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項８００】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生することが特徴の全動翼蒸気ガスタービン合体機関。
【請求項８０１】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項８０２】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項８０３】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項８０４】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して回転出力を発生することが特徴の全動翼蒸気ガスタービン合体機関。
【請求項８０５】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項８０６】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項８０７】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項８０８】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生することが特徴の全動翼蒸気ガスタービン合体機関。
【請求項８０９】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項８１０】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項８１１】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項８１２】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項８１３】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給することが特徴の全動翼蒸気ガスタービン合体機関。
【請求項８１４】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給することが特徴の全動翼蒸気ガスタービン合体機関。
【請求項８１５】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給することが特徴の全動翼蒸気ガスタービン合体機関。
【請求項８１６】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給することが特徴の全動翼蒸気ガスタービン合体機関。
【請求項８１７】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給することが特徴の全動翼蒸気ガスタービン合体機関。
【請求項８１８】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給することが特徴の全動翼蒸気ガスタービン合体機関。
【請求項８１９】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給することが特徴の全動翼蒸気ガスタービン合体機関。
【請求項８２０】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給することが特徴の全動翼蒸気ガスタービン合体機関。
【請求項８２１】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水にすることが特徴の全動翼蒸気ガスタービン合体機関。
【請求項８２２】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水にすることが特徴の全動翼蒸気ガスタービン合体機関。
【請求項８２３】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水にすることが特徴の全動翼蒸気ガスタービン合体機関。
【請求項８２４】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水にすることが特徴の全動翼蒸気ガスタービン合体機関。
【請求項８２５】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水にすることが特徴の全動翼蒸気ガスタービン合体機関。
【請求項８２６】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水にすることが特徴の全動翼蒸気ガスタービン合体機関。
【請求項８２７】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水にすることが特徴の全動翼蒸気ガスタービン合体機関。
【請求項８２８】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水にすることが特徴の全動翼蒸気ガスタービン合体機関。
【請求項８２９】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項８３０】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項８３１】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項８３２】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項８３３】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項８３４】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項８３５】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項８３６】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気タービンの最上流より順次下流に噴射して断熱膨張大気圧まで回転出力を発生し、気化潜熱回収器（６６ａ）で気化潜熱を回収して凝縮水を全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項８３７】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項８３８】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項８３９】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項８４０】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給することが特徴の全動翼蒸気ガスタービン合体機関。
【請求項８４１】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項８４２】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項８４３】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項８４４】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給することが特徴の全動翼蒸気ガスタービン合体機関。
【請求項８４５】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項８４６】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項８４７】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項８４８】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項８４９】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項８５０】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項８５１】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項８５２】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項８５３】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８５４】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８５５】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８５６】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８５７】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８５８】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８５９】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８６０】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８６１】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８６２】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８６３】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８６４】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８６５】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８６６】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８６７】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８６８】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８６９】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８７０】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８７１】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８７２】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８７３】
高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８７４】
高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８７５】
複数の高温水噴射ノズル（５９ｂ）より超臨界温度等複数温度の高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８７６】
複数の高温水噴射ノズル（５９ｂ）より超臨界温度等複数温度の超臨界圧力高温水（５ｂ）を噴射して気化爆発力によりノズル内では機関銃の弾丸や吹雪等のように加速し、ノズル外では散弾ロケットや吹雪等のように加速して全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８７７】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を設けたことを特徴とする全動翼蒸気ガスタービン合体機関。
【請求項８７８】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を設けたことを特徴とする全動翼蒸気ガスタービン合体機関。
【請求項８７９】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を設けたことを特徴とする全動翼蒸気ガスタービン合体機関。
【請求項８８０】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を設けたことを特徴とする全動翼蒸気ガスタービン合体機関。
【請求項８８１】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項８８２】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項８８３】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項８８４】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項８８５】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項８８６】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項８８７】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項８８８】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項８８９】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項８９０】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項８９１】
発電機により互いに反対方向に回転する外側軸装置と内側軸装置を最適回転比で結合し、電磁加熱タービン動翼（８１）を具備した超臨界温度等複数温度の超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項８９２】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項８９３】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項８９４】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項８９５】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項８９６】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項８９７】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項８９８】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項８９９】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項９００】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項９０１】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項９０２】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項９０３】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項９０４】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項９０５】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項９０６】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項９０７】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項９０８】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項９０９】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項９１０】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項９１１】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項９１２】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項９１３】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項９１４】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項９１５】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項９１６】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項９１７】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項９１８】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項９１９】
発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項９２０】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項９２１】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項９２２】
発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項９２３】
燃焼ガス排気温度を−２７３℃に近付ける全動翼ガスタービンにおいて、低温燃焼ガスにより水道水を冷却して貯蔵することを特徴とする全動翼蒸気ガスタービン合体機関。
【請求項９２４】
燃焼ガス排気温度を−２７３℃に近付ける全動翼ガスタービンにおいて、低温燃焼ガスにより水道水を冷却して貯蔵して水道水冷熱を需要家に供給することを特徴とする全動翼蒸気ガスタービン合体機関。
【請求項９２５】
燃焼ガス排気温度を−２７３℃に近付ける全動翼ガスタービンにおいて、燃焼器兼熱交換器４の圧縮空気圧力を全動翼により極限まで上昇することを特徴とする全動翼蒸気ガスタービン合体機関。
【請求項９２６】
燃焼ガス排気温度を−２７３℃に近付ける全動翼ガスタービンにおいて、燃焼器兼熱交換器４の圧縮空気圧力を全動翼により極限まで上昇し、低温燃焼ガスにより水道水を冷却して貯蔵することを特徴とする全動翼蒸気ガスタービン合体機関。
【請求項９２７】
燃焼ガス排気温度を−２７３℃に近付ける全動翼ガスタービンにおいて、燃焼器兼熱交換器４の圧縮空気圧力を全動翼により極限まで上昇し、低温燃焼ガスにより水道水を冷却して貯蔵して水道水冷熱を需要家に供給することを特徴とする全動翼蒸気ガスタービン合体機関。
【請求項９２８】
燃焼ガス排気温度を−２７３℃に近付けて冷熱回収器（１０２）を使用し、低温燃焼ガスにより水道水を冷却して水道水冷熱を需要家に供給して、その水道水冷熱により直接空気を冷却することを特徴とする全動翼蒸気ガスタービン合体機関。
【請求項９２９】
燃焼ガス排気温度を−２７３℃に近付けて冷熱回収器（１０２）を使用し、低温燃焼ガスにより水道水を冷却して水道水冷熱を需要家に供給して、その水道水冷熱により直接空気を冷却して室内を冷却することを特徴とする全動翼蒸気ガスタービン合体機関。
【請求項９３０】
燃焼ガス排気温度を−２７３℃に近付けて冷熱回収器（１０２）を使用し、低温燃焼ガスにより水道水を冷却して水道水冷熱を需要家に供給して、その水道水冷熱により圧縮空気を冷却することを特徴とする全動翼蒸気ガスタービン合体機関。
【請求項９３１】
燃焼ガス排気温度を−２７３℃に近付けて冷熱回収器（１０２）を使用し、低温燃焼ガスにより水道水を冷却して水道水冷熱を需要家に供給して、その水道水冷熱により圧縮空気を冷却して室内を冷却することを特徴とする全動翼蒸気ガスタービン合体機関。
【請求項９３２】
燃焼ガス排気温度を−２７３℃に近付けて冷熱回収器（１０２）を使用し、低温燃焼ガスにより水道水を冷却して水道水冷熱を需要家に供給して、その水道水冷熱により圧縮空気を冷却して冷凍設備にすることを特徴とする全動翼蒸気ガスタービン合体機関。
【請求項９３３】
燃焼ガス排気温度を−２７３℃に近付けて冷熱回収器（１０２）を使用し、低温燃焼ガスにより水道水を冷却して水道水冷熱を需要家に供給して、その水道水冷熱により圧縮空気を冷却して冷凍庫にすることを特徴とする全動翼蒸気ガスタービン合体機関。
【請求項９３４】
燃焼ガス排気温度を−２７３℃に近付けて冷熱回収器（１０２）を使用し、低温燃焼ガスにより水道水を冷却して水道水冷熱を需要家に供給して、その水道水冷熱により圧縮空気を冷却して冷蔵庫にすることを特徴とする全動翼蒸気ガスタービン合体機関。
【請求項９３５】
燃焼ガス排気温度を−２７３℃に近付けて冷熱回収器（１０２）を使用し、低温燃焼ガスにより水道水を冷却して水道水冷熱を需要家に供給して、その水道水冷熱により圧縮空気を冷却してクーラーにすることを特徴とする全動翼蒸気ガスタービン合体機関。
【請求項９３６】
燃焼ガス排気温度を−２７３℃に近付けて冷熱回収器（１０２）を使用し、低温燃焼ガスにより水道水を冷却して水道水冷熱を需要家に供給して、その水道水冷熱により圧縮空気を冷却して家庭用クーラーにすることを特徴とする全動翼蒸気ガスタービン合体機関。
【請求項９３７】
燃焼ガス排気温度を−２７３℃に近付けて冷熱回収器（１０２）を使用し、低温燃焼ガスにより水道水を冷却して水道水冷熱を需要家に供給して、その水道水冷熱により圧縮空気を冷却して業務用クーラーにすることを特徴とする全動翼蒸気ガスタービン合体機関。
【請求項９３８】
燃焼ガス排気温度を−２７３℃に近付ける全動翼ガスタービンにおいて、燃焼器兼熱交換器４の圧縮空気圧力を全動翼により極限まで上昇し、ドライアイスを回収可能にすることを特徴とする全動翼蒸気ガスタービン合体機関。
【請求項９３９】
燃焼ガス排気温度を−２７３℃に近付ける全動翼ガスタービンにおいて、燃焼器兼熱交換器４の圧縮空気圧力を全動翼により極限まで上昇し、液体窒素を回収可能にすることを特徴とする全動翼蒸気ガスタービン合体機関。
【請求項９４０】
燃焼ガス排気温度を−２７３℃に近付ける全動翼ガスタービンにおいて、冷熱回収器（１０２）の低温燃焼ガスにより水道水を冷却して貯蔵することを特徴とする全動翼蒸気ガスタービン合体機関。
【請求項９４１】
燃焼ガス排気温度を−２７３℃に近付ける全動翼ガスタービンにおいて、冷熱回収器（１０２）の低温燃焼ガスにより水道水を冷却して貯蔵して水道水冷熱を需要家に供給することを特徴とする全動翼蒸気ガスタービン合体機関。
【請求項９４２】
燃焼ガス排気温度を−２７３℃に近付ける全動翼ガスタービンにおいて、燃焼器兼熱交換器４の圧縮空気圧力を全動翼により極限まで上昇して冷熱回収器（１０２）を使用することを特徴とする全動翼蒸気ガスタービン合体機関。
【請求項９４３】
燃焼ガス排気温度を−２７３℃に近付ける全動翼ガスタービンにおいて、燃焼器兼熱交換器４の圧縮空気圧力を全動翼により極限まで上昇し、冷熱回収器（１０２）の低温燃焼ガスにより水道水を冷却して貯蔵することを特徴とする全動翼蒸気ガスタービン合体機関。
【請求項９４４】
燃焼ガス排気温度を−２７３℃に近付ける全動翼ガスタービンにおいて、燃焼器兼熱交換器４の圧縮空気圧力を全動翼により極限まで上昇し、冷熱回収器（１０２）の低温燃焼ガスにより水道水を冷却して貯蔵して水道水冷熱を需要家に供給することを特徴とする全動翼蒸気ガスタービン合体機関。
【請求項９４５】
燃焼ガス排気温度を−２７３℃に近付ける全動翼ガスタービンにおいて、燃焼器兼熱交換器４の圧縮空気圧力を全動翼により極限まで上昇し、冷熱回収器（１０２）でドライアイスを回収可能にすることを特徴とする全動翼蒸気ガスタービン合体機関。
【請求項９４６】
燃焼ガス排気温度を−２７３℃に近付ける全動翼ガスタービンにおいて、燃焼器兼熱交換器４の圧縮空気圧力を全動翼により極限まで上昇し、冷熱回収器（１０２）で液体窒素を回収可能にすることを特徴とする全動翼蒸気ガスタービン合体機関。
【請求項９４７】
燃焼ガス排気温度を−２７３℃に近付けて冷熱回収器（１０２）を使用することを特徴とする全動翼蒸気ガスタービン合体機関。
【請求項９４８】
燃焼ガス排気温度を−２７３℃に近付けて冷熱回収器（１０２）を使用し、全動翼送風機（１０３）の吸入側を真空にすることを特徴とする全動翼蒸気ガスタービン合体機関。
【請求項９４９】
燃焼ガス排気温度を−２７３℃に近付けて冷熱回収器（１０２）を使用し、全動翼送風機（１０３）の吸入側を真空にしてドライアイスの製造を容易にすることを特徴とする全動翼蒸気ガスタービン合体機関。
【請求項９５０】
燃焼ガス排気温度を−２７３℃に近付けて冷熱回収器（１０２）を使用し、全動翼送風機（１０３）の吸入側を真空にして液体窒素の製造を容易にすることを特徴とする全動翼蒸気ガスタービン合体機関。
【請求項９５１】
燃焼ガス排気温度を−２７３℃に近付けて冷熱回収器（１０２）を使用し、全動翼送風機（１０３）の吐出側を攪拌することを特徴とする全動翼蒸気ガスタービン合体機関。
【請求項９５２】
燃焼ガス排気温度を−２７３℃に近付けて冷熱回収器（１０２）を使用し、全動翼送風機（１０３）の吐出側を攪拌して冷熱回収を容易にすることを特徴とする全動翼蒸気ガスタービン合体機関。
【請求項９５３】
燃焼ガス排気温度を−２７３℃に近付けて冷熱回収器（１０２）を使用し、全動翼送風機（１０３）の吐出側を攪拌して冷熱回収水道水を冷却することを特徴とする全動翼蒸気ガスタービン合体機関。
【請求項９５４】
燃焼ガス排気温度を−２７３℃に近付けて冷熱回収器（１０２）を使用し、全動翼送風機（１０３）の吐出側を昇圧してＣＯ２等の燃焼ガスを水中に移動することを特徴とする全動翼蒸気ガスタービン合体機関。
【請求項９５５】
燃焼ガス排気温度を−２７３℃に近付けて冷熱回収器（１０２）を使用し、全動翼送風機（１０３）の吐出側を昇圧してＣＯ２等の燃焼ガスを水中に溶解することを特徴とする全動翼蒸気ガスタービン合体機関。
【請求項９５６】
燃焼ガス排気温度を−２７３℃に近付けて冷熱回収器（１０２）を使用し、全動翼送風機（１０３）の吐出側を昇圧してＣＯ２等の燃焼ガスを水に溶解合成することを特徴とする全動翼蒸気ガスタービン合体機関。
【請求項９５７】
燃焼ガス排気温度を−２７３℃に近付けて冷熱回収器（１０２）を使用し、全動翼送風機（１０３）の吐出側を昇圧してＣＯ２等の燃焼ガスを化学物質と共に水に合成溶解することを特徴とする全動翼蒸気ガスタービン合体機関。
【請求項９５８】
燃焼ガス排気温度を−２７３℃に近付けて使用する冷熱回収器（１０２）の全動翼送風機（１０３）を、全動翼圧縮機と略同様に構成することを特徴とする全動翼蒸気ガスタービン合体機関。
【請求項９５９】
燃焼ガス排気温度を−２７３℃に近付けて使用する冷熱回収器（１０２）の全動翼送風機（１０３）を、全動翼圧縮機と略同様に二重反転磁気摩擦動力伝達装置（１４）を具備することを特徴とする全動翼蒸気ガスタービン合体機関。
【請求項９６０】
燃焼ガス排気温度を−２７３℃に近付けて使用する冷熱回収器（１０２）の全動翼送風機（１０３）を、全動翼圧縮機と略同様に送水ポンプ兼二重反転磁気摩擦動力伝達装置（１４ａ）を具備することを特徴とする全動翼蒸気ガスタービン合体機関。
【請求項９６１】
燃焼ガス排気温度を−２７３℃に近付けて使用する冷熱回収器（１０２）の全動翼送風機（１０３）を、全動翼圧縮機と略同様に二重反転磁気摩擦動力伝達装置（１４）を具備して全動翼を二重反転することを特徴とする全動翼蒸気ガスタービン合体機関。
【請求項９６２】
燃焼ガス排気温度を−２７３℃に近付けて使用する冷熱回収器（１０２）の全動翼送風機（１０３）を、全動翼圧縮機と略同様に送水ポンプ兼二重反転磁気摩擦動力伝達装置（１４ａ）を具備して全動翼を二重反転することを特徴とする全動翼蒸気ガスタービン合体機関。
【請求項９６３】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、低温燃焼ガスを核に水や水蒸気を凝集して、雹や水滴等として分別回収可能にすることを特徴とする全動翼蒸気ガスタービン合体機関。
【請求項９６４】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、石炭灰を含む低温燃焼ガスを核に水や水蒸気を凝集して、雹や水滴等として分別回収可能にすることを特徴とする全動翼蒸気ガスタービン合体機関。
【請求項９６５】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９６６】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、低温燃焼ガスを核に水や水蒸気を凝集し、雹や水滴等として分別回収可能にすることを特徴とする全動翼蒸気ガスタービン合体機関。
【請求項９６７】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、石炭灰を含む低温燃焼ガスを核に水や水蒸気を凝集して、雹や水滴等として分別回収可能にすることを特徴とする全動翼蒸気ガスタービン合体機関。
【請求項９６８】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９６９】
燃焼ガス排気温度を−２７３℃に近付ける、電磁加熱タービン動翼（８１）を具備した超臨界温度等複数温度の高温水（５ｂ）で駆動する全動翼ガスタービンにおいて、低温燃焼ガスを核に水や水蒸気を凝集して、雹や水滴等として分別回収可能にすることを特徴とする全動翼蒸気ガスタービン合体機関。
【請求項９７０】
燃焼ガス排気温度を−２７３℃に近付ける、電磁加熱タービン動翼（８１）を具備した超臨界温度等複数温度の高温水（５ｂ）で駆動する全動翼ガスタービンにおいて、石炭灰を含む低温燃焼ガスを核に水や水蒸気を凝集して、雹や水滴等として分別回収可能にすることを特徴とする全動翼蒸気ガスタービン合体機関。
【請求項９７１】
燃焼ガス排気温度を−２７３℃に近付ける、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９７２】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、低温燃焼ガスを核に水や水蒸気を凝集し、雹や水滴等として分別回収可能にすることを特徴とする全動翼蒸気ガスタービン合体機関。
【請求項９７３】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、石炭灰を含む低温燃焼ガスを核に水や水蒸気を凝集して、雹や水滴等として分別回収可能にすることを特徴とする全動翼蒸気ガスタービン合体機関。
【請求項９７４】
燃焼ガス排気温度を−２７３℃に近付ける、電磁加熱タービン動翼（８１）を具備し超臨界温度等複数温度の高温水（５ｂ）で駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９７５】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、低温燃焼ガスを核に水や水蒸気を凝集して、雹や水滴等として分別回収可能にすることを特徴とする全動翼蒸気ガスタービン合体機関。
【請求項９７６】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９７７】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、低温燃焼ガスを核に水や水蒸気を凝集して、雹や水滴等として分別回収可能にすることを特徴とする全動翼蒸気ガスタービン合体機関。
【請求項９７８】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９７９】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、低温燃焼ガスを核に水や水蒸気を凝集して、雹や水滴等として分別回収可能にすることを特徴とする全動翼蒸気ガスタービン合体機関。
【請求項９８０】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９８１】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、低温燃焼ガスを核に水や水蒸気を凝集して、雹や水滴等として分別回収可能にすることを特徴とする全動翼蒸気ガスタービン合体機関。
【請求項９８２】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９８３】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、低温燃焼ガスを核に水や水蒸気を凝集して、雹や水滴等として分別回収可能にすることを特徴とする蒸気ガスタービン合体機関。
【請求項９８４】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９８５】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、低温燃焼ガスを核に水や水蒸気を凝集して、雹や水滴等として分別回収可能にすることを特徴とする全動翼蒸気ガスタービン合体機関。
【請求項９８６】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９８７】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、水冷却翼（８７）を段落毎環状に設けたことを特徴とする全動翼蒸気ガスタービン合体機関。
【請求項９８８】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、水冷却翼（８７）を段落毎環状に設けたことを特徴とする全動翼蒸気ガスタービン合体機関。
【請求項９８９】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、低温燃焼ガスを核に水や水蒸気を凝集して、雹や水滴等として分別回収可能にすることを特徴とする蒸気ガスタービン合体機関。
【請求項９９０】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９９１】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、低温燃焼ガスを核に水や水蒸気を凝集して、雹や水滴等として分別回収可能にすることを特徴とする全動翼蒸気ガスタービン合体機関。
【請求項９９２】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９９３】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、水冷却翼（８７）を段落毎環状に設けたことを特徴とする全動翼蒸気ガスタービン合体機関。
【請求項９９４】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、水冷却翼（８７）を段落毎環状に設けたことを特徴とする全動翼蒸気ガスタービン合体機関。
【請求項９９５】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、水冷却翼（８７）を段落毎環状に設けたことを特徴とする全動翼蒸気ガスタービン合体機関。
【請求項９９６】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、水冷却翼（８７）を段落毎環状に設けたことを特徴とする全動翼蒸気ガスタービン合体機関。
【請求項９９７】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けたことが特徴の全動翼蒸気ガスタービン合体機関。
【請求項９９８】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に撥水性水冷却翼（８７）を段落毎環状に設けたことが特徴の全動翼蒸気ガスタービン合体機関。
【請求項９９９】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１０００】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１００１】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、水冷却翼（８７）を段落毎環状に設けたことを特徴とする全動翼蒸気ガスタービン合体機関。
【請求項１００２】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、水冷却翼（８７）を段落毎環状に設けたことを特徴とする全動翼蒸気ガスタービン合体機関。
【請求項１００３】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けたことが特徴の全動翼蒸気ガスタービン合体機関。
【請求項１００４】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に撥水性水冷却翼（８７）を段落毎環状に設けたことが特徴の全動翼蒸気ガスタービン合体機関。
【請求項１００５】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１００６】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１００７】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１００８】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１００９】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１０１０】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１０１１】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射することを特徴とする全動翼蒸気ガスタービン合体機関。
【請求項１０１２】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射する撥水性水冷却翼（８７）を含めたことを特徴とする全動翼蒸気ガスタービン合体機関。
【請求項１０１３】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１０１４】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１０１５】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１０１６】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射することを特徴とする全動翼蒸気ガスタービン合体機関。
【請求項１０１７】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射することを特徴とする全動翼蒸気ガスタービン合体機関。
【請求項１０１８】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射する撥水性水冷却翼（８７）を含めたことを特徴とする全動翼蒸気ガスタービン合体機関。
【請求項１０１９】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射する撥水性水冷却翼（８７）を含めたことを特徴とする全動翼蒸気ガスタービン合体機関。
【請求項１０２０】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射する撥水性水冷却翼（８７）を含めたことを特徴とする全動翼蒸気ガスタービン合体機関。
【請求項１０２１】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射する撥水性水冷却翼（８７）を含めたことを特徴とする全動翼蒸気ガスタービン合体機関。
【請求項１０２２】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射することを特徴とする全動翼蒸気ガスタービン合体機関。
【請求項１０２３】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０２４】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０２５】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射する撥水性水冷却翼（８７）を含めたことを特徴とする全動翼蒸気ガスタービン合体機関。
【請求項１０２６】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射する撥水性水冷却翼（８７）を含めたことを特徴とする全動翼蒸気ガスタービン合体機関。
【請求項１０２７】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射する撥水性水冷却翼（８７）を含めたことを特徴とする全動翼蒸気ガスタービン合体機関。
【請求項１０２８】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射することを特徴とする全動翼蒸気ガスタービン合体機関。
【請求項１０２９】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０３０】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０３１】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０３２】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０３３】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０３４】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０３５】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０３６】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０３７】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０３８】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０３９】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０４０】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を段落毎環状に設けて、該出力で駆動する装置を具備したことを特徴とする全動翼蒸気ガスタービン合体機関。
【請求項１０４１】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０４２】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０４３】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０４４】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮動機翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０４５】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０４６】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０４７】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０４８】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０４９】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０５０】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮動機翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０５１】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０５２】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側圧縮機動翼群（１６）及び内側圧縮機動翼群（１７）の大部分に、撥水性水冷却翼（８７）を設けて、段落毎１以上複数の撥水性水冷却翼を冷却後に水噴射手段（５６）より水噴射して、該出力で駆動する装置を具備したことを特徴とする全動翼蒸気ガスタービン合体機関。
【請求項１０５３】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０５４】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０５５】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０５６】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として、夫々の外側圧縮動機翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０５７】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０５８】
燃焼ガス排気温度を−２７３℃に近付ける発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の水冷却翼を冷却後に水噴射手段（５６）より水噴射して、該出力で駆動する装置を具備したことを特徴とする全動翼蒸気ガスタービン合体機関。
【請求項１０５９】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０６０】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として、夫々の外側圧縮動機翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０６１】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の撥水性水冷却翼を冷却後に水噴射手段（５６）より水噴射して、該出力で駆動する装置を具備したことを特徴とする全動翼蒸気ガスタービン合体機関。
【請求項１０６２】
燃焼ガス排気温度を−２７３℃に近付ける発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として、夫々の外側圧縮機動翼群（１６）及び内側圧縮機動翼群（１７）の大部分に、撥水性水冷却翼（８７）を設けて、段落毎全部以下半分の水冷却翼を冷却後に水噴射手段（５６）より水噴射して、該出力で駆動する装置を具備したことを特徴とする全動翼蒸気ガスタービン合体機関。
【請求項１０６３】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１０６４】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１０６５】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０６６】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１０６７】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１０６８】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０６９】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０７０】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１０７１】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該容積を縮小し単位質量を増大することを特徴とする全動翼蒸気ガスタービン合体機関。
【請求項１０７２】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０７３】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０７４】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気や燃焼ガスを冷却し、該容積を縮小し単位質量を増大することを特徴とする全動翼蒸気ガスタービン合体機関。
【請求項１０７５】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該容積を縮小し単位質量を増大することを特徴とする全動翼蒸気ガスタービン合体機関。
【請求項１０７６】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０７７】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０７８】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１０７９】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１０８０】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１０８１】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１０８２】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０８３】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１０８４】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該容積を縮小し単位質量を増大することを特徴とする全動翼蒸気ガスタービン合体機関。
【請求項１０８５】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０８６】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０８７】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気や燃焼ガスを冷却し、該容積を縮小し単位質量を増大することを特徴とする全動翼蒸気ガスタービン合体機関。
【請求項１０８８】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該容積を縮小し単位質量を増大することを特徴とする全動翼蒸気ガスタービン合体機関。
【請求項１０８９】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０９０】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該容積を縮小し単位質量を増大することを特徴とする全動翼蒸気ガスタービン合体機関。
【請求項１０９１】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１０９２】
燃焼ガス排気温度を−２７３℃に近付ける、電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１０９３】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１０９４】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１０９５】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１０９６】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１０９７】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１０９８】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１０９９】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１１００】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１１０１】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造して組立構造とした内側タービン動翼群（２０）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１１０２】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造して組立構造とした外側タービン動翼群（１９）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１１０３】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１１０４】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１１０５】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１１０６】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１１０７】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１１０８】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けて燃焼ガスを冷却し、該出力で駆動する装置を具備したことを特徴とする全動翼蒸気ガスタービン合体機関。
【請求項１１０９】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造して組立構造とした内側タービン動翼群（２０）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１１１０】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造して組立構造とした外側タービン動翼群（１９）の組立環状接続部付近に、水噴射手段（５６ａ）を断熱して設けて過熱蒸気や燃焼ガスを冷却し、該出力で駆動する装置を具備したことを特徴とする全動翼蒸気ガスタービン合体機関。
【請求項１１１１】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１１１２】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１１１３】
燃焼ガス排気温度を−２７３℃に近付ける、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１１１４】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１１１５】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１１１６】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１１１７】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１１１８】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１１１９】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等として分別し、分別した有害物質合成溶解を促進する物質を含む水中に排出して、無害に近付けて放出することを特徴とする全動翼蒸気ガスタービン合体機関。
【請求項１１２０】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して雹や水滴等として分別し、分別した有害物質を該合成溶解を促進する物質を含む水中に排出して、無害に近付けて放出することを特徴とする全動翼蒸気ガスタービン合体機関。
【請求項１１２１】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１１２２】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１１２３】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１１２４】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１１２５】
燃焼ガス排気温度を−２７３℃に近付ける、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等として分別し、分別した有害物質を該合成溶解を促進する物質を含む水中に排出して、無害に近付けて放出することを特徴とする全動翼蒸気ガスタービン合体機関。
【請求項１１２６】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、有害物質を含む低温燃焼ガスを核に水や水蒸気を凝集して雹や水滴等として分別し、分別した有害物質合成溶解を促進する物質を含む水中に排出して、無害に近付けて放出することを特徴とする全動翼蒸気ガスタービン合体機関。
【請求項１１２７】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等として分別し、分別した有害物質合成溶解を促進する物質を含む水中に排出して、無害に近付けて放出することを特徴とする全動翼蒸気ガスタービン合体機関。
【請求項１１２８】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して雹や水滴等として分別し、分別した有害物質を、該合成溶解を促進する物質を含む水中に排出して、無害に近付けて放出することを特徴とする全動翼蒸気ガスタービン合体機関。
【請求項１１２９】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等として分別し、分別した有害物質を、該合成溶解を促進する物質を含む水中に排出して、無害に近付けて放出することを特徴とする全動翼蒸気ガスタービン合体機関。
【請求項１１３０】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して雹や水滴等として分別し、分別した有害物質を、該合成溶解を促進する物質を含む水中に排出して、無害に近付けて放出することを特徴とする全動翼蒸気ガスタービン合体機関。
【請求項１１３１】
燃焼ガス排気温度を−２７３℃に近付ける、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１３２】
燃焼ガス排気温度を−２７３℃に近付ける、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１３３】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等として分別し、分別した有害物質合成溶解を促進する物質を含む水中に排出して、無害に近付けて放出することを特徴とする全動翼蒸気ガスタービン合体機関。
【請求項１１３４】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、有害物質を含む低温燃焼ガスを核に水や水蒸気を凝集して雹や水滴等として分別し、分別した有害物質を、該合成溶解を促進する物質を含む水中に排出して、無害に近付けて放出することを特徴とする全動翼蒸気ガスタービン合体機関。
【請求項１１３５】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等として分別し、分別した有害物質を、該合成溶解を促進する物質を含む水中に排出して、無害に近付けて放出することを特徴とする全動翼蒸気ガスタービン合体機関。
【請求項１１３６】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、有害物質を含む低温燃焼ガスを核に水や水蒸気を凝集して雹や水滴等として分別し、分別した有害物質を、該合成溶解を促進する物質を含む水中に排出して、無害に近付けて放出することを特徴とする全動翼蒸気ガスタービン合体機関。
【請求項１１３７】
燃焼ガス排気温度を−２７３℃に近付ける、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１３８】
燃焼ガス排気温度を−２７３℃に近付ける、電磁加熱タービン動翼（８１）を具備した超臨界温度等複数温度の高温水（５ｂ）で駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１３９】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１４０】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１４１】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１４２】
燃焼ガス排気温度を−２７３℃に近付ける、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１４３】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１４４】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１４５】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１４６】
燃焼ガス排気温度を−２７３℃に近付ける、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１１４７】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１１４８】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１４９】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１１５０】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした外側タービン動翼群（１９）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１５１】
復水器真空まで断熱膨張させる、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造して組立構造とした内側タービン動翼群（２０）の組立環状接続部付近に、水噴射手段（５６ａ）を断熱して設けたことを特徴とする全動翼蒸気ガスタービン合体機関。
【請求項１１５２】
復水器真空まで断熱膨張させる、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１５３】
復水器真空まで断熱膨張させる、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造して組立構造とした外側タービン動翼群（１９）の組立環状接続部付近に、水噴射手段（５６ａ）を断熱して設けたことを特徴とする全動翼蒸気ガスタービン合体機関。
【請求項１１５４】
復水器真空まで断熱膨張させる、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした外側タービン動翼群（１９）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１５５】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１１５６】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１５７】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１１５８】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした外側タービン動翼群（１９）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１５９】
復水器真空まで断熱膨張させる、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造して組立構造とした内側タービン動翼群（２０）の組立環状接続部付近に、水噴射手段（５６ａ）を断熱して設けたことを特徴とする全動翼蒸気ガスタービン合体機関。
【請求項１１６０】
復水器真空まで断熱膨張させる、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１６１】
復水器真空まで断熱膨張させる、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造して組立構造とした外側タービン動翼群（１９）の組立環状接続部付近に、水噴射手段（５６ａ）を断熱して設けたことを特徴とする全動翼蒸気ガスタービン合体機関。
【請求項１１６２】
復水器真空まで断熱膨張させる、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした外側タービン動翼群（１９）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１６３】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１１６４】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状鋳造（８４）して組立構造とした内側タービン動翼群（２０）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１６５】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１１６６】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状鋳造（８４）して組立構造とした外側タービン動翼群（１９）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１６７】
復水器真空まで断熱膨張させる、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１１６８】
復水器真空まで断熱膨張させる、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状鋳造（８４）して組立構造とした内側タービン動翼群（２０）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１６９】
復水器真空まで断熱膨張させる、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１１７０】
復水器真空まで断熱膨張させる、発電機により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状鋳造（８４）して組立構造とした外側タービン動翼群（１９）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１７１】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１１７２】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状鋳造（８４）して組立構造とした内側タービン動翼群（２０）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１７３】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１１７４】
復水器真空まで断熱膨張させる、送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状鋳造（８４）して組立構造とした外側タービン動翼群（１９）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１７５】
復水器真空まで断熱膨張させる、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１１７６】
復水器真空まで断熱膨張させる、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状鋳造（８４）して組立構造とした内側タービン動翼群（２０）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１７７】
復水器真空まで断熱膨張させる、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１１７８】
復水器真空まで断熱膨張させる、発電機により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状鋳造（８４）して組立構造とした外側タービン動翼群（１９）の組立環状接続部付近に、水噴射手段（５６ａ）を断熱して設けて過熱蒸気を冷却し、該出力で駆動する装置を具備したことを特徴とする全動翼蒸気ガスタービン合体機関。
【請求項１１７９】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼ガスタービンのタービン翼を電磁加熱高温としたことが特徴の全動翼蒸気ガスタービン合体機関。
【請求項１１８０】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼蒸気ガスタービンのタービン翼を電磁加熱高温としたことを特徴とする全動翼蒸気ガスタービン合体機関。
【請求項１１８１】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼蒸気タービンのタービン翼を電磁加熱高温としたことが特徴の全動翼蒸気ガスタービン合体機関。
【請求項１１８２】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼ガスタービンの高温水噴射ノズル（５９ｂ）を電磁加熱高温としたことが特徴の全動翼蒸気ガスタービン合体機関。
【請求項１１８３】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼蒸気ガスタービンの高温水噴射ノズル（５９ｂ）を電磁加熱高温としたことを特徴とする全動翼蒸気ガスタービン合体機関。
【請求項１１８４】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼蒸気タービンの高温水噴射ノズル（５９ｂ）を電磁加熱高温としたことが特徴の全動翼蒸気ガスタービン合体機関。
【請求項１１８５】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼ガスタービンの電磁加熱噴口（８３）を電磁加熱高温としたことが特徴の全動翼蒸気ガスタービン合体機関。
【請求項１１８６】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼蒸気ガスタービンの電磁加熱噴口（８３）を電磁加熱高温としたことを特徴とする全動翼蒸気ガスタービン合体機関。
【請求項１１８７】
送水ポンプ兼二重反転磁気摩擦動力伝達装置（１４ａ）により互いに反対方向に回転する外側軸装置と内側軸装置を、最適回転比で結合した超臨界圧力等の超臨界温度等複数温度の高温水（５ｂ）で駆動する全動翼蒸気タービンの電磁加熱噴口（８３）を電磁加熱高温としたことが特徴の全動翼蒸気ガスタービン合体機関。
【請求項１１８８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした夫々の外側タービン動翼群（１９）及び内側タービン動翼群（２０）としたことを特徴とする全動翼蒸気ガスタービン合体機関。
【請求項１１８９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした夫々の外側タービン動翼群（１９）及び内側タービン動翼群（２０）としたことを特徴とする全動翼蒸気ガスタービン合体機関。
【請求項１１９０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）としたことを特徴とする全動翼蒸気ガスタービン合体機関。
【請求項１１９１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）としたことを特徴とする全動翼蒸気ガスタービン合体機関。
【請求項１１９２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を設けたことを特徴とする全動翼蒸気ガスタービン合体機関。
【請求項１１９３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を設けたことを特徴とする全動翼蒸気ガスタービン合体機関。
【請求項１１９４】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼ガスタービンのタービン翼を電磁加熱高温としたことが特徴の全動翼蒸気ガスタービン合体機関。
【請求項１１９５】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼蒸気ガスタービンのタービン翼を電磁加熱高温としたことを特徴とする全動翼蒸気ガスタービン合体機関。
【請求項１１９６】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼蒸気タービンのタービン翼を電磁加熱高温としたことが特徴の全動翼蒸気ガスタービン合体機関。
【請求項１１９７】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼ガスタービンの高温水噴射ノズル（５９ｂ）を電磁加熱高温としたことが特徴の全動翼蒸気ガスタービン合体機関。
【請求項１１９８】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼蒸気ガスタービンの高温水噴射ノズル（５９ｂ）を電磁加熱高温としたことを特徴とする全動翼蒸気ガスタービン合体機関。
【請求項１１９９】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼蒸気タービンの高温水噴射ノズル（５９ｂ）を電磁加熱高温としたことが特徴の全動翼蒸気ガスタービン合体機関。
【請求項１２００】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼ガスタービンの電磁加熱噴口（８３）を電磁加熱高温としたことが特徴の全動翼蒸気ガスタービン合体機関。
【請求項１２０１】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼蒸気ガスタービンの電磁加熱噴口（８３）を電磁加熱高温としたことを特徴とする全動翼蒸気ガスタービン合体機関。
【請求項１２０２】
送水ポンプ兼二重反転磁気摩擦動力伝達装置（１４ａ）により互いに反対方向に回転する外側軸装置と内側軸装置を、最適回転比で結合した超臨界温度等複数温度の高温水（５ｂ）で駆動する全動翼蒸気タービンの電磁加熱噴口（８３）を電磁加熱高温としたことが特徴の全動翼蒸気ガスタービン合体機関。
【請求項１２０３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした夫々の外側タービン動翼群（１９）及び内側タービン動翼群（２０）としたことを特徴とする全動翼蒸気ガスタービン合体機関。
【請求項１２０４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした夫々の外側タービン動翼群（１９）及び内側タービン動翼群（２０）としたことを特徴とする全動翼蒸気ガスタービン合体機関。
【請求項１２０５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）としたことを特徴とする全動翼蒸気ガスタービン合体機関。
【請求項１２０６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）としたことを特徴とする全動翼蒸気ガスタービン合体機関。
【請求項１２０７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を設けたことを特徴とする全動翼蒸気ガスタービン合体機関。
【請求項１２０８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を設けたことを特徴とする全動翼蒸気ガスタービン合体機関。
【請求項１２０９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項１２１０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項１２１１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項１２１２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項１２１３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１２１４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１２１５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１２１６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１２１７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１２１８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１２１９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１２２０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１２２１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項１２２２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項１２２３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項１２２４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項１２２５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項１２２６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項１２２７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項１２２８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項１２２９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項１２３０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項１２３１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項１２３２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項１２３３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）に、水噴射手段（５６ａ）を設けたことを特徴とする全動翼蒸気ガスタービン合体機関。
【請求項１２３４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした外側タービン動翼群（１９）に、水噴射手段（５６ａ）を設けたことを特徴とする全動翼蒸気ガスタービン合体機関。
【請求項１２３５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）に、水噴射手段（５６ａ）を設けたことを特徴とする全動翼蒸気ガスタービン合体機関。
【請求項１２３６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）に、水噴射手段（５６ａ）を設けたことを特徴とする全動翼蒸気ガスタービン合体機関。
【請求項１２３７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした内側タービン動翼群（２０）に、水噴射手段（５６ａ）を設けたことを特徴とする全動翼蒸気ガスタービン合体機関。
【請求項１２３８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした外側タービン動翼群（１９）に、水噴射手段（５６ａ）を設けたことを特徴とする全動翼蒸気ガスタービン合体機関。
【請求項１２３９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）に、水噴射手段（５６ａ）を設けたことを特徴とする全動翼蒸気ガスタービン合体機関。
【請求項１２４０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした外側タービン動翼群（１９）に、水噴射手段（５６ａ）を設けたことを特徴とする全動翼蒸気ガスタービン合体機関。
【請求項１２４１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）に、水噴射手段（５６ａ）を設けたことを特徴とする全動翼蒸気ガスタービン合体機関。
【請求項１２４２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）に、水噴射手段（５６ａ）を設けたことを特徴とする全動翼蒸気ガスタービン合体機関。
【請求項１２４３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした内側タービン動翼群（２０）に、水噴射手段（５６ａ）を設けたことを特徴とする全動翼蒸気ガスタービン合体機関。
【請求項１２４４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした外側タービン動翼群（１９）に、水噴射手段（５６ａ）を設けたことを特徴とする全動翼蒸気ガスタービン合体機関。
【請求項１２４５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１２４６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１２４７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１２４８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１２４９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１２５０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けて過熱蒸気を冷却し、該容積を縮小し単位質量を増大することを特徴とする全動翼蒸気ガスタービン合体機関。
【請求項１２５１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの内側軸装置を中空として、霧吹きの原理（９１）を利用して前方の空気を吸引噴射することを特徴とする全動翼蒸気ガスタービン合体機関。
【請求項１２５２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの内側軸装置を中空として、霧吹きの原理（９１）を利用して前方の空気を吸引噴射することを特徴とする全動翼蒸気ガスタービン合体機関。
【請求項１２５３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの内側軸装置を中空として、霧吹きの原理（９１）を利用して前方の空気を吸引噴射することを特徴とする全動翼蒸気ガスタービン合体機関。
【請求項１２５４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの燃焼器兼熱交換器出口に、燃焼ガス取出口（８８）を設けたことを特徴とする全動翼蒸気ガスタービン合体機関。
【請求項１２５５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けたことを特徴とする全動翼蒸気ガスタービン合体機関。
【請求項１２５６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けたことを特徴とする全動翼蒸気ガスタービン合体機関。
【請求項１２５７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンの燃焼器兼熱交換器出口に、燃焼ガス取出口（８８）を設けて、マイクロガスタービンを駆動することを特徴とする全動翼蒸気ガスタービン合体機関。
【請求項１２５８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、マイクロガスタービンを駆動することを特徴とする全動翼蒸気ガスタービン合体機関。
【請求項１２５９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンに於いて、霧吹きの原理（９１ｅ）を利用して１以上複数の特殊装置（９２ａ）より高温水を噴射し、前方の空気を吸引して噴射することを特徴とする全動翼蒸気ガスタービン合体機関。
【請求項１２６０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンに於いて、霧吹きの原理（９１ｅ）を利用して１以上複数の特殊装置（９２ａ）より高温水を噴射し、前方の空気を吸引して噴射することを特徴とする全動翼蒸気ガスタービン合体機関。
【請求項１２６１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１２６２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１２６３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンに於いて、霧吹きの原理（９１ｃ）を利用して１以上複数の水噴射装置（９３ａ）より高温水を噴射し、前方の水を吸引して噴射することを特徴とする全動翼蒸気ガスタービン合体機関。
【請求項１２６４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンに於いて、霧吹きの原理（９１ｃ）を利用して１以上複数の水噴射装置（９３ａ）より高温水を噴射し、前方の水を吸引して噴射することを特徴とする全動翼蒸気ガスタービン合体機関。
【請求項１２６５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｄ）を利用して１以上複数の水噴射装置（９３ｂ）より燃焼ガスを噴射し、前方の水を吸引して噴射することを特徴とする全動翼蒸気ガスタービン合体機関。
【請求項１２６６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けて、霧吹きの原理（９１ｄ）を利用して１以上複数の水噴射装置（９３ｂ）より燃焼ガスを噴射し、前方の水を吸引して噴射することを特徴とする全動翼蒸気ガスタービン合体機関。
【請求項１２６７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射することを特徴とする全動翼蒸気ガスタービン合体機関。
【請求項１２６８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射することを特徴とする全動翼蒸気ガスタービン合体機関。
【請求項１２６９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射することを特徴とする全動翼蒸気ガスタービン合体機関。
【請求項１２７０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射することを特徴とする全動翼蒸気ガスタービン合体機関。
【請求項１２７１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンに於いて、霧吹きの原理（９１ｅ）を利用して１以上複数の特殊装置（９２ａ）より高温水を噴射し、前方の空気を吸引して噴射推進し、該出力で駆動する装置を具備したことを特徴とする全動翼蒸気ガスタービン合体機関。
【請求項１２７２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンに於いて、霧吹きの原理（９１ｅ）を利用して１以上複数の特殊装置（９２ａ）より高温水を噴射し、前方の空気を吸引して噴射推進し、該出力で駆動する装置を具備したことを特徴とする全動翼蒸気ガスタービン合体機関。
【請求項１２７３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射推進し、該出力で駆動する装置を具備したことを特徴とする全動翼蒸気ガスタービン合体機関。
【請求項１２７４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射推進し、該出力で駆動する装置を具備したことを特徴とする全動翼蒸気ガスタービン合体機関。
【請求項１２７５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼ガスタービンに於いて、霧吹きの原理（９１ｃ）を利用して１以上複数の水噴射装置（９３ａ）より高温水を噴射し、前方の水を吸引して噴射推進し、該出力で駆動する装置を具備したことを特徴とする全動翼蒸気ガスタービン合体機関。
【請求項１２７６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンに於いて、霧吹きの原理（９１ｃ）を利用して１以上複数の水噴射装置（９３ａ）より高温水を噴射し、前方の水を吸引して噴射推進し、該出力で駆動する装置を具備したことを特徴とする全動翼蒸気ガスタービン合体機関。
【請求項１２７７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｄ）を利用して１以上複数の水噴射装置（９３ｂ）より燃焼ガスを噴射し、前方の水を吸引して噴射推進し、該出力で駆動する装置を具備したことを特徴とする全動翼蒸気ガスタービン合体機関。
【請求項１２７８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けて、霧吹きの原理（９１ｄ）を利用して１以上複数の水噴射装置（９３ｂ）より燃焼ガスを噴射し、前方の水を吸引して噴射推進し、該出力で駆動する装置を具備したことを特徴とする全動翼蒸気ガスタービン合体機関。
【請求項１２７９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射推進し、該出力で駆動する装置を具備したことを特徴とする全動翼蒸気ガスタービン合体機関。
【請求項１２８０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射推進し、該出力で駆動する装置を具備したことを特徴とする全動翼蒸気ガスタービン合体機関。
【請求項１２８１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１２８２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界圧力等の超臨界温度等複数温度の高温水（５ｂ）で駆動する全動翼蒸気タービンの燃焼器兼熱交換器出口に、燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１２８３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する超臨界圧力等の高温水（５ｂ）等で駆動する全動翼ガスタービンの内側軸装置を中空として、霧吹きの原理（９１）を利用して前方の空気を吸引噴射することを特徴とする全動翼蒸気ガスタービン合体機関。
【請求項１２８４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの内側軸装置を中空として、霧吹きの原理（９１）を利用して前方の空気を吸引噴射することを特徴とする全動翼蒸気ガスタービン合体機関。
【請求項１２８５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの内側軸装置を中空として、霧吹きの原理（９１）を利用して前方の空気を吸引噴射することを特徴とする全動翼蒸気ガスタービン合体機関。
【請求項１２８６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの燃焼器兼熱交換器出口に、燃焼ガス取出口（８８）を設けたことを特徴とする全動翼蒸気ガスタービン合体機関。
【請求項１２８７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けたことを特徴とする全動翼蒸気ガスタービン合体機関。
【請求項１２８８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けたことを特徴とする全動翼蒸気ガスタービン合体機関。
【請求項１２８９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンの燃焼器兼熱交換器出口に、燃焼ガス取出口（８８）を設けて、マイクロガスタービンを駆動することを特徴とする全動翼蒸気ガスタービン合体機関。
【請求項１２９０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、マイクロガスタービンを駆動することを特徴とする全動翼蒸気ガスタービン合体機関。
【請求項１２９１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンに於いて、霧吹きの原理（９１ｅ）を利用して１以上複数の特殊装置（９２ａ）より高温水を噴射し、前方の空気を吸引して噴射することを特徴とする全動翼蒸気ガスタービン合体機関。
【請求項１２９２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンに於いて、霧吹きの原理（９１ｅ）を利用して１以上複数の特殊装置（９２ａ）より高温水を噴射し、前方の空気を吸引して噴射することを特徴とする全動翼蒸気ガスタービン合体機関。
【請求項１２９３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１２９４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１２９５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンに於いて、霧吹きの原理（９１ｃ）を利用して１以上複数の水噴射装置（９３ａ）より高温水を噴射し、前方の水を吸引して噴射することを特徴とする全動翼蒸気ガスタービン合体機関。
【請求項１２９６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンに於いて、霧吹きの原理（９１ｃ）を利用して１以上複数の水噴射装置（９３ａ）より高温水を噴射し、前方の水を吸引して噴射することを特徴とする全動翼蒸気ガスタービン合体機関。
【請求項１２９７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｄ）を利用して１以上複数の水噴射装置（９３ｂ）より燃焼ガスを噴射し、前方の水を吸引して噴射することを特徴とする全動翼蒸気ガスタービン合体機関。
【請求項１２９８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けて、霧吹きの原理（９１ｄ）を利用して１以上複数の水噴射装置（９３ｂ）より燃焼ガスを噴射し、前方の水を吸引して噴射することを特徴とする全動翼蒸気ガスタービン合体機関。
【請求項１２９９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射することを特徴とする全動翼蒸気ガスタービン合体機関。
【請求項１３００】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射することを特徴とする全動翼蒸気ガスタービン合体機関。
【請求項１３０１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射することを特徴とする全動翼蒸気ガスタービン合体機関。
【請求項１３０２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射することを特徴とする全動翼蒸気ガスタービン合体機関。
【請求項１３０３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンに於いて、霧吹きの原理（９１ｅ）を利用して１以上複数の特殊装置（９２ａ）より高温水を噴射し、前方の空気を吸引して噴射推進し、該出力で駆動する装置を具備したことを特徴とする全動翼蒸気ガスタービン合体機関。
【請求項１３０４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンに於いて、霧吹きの原理（９１ｅ）を利用して１以上複数の特殊装置（９２ａ）より高温水を噴射し、前方の空気を吸引して噴射推進し、該出力で駆動する装置を具備したことを特徴とする全動翼蒸気ガスタービン合体機関。
【請求項１３０５】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射推進し、該出力で駆動する装置を具備したことを特徴とする全動翼蒸気ガスタービン合体機関。
【請求項１３０６】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射推進し、該出力で駆動する装置を具備したことを特徴とする全動翼蒸気ガスタービン合体機関。
【請求項１３０７】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼ガスタービンに於いて、霧吹きの原理（９１ｃ）を利用して１以上複数の水噴射装置（９３ａ）より高温水を噴射し、前方の水を吸引して噴射推進し、該出力で駆動する装置を具備したことを特徴とする全動翼蒸気ガスタービン合体機関。
【請求項１３０８】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンに於いて、霧吹きの原理（９１ｃ）を利用して１以上複数の水噴射装置（９３ａ）より高温水を噴射し、前方の水を吸引して噴射推進し、該出力で駆動する装置を具備したことを特徴とする全動翼蒸気ガスタービン合体機関。
【請求項１３０９】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｄ）を利用して１以上複数の水噴射装置（９３ｂ）より燃焼ガスを噴射し、前方の水を吸引して噴射推進し、該出力で駆動する装置を具備したことを特徴とする全動翼蒸気ガスタービン合体機関。
【請求項１３１０】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けて、霧吹きの原理（９１ｄ）を利用して１以上複数の水噴射装置（９３ｂ）より燃焼ガスを噴射し、前方の水を吸引して噴射推進し、該出力で駆動する装置を具備したことを特徴とする全動翼蒸気ガスタービン合体機関。
【請求項１３１１】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射推進し、該出力で駆動する装置を具備したことを特徴とする全動翼蒸気ガスタービン合体機関。
【請求項１３１２】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射推進し、該出力で駆動する装置を具備したことを特徴とする全動翼蒸気ガスタービン合体機関。
【請求項１３１３】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気ガスタービンの燃焼器兼熱交換器出口に、燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１３１４】
送水ポンプ兼二重反転磁気摩擦動力伝達装置（１４ａ）により互いに反対方向に回転する外側軸装置と内側軸装置を最適回転比で結合し、電磁加熱タービン動翼（８１）を具備した超臨界温度等複数温度の高温水（５ｂ）で駆動する全動翼蒸気タービンの燃焼器兼熱交換器出口に、燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１３１５】
電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けたことを特徴とする全動翼蒸気ガスタービン合体機関。
【請求項１３１６】
電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けたことを特徴とする全動翼蒸気ガスタービン合体機関。
【請求項１３１７】
電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けたことを特徴とする全動翼蒸気ガスタービン合体機関。
【請求項１３１８】
電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けたことを特徴とする全動翼蒸気ガスタービン合体機関。
【請求項１３１９】
電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項１３２０】
電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項１３２１】
電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項１３２２】
電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射することを特徴とする全動翼蒸気ガスタービン合体機関。
【請求項１３２３】
電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１３２４】
電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１３２５】
電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１３２６】
電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１３２７】
電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１３２８】
電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１３２９】
電磁加熱タービン動翼（８１）を具備した超臨界温度等複数温度の高温水（５ｂ）で駆動する全動翼ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１３３０】
電磁加熱タービン動翼（８１）を具備した超臨界温度等複数温度の高温水（５ｂ）で駆動する全動翼蒸気ガスタービンにおいて、環状に一体鋳造（８４）して組立構造として水路を連通した夫々の外側圧縮機動翼群（１６）及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射することを特徴とする全動翼蒸気ガスタービン合体機関。
【請求項１３３１】
電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項１３３２】
電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項１３３３】
電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項１３３４】
電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて該出力で駆動する装置を具備したことを特徴とする全動翼蒸気ガスタービン合体機関。
【請求項１３３５】
電磁加熱タービン動翼（８１）を具備した超臨界圧力等の超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項１３３６】
電磁加熱タービン動翼（８１）を具備した超臨界圧力等の超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射し該出力で駆動する装置を具備したことを特徴とする全動翼蒸気ガスタービン合体機関。
【請求項１３３７】
電磁加熱タービン動翼（８１）を具備した超臨界温度等複数温度の高温水（５ｂ）で駆動する全動翼ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射して該出力で駆動する装置を具備したことを特徴とする全動翼蒸気ガスタービン合体機関。
【請求項１３３８】
電磁加熱タービン動翼（８１）を具備した超臨界温度等複数温度の高温水（５ｂ）で駆動する全動翼蒸気ガスタービンの全動翼圧縮機において、環状に一体鋳造（８４）して組立構造とした夫々の外側圧縮機動翼群（１６）及び内側圧縮機動翼群（１７）の大部分に、撥水性水冷却翼（８７）を段落毎環状に設けて、段落毎１以上複数の撥水性水冷却翼を冷却後に水噴射手段（５６）より水噴射し該出力で駆動する装置を具備したことを特徴とする全動翼蒸気ガスタービン合体機関。
【請求項１３３９】
電磁加熱タービン動翼（８１）を具備した超臨界圧力等の超臨界温度等複数温度の高温水（５ｂ）で駆動する全動翼ガスタービンにおいて、環状に一体鋳造（８４）して組立構造として水路を連通した夫々の外側圧縮機翼群及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項１３４０】
電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造として水路を連通した夫々の外側圧縮機翼群及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項１３４１】
電磁加熱タービン動翼（８１）を具備した超臨界温度等複数温度の高温水（５ｂ）で駆動する全動翼ガスタービンにおいて、環状に一体鋳造（８４）して組立構造として水路を連通した夫々の外側圧縮機翼群及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項１３４２】
電磁加熱タービン動翼（８１）を具備した超臨界温度等複数温度の高温水（５ｂ）で駆動する全動翼蒸気ガスタービンにおいて、環状に一体鋳造（８４）して組立構造として水路を連通した夫々の外側圧縮機翼群及び内側圧縮機動翼群（１７）の大部分に、撥水性水冷却翼（８７）を段落毎環状に設けて、段落毎全部以下半分の撥水性水冷却翼を冷却後に水噴射手段（５６）より水噴射して該出力で駆動する装置を具備したことを特徴とする全動翼蒸気ガスタービン合体機関。
【請求項１３４３】
電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１３４４】
電磁加熱タービン動翼（８１）を具備した超臨界圧力等の超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１３４５】
電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１３４６】
電磁加熱タービン動翼（８１）を具備した超臨界圧力等の超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１３４７】
電磁加熱タービン動翼（８１）を具備した超臨界圧力等の超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１３４８】
電磁加熱タービン動翼（８１）を具備した超臨界温度等複数温度の高温水（５ｂ）で駆動する全動翼蒸気ガスタービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１３４９】
電磁加熱タービン動翼（８１）を具備した超臨界温度等複数温度の高温水（５ｂ）で駆動する全動翼蒸気ガスタービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１３５０】
電磁加熱タービン動翼（８１）を具備した超臨界温度等複数温度の高温水（５ｂ）で駆動する全動翼ガスタービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１３５１】
電磁加熱タービン動翼（８１）を具備した超臨界温度等複数温度の高温水（５ｂ）で駆動する全動翼ガスタービンにおいて、環状に一体鋳造（８４）して組立構造とした外側タービン動翼群（１９）の組立環状接続部付近に、水噴射手段（５６ａ）を断熱して設けたことを特徴とする全動翼蒸気ガスタービン合体機関。
【請求項１３５２】
電磁加熱タービン動翼（８１）を具備した超臨界温度等複数温度の高温水（５ｂ）で駆動する全動翼蒸気タービンにおいて、環状に一体鋳造（８４）して組立構造とした内側タービン動翼群（２０）の組立環状接続部付近に、水噴射手段（５６ａ）を断熱して設けたことを特徴とする全動翼蒸気ガスタービン合体機関。
【請求項１３５３】
電磁加熱タービン動翼（８１）を具備した超臨界温度等複数温度の高温水（５ｂ）で駆動する全動翼ガスタービンの燃焼器兼熱交換器（４）において、霧吹きの原理（９１ｅ）を利用して１以上複数の特殊装置（９２ａ）より高温水を噴射し、前方の空気を吸引して噴射することを特徴とする全動翼蒸気ガスタービン合体機関。
【請求項１３５４】
電磁加熱タービン動翼（８１）を具備した超臨界温度等複数温度の高温水（５ｂ）で駆動する全動翼ガスタービンの燃焼器兼熱交換器（４）において、霧吹きの原理（９１ｃ）を利用して１以上複数の水噴射装置（９３ａ）より高温水を噴射し、前方の水を吸引して噴射することを特徴とする全動翼蒸気ガスタービン合体機関。
【請求項１３５５】
電磁加熱タービン動翼（８１）を具備した超臨界温度等複数温度の高温水（５ｂ）で駆動する全動翼蒸気ガスタービンの燃焼器兼熱交換器（４）において、霧吹きの原理（９１ｅ）を利用して１以上複数の特殊装置（９２ａ）より高温水を噴射し、前方の空気を吸引して噴射することを特徴とする全動翼蒸気ガスタービン合体機関。
【請求項１３５６】
電磁加熱タービン動翼（８１）を具備した超臨界温度等複数温度の高温水（５ｂ）で駆動する全動翼蒸気ガスタービンの燃焼器兼熱交換器（４）において、霧吹きの原理（９１ｃ）を利用して１以上複数の水噴射装置（９３ａ）より高温水を噴射し、前方の水を吸引して噴射することを特徴とする全動翼蒸気ガスタービン合体機関。
【請求項１３５７】
電磁加熱タービン動翼（８１）を具備した超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射することを特徴とする全動翼蒸気ガスタービン合体機関。
【請求項１３５８】
電磁加熱タービン動翼（８１）を具備した超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射することを特徴とする全動翼蒸気ガスタービン合体機関。
【請求項１３５９】
電磁加熱タービン動翼（８１）を具備した超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射することを特徴とする全動翼蒸気ガスタービン合体機関。
【請求項１３６０】
電磁加熱タービン動翼（８１）を具備した超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射することを特徴とする全動翼蒸気ガスタービン合体機関。
【請求項１３６１】
電磁加熱タービン動翼（８１）を具備した超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１３６２】
電磁加熱タービン動翼（８１）を具備した超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｄ）を利用して１以上複数の水噴射装置（９３ｂ）より燃焼ガスを噴射し、前方の水を吸引して噴射することを特徴とする全動翼蒸気ガスタービン合体機関。
【請求項１３６３】
電磁加熱タービン動翼（８１）を具備した超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１３６４】
電磁加熱タービン動翼（８１）を具備した超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｄ）を利用して１以上複数の水噴射装置（９３ｂ）より燃焼ガスを噴射し、前方の水を吸引して噴射することを特徴とする全動翼蒸気ガスタービン合体機関。
【請求項１３６５】
電磁加熱タービン動翼（８１）を具備した超臨界温度等複数温度の高温水（５ｂ）で駆動する全動翼ガスタービンの燃焼器兼熱交換器（４）において、霧吹きの原理を利用して１以上複数の特殊装置（９２ａ）より高温水を噴射し、前方の空気を吸引して噴射推進し、該出力で駆動する装置を具備したことを特徴とする全動翼蒸気ガスタービン合体機関。
【請求項１３６６】
電磁加熱タービン動翼（８１）を具備した超臨界温度等複数温度の高温水（５ｂ）で駆動する全動翼ガスタービンの燃焼器兼熱交換器（４）において、霧吹きの原理を利用して１以上複数の水噴射装置（９３ａ）より高温水を噴射し、前方の水を吸引して噴射推進し、該出力で駆動する装置を具備したことを特徴とする全動翼蒸気ガスタービン合体機関。
【請求項１３６７】
電磁加熱タービン動翼（８１）を具備した超臨界温度等複数温度の高温水（５ｂ）で駆動する全動翼蒸気ガスタービンの燃焼器兼熱交換器（４）において、霧吹きの原理（９１ｅ）を利用して１以上複数の特殊装置（９２ａ）より高温水を噴射し、前方の空気を吸引して噴射推進し、該出力で駆動する装置を具備したことを特徴とする全動翼蒸気ガスタービン合体機関。
【請求項１３６８】
電磁加熱タービン動翼（８１）を具備した超臨界温度等複数温度の高温水（５ｂ）で駆動する全動翼蒸気ガスタービンの燃焼器兼熱交換器（４）において、霧吹きの原理（９１ｃ）を利用して１以上複数の水噴射装置（９３ａ）より高温水を噴射し、前方の水を吸引して噴射推進し、該出力で駆動する装置を具備したことを特徴とする全動翼蒸気ガスタービン合体機関。
【請求項１３６９】
電磁加熱タービン動翼（８１）を具備した超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１３７０】
電磁加熱タービン動翼（８１）を具備した超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射推進し、該出力で駆動する装置を具備したことを特徴とする全動翼蒸気ガスタービン合体機関。
【請求項１３７１】
電磁加熱タービン動翼（８１）を具備した超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１３７２】
電磁加熱タービン動翼（８１）を具備した超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射推進し、該出力で駆動する装置を具備したことを特徴とする全動翼蒸気ガスタービン合体機関。
【請求項１３７３】
電磁加熱タービン動翼（８１）を具備した超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガスを噴射し、前方の空気を吸引して噴射推進し、該出力で駆動する装置を具備したことを特徴とする全動翼蒸気ガスタービン合体機関。
【請求項１３７４】
電磁加熱タービン動翼（８１）を具備した超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｄ）を利用して１以上複数の水噴射装置（９３ｂ）より燃焼ガスを噴射し、前方の水を吸引して噴射推進し、該出力で駆動する装置を具備したことを特徴とする全動翼蒸気ガスタービン合体機関。
【請求項１３７５】
電磁加熱タービン動翼（８１）を具備した超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガスを噴射し、前方の空気を吸引して噴射推進し、該出力で駆動する装置を具備したことを特徴とする全動翼蒸気ガスタービン合体機関。
【請求項１３７６】
電磁加熱タービン動翼（８１）を具備した超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｄ）を利用して１以上複数の水噴射装置（９３ｂ）より燃焼ガスを噴射し、前方の水を吸引して噴射推進し、該出力で駆動する装置を具備したことを特徴とする全動翼蒸気ガスタービン合体機関。
【請求項１３７７】
電磁加熱タービン動翼（８１）を具備した超臨界圧力等の超臨界温度等複数温度の高温水（５ｂ）で駆動する全動翼ガスタービンの燃焼器兼熱交換器（４）において、霧吹きの原理（９１ｅ）を利用して１以上複数の特殊装置（９２ａ）より高温水を噴射し、前方の空気を吸引して噴射することを特徴とする全動翼蒸気ガスタービン合体機関。
【請求項１３７８】
電磁加熱タービン動翼（８１）を具備した超臨界圧力等の超臨界温度等複数温度の高温水（５ｂ）で駆動する全動翼ガスタービンの燃焼器兼熱交換器（４）において、霧吹きの原理（９１ｃ）を利用して１以上複数の水噴射装置（９３ａ）より高温水を噴射し、前方の水を吸引して噴射することを特徴とする全動翼蒸気ガスタービン合体機関。
【請求項１３７９】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、霧吹きの原理（９１ｅ）を利用して１以上複数の特殊装置（９２ａ）より高温水を噴射し、前方の空気を吸引して噴射することを特徴とする全動翼蒸気ガスタービン合体機関。
【請求項１３８０】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、霧吹きの原理（９１ｃ）を利用して１以上複数の水噴射装置（９３ａ）より高温水を噴射し、前方の水を吸引して噴射することを特徴とする全動翼蒸気ガスタービン合体機関。
【請求項１３８１】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射することを特徴とする全動翼蒸気ガスタービン合体機関。
【請求項１３８２】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射することを特徴とする全動翼蒸気ガスタービン合体機関。
【請求項１３８３】
電磁加熱タービン動翼（８１）を具備した超臨界圧力等の超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射することを特徴とする全動翼蒸気ガスタービン合体機関。
【請求項１３８４】
電磁加熱タービン動翼（８１）を具備した超臨界圧力等の超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射することを特徴とする全動翼蒸気ガスタービン合体機関。
【請求項１３８５】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１３８６】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｄ）を利用して１以上複数の水噴射装置（９３ｂ）より燃焼ガスを噴射し、前方の水を吸引して噴射することを特徴とする全動翼蒸気ガスタービン合体機関。
【請求項１３８７】
電磁加熱タービン動翼（８１）を具備した超臨界圧力等の超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１３８８】
電磁加熱タービン動翼（８１）を具備した超臨界圧力等の超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｄ）を利用して１以上複数の水噴射装置（９３ｂ）より燃焼ガスを噴射し、前方の水を吸引して噴射することを特徴とする全動翼蒸気ガスタービン合体機関。
【請求項１３８９】
電磁加熱タービン動翼（８１）を具備した超臨界圧力等の超臨界温度等複数温度の高温水（５ｂ）で駆動する全動翼ガスタービンの燃焼器兼熱交換器（４）において、霧吹きの原理を利用して１以上複数の特殊装置（９２ａ）より高温水（５ｂ）を噴射し、前方の空気を吸引して噴射推進し、該出力で駆動する装置を具備したことを特徴とする全動翼蒸気ガスタービン合体機関。
【請求項１３９０】
電磁加熱タービン動翼（８１）を具備した超臨界圧力等の超臨界温度等複数温度の高温水（５ｂ）で駆動する全動翼ガスタービンの燃焼器兼熱交換器（４）において、霧吹きの原理を利用して１以上複数の水噴射装置（９３ａ）より高温水（５ｂ）を噴射し、前方の水を吸引して噴射推進し、該出力で駆動する装置を具備したことを特徴とする全動翼蒸気ガスタービン合体機関。
【請求項１３９１】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、霧吹きの原理（９１ｅ）を利用して１以上複数の特殊装置（９２ａ）より高温水（５ｂ）を噴射し、前方の空気を吸引して噴射推進し、該出力で駆動する装置を具備したことを特徴とする全動翼蒸気ガスタービン合体機関。
【請求項１３９２】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、霧吹きの原理（９１ｃ）を利用して１以上複数の水噴射装置（９３ａ）より高温水を噴射し、前方の水を吸引して噴射推進し、該出力で駆動する装置を具備したことを特徴とする全動翼蒸気ガスタービン合体機関。
【請求項１３９３】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１３９４】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射推進し、該出力で駆動する装置を具備したことを特徴とする全動翼蒸気ガスタービン合体機関。
【請求項１３９５】
電磁加熱タービン動翼（８１）を具備した超臨界圧力等の超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１３９６】
電磁加熱タービン動翼（８１）を具備した超臨界圧力等の超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｃ）（９１ｄ）を利用して夫々の１以上複数の水噴射装置（９３ａ）（９３ｂ）より高温水及び燃焼ガスを噴射し、前方の水を吸引して噴射推進し、該出力で駆動する装置を具備したことを特徴とする全動翼蒸気ガスタービン合体機関。
【請求項１３９７】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガスを噴射し、前方の空気を吸引して噴射推進し、該出力で駆動する装置を具備したことを特徴とする全動翼蒸気ガスタービン合体機関。
【請求項１３９８】
電磁加熱タービン動翼（８１）を具備した超臨界圧力等の超臨界温度等複数温度の高温水（５ｂ）で駆動する全動翼蒸気ガスタービンの燃焼器兼熱交換器（４）において、燃焼ガス出口に燃焼ガス取出口（８８）を設けて、霧吹きの原理（９１ｄ）を利用して１以上複数の水噴射装置（９３ｂ）より燃焼ガスを噴射し、前方の水を吸引して噴射推進し、該出力で駆動する装置を具備したことを特徴とする全動翼蒸気ガスタービン合体機関。
【請求項１３９９】
電磁加熱タービン動翼（８１）を具備した超臨界圧力等の超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガスを噴射し、前方の空気を吸引して噴射推進し、該出力で駆動する装置を具備したことを特徴とする全動翼蒸気ガスタービン合体機関。
【請求項１４００】
電磁加熱タービン動翼（８１）を具備した超臨界圧力等の超臨界温度等複数温度の高温水（５ｂ）で駆動する全動翼蒸気タービンの燃焼器兼熱交換器（４）において、燃焼ガス出口に燃焼ガス取出口（８８）を設けて、霧吹きの原理（９１ｄ）を利用して１以上複数の水噴射装置（９３ｂ）より燃焼ガスを噴射し、前方の水を吸引して噴射推進し、該出力で駆動する装置を具備したことを特徴とする全動翼蒸気ガスタービン合体機関。
【請求項１４０１】
前記電磁加熱タービン動翼（８１）を具備した超臨界温度等複数温度の高温水（５ｂ）で駆動する全動翼蒸気タービンに、電磁加熱噴口（８３）を具備したことを特徴とする全動翼蒸気ガスタービン合体機関。
【請求項１４０２】
前記電磁加熱タービン動翼（８１）を具備した超臨界温度等複数温度の高温水（５ｂ）で駆動する全動翼蒸気ガスタービンに、電磁加熱噴口（８３）を具備したことを特徴とする全動翼蒸気ガスタービン合体機関。
【請求項１４０３】
前記電磁加熱タービン動翼（８１）を具備した超臨界温度等複数温度の高温水（５ｂ）で駆動する全動翼ガスタービンに、電磁加熱噴口（８３）を具備したことを特徴とする全動翼蒸気ガスタービン合体機関。
【請求項１４０４】
前記電磁加熱タービン動翼（８１）を具備した超臨界温度等複数温度の高温水（５ｂ）で駆動する全動翼蒸気タービンに、加熱高温手段（１０１）により電磁加熱高温の高温水噴射ノズル（５９ｂ）を具備したことを特徴とする全動翼蒸気ガスタービン合体機関。
【請求項１４０５】
前記電磁加熱タービン動翼（８１）を具備した超臨界温度等複数温度の高温水（５ｂ）で駆動する全動翼蒸気ガスタービンに、加熱高温手段（１０１）により電磁加熱高温の高温水噴射ノズル（５９ｂ）を具備したことを特徴とする全動翼蒸気ガスタービン合体機関。
【請求項１４０６】
前記電磁加熱タービン動翼（８１）を具備した超臨界温度等複数温度の高温水（５ｂ）で駆動する全動翼ガスタービンに、加熱高温手段（１０１）により電磁加熱高温の高温水噴射ノズル（５９ｂ）を具備したことを特徴とする全動翼蒸気ガスタービン合体機関。
【請求項１４０７】
前記電磁加熱タービン動翼（８１）を具備した超臨界圧力等の超臨界温度等複数温度の高温水（５ｂ）で駆動する全動翼蒸気タービンに、電磁加熱噴口（８３）を具備したことを特徴とする全動翼蒸気ガスタービン合体機関。
【請求項１４０８】
前記電磁加熱タービン動翼（８１）を具備した超臨界温度等複数温度の高温水（５ｂ）で駆動する全動翼蒸気ガスタービンに、電磁加熱噴口（８３）を具備したことを特徴とする全動翼蒸気ガスタービン合体機関。
【請求項１４０９】
前記電磁加熱タービン動翼（８１）を具備した超臨界圧力等の超臨界温度等複数温度の高温水（５ｂ）で駆動する全動翼ガスタービンに、電磁加熱噴口（８３）を具備したことを特徴とする全動翼蒸気ガスタービン合体機関。
【請求項１４１０】
前記電磁加熱タービン動翼（８１）を具備した超臨界圧力等の超臨界温度等複数温度の高温水（５ｂ）で駆動する全動翼蒸気タービンに、加熱高温手段（１０１）により電磁加熱高温の高温水噴射ノズル（５９ｂ）を具備したことを特徴とする全動翼蒸気ガスタービン合体機関。
【請求項１４１１】
前記電磁加熱タービン動翼（８１）を具備した超臨界圧力等の超臨界温度等複数温度の高温水（５ｂ）で駆動する全動翼蒸気ガスタービンに、加熱高温手段（１０１）により電磁加熱高温の高温水噴射ノズル（５９ｂ）を具備したことを特徴とする全動翼蒸気ガスタービン合体機関。
【請求項１４１２】
前記電磁加熱タービン動翼（８１）を具備した超臨界圧力等の超臨界温度等複数温度の高温水（５ｂ）で駆動する全動翼ガスタービンに、加熱高温手段（１０１）により電磁加熱高温の高温水噴射ノズル（５９ｂ）を具備したことを特徴とする全動翼蒸気ガスタービン合体機関。
【請求項１４１３】
前記電磁加熱タービン動翼（８１）を具備した超臨界圧力等の超臨界温度等複数温度の高温水（５ｂ）で駆動する全動翼蒸気タービンに、加熱高温手段（１０１）により電気抵抗で高温の高温水噴射ノズル（５９ｂ）を具備したことを特徴とする全動翼蒸気ガスタービン合体機関。
【請求項１４１４】
前記電磁加熱タービン動翼（８１）を具備した超臨界圧力等の超臨界温度等複数温度の高温水（５ｂ）で駆動する全動翼蒸気ガスタービンに、加熱高温手段（１０１）により電気抵抗で高温の高温水噴射ノズル（５９ｂ）を具備したことを特徴とする全動翼蒸気ガスタービン合体機関。
【請求項１４１５】
前記電磁加熱タービン動翼（８１）を具備した超臨界圧力等の超臨界温度等複数温度の高温水（５ｂ）で駆動する全動翼ガスタービンに、加熱高温手段（１０１）により電気抵抗で高温の高温水噴射ノズル（５９ｂ）を具備したことを特徴とする全動翼蒸気ガスタービン合体機関。
【請求項１４１６】
前記加熱高温手段（１０１）は、高温水噴射ノズル（５９ｂ）に外嵌することを特徴とする全動翼蒸気ガスタービン合体機関。
【請求項１４１７】
前記加熱高温手段（１０１）は、高温水噴射ノズル（５９ｂ）に外嵌して加熱高温にすることを特徴とする全動翼蒸気ガスタービン合体機関。
【請求項１４１８】
前記加熱高温手段（１０１）は、高温水噴射ノズル（５９ｂ）に外嵌して電磁加熱高温にすることを特徴とする全動翼蒸気ガスタービン合体機関。
【請求項１４１９】
前記加熱高温手段（１０１）は、高温水噴射ノズル（５９ｂ）に外嵌して電気抵抗により加熱高温にすることを特徴とする全動翼蒸気ガスタービン合体機関。
【請求項１４２０】
前記高温水噴射ノズル（５９ｂ）は、加熱高温にすることを特徴とする全動翼蒸気ガスタービン合体機関。
【請求項１４２１】
前記高温水噴射ノズル（５９ｂ）は、銃身状ノズルにすることを特徴とする全動翼蒸気ガスタービン合体機関。
【請求項１４２２】
前記高温水噴射ノズル（５９ｂ）は、銃身状ノズルにして加熱高温にすることを特徴とする全動翼蒸気ガスタービン合体機関。
【請求項１４２３】
前記高温水噴射ノズル（５９ｂ）は、銃身状末広ノズルにすることを特徴とする全動翼蒸気ガスタービン合体機関。
【請求項１４２４】
前記高温水噴射ノズル（５９ｂ）は、銃身状末広ノズルにして加熱高温にすることを特徴とする全動翼蒸気ガスタービン合体機関。
【請求項１４２５】
前記高温水噴射ノズル（５９ｂ）は、銃身状ノズルにして気化爆発力により高温水（５ｂ）を機関銃の弾丸のように加速することを特徴とする全動翼蒸気ガスタービン合体機関。
【請求項１４２６】
前記高温水噴射ノズル（５９ｂ）は、銃身状ノズルにして加熱高温にして気化爆発力により高温水（５ｂ）を機関銃の弾丸のように加速することを特徴とする全動翼蒸気ガスタービン合体機関。
【請求項１４２７】
前記高温水噴射ノズル（５９ｂ）は、銃身状末広ノズルにして気化爆発力により高温水（５ｂ）を機関銃の弾丸のように加速することを特徴とする全動翼蒸気ガスタービン合体機関。
【請求項１４２８】
前記高温水噴射ノズル（５９ｂ）は、銃身状末広ノズルにして加熱高温にして気化爆発力により高温水（５ｂ）を機関銃の弾丸のように加速することを特徴とする全動翼蒸気ガスタービン合体機関。
【請求項１４２９】
前記気化潜熱回収器（６６ａ）は、復水器と略同様に構成して冷却水に給水（３）を使用することを特徴とする全動翼蒸気ガスタービン合体機関。
【請求項１４３０】
前記気化潜熱回収器（６６ａ）は、復水器と略同様に構成して空気抽出器により飽和温度を１００℃前後として冷却水に給水（３）を使用することを特徴とする全動翼蒸気ガスタービン合体機関。
【請求項１４３１】
前記気化潜熱回収器（６６ａ）は、復水器と略同様に構成して空気抽出器により飽和温度を８０℃前後として冷却水に給水（３）を使用することを特徴とする全動翼蒸気ガスタービン合体機関。
【請求項１４３２】
前記気化潜熱回収器（６６ａ）は、復水器と略同様に構成して空気抽出器により飽和温度を６０℃前後として冷却水に給水（３）を使用することを特徴とする全動翼蒸気ガスタービン合体機関。
【請求項１４３３】
前記気化潜熱回収器（６６ａ）は、復水器と略同様に構成して冷却水に給水（３）を使用して海水温度等の上昇を廃止することを特徴とする全動翼蒸気ガスタービン合体機関。
【請求項１４３４】
前記気化潜熱回収器（６６ａ）は、復水器と略同様に構成して冷却水に給水（３）を使用して地球温暖化を防止することを特徴とする全動翼蒸気ガスタービン合体機関。
【請求項１４３５】
前記気化潜熱回収器（６６ａ）は、復水器と略同様に構成して冷却水に給水（３）を使用して熱回収し、燃焼器兼熱交換器（４）に供給することを特徴とする全動翼蒸気ガスタービン合体機関。
【請求項１４３６】
前記気化潜熱回収器（６６ａ）は、復水器と略同様に構成して冷却水に給水（３）を使用して熱回収し該凝縮水と共に、燃焼器兼熱交換器（４）に供給することを特徴とする全動翼蒸気ガスタービン合体機関。
【請求項１４３７】
前記気化潜熱回収器（６６ａ）は、復水器と略同様に構成して冷却水に給水（３）を使用して熱回収し該凝縮水と共に燃焼器兼熱交換器（４）に供給し、燃料燃焼質量を低減することを特徴とする全動翼蒸気ガスタービン合体機関。
【請求項１４３８】
前記気化潜熱回収器（６６ａ）は、復水器と略同様に構成して冷却水に給水（３）を使用して熱回収し飽和温度１００℃前後の凝縮水と共に、燃焼器兼熱交換器（４）に供給することを特徴とする全動翼蒸気ガスタービン合体機関。
【請求項１４３９】
前記気化潜熱回収器（６６ａ）は、復水器と略同様に構成して冷却水に給水（３）を使用して熱回収し飽和温度８０℃前後の凝縮水と共に、燃焼器兼熱交換器（４）に供給することを特徴とする全動翼蒸気ガスタービン合体機関。
【請求項１４４０】
前記気化潜熱回収器（６６ａ）は、復水器と略同様に構成して冷却水に給水（３）を使用して熱回収し飽和温度６０℃前後の凝縮水と共に、燃焼器兼熱交換器（４）に供給することを特徴とする全動翼蒸気ガスタービン合体機関。
【請求項１４４１】
前記気化潜熱回収器（６６ａ）は、復水器と略同様に構成して冷却水に給水（３）を使用して熱回収し飽和温度１００℃前後の凝縮水と共に燃焼器兼熱交換器（４）に供給し、温熱としても貯蔵することを特徴とする全動翼蒸気ガスタービン合体機関。
【請求項１４４２】
前記気化潜熱回収器（６６ａ）は、復水器と略同様に構成して冷却水に給水（３）を使用して熱回収し飽和温度８０℃前後の凝縮水と共に燃焼器兼熱交換器（４）に供給し、温熱としても貯蔵することを特徴とする全動翼蒸気ガスタービン合体機関。
【請求項１４４３】
前記気化潜熱回収器（６６ａ）は、復水器と略同様に構成して冷却水に給水（３）を使用して熱回収し飽和温度６０℃前後の凝縮水と共に燃焼器兼熱交換器（４）に供給し、温熱としても貯蔵することを特徴とする全動翼蒸気ガスタービン合体機関。
【請求項１４４４】
前記気化潜熱回収器（６６ａ）は、復水器と略同様に構成して冷却水に給水（３）を使用して熱回収し飽和温度１００℃前後の凝縮水と共に燃焼器兼熱交換器（４）に供給し、温熱としても貯蔵して需要家に供給することを特徴とする全動翼蒸気ガスタービン合体機関。
【請求項１４４５】
前記気化潜熱回収器（６６ａ）は、復水器と略同様に構成して冷却水に給水（３）を使用して熱回収し飽和温度８０℃前後の凝縮水と共に燃焼器兼熱交換器（４）に供給し、温熱としても貯蔵して需要家に供給することを特徴とする全動翼蒸気ガスタービン合体機関。
【請求項１４４６】
前記気化潜熱回収器（６６ａ）は、復水器と略同様に構成して冷却水に給水（３）を使用して熱回収し飽和温度６０℃前後の凝縮水と共に燃焼器兼熱交換器（４）に供給し、温熱としても貯蔵して需要家に供給することを特徴とする全動翼蒸気ガスタービン合体機関。
【請求項１４４７】
前記気化潜熱回収器（６６ａ）は、復水器と略同様に構成して冷却水に水道水（７０）を使用することを特徴とする全動翼蒸気ガスタービン合体機関。
【請求項１４４８】
前記気化潜熱回収器（６６ａ）は、復水器と略同様に構成して空気抽出器により飽和温度を１００℃前後として冷却水に水道水（７０）を使用することを特徴とする全動翼蒸気ガスタービン合体機関。
【請求項１４４９】
前記気化潜熱回収器（６６ａ）は、復水器と略同様に構成して空気抽出器により飽和温度を８０℃前後として冷却水に水道水（７０）を使用することを特徴とする全動翼蒸気ガスタービン合体機関。
【請求項１４５０】
前記気化潜熱回収器（６６ａ）は、復水器と略同様に構成して空気抽出器により飽和温度を６０℃前後として冷却水に水道水（７０）を使用することを特徴とする全動翼蒸気ガスタービン合体機関。
【請求項１４５１】
前記気化潜熱回収器（６６ａ）は、復水器と略同様に構成して冷却水に水道水（７０）を使用して海水温度等の上昇を廃止することを特徴とする全動翼蒸気ガスタービン合体機関。
【請求項１４５２】
前記気化潜熱回収器（６６ａ）は、復水器と略同様に構成して冷却水に水道水（７０）を使用して地球温暖化を防止することを特徴とする全動翼蒸気ガスタービン合体機関。
【請求項１４５３】
前記気化潜熱回収器（６６ａ）は、復水器と略同様に構成して冷却水に水道水（７０）を使用して熱回収し、燃焼器兼熱交換器（４）に供給することを特徴とする全動翼蒸気ガスタービン合体機関。
【請求項１４５４】
前記気化潜熱回収器（６６ａ）は、復水器と略同様に構成して冷却水に水道水（７０）を使用して熱回収し該凝縮水と共に、燃焼器兼熱交換器（４）に供給することを特徴とする全動翼蒸気ガスタービン合体機関。
【請求項１４５５】
前記気化潜熱回収器（６６ａ）は、復水器と略同様に構成して冷却水に水道水（７０）を使用して熱回収し該凝縮水と共に燃焼器兼熱交換器（４）に供給し、燃料燃焼質量を低減することを特徴とする全動翼蒸気ガスタービン合体機関。
【請求項１４５６】
前記気化潜熱回収器（６６ａ）は、復水器と略同様に構成して冷却水に水道水（７０）を使用して熱回収し飽和温度１００℃前後の凝縮水と共に、燃焼器兼熱交換器（４）に供給することを特徴とする全動翼蒸気ガスタービン合体機関。
【請求項１４５７】
前記気化潜熱回収器（６６ａ）は、復水器と略同様に構成して冷却水に水道水（７０）を使用して熱回収し飽和温度８０℃前後の凝縮水と共に、燃焼器兼熱交換器（４）に供給することを特徴とする全動翼蒸気ガスタービン合体機関。
【請求項１４５８】
前記気化潜熱回収器（６６ａ）は、復水器と略同様に構成して冷却水に水道水（７０）を使用して熱回収し飽和温度６０℃前後の凝縮水と共に、燃焼器兼熱交換器（４）に供給することを特徴とする全動翼蒸気ガスタービン合体機関。
【請求項１４５９】
前記気化潜熱回収器（６６ａ）は、復水器と略同様に構成して冷却水に水道水（７０）を使用して熱回収し飽和温度１００℃前後の凝縮水と共に燃焼器兼熱交換器（４）に供給し、温熱としても貯蔵することを特徴とする全動翼蒸気ガスタービン合体機関。
【請求項１４６０】
前記気化潜熱回収器（６６ａ）は、復水器と略同様に構成して冷却水に水道水（７０）を使用して熱回収し飽和温度８０℃前後の凝縮水と共に燃焼器兼熱交換器（４）に供給し、温熱としても貯蔵することを特徴とする全動翼蒸気ガスタービン合体機関。
【請求項１４６１】
前記気化潜熱回収器（６６ａ）は、復水器と略同様に構成して冷却水に水道水（７０）を使用して熱回収し飽和温度６０℃前後の凝縮水と共に燃焼器兼熱交換器（４）に供給し、温熱としても貯蔵することを特徴とする全動翼蒸気ガスタービン合体機関。
【請求項１４６２】
前記気化潜熱回収器（６６ａ）は、復水器と略同様に構成して冷却水に水道水（７０）を使用して熱回収し飽和温度１００℃前後の凝縮水と共に燃焼器兼熱交換器（４）に供給し、温熱としても貯蔵して需要家に供給することを特徴とする全動翼蒸気ガスタービン合体機関。
【請求項１４６３】
前記気化潜熱回収器（６６ａ）は、復水器と略同様に構成して冷却水に水道水（７０）を使用して熱回収し飽和温度８０℃前後の凝縮水と共に燃焼器兼熱交換器（４）に供給し、温熱としても貯蔵して需要家に供給することを特徴とする全動翼蒸気ガスタービン合体機関。
【請求項１４６４】
前記気化潜熱回収器（６６ａ）は、復水器と略同様に構成して冷却水に水道水（７０）を使用して熱回収し飽和温度６０℃前後の凝縮水と共に燃焼器兼熱交換器（４）に供給し、温熱としても貯蔵して需要家に供給することを特徴とする全動翼蒸気ガスタービン合体機関。
【請求項１４６５】
前記気化潜熱回収器（６６ａ）の冷却水に水道水を使用することを特徴とする全動翼蒸気ガスタービン合体機関。
【請求項１４６６】
前記気化潜熱回収器（６６ａ）の冷却水に水道水を使用して貯蔵し温熱を需要家に供給することを特徴とする全動翼蒸気ガスタービン合体機関。
【請求項１４６７】
前記気化潜熱回収器（６６ａ）の冷却水に水道水を使用して貯蔵し１００℃に近い温熱を需要家に供給することを特徴とする全動翼蒸気ガスタービン合体機関。
【請求項１４６８】
前記気化潜熱回収器（６６ａ）の冷却水に水道水を使用して貯蔵し１００℃以下の温熱を需要家に供給することを特徴とする全動翼蒸気ガスタービン合体機関。
【請求項１４６９】
前記気化潜熱回収器（６６ａ）の凝縮水全部を燃焼器兼熱交換器（４）に供給して超臨界圧力高温水（５ｂ）にすることを特徴とする全動翼蒸気ガスタービン合体機関。
【請求項１４７０】
前記気化潜熱回収器（６６ａ）の凝縮水全部を燃焼器兼熱交換器（４）に供給して高温水（５ｂ）にすることを特徴とする全動翼蒸気ガスタービン合体機関。
【請求項１４７１】
前記気化潜熱回収器（６６ａ）の凝縮水全部を燃焼器兼熱交換器（４）に供給して燃料供給熱量を気化潜熱に近付けて低減し、超臨界圧力高温水（５ｂ）にすることを特徴とする全動翼蒸気ガスタービン合体機関。
【請求項１４７２】
前記気化潜熱回収器（６６ａ）の凝縮水全部を燃焼器兼熱交換器（４）に供給して燃料供給熱量を気化潜熱に近付けて低減し、高温水（５ｂ）にすることを特徴とする全動翼蒸気ガスタービン合体機関。
【請求項１４７３】
前記気化潜熱回収器（６６ａ）は、復水器と略同様に構成して冷却水に水道水を使用することを特徴とする全動翼蒸気ガスタービン合体機関。
【請求項１４７４】
前記気化潜熱回収器（６６ａ）は、復水器と略同様に構成して空気抽出器により飽和温度を１００℃前後として冷却水に水道水を使用することを特徴とする全動翼蒸気ガスタービン合体機関。
【請求項１４７５】
前記気化潜熱回収器（６６ａ）は、復水器と略同様に構成して空気抽出器により飽和温度を８０℃前後として冷却水に水道水を使用することを特徴とする全動翼蒸気ガスタービン合体機関。
【請求項１４７６】
前記気化潜熱回収器（６６ａ）は、復水器と略同様に構成して空気抽出器により飽和温度を６０℃前後として冷却水に水道水を使用することを特徴とする全動翼蒸気ガスタービン合体機関。
【請求項１４７７】
前記気化潜熱回収器（６６ａ）は、復水器と略同様に構成して冷却水に水道水を使用して海水温度等の上昇を廃止することを特徴とする全動翼蒸気ガスタービン合体機関。
【請求項１４７８】
前記気化潜熱回収器（６６ａ）は、復水器と略同様に構成して冷却水に水道水を使用して地球温暖化を防止することを特徴とする全動翼蒸気ガスタービン合体機関。
【請求項１４７９】
前記気化潜熱回収器（６６ａ）は、復水器と略同様に構成して冷却水に水道水を使用して熱回収し、凝縮水を燃焼器兼熱交換器（４）に供給することを特徴とする全動翼蒸気ガスタービン合体機関。
【請求項１４８０】
前記気化潜熱回収器（６６ａ）は、復水器と略同様に構成して冷却水に水道水を使用して熱回収需要家に供給して、凝縮水を燃焼器兼熱交換器（４）に供給することを特徴とする全動翼蒸気ガスタービン合体機関。
【請求項１４８１】
前記気化潜熱回収器（６６ａ）は、復水器と略同様に構成して冷却水に水道水を使用して熱回収需要家に供給して、凝縮水を燃焼器兼熱交換器（４）に供給し、燃料燃焼質量を低減することを特徴とする全動翼蒸気ガスタービン合体機関。
【請求項１４８２】
前記気化潜熱回収器（６６ａ）は、復水器と略同様に構成して冷却水に水道水を使用して熱回収需要家に供給して、飽和温度１００℃前後の凝縮水を燃焼器兼熱交換器（４）に供給することを特徴とする全動翼蒸気ガスタービン合体機関。
【請求項１４８３】
前記気化潜熱回収器（６６ａ）は、復水器と略同様に構成して冷却水に水道水を使用して熱回収需要家に供給して、飽和温度８０℃前後の凝縮水を燃焼器兼熱交換器（４）に供給することを特徴とする全動翼蒸気ガスタービン合体機関。
【請求項１４８４】
前記気化潜熱回収器（６６ａ）は、復水器と略同様に構成して冷却水に水道水を使用して熱回収需要家に供給して、飽和温度６０℃前後の凝縮水を燃焼器兼熱交換器（４）に供給することを特徴とする全動翼蒸気ガスタービン合体機関。
【請求項１４８５】
前記気化潜熱回収器（６６ａ）は、復水器と略同様に構成して冷却水に水道水を使用して熱回収需要家に供給して、飽和温度１００℃前後の凝縮水を燃焼器兼熱交換器（４）に供給し、水道水を温熱としても貯蔵することを特徴とする全動翼蒸気ガスタービン合体機関。
【請求項１４８６】
前記気化潜熱回収器（６６ａ）は、復水器と略同様に構成して冷却水に水道水を使用して熱回収需要家に供給して、飽和温度８０℃前後の凝縮水を燃焼器兼熱交換器（４）に供給し、水道水を温熱としても貯蔵することを特徴とする全動翼蒸気ガスタービン合体機関。
【請求項１４８７】
前記気化潜熱回収器（６６ａ）は、復水器と略同様に構成して冷却水に水道水を使用して熱回収し飽和温度６０℃前後の凝縮水を燃焼器兼熱交換器（４）に供給し、水道水を温熱としても貯蔵することを特徴とする全動翼蒸気ガスタービン合体機関。
【請求項１４８８】
前記気化潜熱回収器（６６ａ）は、復水器と略同様に構成して冷却水に水道水を使用して熱回収し飽和温度１００℃前後の凝縮水を燃焼器兼熱交換器（４）に供給し、水道水を温熱としても貯蔵して需要家に供給することを特徴とする全動翼蒸気ガスタービン合体機関。
【請求項１４８９】
前記気化潜熱回収器（６６ａ）は、復水器と略同様に構成して冷却水に水道水を使用して熱回収し飽和温度８０℃前後の凝縮水を燃焼器兼熱交換器（４）に供給し、水道水を温熱としても貯蔵して需要家に供給することを特徴とする全動翼蒸気ガスタービン合体機関。
【請求項１４９０】
前記気化潜熱回収器（６６ａ）は、復水器と略同様に構成して冷却水に水道水を使用して熱回収し飽和温度６０℃前後の凝縮水を燃焼器兼熱交換器（４）に供給し、水道水を温熱としても貯蔵して需要家に供給することを特徴とする全動翼蒸気ガスタービン合体機関。
【請求項１４９１】
前記気化潜熱回収器（６６ａ）は、復水器と略同様に構成して冷却水に水道水（７０）を使用して温熱を需要家に供給することを特徴とする全動翼蒸気ガスタービン合体機関。
【請求項１４９２】
前記気化潜熱回収器（６６ａ）は、復水器と略同様に構成して空気抽出器により飽和温度を１００℃前後として冷却水に水道水（７０）を使用して温熱を需要家に供給することを特徴とする全動翼蒸気ガスタービン合体機関。
【請求項１４９３】
前記気化潜熱回収器（６６ａ）は、復水器と略同様に構成して空気抽出器により飽和温度を８０℃前後として冷却水に水道水（７０）を使用して温熱を需要家に供給することを特徴とする全動翼蒸気ガスタービン合体機関。
【請求項１４９４】
前記気化潜熱回収器（６６ａ）は、復水器と略同様に構成して空気抽出器により飽和温度を６０℃前後として冷却水に水道水（７０）を使用して温熱を需要家に供給することを特徴とする全動翼蒸気ガスタービン合体機関。
【請求項１４９５】
前記気化潜熱回収器（６６ａ）は、復水器と略同様に構成して冷却水に水道水（７０）を使用して温熱を需要家に供給して海水温度等の上昇を廃止することを特徴とする全動翼蒸気ガスタービン合体機関。
【請求項１４９６】
前記気化潜熱回収器（６６ａ）は、復水器と略同様に構成して冷却水に水道水（７０）を使用して温熱を需要家に供給して地球温暖化を防止することを特徴とする全動翼蒸気ガスタービン合体機関。
【請求項１４９７】
前記気化潜熱回収器（６６ａ）は、復水器と略同様に構成して冷却水に水道水（７０）を使用して熱回収し、凝縮水を燃焼器兼熱交換器（４）に供給することを特徴とする全動翼蒸気ガスタービン合体機関。
【請求項１４９８】
前記気化潜熱回収器（６６ａ）は、復水器と略同様に構成して冷却水に水道水（７０）を使用して熱回収して温熱を需要家に供給し、凝縮水を燃焼器兼熱交換器（４）に供給することを特徴とする全動翼蒸気ガスタービン合体機関。
【請求項１４９９】
前記気化潜熱回収器（６６ａ）は、復水器と略同様に構成して冷却水に水道水（７０）を使用して熱回収して温熱を需要家に供給し、凝縮水を燃焼器兼熱交換器（４）に供給し、燃料燃焼質量を低減することを特徴とする全動翼蒸気ガスタービン合体機関。
【請求項１５００】
前記気化潜熱回収器（６６ａ）は、復水器と略同様に構成して冷却水に水道水（７０）を使用して熱回収して温熱を需要家に供給し、飽和温度１００℃前後の凝縮水を燃焼器兼熱交換器（４）に供給することを特徴とする全動翼蒸気ガスタービン合体機関。
【請求項１５０１】
前記気化潜熱回収器（６６ａ）は、復水器と略同様に構成して冷却水に水道水（７０）を使用して熱回収して温熱を需要家に供給し、飽和温度８０℃前後の凝縮水を燃焼器兼熱交換器（４）に供給することを特徴とする全動翼蒸気ガスタービン合体機関。
【請求項１５０２】
前記気化潜熱回収器（６６ａ）は、復水器と略同様に構成して冷却水に水道水（７０）を使用して熱回収して温熱を需要家に供給し、飽和温度６０℃前後の凝縮水を燃焼器兼熱交換器（４）に供給することを特徴とする全動翼蒸気ガスタービン合体機関。
【請求項１５０３】
前記気化潜熱回収器（６６ａ）は、復水器と略同様に構成して冷却水に水道水（７０）を使用して熱回収して温熱を需要家に供給し、飽和温度１００℃前後の凝縮水を燃焼器兼熱交換器（４）に供給し、水道水を温熱としても貯蔵することを特徴とする全動翼蒸気ガスタービン合体機関。
【請求項１５０４】
前記気化潜熱回収器（６６ａ）は、復水器と略同様に構成して冷却水に水道水（７０）を使用して熱回収して温熱を需要家に供給し、飽和温度８０℃前後の凝縮水を燃焼器兼熱交換器（４）に供給し、水道水を温熱としても貯蔵することを特徴とする全動翼蒸気ガスタービン合体機関。
【請求項１５０５】
前記気化潜熱回収器（６６ａ）は、復水器と略同様に構成して冷却水に水道水（７０）を使用して熱回収して温熱を需要家に供給し、飽和温度６０℃前後の凝縮水を燃焼器兼熱交換器（４）に供給し、水道水を温熱としても貯蔵することを特徴とする全動翼蒸気ガスタービン合体機関。
【請求項１５０６】
前記気化潜熱回収器（６６ａ）は、復水器と略同様に構成して冷却水に水道水（７０）を使用して熱回収して温熱を需要家に供給し、飽和温度１００℃前後の凝縮水を燃焼器兼熱交換器（４）に供給し、水道水を温熱としても貯蔵して需要家に供給することを特徴とする全動翼蒸気ガスタービン合体機関。
【請求項１５０７】
前記気化潜熱回収器（６６ａ）は、復水器と略同様に構成して冷却水に水道水（７０）を使用して熱回収して温熱を需要家に供給し、飽和温度８０℃前後の凝縮水を燃焼器兼熱交換器（４）に供給し、水道水を温熱としても貯蔵して需要家に供給することを特徴とする全動翼蒸気ガスタービン合体機関。
【請求項１５０８】
前記気化潜熱回収器（６６ａ）は、復水器と略同様に構成して冷却水に水道水（７０）を使用して熱回収して温熱を需要家に供給し、飽和温度６０℃前後の凝縮水を燃焼器兼熱交換器（４）に供給し、水道水を温熱としても貯蔵して需要家に供給することを特徴とする全動翼蒸気ガスタービン合体機関。
【請求項１５０９】
前記気化潜熱回収器（６６ａ）の冷却水に水道水を使用して水蒸気を冷却することを特徴とする全動翼蒸気ガスタービン合体機関。
【請求項１５１０】
前記気化潜熱回収器（６６ａ）の冷却水に水道水を使用して水蒸気を冷却して貯蔵し温熱を需要家に供給することを特徴とする全動翼蒸気ガスタービン合体機関。
【請求項１５１１】
前記気化潜熱回収器（６６ａ）の冷却水に水道水を使用して水蒸気を冷却して貯蔵し１００℃に近い温熱を需要家に供給することを特徴とする全動翼蒸気ガスタービン合体機関。
【請求項１５１２】
前記気化潜熱回収器（６６ａ）の冷却水に水道水を使用して水蒸気を冷却して貯蔵し１００℃以下の温熱を需要家に供給することを特徴とする全動翼蒸気ガスタービン合体機関。
【請求項１５１３】
前記気化潜熱回収器（６６ａ）の冷却水に水道水を使用して水蒸気を冷却し、凝縮水全部を燃焼器兼熱交換器（４）に供給して超臨界圧力高温水（５ｂ）にすることを特徴とする全動翼蒸気ガスタービン合体機関。
【請求項１５１４】
前記気化潜熱回収器（６６ａ）の冷却水に水道水を使用して水蒸気を冷却し、凝縮水全部を燃焼器兼熱交換器（４）に供給して高温水（５ｂ）にすることを特徴とする全動翼蒸気ガスタービン合体機関。
【請求項１５１５】
前記気化潜熱回収器（６６ａ）の冷却水に水道水を使用して水蒸気を冷却し、凝縮水全部を燃焼器兼熱交換器（４）に供給して燃料供給熱量を気化潜熱に近付けて低減し、超臨界圧力高温水（５ｂ）にすることを特徴とする全動翼蒸気ガスタービン合体機関。
【請求項１５１６】
前記気化潜熱回収器（６６ａ）の冷却水に水道水を使用して水蒸気を冷却し、凝縮水全部を燃焼器兼熱交換器（４）に供給して燃料供給熱量を気化潜熱に近付けて低減し、高温水（５ｂ）にすることを特徴とする全動翼蒸気ガスタービン合体機関。
【請求項１５１７】
前記送水ポンプ兼二重反転磁気摩擦動力伝達装置（１４ａ）の各種着磁摩擦車や各種磁着摩擦車は、回転方向上流側に、電磁石（３４）を設けて、夫々適宜に互換して使用すると共に、途中水路を水噴射手段（５６）に連絡したことを特徴とする全動翼蒸気ガスタービン合体機関。
【請求項１５１８】
前記送水ポンプ兼二重反転磁気摩擦動力伝達装置（１４ａ）の各種着磁摩擦車や各種磁着摩擦車は、回転方向上流側に、棒磁石（３３）を設けて、夫々適宜に互換して使用すると共に、途中水路を水噴射手段（５６）に連絡したことを特徴とする全動翼蒸気ガスタービン合体機関。
【請求項１５１９】
前記送水ポンプ兼二重反転磁気摩擦動力伝達装置（１４ａ）の各種着磁摩擦車や各種磁着摩擦車は、回転方向下流側に、電磁石（３４）を設けて、夫々適宜に互換して使用すると共に、途中水路を水噴射手段（５６）に連絡したことを特徴とする全動翼蒸気ガスタービン合体機関。
【請求項１５２０】
前記送水ポンプ兼二重反転磁気摩擦動力伝達装置（１４ａ）の各種着磁摩擦車や各種磁着摩擦車は、回転方向下流側に、棒磁石（３３）を設けて、夫々適宜に互換して使用すると共に、途中水路を水噴射手段（５６）に連絡したことを特徴とする全動翼蒸気ガスタービン合体機関。
【請求項１５２１】
前記送水ポンプ兼二重反転磁気摩擦動力伝達装置（１４ａ）の各種内着磁摩擦車や各種内磁着摩擦車は、回転方向上流側及び下流側に、電磁石（３４）を設けて、夫々適宜に互換して使用すると共に、途中水路を水噴射手段（５６）に連絡したことを特徴とする全動翼蒸気ガスタービン合体機関。
【請求項１５２２】
前記送水ポンプ兼二重反転磁気摩擦動力伝達装置（１４ａ）の各種内着磁摩擦車や各種内磁着摩擦車は、回転方向上流側及び下流側に、棒磁石（３３）を設けて、夫々適宜に互換して使用すると共に、途中水路を水噴射手段（５６）に連絡したことを特徴とする全動翼蒸気ガスタービン合体機関。
【請求項１５２３】
前記送水ポンプ兼二重反転磁気摩擦動力伝達装置（１４ａ）の各種内着磁摩擦車や各種内磁着摩擦車は、回転方向上流側に、電磁石（３４）を設けて、夫々適宜に互換して使用すると共に、途中水路を水噴射手段（５６）に連絡したことを特徴とする全動翼蒸気ガスタービン合体機関。
【請求項１５２４】
前記送水ポンプ兼二重反転磁気摩擦動力伝達装置（１４ａ）の各種内着磁摩擦車や各種内磁着摩擦車は、回転方向上流側に、棒磁石（３３）を設けて、夫々適宜に互換して使用すると共に、途中水路を水噴射手段（５６）に連絡したことを特徴とする全動翼蒸気ガスタービン合体機関。
【請求項１５２５】
前記送水ポンプ兼二重反転磁気摩擦動力伝達装置（１４ａ）の各種内着磁摩擦車や各種内磁着摩擦車は、回転方向下流側に、電磁石（３４）を設けて、夫々適宜に互換して使用すると共に、途中水路を水噴射手段（５６）に連絡したことを特徴とする全動翼蒸気ガスタービン合体機関。
【請求項１５２６】
前記送水ポンプ兼二重反転磁気摩擦動力伝達装置（１４ａ）の各種内着磁摩擦車や各種内磁着摩擦車は、回転方向下流側に、棒磁石（３３）を設けて、夫々適宜に互換して使用すると共に、途中水路を水噴射手段（５６）に連絡したことを特徴とする全動翼蒸気ガスタービン合体機関。
【請求項１５２７】
前記送水ポンプ兼二重反転磁気摩擦動力伝達装置（１４ａ）により、燃焼器兼熱交換器（４）に供給する水を昇圧して使用すると共に、途中水路を水噴射手段（５６）に連絡したことを特徴とする全動翼蒸気ガスタービン合体機関。
【請求項１５２８】
前記送水ポンプ兼二重反転磁気摩擦動力伝達装置（１４ａ）により、燃焼器兼熱交換器（４）に供給する水を多段に昇圧して使用すると共に、途中水路を水噴射手段（５６）に連絡したことを特徴とする全動翼蒸気ガスタービン合体機関。
【請求項１５２９】
前記複数の送水ポンプ兼二重反転磁気摩擦動力伝達装置（１４ａ）により、燃焼器兼熱交換器（４）に供給する水を多段に昇圧して使用すると共に、途中水路を水噴射手段（５６）に連絡したことを特徴とする全動翼蒸気ガスタービン合体機関。
【請求項１５３０】
前記送水ポンプ兼二重反転磁気摩擦動力伝達装置（１４ａ）は、燃焼器兼熱交換器（４）に供給する水を使用すると共に、途中水路を水噴射手段（５６）に連絡したことを特徴とする全動翼蒸気ガスタービン合体機関。
【請求項１５３１】
前記送水ポンプ兼二重反転磁気摩擦動力伝達装置（１４ａ）は、燃焼器兼熱交換器（４）に供給する水を使用すると共に、該水圧上昇により送水ポンプ（９７）を非接触に近付けると共に、途中水路を水噴射手段（５６）に連絡したことを特徴とする全動翼蒸気ガスタービン合体機関。
【請求項１５３２】
前記送水ポンプ兼二重反転磁気摩擦動力伝達装置（１４ａ）は、燃焼器兼熱交換器（４）に供給する水を使用すると共に、該水圧上昇により送水ポンプ（９７）を非接触に近付けて超高速回転に対応すると共に、途中水路を水噴射手段（５６）に連絡したことを特徴とする全動翼蒸気ガスタービン合体機関。
【請求項１５３３】
前記送水ポンプ兼二重反転磁気摩擦動力伝達装置（１４ａ）は、燃焼器兼熱交換器（４）に供給する水を使用すると共に、該水温を上昇して使用すると共に、途中水路を水噴射手段（５６）に連絡したことを特徴とする全動翼蒸気ガスタービン合体機関。
【請求項１５３４】
前記送水送水ポンプ兼二重反転磁気摩擦動力伝達装置（１４ａ）は、燃焼器兼熱交換器（４）に供給する水を使用すると共に水温を上昇して使用し、該水に物質を混入して公害低減し、潤滑すると共に、途中水路を水噴射手段（５６）に連絡したことを特徴とする全動翼蒸気ガスタービン合体機関。
【請求項１５３５】
前記送水ポンプ兼二重反転磁気摩擦動力伝達装置（１４ａ）の各種着磁摩擦車や各種磁着摩擦車は、回転方向上流側に、電磁石（３４）を設けて、夫々適宜に互換して使用すると共に、途中水路を水噴射手段（５６ａ）に連絡したことを特徴とする全動翼蒸気ガスタービン合体機関。
【請求項１５３６】
前記送水ポンプ兼二重反転磁気摩擦動力伝達装置（１４ａ）の各種着磁摩擦車や各種磁着摩擦車は、回転方向上流側に、棒磁石（３３）を設けて、夫々適宜に互換して使用すると共に、途中水路を水噴射手段（５６ａ）に連絡したことを特徴とする全動翼蒸気ガスタービン合体機関。
【請求項１５３７】
前記送水ポンプ兼二重反転磁気摩擦動力伝達装置（１４ａ）の各種着磁摩擦車や各種磁着摩擦車は、回転方向下流側に、電磁石（３４）を設けて、夫々適宜に互換して使用すると共に、途中水路を水噴射手段（５６ａ）に連絡したことを特徴とする全動翼蒸気ガスタービン合体機関。
【請求項１５３８】
前記送水ポンプ兼二重反転磁気摩擦動力伝達装置（１４ａ）の各種着磁摩擦車や各種磁着摩擦車は、回転方向下流側に、棒磁石（３３）を設けて、夫々適宜に互換して使用すると共に、途中水路を水噴射手段（５６ａ）に連絡したことを特徴とする全動翼蒸気ガスタービン合体機関。
【請求項１５３９】
前記送水ポンプ兼二重反転磁気摩擦動力伝達装置（１４ａ）の各種内着磁摩擦車や各種内磁着摩擦車は、回転方向上流側及び下流側に、電磁石（３４）を設けて、夫々適宜に互換して使用すると共に、途中水路を水噴射手段（５６ａ）に連絡したことを特徴とする全動翼蒸気ガスタービン合体機関。
【請求項１５４０】
前記送水ポンプ兼二重反転磁気摩擦動力伝達装置（１４ａ）の各種内着磁摩擦車や各種内磁着摩擦車は、回転方向上流側及び下流側に、棒磁石（３３）を設けて、夫々適宜に互換して使用すると共に、途中水路を水噴射手段（５６ａ）に連絡したことを特徴とする全動翼蒸気ガスタービン合体機関。
【請求項１５４１】
前記送水ポンプ兼二重反転磁気摩擦動力伝達装置（１４ａ）の各種内着磁摩擦車や各種内磁着摩擦車は、回転方向上流側に、電磁石（３４）を設けて、夫々適宜に互換して使用すると共に、途中水路を水噴射手段（５６ａ）に連絡したことを特徴とする全動翼蒸気ガスタービン合体機関。
【請求項１５４２】
前記送水ポンプ兼二重反転磁気摩擦動力伝達装置（１４ａ）の各種内着磁摩擦車や各種内磁着摩擦車は、回転方向上流側に、棒磁石（３３）を設けて、夫々適宜に互換して使用すると共に、途中水路を水噴射手段（５６ａ）に連絡したことを特徴とする全動翼蒸気ガスタービン合体機関。
【請求項１５４３】
前記送水ポンプ兼二重反転磁気摩擦動力伝達装置（１４ａ）の各種内着磁摩擦車や各種内磁着摩擦車は、回転方向下流側に、電磁石（３４）を設けて、夫々適宜に互換して使用すると共に、途中水路を水噴射手段（５６ａ）に連絡したことを特徴とする全動翼蒸気ガスタービン合体機関。
【請求項１５４４】
前記送水ポンプ兼二重反転磁気摩擦動力伝達装置（１４ａ）の各種内着磁摩擦車や各種内磁着摩擦車は、回転方向下流側に、棒磁石（３３）を設けて、夫々適宜に互換して使用すると共に、途中水路を水噴射手段（５６ａ）に連絡したことを特徴とする全動翼蒸気ガスタービン合体機関。
【請求項１５４５】
前記送水ポンプ兼二重反転磁気摩擦動力伝達装置（１４ａ）により、燃焼器兼熱交換器（４）に供給する水を昇圧して使用すると共に、途中水路を水噴射手段（５６ａ）に連絡したことを特徴とする全動翼蒸気ガスタービン合体機関。
【請求項１５４６】
前記送水ポンプ兼二重反転磁気摩擦動力伝達装置（１４ａ）により、燃焼器兼熱交換器（４）に供給する水を多段に昇圧して使用すると共に、途中水路を水噴射手段（５６ａ）に連絡したことを特徴とする全動翼蒸気ガスタービン合体機関。
【請求項１５４７】
前記複数の送水ポンプ兼二重反転磁気摩擦動力伝達装置（１４ａ）により、燃焼器兼熱交換器（４）に供給する水を多段に昇圧して使用すると共に、途中水路を水噴射手段（５６ａ）に連絡したことを特徴とする全動翼蒸気ガスタービン合体機関。
【請求項１５４８】
前記送水ポンプ兼二重反転磁気摩擦動力伝達装置（１４ａ）は、燃焼器兼熱交換器（４）に供給する水を使用すると共に、途中水路を水噴射手段（５６ａ）に連絡したことを特徴とする全動翼蒸気ガスタービン合体機関。
【請求項１５４９】
前記送水ポンプ兼二重反転磁気摩擦動力伝達装置（１４ａ）は、燃焼器兼熱交換器（４）に供給する水を使用すると共に、該水圧上昇により送水ポンプ（９７）を非接触に近付けると共に、途中水路を水噴射手段（５６ａ）に連絡したことを特徴とする全動翼蒸気ガスタービン合体機関。
【請求項１５５０】
前記送水ポンプ兼二重反転磁気摩擦動力伝達装置（１４ａ）は、燃焼器兼熱交換器（４）に供給する水を使用すると共に、該水圧上昇により送水ポンプ（９７）を非接触に近付けて超高速回転に対応すると共に、途中水路を水噴射手段（５６ａ）に連絡したことを特徴とする全動翼蒸気ガスタービン合体機関。
【請求項１５５１】
前記送水ポンプ兼二重反転磁気摩擦動力伝達装置（１４ａ）は、燃焼器兼熱交換器（４）に供給する水を使用すると共に、該水温を上昇して使用すると共に、途中水路を水噴射手段（５６ａ）に連絡したことを特徴とする全動翼蒸気ガスタービン合体機関。
【請求項１５５２】
前記送水送水ポンプ兼二重反転磁気摩擦動力伝達装置（１４ａ）は、燃焼器兼熱交換器（４）に供給する水を使用すると共に水温を上昇して使用し、該水に物質を混入して公害低減し、潤滑すると共に、途中水路を水噴射手段（５６ａ）に連絡したことを特徴とする全動翼蒸気ガスタービン合体機関。
【請求項１５５３】
前記水噴射手段（５６）は組立環状接続部付近に設け、翼段落毎に環状に一体鋳造（８４）して、該組立環状接続部で水路を接続使用することを特徴とする電磁加熱タービン動翼（８１）を具備した全動翼蒸気ガスタービン合体機関。
【請求項１５５４】
前記水噴射手段（５６）は組立環状接続部付近に設け、翼段落毎に環状に一体鋳造（８４）して、該組立環状接続部で水路を接続使用し、該組立環状接続部付近から水噴射することを特徴とする電磁加熱タービン動翼（８１）を具備した全動翼蒸気ガスタービン合体機関。
【請求項１５５５】
前記水噴射手段（５６）は組立環状接続部付近に設け、翼段落毎に環状に一体鋳造（８４）して、該組立環状接続部で水路を接続使用し、該組立環状接続部付近から水噴射して圧縮空気を冷却し、熱回収することを特徴とする電磁加熱タービン動翼（８１）を具備した全動翼蒸気ガスタービン合体機関。
【請求項１５５６】
前記水噴射手段（５６）は組立環状接続部付近に設け、翼段落毎に環状に一体鋳造（８４）して、該組立環状接続部で水路を接続使用し、該組立環状接続部付近から水噴射して圧縮空気を冷却し、熱回収した冷空気を略直線蛇行的に圧縮することを特徴とする電磁加熱タービン動翼（８１）を具備した全動翼蒸気ガスタービン合体機関。
【請求項１５５７】
前記水噴射手段（５６）は組立環状接続部付近に設け、撥水性水冷却翼（８７）を冷却手段（５５）の水路で段落半分を冷却後に水噴射手段（５６）より水噴射する全動翼蒸気ガスタービン合体機関。
【請求項１５５８】
前記水噴射手段（５６）は組立環状接続部付近に設け、撥水性水冷却翼（８７）を冷却手段（５５）の水路で段落全部を冷却後に水噴射手段（５６）より水噴射する全動翼蒸気ガスタービン合体機関。
【請求項１５５９】
前記水噴射手段（５６）は組立環状接続部付近に設け、撥水性水冷却翼（８７）を冷却手段（５５）の水路で段落複数を冷却後に水噴射手段（５６）より水噴射する全動翼蒸気ガスタービン合体機関。
【請求項１５６０】
前記水噴射手段（５６）は組立環状接続部付近に設け、撥水性水冷却翼（８７）を冷却手段（５５）の水路で段落多数を冷却後に水噴射手段（５６）より水噴射する全動翼蒸気ガスタービン合体機関。
【請求項１５６１】
前記水噴射手段（５６ａ）より水噴射水蒸気を冷却して、蒸気速度を水質量の速度エネルギに変換することを特徴とする電磁加熱タービン動翼（８１）を具備した全動翼蒸気ガスタービン合体機関。
【請求項１５６２】
前記水噴射手段（５６ａ）より飽和温度以下の水噴射水蒸気を冷却して、蒸気速度を水質量の速度エネルギに変換することを特徴とする電磁加熱タービン動翼（８１）を具備した全動翼蒸気ガスタービン合体機関。
【請求項１５６３】
前記水噴射手段（５６ａ）より水噴射水蒸気を冷却して、蒸気速度を水質量の速度エネルギに変換して単位重力仕事率を増大することを特徴とする電磁加熱タービン動翼（８１）を具備した全動翼蒸気ガスタービン合体機関。
【請求項１５６４】
前記水噴射手段（５６ａ）より飽和温度以下の水噴射水蒸気を冷却して、蒸気速度を水質量の速度エネルギに変換して単位重力仕事率を増大することを特徴とする電磁加熱タービン動翼（８１）を具備した全動翼蒸気ガスタービン合体機関。
【請求項１５６５】
前記水噴射手段（５６ａ）より水噴射水蒸気を冷却して、蒸気速度を水質量の速度エネルギに変換して全重力仕事率を増大することを特徴とする電磁加熱タービン動翼（８１）を具備した全動翼蒸気ガスタービン合体機関。
【請求項１５６６】
前記水噴射手段（５６ａ）より飽和温度以下の水噴射水蒸気を冷却して、蒸気速度を水質量の速度エネルギに変換して全重力仕事率を増大することを特徴とする電磁加熱タービン動翼（８１）を具備した全動翼蒸気ガスタービン合体機関。
【請求項１５６７】
前記水噴射手段（５６ａ）より水噴射水蒸気を冷却して、蒸気速度を水質量の速度エネルギに変換して全重力仕事率を増大して出力を増大することを特徴とする電磁加熱タービン動翼（８１）を具備した全動翼蒸気ガスタービン合体機関。
【請求項１５６８】
前記水噴射手段（５６ａ）より飽和温度以下の水噴射水蒸気を冷却して、蒸気速度を水質量の速度エネルギに変換して全重力仕事率を増大して出力を増大することを特徴とする電磁加熱タービン動翼（８１）を具備した全動翼蒸気ガスタービン合体機関。
【請求項１５６９】
前記水噴射手段（５６ａ）より水噴射水蒸気を冷却して、蒸気速度を水質量の速度エネルギに変換して単位重力仕事率を増大することを特徴とする全動翼蒸気ガスタービン合体機関。
【請求項１５７０】
前記水噴射手段（５６ａ）より飽和温度以下の水噴射水蒸気を冷却して、蒸気速度を水質量の速度エネルギに変換して単位重力仕事率を増大することを特徴とする全動翼蒸気ガスタービン合体機関。
【請求項１５７１】
前記水噴射手段（５６ａ）より水噴射水蒸気を冷却して、蒸気速度を水質量の速度エネルギに変換して全重力仕事率を増大することを特徴とする全動翼蒸気ガスタービン合体機関。
【請求項１５７２】
前記水噴射手段（５６ａ）より飽和温度以下の水噴射水蒸気を冷却して、蒸気速度を水質量の速度エネルギに変換して全重力仕事率を増大することを特徴とする全動翼蒸気ガスタービン合体機関。
【請求項１５７３】
前記水噴射手段（５６ａ）より水噴射水蒸気を冷却して、蒸気速度を水質量の速度エネルギに変換して全重力仕事率を増大して出力を増大することを特徴とする全動翼蒸気ガスタービン合体機関。
【請求項１５７４】
前記水噴射手段（５６ａ）より飽和温度以下の水噴射水蒸気を冷却して、蒸気速度を水質量の速度エネルギに変換して全重力仕事率を増大して出力を増大することを特徴とする全動翼蒸気ガスタービン合体機関。
【請求項１５７５】
前記水噴射手段（５６ａ）より飽和温度以下の水噴射水蒸気を冷却して、排気排水温度を低下することを特徴とする電磁加熱タービン動翼（８１）を具備した全動翼蒸気ガスタービン合体機関。
【請求項１５７６】
前記水噴射手段（５６ａ）より飽和温度以下の水噴射水蒸気を冷却して、排気排水温度を低下して冷却水量を僅少とすることを特徴とする電磁加熱タービン動翼（８１）を具備した全動翼蒸気ガスタービン合体機関。
【請求項１５７７】
前記水噴射手段（５６ａ）より飽和温度以下の水噴射水蒸気を冷却して、排気排水温度を低下して冷却水量を僅少とし、地球温暖化防止することを特徴とする電磁加熱タービン動翼（８１）を具備した全動翼蒸気ガスタービン合体機関。
【請求項１５７８】
前記水噴射手段（５６ａ）より飽和温度以下の水噴射水蒸気を冷却して、排気排水温度を低下することを特徴とする全動翼蒸気ガスタービン合体機関。
【請求項１５７９】
前記水噴射手段（５６ａ）より飽和温度以下の水噴射水蒸気を冷却して、排気排水温度を最低にして冷却水温度の上昇を僅少とすることを特徴とする全動翼蒸気ガスタービン合体機関。
【請求項１５８０】
前記水噴射手段（５６ａ）より飽和温度以下の水噴射水蒸気を冷却して、排気排水温度を最低にして冷却水温度の上昇を僅少とし、地球温暖化防止することを特徴とする全動翼蒸気ガスタービン合体機関。
【請求項１５８１】
前記水噴射手段（５６ａ）より最終段飽和温度以下の水噴射水蒸気を冷却して、排気排水温度を最低にして冷却水温度の上昇を僅少とし、地球温暖化防止することを特徴とする全動翼蒸気ガスタービン合体機関。
【請求項１５８２】
前記水噴射手段（５６ａ）より復水器真空最終段飽和温度以下の水噴射水蒸気を冷却して、排気排水温度を最低にして冷却水温度の上昇を僅少とし、地球温暖化防止することを特徴とする全動翼蒸気ガスタービン合体機関。
【請求項１５８３】
前記水噴射手段（５６ａ）より水噴射水蒸気を冷却して、水蒸気容積の増大を既存蒸気タービンの１／１００以下にすることを特徴とする全動翼蒸気ガスタービン合体機関。
【請求項１５８４】
前記水噴射手段（５６ａ）より水噴射水蒸気を冷却して、水蒸気容積の増大を既存蒸気タービンの１／３００以下にすることを特徴とする全動翼蒸気ガスタービン合体機関。
【請求項１５８５】
前記水噴射手段（５６ａ）より水噴射水蒸気を冷却して、水蒸気容積の増大を既存蒸気タービンの１／６００以下にすることを特徴とする全動翼蒸気ガスタービン合体機関。
【請求項１５８６】
前記水噴射手段（５６ａ）より水噴射水蒸気を冷却して、水蒸気容積の増大を既存蒸気タービンの１／１０００以下にすることを特徴とする全動翼蒸気ガスタービン合体機関。
【請求項１５８７】
前記水噴射手段（５６ａ）より水噴射水蒸気を冷却して、全重力仕事率を既存ガスタービンの５００倍前後にすることを特徴とする全動翼蒸気ガスタービン合体機関。
【請求項１５８８】
前記水噴射手段（５６ａ）より水噴射水蒸気を冷却して、全重力仕事率を既存ガスタービンの４００倍前後にすることを特徴とする全動翼蒸気ガスタービン合体機関。
【請求項１５８９】
前記水噴射手段（５６ａ）より水噴射水蒸気を冷却して、全重力仕事率を既存ガスタービンの６００倍前後にすることを特徴とする全動翼蒸気ガスタービン合体機関。
【請求項１５９０】
前記水噴射手段（５６ａ）より水噴射水蒸気を冷却して、全重力仕事率を既存ガスタービンの７００倍前後にすることを特徴とする全動翼蒸気ガスタービン合体機関。
【請求項１５９１】
前記水噴射手段（５６ａ）より水噴射水蒸気を冷却して、全重力仕事率を既存ガスタービンの８００倍前後にすることを特徴とする全動翼蒸気ガスタービン合体機関。
【請求項１５９２】
前記水噴射手段（５６ａ）より水噴射水蒸気を冷却して、全重力仕事率を既存ガスタービンの１０００倍前後にすることを特徴とする全動翼蒸気ガスタービン合体機関。
【請求項１５９３】
前記水噴射手段（５６ａ）より水噴射水蒸気を冷却して、全重力仕事率を既存ガスタービンの３００倍前後にすることを特徴とする全動翼蒸気ガスタービン合体機関。
【請求項１５９４】
前記水噴射手段（５６ａ）より水噴射水蒸気を冷却して、全重力仕事率を既存ガスタービンの１００倍前後にすることを特徴とする全動翼蒸気ガスタービン合体機関。
【請求項１５９５】
前記水噴射手段（５６ａ）より水噴射水蒸気を冷却して、同一出力動翼面積を既存蒸気タービンの１／５００以下にすることを特徴とする全動翼蒸気ガスタービン合体機関。
【請求項１５９６】
前記水噴射手段（５６ａ）より水噴射水蒸気を冷却して、同一出力動翼面積を既存蒸気タービンの１／４００以下にすることを特徴とする全動翼蒸気ガスタービン合体機関。
【請求項１５９７】
前記水噴射手段（５６ａ）より水噴射水蒸気を冷却して、同一出力動翼面積を既存蒸気タービンの１／３００以下にすることを特徴とする全動翼蒸気ガスタービン合体機関。
【請求項１５９８】
前記水噴射手段（５６ａ）より水噴射水蒸気を冷却して、同一出力動翼面積を既存蒸気タービンの１／２００以下にすることを特徴とする全動翼蒸気ガスタービン合体機関。
【請求項１５９９】
前記水噴射手段（５６ａ）より水噴射水蒸気を冷却して、同一出力動翼面積を既存蒸気タービンの１／１００以下にすることを特徴とする全動翼蒸気ガスタービン合体機関。
【請求項１６００】
前記水噴射手段（５６ａ）より水噴射水蒸気を冷却して、同一出力動翼面積を既存蒸気タービンの１／５０以下にすることを特徴とする全動翼蒸気ガスタービン合体機関。
【請求項１６０１】
前記水噴射手段（５６ａ）より水噴射水蒸気を冷却して、同一出力動翼面積を既存蒸気タービンの１／２０以下にすることを特徴とする全動翼蒸気ガスタービン合体機関。
【請求項１６０２】
前記水噴射手段（５６ａ）より水噴射水蒸気を冷却して、同一出力動翼面積を既存蒸気タービンの１／１０以下にすることを特徴とする全動翼蒸気ガスタービン合体機関。
【請求項１６０３】
前記水噴射手段（５６ａ）より水噴射水蒸気を冷却して、同一出力冷却水温度例えば海水温度の上昇を既存蒸気タービンの１／１０００以下にすることを特徴とする全動翼蒸気ガスタービン合体機関。
【請求項１６０４】
前記水噴射手段（５６ａ）より水噴射水蒸気を冷却して、同一出力冷却水温度例えば海水温度の上昇を既存蒸気タービンの１／５００以下にすることを特徴とする全動翼蒸気ガスタービン合体機関。
【請求項１６０５】
前記水噴射手段（５６ａ）より水噴射水蒸気を冷却して、同一出力冷却水温度例えば海水温度の上昇を既存蒸気タービンの１／２００以下にすることを特徴とする全動翼蒸気ガスタービン合体機関。
【請求項１６０６】
前記水噴射手段（５６ａ）より水噴射水蒸気を冷却して、同一出力冷却水温度例えば海水温度の上昇を既存蒸気タービンの１／１００以下にすることを特徴とする全動翼蒸気ガスタービン合体機関。
【請求項１６０７】
前記水噴射手段（５６ａ）より水噴射水蒸気を冷却して、同一出力冷却水温度例えば海水温度の上昇を既存蒸気タービンの１／５０以下にすることを特徴とする全動翼蒸気ガスタービン合体機関。
【請求項１６０８】
前記水噴射手段（５６ａ）より水噴射水蒸気を冷却して、同一出力冷却水温度例えば海水温度の上昇を既存蒸気タービンの１／２０以下にすることを特徴とする全動翼蒸気ガスタービン合体機関。
【請求項１６０９】
前記水噴射手段（５６ａ）より水噴射水蒸気を冷却して、同一出力冷却水温度例えば海水温度の上昇を既存蒸気タービンの１／１０以下にすることを特徴とする全動翼蒸気ガスタービン合体機関。
【請求項１６１０】
前記水噴射手段（５６ａ）より水噴射水蒸気を冷却して、蒸気速度を水質量の速度エネルギに変換することを特徴とする電磁加熱タービン動翼（８１）を具備した全動翼蒸気ガスタービン合体機関。
【請求項１６１１】
前記水噴射手段（５６ａ）より水噴射水蒸気を冷却して、蒸気速度を水質量の重力仕事率に変換することを特徴とする電磁加熱タービン動翼（８１）を具備した全動翼蒸気ガスタービン合体機関。
【請求項１６１２】
前記水噴射手段（５６ａ）より水噴射水蒸気を冷却して、蒸気速度を水質量の速度エネルギに変換して単位重力仕事率を増大することを特徴とする電磁加熱タービン動翼（８１）を具備した全動翼蒸気ガスタービン合体機関。
【請求項１６１３】
前記水噴射手段（５６ａ）より水噴射水蒸気を冷却して、蒸気速度を水質量の速度エネルギに変換して全重力仕事率を増大することを特徴とする電磁加熱タービン動翼（８１）を具備した全動翼蒸気ガスタービン合体機関。
【請求項１６１４】
前記水噴射手段（５６ａ）より水噴射水蒸気を冷却して、蒸気速度を水質量の速度エネルギに変換して全重力仕事率を増大して出力を増大することを特徴とする電磁加熱タービン動翼（８１）を具備した全動翼蒸気ガスタービン合体機関。
【請求項１６１５】
前記水噴射手段（５６ａ）より水噴射水蒸気を冷却して、蒸気速度及を水質量の速度エネルギに変換して単位重力仕事率を増大することを特徴とする全動翼蒸気ガスタービン合体機関。
【請求項１６１６】
前記水噴射手段（５６ａ）より水噴射水蒸気を冷却して、蒸気速度を水質量の速度エネルギに変換して全重力仕事率を増大することを特徴とする全動翼蒸気ガスタービン合体機関。
【請求項１６１７】
前記水噴射手段（５６ａ）より水噴射水蒸気を冷却して、蒸気速度及び気化潜熱を水質量の速度エネルギに変換して全重力仕事率を増大して出力を増大することを特徴とする全動翼蒸気ガスタービン合体機関。
【請求項１６１８】
前記水噴射手段（５６ａ）より水噴射水蒸気を冷却して、蒸気速度の大部分を水質量の速度エネルギに変換することを特徴とする電磁加熱タービン動翼（８１）を具備した全動翼蒸気ガスタービン合体機関。
【請求項１６１９】
前記水噴射手段（５６ａ）より、水噴射水蒸気を冷却して、蒸気速度を水質量の速度エネルギに変換して略直線蛇行的に噴射して出力を発生することを特徴とする電磁加熱タービン動翼（８１）を具備した全動翼蒸気ガスタービン合体機関。
【請求項１６２０】
前記水噴射手段（５６ａ）より、水噴射水蒸気を冷却して、蒸気速度を水質量の速度エネルギに変換して、略直線蛇行的に噴射して出力を発生することを特徴とする電磁加熱タービン動翼（８１）を具備した全動翼蒸気ガスタービン合体機関。
【請求項１６２１】
前記水噴射手段（５６ａ）より、水噴射水蒸気を冷却して、蒸気速度を水質量の重力仕事率に変換して、略直線蛇行的に噴射して出力を発生することを特徴とする電磁加熱タービン動翼（８１）を具備した全動翼蒸気ガスタービン合体機関。
【請求項１６２２】
前記水噴射手段（５６ａ）より、水噴射水蒸気を冷却して、蒸気速度の大部分を水質量の速度エネルギに変換して略直線蛇行的に噴射して出力を発生することを特徴とする電磁加熱タービン動翼（８１）を具備した全動翼蒸気ガスタービン合体機関。
【請求項１６２３】
前記水噴射手段（５６ａ）は組立環状接続部付近に設け、翼段落毎に環状に一体鋳造（８４）して、該組立環状接続部で断熱した水路を接続使用することを特徴とする電磁加熱タービン動翼（８１）を具備した全動翼蒸気ガスタービン合体機関。
【請求項１６２４】
前記水噴射手段（５６ａ）は、翼段落毎に環状に一体鋳造（８４）した外側タービン動翼群（１９）及び内側タービン動翼群（２０）の、いずれかの組立環状接続部付近に設けたことを特徴とする電磁加熱タービン動翼（８１）を具備した全動翼蒸気ガスタービン合体機関。
【請求項１６２５】
前記水噴射手段（５６ａ）は組立環状接続部付近に設け、翼段落毎に環状に一体鋳造（８４）して、該組立環状接続部で断熱した水路を接続使用し、該組立環状接続部付近から水噴射することを特徴とする電磁加熱タービン動翼（８１）を具備した全動翼蒸気ガスタービン合体機関。
【請求項１６２６】
前記水噴射手段（５６ａ）は組立環状接続部付近に設け、翼段落毎に環状に一体鋳造（８４）して、該組立環状接続部で断熱した水路を接続使用し、該組立環状接続部付近の水噴射手段（５６ａ）から水噴射して、燃焼ガス容積を縮小して質量を増大することを特徴とする電磁加熱タービン動翼（８１）を具備した全動翼蒸気ガスタービン合体機関。
【請求項１６２７】
前記水噴射手段（５６ａ）は組立環状接続部付近に設け、翼段落毎に環状に一体鋳造（８４）して、該組立環状接続部で断熱した水路を接続使用し、該組立環状接続部付近の水噴射手段（５６ａ）から水噴射して、気化爆発水蒸気容積を縮小して質量を増大することを特徴とする電磁加熱タービン動翼（８１）を具備した全動翼蒸気ガスタービン合体機関。
【請求項１６２８】
前記水噴射手段（５６ａ）は組立環状接続部付近に設け、翼段落毎に環状に一体鋳造（８４）して、該組立環状接続部で断熱した水路を接続して使用し、該組立環状接続部付近の水噴射手段（５６ａ）から水噴射し、該水に有害物質合成溶解を促進する物質を含めたことを特徴とする電磁加熱タービン動翼（８１）を具備した全動翼蒸気ガスタービン合体機関。
【請求項１６２９】
前記水噴射手段（５６ａ）は組立環状接続部付近に設け、翼段落毎に環状に一体鋳造（８４）して、該組立環状接続部で断熱した水路を接続して使用し、該組立環状接続部付近から水噴射し、該水に有害物質合成溶解を促進する物質を含めて、無害に近付けて排出することを特徴とする電磁加熱タービン動翼（８１）を具備した全動翼蒸気ガスタービン合体機関。
【請求項１６３０】
前記水噴射手段（５６ａ）より水噴射水蒸気を冷却して、蒸気速度を水質量の速度エネルギに変換することを特徴とする超臨界圧力等の高温水（５ｂ）で出力を発生する全動翼蒸気ガスタービン合体機関。
【請求項１６３１】
前記水噴射手段（５６ａ）より水噴射水蒸気を冷却して、蒸気速度を水質量の重力仕事率に変換することを特徴とする超臨界圧力等の高温水（５ｂ）で出力を発生する全動翼蒸気ガスタービン合体機関。
【請求項１６３２】
前記水噴射手段（５６ａ）より水噴射水蒸気を冷却して、蒸気速度を水質量の速度エネルギに変換して単位重力仕事率を増大することを特徴とする超臨界圧力等の高温水（５ｂ）で出力を発生する全動翼蒸気ガスタービン合体機関。
【請求項１６３３】
前記水噴射手段（５６ａ）より水噴射水蒸気を冷却して、蒸気速度を水質量の速度エネルギに変換して全重力仕事率を増大することを特徴とする超臨界圧力等の高温水（５ｂ）で出力を発生する全動翼蒸気ガスタービン合体機関。
【請求項１６３４】
前記水噴射手段（５６ａ）より水噴射水蒸気を冷却して、蒸気速度を水質量の速度エネルギに変換して全重力仕事率を増大して出力を増大することを特徴とする超臨界圧力等の高温水（５ｂ）で出力を発生する全動翼蒸気ガスタービン合体機関。
【請求項１６３５】
前記水噴射手段（５６ａ）より水噴射水蒸気を冷却して、蒸気速度及を水質量の速度エネルギに変換して単位重力仕事率を増大することを特徴とする超臨界圧力等の高温水（５ｂ）で出力を発生する全動翼蒸気ガスタービン合体機関。
【請求項１６３６】
前記水噴射手段（５６ａ）より水噴射水蒸気を冷却して、蒸気速度を水質量の重力仕事率に変換して全重力仕事率を増大することを特徴とする超臨界圧力等の高温水（５ｂ）で出力を発生する全動翼蒸気ガスタービン合体機関。
【請求項１６３７】
前記水噴射手段（５６ａ）より水噴射水蒸気を冷却して、蒸気速度を水質量の重力仕事率に変換して全重力仕事率を増大して出力を増大することを特徴とする超臨界圧力等の高温水（５ｂ）で出力を発生する全動翼蒸気ガスタービン合体機関。
【請求項１６３８】
前記水噴射手段（５６ａ）より水噴射水蒸気を冷却して、蒸気速度の大部分を水質量の速度エネルギに変換することを特徴とする超臨界圧力等の高温水（５ｂ）で出力を発生する全動翼蒸気ガスタービン合体機関。
【請求項１６３９】
前記水噴射手段（５６ａ）より、水噴射水蒸気を冷却して、蒸気速度を水質量の速度エネルギに変換して略直線蛇行的に噴射して出力を発生することを特徴とする超臨界圧力等の高温水（５ｂ）で出力を発生する全動翼蒸気ガスタービン合体機関。
【請求項１６４０】
前記水噴射手段（５６ａ）より、水噴射水蒸気を冷却して、蒸気速度を水質量の速度エネルギに変換して、略直線蛇行的に噴射して出力を発生することを特徴とする高温水（５ｂ）で出力を発生する全動翼蒸気ガスタービン合体機関。
【請求項１６４１】
前記水噴射手段（５６ａ）より、水噴射水蒸気を冷却して、蒸気速度を水質量の重力仕事率に変換して、略直線蛇行的に噴射して出力を発生することを特徴とする超臨界圧力等の高温水（５ｂ）で出力を発生する全動翼蒸気ガスタービン合体機関。
【請求項１６４２】
前記水噴射手段（５６ａ）より、水噴射水蒸気を冷却して、蒸気速度の大部分を水質量の速度エネルギに変換して略直線蛇行的に噴射して出力を発生することを特徴とする超臨界圧力等の高温水（５ｂ）で出力を発生する全動翼蒸気ガスタービン合体機関。
【請求項１６４３】
前記水噴射手段（５６ａ）は組立環状接続部付近に設け、翼段落毎に環状に一体鋳造（８４）して、該組立環状接続部で断熱した水路を接続使用することを特徴とする超臨界圧力等の高温水（５ｂ）で出力を発生する全動翼蒸気ガスタービン合体機関。
【請求項１６４４】
前記水噴射手段（５６ａ）は、翼段落毎に環状に一体鋳造（８４）した外側タービン動翼群（１９）及び内側タービン動翼群（２０）の、いずれかの組立環状接続部付近に設けたことを特徴とする超臨界圧力等の高温水（５ｂ）で出力を発生する全動翼蒸気ガスタービン合体機関。
【請求項１６４５】
前記水噴射手段（５６ａ）は組立環状接続部付近に設け、翼段落毎に環状に一体鋳造（８４）して、該組立環状接続部で断熱した水路を接続使用し、該組立環状接続部付近から水噴射することを特徴とする超臨界圧力等の高温水（５ｂ）で出力を発生する全動翼蒸気ガスタービン合体機関。
【請求項１６４６】
前記水噴射手段（５６ａ）は組立環状接続部付近に設け、翼段落毎に環状に一体鋳造（８４）して、該組立環状接続部で断熱した水路を接続使用し、該組立環状接続部付近の水噴射手段（５６ａ）から水噴射して、燃焼ガス容積を縮小して質量を増大することを特徴とする超臨界圧力等の高温水（５ｂ）で出力を発生する全動翼蒸気ガスタービン合体機関。
【請求項１６４７】
前記水噴射手段（５６ａ）は組立環状接続部付近に設け、翼段落毎に環状に一体鋳造（８４）して、該組立環状接続部で断熱した水路を接続使用し、該組立環状接続部付近の水噴射手段（５６ａ）から水噴射して、過熱蒸気容積を縮小して質量を増大することを特徴とする超臨界圧力等の高温水（５ｂ）で出力を発生する全動翼蒸気ガスタービン合体機関。
【請求項１６４８】
前記水噴射手段（５６ａ）は組立環状接続部付近に設け、翼段落毎に環状に一体鋳造（８４）して、該組立環状接続部で断熱した水路を接続して使用し、該組立環状接続部付近の水噴射手段（５６ａ）から水噴射し、該水に有害物質合成溶解を促進する物質を含めたことを特徴とする超臨界圧力等の高温水（５ｂ）で出力を発生する全動翼蒸気ガスタービン合体機関。
【請求項１６４９】
前記水噴射手段（５６ａ）は組立環状接続部付近に設け、翼段落毎に環状に一体鋳造（８４）して、該組立環状接続部で断熱した水路を接続して使用し、該組立環状接続部付近から水噴射し、該水に有害物質合成溶解を促進する物質を含めて、無害に近付けて排出することを特徴とする超臨界圧力等の高温水（５ｂ）で出力を発生する全動翼蒸気ガスタービン合体機関。
【請求項１６５０】
前記水により撥水性水冷却翼（８７）を冷却後に、組立環状接続部付近に設けた水噴射手段（５６）より水噴射する組立環状接続部は、翼段落毎に環状に一体鋳造（８４）して、該組立環状接続部で冷却手段（５５）の水路を接続使用することを特徴とする電磁加熱タービン動翼（８１）を具備した全動翼蒸気ガスタービン合体機関。
【請求項１６５１】
前記水により撥水性水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする電磁加熱タービン動翼（８１）を具備した全動翼蒸気ガスタービン合体機関。
【請求項１６５２】
前記水により１以上複数の撥水性水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする電磁加熱タービン動翼（８１）を具備した全動翼蒸気ガスタービン合体機関。
【請求項１６５３】
前記水により段落全部の撥水性水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする電磁加熱タービン動翼（８１）を具備した全動翼蒸気ガスタービン合体機関。
【請求項１６５４】
前記水により段落半分の撥水性水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする電磁加熱タービン動翼（８１）を具備した全動翼蒸気ガスタービン合体機関。
【請求項１６５５】
前記水により撥水性水冷却翼（８７）を冷却後に、組立環状接続部付近に設けた水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１６５６】
前記水により撥水性水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１６５７】
前記水により１以上複数の撥水性水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１６５８】
前記水により段落全部の撥水性水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１６５９】
前記水により段落半分の撥水性水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１６６０】
前記燃焼ガス排気温度を−２７３℃に近付けることで、全動翼蒸気ガスタービンの熱回収量を増大することを特徴とする電磁加熱タービン動翼（８１）を具備した全動翼蒸気ガスタービン合体機関。
【請求項１６６１】
前記燃焼ガス排気温度を−２７３℃に近付けることで、全動翼ガスタービンの熱回収量を増大することを特徴とする電磁加熱タービン動翼（８１）を具備した全動翼蒸気ガスタービン合体機関。
【請求項１６６２】
前記燃焼ガス排気温度を−２７３℃に近付けることで、全動翼蒸気ガスタービンの排気近傍で、低温燃焼ガスによる水蒸気の冷却凝集を容易にすることを特徴とする電磁加熱タービン動翼（８１）を具備した全動翼蒸気ガスタービン合体機関。
【請求項１６６３】
前記燃焼ガス排気温度を−２７３℃に近付けることで、全動翼ガスタービンの排気近傍で、低温燃焼ガスによる水蒸気の冷却凝集を容易にすることを特徴とする電磁加熱タービン動翼（８１）を具備した全動翼蒸気ガスタービン合体機関。
【請求項１６６４】
前記燃焼ガス排気温度を−２７３℃に近付けることで、全動翼ガスタービンの排気過程で、低温燃焼ガスによる水蒸気の冷却凝集を容易にすることを特徴とする電磁加熱タービン動翼（８１）を具備した全動翼蒸気ガスタービン合体機関。
【請求項１６６５】
前記燃焼ガス排気温度を−２７３℃に近付ける、全動翼蒸気ガスタービン合体機関において、低温燃焼ガスにより水蒸気を冷却凝集して、水等として分別回収し、肥料として供給することを特徴とする電磁加熱タービン動翼（８１）を具備した全動翼蒸気ガスタービン合体機関。
【請求項１６６６】
前記燃焼ガス排気温度を−２７３℃に近付ける、全動翼蒸気ガスタービン合体機関において、低温燃焼ガスにより水蒸気を冷却凝集して、水等として分別回収し、土や植物に固定して肥料として供給することを特徴とする電磁加熱タービン動翼（８１）を具備した全動翼蒸気ガスタービン合体機関。
【請求項１６６７】
前記燃焼ガス排気温度を−２７３℃に近付ける、全動翼蒸気ガスタービン合体機関において、低温燃焼ガスにより水蒸気を冷却凝集して、水等として分別回収し、土や植物に固定して肥料として供給し、食物を増産することを特徴とする電磁加熱タービン動翼（８１）を具備した全動翼蒸気ガスタービン合体機関。
【請求項１６６８】
前記燃焼ガス排気温度を−２７３℃に近付ける、全動翼蒸気ガスタービン合体機関において、低温燃焼ガスにより水蒸気を冷却凝集して、水等として分別回収し、土や植物に固定して肥料として供給し、植物を増産することを特徴とする電磁加熱タービン動翼（８１）を具備した全動翼蒸気ガスタービン合体機関。
【請求項１６６９】
前記燃焼ガス排気温度を−２７３℃に近付ける、全動翼蒸気ガスタービン合体機関において、低温燃焼ガスにより水蒸気を冷却凝集して、水等として分別回収して、海中に供給することを特徴とする電磁加熱タービン動翼（８１）を具備した全動翼蒸気ガスタービン合体機関。
【請求項１６７０】
前記燃焼ガス排気温度を−２７３℃に近付ける、全動翼蒸気ガスタービン合体機関において、低温燃焼ガスにより水蒸気を冷却凝集して、水等として分別回収し、海中に供給して、海藻類を繁殖させることを特徴とする電磁加熱タービン動翼（８１）を具備した全動翼蒸気ガスタービン合体機関。
【請求項１６７１】
前記燃焼ガス排気温度を−２７３℃に近付ける、全動翼蒸気ガスタービン合体機関において、低温燃焼ガスにより水蒸気を冷却凝集して、水等として分別回収し、海中に供給して、珊瑚類を繁殖させることを特徴とする電磁加熱タービン動翼（８１）を具備した全動翼蒸気ガスタービン合体機関。
【請求項１６７２】
前記燃焼ガス排気温度を−２７３℃に近付ける、全動翼蒸気ガスタービン合体機関において、低温燃焼ガスにより水蒸気を冷却凝集して、水等として分別回収し、海中に供給して、魚介類を繁殖させることを特徴とする電磁加熱タービン動翼（８１）を具備した全動翼蒸気ガスタービン合体機関。
【請求項１６７３】
前記燃焼ガス排気温度を−２７３℃に近付ける、全動翼蒸気ガスタービン合体機関において、低温燃焼ガスにより水蒸気を冷却凝集して、水等として分別回収して、海水を冷却する過程で酸素等を吸入して、海中に供給することを特徴とする電磁加熱タービン動翼（８１）を具備した全動翼蒸気ガスタービン合体機関。
【請求項１６７４】
前記燃焼ガス排気温度を−２７３℃に近付ける、全動翼蒸気ガスタービン合体機関において、低温燃焼ガスにより水蒸気を冷却凝集して、水等として分別回収して、酸素等と共に海中に供給して、海藻類を繁殖させることを特徴とする電磁加熱タービン動翼（８１）を具備した全動翼蒸気ガスタービン合体機関。
【請求項１６７５】
前記燃焼ガス排気温度を−２７３℃に近付ける、全動翼蒸気ガスタービン合体機関において、低温燃焼ガスにより水蒸気を冷却凝集して、水等として分別回収して、酸素等と共に海中に供給して、珊瑚類を繁殖させることを特徴とする電磁加熱タービン動翼（８１）を具備した全動翼蒸気ガスタービン合体機関。
【請求項１６７６】
前記燃焼ガス排気温度を−２７３℃に近付ける、全動翼蒸気ガスタービン合体機関において、低温燃焼ガスにより水蒸気を冷却凝集して、水等として分別回収して、酸素等と共に海中に供給して、微生物や魚介類を繁殖させることを特徴とする電磁加熱タービン動翼（８１）を具備した全動翼蒸気ガスタービン合体機関。
【請求項１６７７】
前記燃焼ガス排気温度を−２７３℃に近付ける、全動翼蒸気ガスタービン合体機関において、低温燃焼ガスにより水蒸気を冷却凝集して、水等として分別回収して、水道水を冷却することを特徴とする電磁加熱タービン動翼（８１）を具備した全動翼蒸気ガスタービン合体機関。
【請求項１６７８】
前記燃焼ガス排気温度を−２７３℃に近付ける、全動翼蒸気ガスタービン合体機関において、低温燃焼ガスにより水蒸気を冷却凝集して、水等として分別回収して、水道水を冷却して冷熱で貯蔵することを特徴とする電磁加熱タービン動翼（８１）を具備した全動翼蒸気ガスタービン合体機関。
【請求項１６７９】
前記燃焼ガス排気温度を−２７３℃に近付ける、全動翼蒸気ガスタービン合体機関において、低温燃焼ガスにより水蒸気を冷却凝集して、水等として分別回収して、水道水を冷却して冷熱で貯蔵し、供給することを特徴とする電磁加熱タービン動翼（８１）を具備した全動翼蒸気ガスタービン合体機関。
【請求項１６８０】
前記燃焼ガス排気温度を−２７３℃に近付ける、全動翼蒸気ガスタービン合体機関において、低温燃焼ガスにより水蒸気を冷却凝集して、水等として分別回収して、水道水を冷却して冷熱で貯蔵し、業務用家庭用として供給することを特徴とする電磁加熱タービン動翼（８１）を具備した全動翼蒸気ガスタービン合体機関。
【請求項１６８１】
前記燃焼ガス排気温度を−２７３℃に近付けることで、全動翼蒸気ガスタービンの熱回収量を増大することを特徴とする超臨界圧力等の高温水（５ｂ）で出力を発生する全動翼蒸気ガスタービン合体機関。
【請求項１６８２】
前記燃焼ガス排気温度を−２７３℃に近付けることで、全動翼ガスタービンの熱回収量を増大することを特徴とする超臨界圧力等の高温水（５ｂ）で出力を発生する全動翼蒸気ガスタービン合体機関。
【請求項１６８３】
前記燃焼ガス排気温度を−２７３℃に近付けることで、全動翼蒸気ガスタービンの排気近傍で、低温燃焼ガスによる水蒸気の冷却凝集を容易にすることを特徴とする超臨界圧力等の高温水（５ｂ）で出力を発生する全動翼蒸気ガスタービン合体機関。
【請求項１６８４】
前記燃焼ガス排気温度を−２７３℃に近付けることで、全動翼ガスタービンの排気近傍で、低温燃焼ガスによる水蒸気の冷却凝集を容易にすることを特徴とする超臨界圧力等の高温水（５ｂ）で出力を発生する全動翼蒸気ガスタービン合体機関。
【請求項１６８５】
前記燃焼ガス排気温度を−２７３℃に近付けることで、全動翼ガスタービンの排気近傍で、低温燃焼ガスによる水蒸気の冷却凝集を容易にすることを特徴とする超臨界圧力等の高温水（５ｂ）で出力を発生する全動翼蒸気ガスタービン合体機関。
【請求項１６８６】
前記燃焼ガス排気温度を−２７３℃に近付ける、全動翼蒸気ガスタービン合体機関において、低温燃焼ガスにより水蒸気を冷却凝集して、水滴等として分別回収して、海中に供給することを特徴とする超臨界圧力等の高温水（５ｂ）で出力を発生する全動翼蒸気ガスタービン合体機関。
【請求項１６８７】
前記燃焼ガス排気温度を−２７３℃に近付ける、全動翼蒸気ガスタービン合体機関において、低温燃焼ガスにより水蒸気を冷却凝集して、水滴等として分別回収し、海中に供給して、海藻類を繁殖させることを特徴とする超臨界圧力等の高温水（５ｂ）で出力を発生する全動翼蒸気ガスタービン合体機関。
【請求項１６８８】
前記燃焼ガス排気温度を−２７３℃に近付ける、全動翼蒸気ガスタービン合体機関において、低温燃焼ガスにより水蒸気を冷却凝集して、水滴等として分別回収し、海中に供給して、珊瑚類を繁殖させることを特徴とする超臨界圧力等の高温水（５ｂ）で出力を発生する全動翼蒸気ガスタービン合体機関。
【請求項１６８９】
前記燃焼ガス排気温度を−２７３℃に近付ける、全動翼蒸気ガスタービン合体機関において、低温燃焼ガスにより水蒸気を冷却凝集して、水滴等として分別回収し、海中に供給して、魚介類を繁殖させることを特徴とする超臨界圧力等の高温水（５ｂ）で出力を発生する全動翼蒸気ガスタービン合体機関。
【請求項１６９０】
前記燃焼ガス排気温度を−２７３℃に近付ける、全動翼蒸気ガスタービン合体機関において、低温燃焼ガスにより水蒸気を冷却凝集して、水滴等として分別回収して、海水を冷却する過程で酸素等を吸入して、海中に供給することを特徴とする超臨界圧力等の高温水（５ｂ）で出力を発生する全動翼蒸気ガスタービン合体機関。
【請求項１６９１】
前記燃焼ガス排気温度を−２７３℃に近付ける、全動翼蒸気ガスタービン合体機関において、低温燃焼ガスにより水蒸気を冷却凝集して、水滴等として分別回収して、酸素等と共に海中に供給して、海藻類を繁殖させることを特徴とする超臨界圧力等の高温水（５ｂ）で出力を発生する全動翼蒸気ガスタービン合体機関。
【請求項１６９２】
前記燃焼ガス排気温度を−２７３℃に近付ける、全動翼蒸気ガスタービン合体機関において、低温燃焼ガスにより水蒸気を冷却凝集して、水滴等として分別回収して、酸素等と共に海中に供給して、珊瑚類を繁殖させることを特徴とする超臨界圧力等の高温水（５ｂ）で出力を発生する全動翼蒸気ガスタービン合体機関。
【請求項１６９３】
前記燃焼ガス排気温度を−２７３℃に近付ける、全動翼蒸気ガスタービン合体機関において、低温燃焼ガスにより水蒸気を冷却凝集して、水滴等として分別回収して、酸素等と共に海中に供給して、微生物や魚介類を繁殖させることを特徴とする超臨界圧力等の高温水（５ｂ）で出力を発生する全動翼蒸気ガスタービン合体機関。
【請求項１６９４】
前記燃焼ガス排気温度を−２７３℃に近付ける、全動翼蒸気ガスタービン合体機関において、低温燃焼ガスにより水蒸気を冷却凝集して、水滴等として分別回収して、肥料にすることを特徴とする全動翼蒸気ガスタービン合体機関。
【請求項１６９５】
前記燃焼ガス排気温度を−２７３℃に近付ける、全動翼蒸気ガスタービン合体機関において、低温燃焼ガスにより水蒸気を冷却凝集して、水滴等として分別回収し、肥料にすることを特徴とする超臨界圧力等の高温水（５ｂ）で出力を発生する全動翼蒸気ガスタービン合体機関。
【請求項１６９６】
前記燃焼ガス排気温度を−２７３℃に近付ける、全動翼蒸気ガスタービン合体機関において、低温燃焼ガスにより水蒸気を冷却凝集して、水滴等として分別回収し、生ゴミや泥土や植物片に固定して肥料にすることを特徴とする全動翼蒸気ガスタービン合体機関。
【請求項１６９７】
前記燃焼ガス排気温度を−２７３℃に近付ける、全動翼蒸気ガスタービン合体機関において、低温燃焼ガスにより水蒸気を冷却凝集して、水滴等として分別回収し、生ゴミや泥土や植物片に固定して肥料にすることを特徴とする超臨界圧力等の高温水（５ｂ）で出力を発生する全動翼蒸気ガスタービン合体機関。
【請求項１６９８】
前記燃焼ガス排気温度を−２７３℃に近付ける、全動翼蒸気ガスタービン合体機関において、低温燃焼ガスにより水蒸気を冷却凝集して、水滴等として分別回収して、生ゴミに固定して肥料にすることを特徴とする超臨界圧力等の高温水（５ｂ）で出力を発生する全動翼蒸気ガスタービン合体機関。
【請求項１６９９】
前記燃焼ガス排気温度を−２７３℃に近付ける、全動翼蒸気ガスタービン合体機関において、低温燃焼ガスにより水蒸気を冷却凝集して、水滴等として分別回収して、泥土に固定して肥料にすることを特徴とする超臨界圧力等の高温水（５ｂ）で出力を発生する全動翼蒸気ガスタービン合体機関。
【請求項１７００】
前記燃焼ガス排気温度を−２７３℃に近付ける、全動翼蒸気ガスタービン合体機関において、低温燃焼ガスにより水蒸気を冷却凝集して、水滴等として分別回収して、植物片に固定して肥料にすることを特徴とする超臨界圧力等の高温水（５ｂ）で出力を発生する全動翼蒸気ガスタービン合体機関。
【請求項１７０１】
前記燃焼ガス排気温度を−２７３℃に近付ける、全動翼蒸気ガスタービン合体機関において、低温燃焼ガスにより水蒸気を冷却凝集して、水滴等として分別回収して、生ゴミに固定して肥料にすることを特徴とする全動翼蒸気ガスタービン合体機関。
【請求項１７０２】
前記燃焼ガス排気温度を−２７３℃に近付ける、全動翼蒸気ガスタービン合体機関において、低温燃焼ガスにより水蒸気を冷却凝集して、水滴等として分別回収して、泥土に固定して肥料にすることを特徴とする全動翼蒸気ガスタービン合体機関。
【請求項１７０３】
前記燃焼ガス排気温度を−２７３℃に近付ける、全動翼蒸気ガスタービン合体機関において、低温燃焼ガスにより水蒸気を冷却凝集して、水滴等として分別回収して、植物片に固定して肥料にすることを特徴とする全動翼蒸気ガスタービン合体機関。
【請求項１７０４】
前記燃焼ガス排気温度を−２７３℃に近付ける、全動翼蒸気ガスタービン合体機関において、低温燃焼ガスにより水蒸気を冷却凝集して、水滴等として分別回収して、水道水を冷却することを特徴とする超臨界圧力等の高温水（５ｂ）で出力を発生する全動翼蒸気ガスタービン合体機関。
【請求項１７０５】
前記燃焼ガス排気温度を−２７３℃に近付ける、全動翼蒸気ガスタービン合体機関において、低温燃焼ガスにより水蒸気を冷却凝集して、水滴等として分別回収して、水道水を冷却して冷熱で貯蔵することを特徴とする超臨界圧力等の高温水（５ｂ）で出力を発生する全動翼蒸気ガスタービン合体機関。
【請求項１７０６】
前記燃焼ガス排気温度を−２７３℃に近付ける、全動翼蒸気ガスタービン合体機関において、低温燃焼ガスにより水蒸気を冷却凝集して、水滴等として分別回収して、水道水を冷却して冷熱で貯蔵し、供給することを特徴とする超臨界圧力等の高温水（５ｂ）で出力を発生する全動翼蒸気ガスタービン合体機関。
【請求項１７０７】
前記燃焼ガス排気温度を−２７３℃に近付ける、全動翼蒸気ガスタービン合体機関において、低温燃焼ガスにより水蒸気を冷却凝集して、水滴等として分別回収して、水道水を冷却して冷熱で貯蔵し、業務用家庭用として供給することを特徴とする超臨界圧力等の高温水（５ｂ）で出力を発生する全動翼蒸気ガスタービン合体機関。
【請求項１７０８】
前記燃焼ガス排気温度を−２７３℃に近付ける、全動翼蒸気ガスタービン合体機関において、燃焼器兼熱交換器（４）で微粉炭燃料を使用することを特徴とする全動翼蒸気ガスタービン合体機関。
【請求項１７０９】
前記燃焼ガス排気温度を−２７３℃に近付ける、全動翼蒸気ガスタービン合体機関において、燃焼器兼熱交換器（４）で微粉炭燃料を燃焼させて超臨界圧力等の高温水（５ｂ）で熱回収して使用することを特徴とする全動翼蒸気ガスタービン合体機関。
【請求項１７１０】
前記燃焼ガス排気温度を−２７３℃に近付ける、全動翼蒸気ガスタービン合体機関において、燃焼器兼熱交換器（４）で微粉炭燃料を燃焼させて超臨界圧力等の高温水（５ｂ）で熱回収し、発電用として使用することを特徴とする全動翼蒸気ガスタービン合体機関。
【請求項１７１１】
前記燃焼ガス排気温度を−２７３℃に近付ける、全動翼蒸気ガスタービン合体機関において、ゴミガス化燃料を補助使用することを特徴とする全動翼蒸気ガスタービン合体機関。
【請求項１７１２】
前記燃焼ガス排気温度を−２７３℃に近付ける、全動翼蒸気ガスタービン合体機関において、ゴミガス化燃料を燃焼させて超臨界圧力等の高温水（５ｂ）で熱回収して補助使用することを特徴とする全動翼蒸気ガスタービン合体機関。
【請求項１７１３】
前記燃焼ガス排気温度を−２７３℃に近付ける、全動翼蒸気ガスタービン合体機関において、ゴミガス化燃料を燃焼させて超臨界圧力等の高温水（５ｂ）で熱回収して補助使用し、該燃焼ガス空気を全動翼圧縮機で圧縮することを特徴とする全動翼蒸気ガスタービン合体機関。
【請求項１７１４】
前記燃焼ガス排気温度を−２７３℃に近付ける、全動翼蒸気ガスタービン合体機関において、ゴミガス化燃料を燃焼させて超臨界圧力等の高温水（５ｂ）で熱回収して補助使用し、該燃焼ガス空気を全動翼圧縮機で圧縮して燃焼器兼熱交換器（４）に供給することを特徴とする全動翼蒸気ガスタービン合体機関。
【請求項１７１５】
前記燃焼ガス排気温度を−２７３℃に近付ける、全動翼蒸気ガスタービン合体機関において、燃えるもの全部を燃料として補助使用することを特徴とする全動翼蒸気ガスタービン合体機関。
【請求項１７１６】
前記燃焼ガス排気温度を−２７３℃に近付ける、全動翼蒸気ガスタービン合体機関において、燃えるもの全部を燃料として燃焼させて超臨界圧力等の高温水（５ｂ）で熱回収して補助使用することを特徴とする全動翼蒸気ガスタービン合体機関。
【請求項１７１７】
前記燃焼ガス排気温度を−２７３℃に近付ける、全動翼蒸気ガスタービン合体機関において、燃えるもの全部を燃料として燃焼させて超臨界圧力等の高温水（５ｂ）で熱回収して補助使用し、該燃焼ガス空気を全動翼圧縮機で圧縮することを特徴とする全動翼蒸気ガスタービン合体機関。
【請求項１７１８】
前記燃焼ガス排気温度を−２７３℃に近付ける、全動翼蒸気ガスタービン合体機関において、燃えるもの全部を燃料として燃焼させて超臨界圧力等の高温水（５ｂ）で熱回収して補助使用し、該燃焼ガス空気を全動翼圧縮機で圧縮して燃焼器兼熱交換器４に供給することを特徴とする全動翼蒸気ガスタービン合体機関。
【請求項１７１９】
前記燃焼ガス排気温度を−２７３℃に近付ける、全動翼蒸気タービンにおいて、起動時のみ全動翼ガスタービンとして使用することを特徴とする全動翼蒸気ガスタービン合体機関。
【請求項１７２０】
前記燃焼ガス排気温度を−２７３℃に近付ける、全動翼蒸気ガスタービンにおいて、起動時のみ全動翼ガスタービンとして使用することを特徴とする全動翼蒸気ガスタービン合体機関。
【請求項１７２１】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することを特徴とする全動翼蒸気ガスタービン合体機関。
【請求項１７２２】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで非常に安全なジエツト機としたことを特徴とする全動翼蒸気ガスタービン合体機関。
【請求項１７２３】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで非常に安全な宇宙往還親飛行機としたことを特徴とする全動翼蒸気ガスタービン合体機関。
【請求項１７２４】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで非常に安全な超音速飛行機としたことを特徴とする全動翼蒸気ガスタービン合体機関。
【請求項１７２５】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで非常に安全な超音速旅客機としたことを特徴とする全動翼蒸気ガスタービン合体機関。
【請求項１７２６】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで非常に安全な飛行船舶としたことを特徴とする全動翼蒸気ガスタービン合体機関。
【請求項１７２７】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで非常に安全な飛行物体としたことを特徴とする全動翼蒸気ガスタービン合体機関。
【請求項１７２８】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全なジエツト機としたことを特徴とする全動翼蒸気ガスタービン合体機関。
【請求項１７２９】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な宇宙往還親飛行機としたことを特徴とする全動翼蒸気ガスタービン合体機関。
【請求項１７３０】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な超音速飛行機としたことを特徴とする全動翼蒸気ガスタービン合体機関。
【請求項１７３１】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な超音速旅客機としたことを特徴とする全動翼蒸気ガスタービン合体機関。
【請求項１７３２】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な飛行船舶としたことを特徴とする全動翼蒸気ガスタービン合体機関。
【請求項１７３３】
前記燃焼ガス排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な飛行物体としたことを特徴とする全動翼蒸気ガスタービン合体機関。
【請求項１７３４】
前記燃焼ガス排気温度を−２７３℃に近付ける、全動翼蒸気ガスタービン合体機関において、特殊装置（９２ａ）によりラムジエツトを遥かに越える落差でバイパス噴射する全動翼蒸気ガスタービン合体機関。
【請求項１７３５】
前記燃焼ガス排気温度を−２７３℃に近付ける、全動翼蒸気ガスタービン合体機関において、複数の特殊装置（９２ａ）によりラムジエツトを遥かに越える落差でバイパス噴射する全動翼蒸気ガスタービン合体機関。
【請求項１７３６】
前記燃焼ガス排気温度を−２７３℃に近付ける、全動翼蒸気ガスタービン合体機関において、特殊装置（９２ｂ）によりラムジエツトを遥かに越える落差でバイパス噴射する全動翼蒸気ガスタービン合体機関。
【請求項１７３７】
前記燃焼ガス排気温度を−２７３℃に近付ける、全動翼蒸気ガスタービン合体機関において、複数の特殊装置（９２ｂ）によりラムジエツトを遥かに越える落差でバイパス噴射する全動翼蒸気ガスタービン合体機関。
【請求項１７３８】
前記燃焼ガス排気温度を−２７３℃に近付ける、全動翼蒸気ガスタービン合体機関において、水噴射装置（９３ｂ）により燃焼ガスをバイパス噴射する全動翼蒸気ガスタービン合体機関。
【請求項１７３９】
前記燃焼ガス排気温度を−２７３℃に近付ける、全動翼蒸気ガスタービン合体機関において、複数の水噴射装置（９３ｂ）により燃焼ガスをバイパス噴射する全動翼蒸気ガスタービン合体機関。
【請求項１７４０】
前記燃焼ガス排気温度を−２７３℃に近付ける、全動翼蒸気ガスタービン合体機関において、水噴射装置（９３ａ）により超臨界圧力等の高温水（５ｂ）をバイパス噴射する全動翼蒸気ガスタービン合体機関。
【請求項１７４１】
前記燃焼ガス排気温度を−２７３℃に近付ける、全動翼蒸気ガスタービン合体機関において、複数の水噴射装置（９３ａ）により超臨界圧力等の高温水（５ｂ）をバイパス噴射する全動翼蒸気ガスタービン合体機関。
【請求項１７４２】
前記燃焼ガス排気温度を−２７３℃に近付ける、全動翼ガスタービンにおいて、燃料の燃焼ガス熱量の使用を略０にすることを特徴とする電磁加熱タービン動翼（８１）を具備した全動翼蒸気ガスタービン合体機関。
【請求項１７４３】
前記燃焼ガス排気温度を−２７３℃に近付ける、全動翼ガスタービンにおいて、燃料の燃焼ガス熱量の使用を略０にすることを特徴とする超臨界圧力等の高温水（５ｂ）で出力を発生する全動翼蒸気ガスタービン合体機関。
【請求項１７４４】
前記燃焼ガス排気温度を−２７３℃に近付ける、全動翼蒸気ガスタービン合体機関に於いて、低温燃焼ガスにより水蒸気を冷却凝集して水滴等として回収し、水道水を冷却して貯蔵して需要家に供給して業務用や家庭用のクーラーを全廃し、脱フロンにより地球温暖化防止することを特徴とする全動翼蒸気ガスタービン合体機関。
【請求項１７４５】
前記燃焼ガス排気温度を−２７３℃に近付ける、全動翼蒸気ガスタービン合体機関に於いて、低温燃焼ガスにより水蒸気を冷却凝集して水滴等として回収し、水道水を冷却して貯蔵して需要家に供給して都市部を丸ごと冷却し、脱フロンにより地球温暖化防止することを特徴とする全動翼蒸気ガスタービン合体機関。
【請求項１７４６】
前記燃焼ガス排気温度を−２７３℃に近付ける、全動翼蒸気ガスタービン合体機関に於いて、低温燃焼ガスにより水蒸気を冷却凝集して水滴等として回収し、水道水を５℃前後に冷却して貯蔵して需要家に供給して業務用や家庭用のクーラーを全廃し、脱フロンにより地球温暖化防止することを特徴とする全動翼蒸気ガスタービン合体機関。
【請求項１７４７】
前記燃焼ガス排気温度を−２７３℃に近付ける、全動翼蒸気ガスタービン合体機関に於いて、低温燃焼ガスにより水蒸気を冷却凝集して水滴等として回収し、水道水を５℃前後に冷却して貯蔵して需要家に供給して都市部を丸ごと冷却し、脱フロンにより地球温暖化防止することを特徴とする全動翼蒸気ガスタービン合体機関。
【請求項１７４８】
前記全動翼蒸気ガスタービン合体機関で使用する水に、公害低減地球温暖化防止するため、物質を混入してＣＯ２等の公害ガスを水に合成溶解容易にすることを特徴とする全動翼蒸気ガスタービン合体機関。
【請求項１７４９】
前記全動翼蒸気ガスタービン合体機関で使用する水に、公害低減地球温暖化防止するため、化学物質を混入してＣＯ２等の公害ガスを水に合成溶解容易にすることを特徴とする全動翼蒸気ガスタービン合体機関。
【請求項１７５０】
前記全動翼蒸気ガスタービン合体機関で使用する水に、公害低減地球温暖化防止するため、物質を混入してＣＯ２等の公害ガスを水に合成溶解して排出することを特徴とする全動翼蒸気ガスタービン合体機関。
【請求項１７５１】
前記全動翼蒸気ガスタービン合体機関で使用する水に、公害低減地球温暖化防止するため、化学物質を混入してＣＯ２等の公害ガスを水に合成溶解して排出することを特徴とする全動翼蒸気ガスタービン合体機関。
【請求項１７５２】
前記全動翼蒸気ガスタービン合体機関は、動力伝達装置に送水ポンプ兼二重反転磁気摩擦動力伝達装置（１４ａ）を使用することを特徴とする全動翼蒸気ガスタービン合体機関。
【請求項１７５３】
前記全動翼蒸気ガスタービン合体機関は、動力伝達装置に送水ポンプ兼磁気摩擦動力伝達装置（１００ａ）を使用することを特徴とする全動翼蒸気ガスタービン合体機関。
【請求項１７５４】
前記全動翼蒸気ガスタービン合体機関のタービン翼は、電磁加熱高温とすることで、水等との間の摩擦損失を低減してタービン翼を動圧反動駆動することを特徴とする全動翼蒸気ガスタービン合体機関。
【請求項１７５５】
前記全動翼蒸気ガスタービン合体機関の圧縮翼は、撥水性を良好とすることで、水等との間の摩擦損失を低減して、効率良く空気圧縮して冷却することを特徴とする全動翼蒸気ガスタービン合体機関。
【請求項１７５６】
前記全動翼圧縮機の撥水性冷却翼（８７）は、撥水性金属・撥水性物質の被覆・撥水性セラミックス・撥水性加工の、何れかで構成して撥水性を良好とすることを特徴とする全動翼蒸気ガスタービン合体機関。
【請求項１７５７】
前記撥水性冷却翼（８７）は、撥水性金属・撥水性物質の被覆・撥水性セラミックス・撥水性加工の、何れか１以上で構成して撥水性を良好とすることを特徴とする全動翼蒸気ガスタービン合体機関。
【請求項１７５８】
前記燃焼器兼熱交換器４には、微粉炭燃料から熱回収した超臨界圧力高温水（５ｂ）を供給することを特徴とする全動翼蒸気ガスタービン合体機関。
【請求項１７５９】
前記燃焼器兼熱交換器４には、微粉炭燃料から熱回収した高温水（５ｂ）を供給することを特徴とする全動翼蒸気ガスタービン合体機関。
【請求項１７６０】
前記燃焼器兼熱交換器４には、ゴミガス化燃料から熱回収した超臨界圧力高温水（５ｂ）を供給することを特徴とする全動翼蒸気ガスタービン合体機関。
【請求項１７６１】
前記燃焼器兼熱交換器４には、ゴミガス化燃料から熱回収した高温水（５ｂ）を供給することを特徴とする全動翼蒸気ガスタービン合体機関。
【請求項１７６２】
前記燃焼器兼熱交換器４には、ゴミ微細化燃料から熱回収した超臨界圧力高温水（５ｂ）を供給することを特徴とする全動翼蒸気ガスタービン合体機関。
【請求項１７６３】
前記燃焼器兼熱交換器４には、ゴミ微細化燃料から熱回収した高温水（５ｂ）を供給することを特徴とする全動翼蒸気ガスタービン合体機関。
【請求項１７６４】
前記燃焼器兼熱交換器４には、燃えるもの全部の燃料から熱回収した超臨界圧力高温水（５ｂ）を供給することを特徴とする全動翼蒸気ガスタービン合体機関。
【請求項１７６５】
前記燃焼器兼熱交換器４には、燃えるもの全部の燃料から熱回収した高温水（５ｂ）を供給することを特徴とする全動翼蒸気ガスタービン合体機関。
【請求項１７６６】
前記燃焼器兼熱交換器４には、微粉炭燃料から熱回収した超臨界圧力高温水（５ｂ）を供給し、電力にすることを特徴とする全動翼蒸気ガスタービン合体機関。
【請求項１７６７】
前記燃焼器兼熱交換器４には、微粉炭燃料から熱回収した高温水（５ｂ）を供給し、電力にすることを特徴とする全動翼蒸気ガスタービン合体機関。
【請求項１７６８】
前記燃焼器兼熱交換器４には、ゴミガス化燃料から熱回収した超臨界圧力高温水（５ｂ）を供給し、電力にすることを特徴とする全動翼蒸気ガスタービン合体機関。
【請求項１７６９】
前記燃焼器兼熱交換器４には、ゴミガス化燃料から熱回収した高温水（５ｂ）を供給し、電力にすることを特徴とする全動翼蒸気ガスタービン合体機関。
【請求項１７７０】
前記燃焼器兼熱交換器４には、ゴミ微細化燃料から熱回収した超臨界圧力高温水（５ｂ）を供給し、電力にすることを特徴とする全動翼蒸気ガスタービン合体機関。
【請求項１７７１】
前記燃焼器兼熱交換器４には、ゴミ微細化燃料から熱回収した高温水（５ｂ）を供給し、電力にすることを特徴とする全動翼蒸気ガスタービン合体機関。
【請求項１７７２】
前記燃焼器兼熱交換器４には、燃えるもの全部の燃料から熱回収した超臨界圧力高温水（５ｂ）を供給し、電力にすることを特徴とする全動翼蒸気ガスタービン合体機関。
【請求項１７７３】
前記燃焼器兼熱交換器４には、燃えるもの全部の燃料から熱回収した高温水（５ｂ）を供給し、電力にすることを特徴とする全動翼蒸気ガスタービン合体機関。
【請求項１７７４】
前記燃焼器兼熱交換器４には、微粉炭燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１７７５】
前記燃焼器兼熱交換器４には、微粉炭燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１７７６】
前記燃焼器兼熱交換器４には、ゴミガス化燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１７７７】
前記燃焼器兼熱交換器４には、ゴミガス化燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１７７８】
前記燃焼器兼熱交換器４には、ゴミ微細化燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１７７９】
前記燃焼器兼熱交換器４には、ゴミ微細化燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１７８０】
前記燃焼器兼熱交換器４には、燃えるもの全部の燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１７８１】
前記燃焼器兼熱交換器４には、燃えるもの全部の燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１７８２】
前記燃焼器兼熱交換器４には、微粉炭燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１７８３】
前記燃焼器兼熱交換器４には、微粉炭燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１７８４】
前記燃焼器兼熱交換器４には、ゴミガス化燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１７８５】
前記燃焼器兼熱交換器４には、ゴミガス化燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１７８６】
前記燃焼器兼熱交換器４には、ゴミ微細化燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１７８７】
前記燃焼器兼熱交換器４には、ゴミ微細化燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１７８８】
前記燃焼器兼熱交換器４には、燃えるもの全部の燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１７８９】
前記燃焼器兼熱交換器４には、燃えるもの全部の燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１７９０】
前記燃焼器兼熱交換器４には、微粉炭燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１７９１】
前記燃焼器兼熱交換器４には、微粉炭燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１７９２】
前記燃焼器兼熱交換器４には、ゴミガス化燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１７９３】
前記燃焼器兼熱交換器４には、ゴミガス化燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１７９４】
前記燃焼器兼熱交換器４には、ゴミ微細化燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１７９５】
前記燃焼器兼熱交換器４には、ゴミ微細化燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１７９６】
前記燃焼器兼熱交換器４には、燃えるもの全部の燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１７９７】
前記燃焼器兼熱交換器４には、燃えるもの全部の燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１７９８】
前記全動翼蒸気タービンの高温水溜（３２ａ）には、微粉炭燃料から熱回収した超臨界圧力高温水（５ｂ）を供給することを特徴とする全動翼蒸気ガスタービン合体機関。
【請求項１７９９】
前記全動翼蒸気タービンの高温水溜（３２ａ）には、微粉炭燃料から熱回収した高温水（５ｂ）を供給することを特徴とする全動翼蒸気ガスタービン合体機関。
【請求項１８００】
前記全動翼蒸気ガスタービンの高温水溜（３２ａ）には、微粉炭燃料から熱回収した超臨界圧力高温水（５ｂ）を供給することを特徴とする全動翼蒸気ガスタービン合体機関。
【請求項１８０１】
前記全動翼蒸気ガスタービンの高温水溜（３２ａ）には、微粉炭燃料から熱回収した高温水（５ｂ）を供給することを特徴とする全動翼蒸気ガスタービン合体機関。
【請求項１８０２】
前記全動翼蒸気タービンの高温水溜（３２ａ）には、ゴミガス化燃料から熱回収した超臨界圧力高温水（５ｂ）を供給することを特徴とする全動翼蒸気ガスタービン合体機関。
【請求項１８０３】
前記全動翼蒸気タービンの高温水溜（３２ａ）には、ゴミガス化燃料から熱回収した高温水（５ｂ）を供給することを特徴とする全動翼蒸気ガスタービン合体機関。
【請求項１８０４】
前記全動翼蒸気ガスタービンの高温水溜（３２ａ）には、ゴミガス化燃料から熱回収した超臨界圧力高温水（５ｂ）を供給することを特徴とする全動翼蒸気ガスタービン合体機関。
【請求項１８０５】
前記全動翼蒸気ガスタービンの高温水溜（３２ａ）には、ゴミガス化燃料から熱回収した高温水（５ｂ）を供給することを特徴とする全動翼蒸気ガスタービン合体機関。
【請求項１８０６】
前記全動翼蒸気タービンの高温水溜（３２ａ）には、ゴミ微細化燃料から熱回収した超臨界圧力高温水（５ｂ）を供給することを特徴とする全動翼蒸気ガスタービン合体機関。
【請求項１８０７】
前記全動翼蒸気タービンの高温水溜（３２ａ）には、ゴミ微細化燃料から熱回収した高温水（５ｂ）を供給することを特徴とする全動翼蒸気ガスタービン合体機関。
【請求項１８０８】
前記全動翼蒸気ガスタービンの高温水溜（３２ａ）には、ゴミ微細化燃料から熱回収した超臨界圧力高温水（５ｂ）を供給することを特徴とする全動翼蒸気ガスタービン合体機関。
【請求項１８０９】
前記全動翼蒸気ガスタービンの高温水溜（３２ａ）には、ゴミ微細化燃料から熱回収した高温水（５ｂ）を供給することを特徴とする全動翼蒸気ガスタービン合体機関。
【請求項１８１０】
前記全動翼蒸気タービンの高温水溜（３２ａ）には、燃えるもの全部の燃料から熱回収した超臨界圧力高温水（５ｂ）を供給することを特徴とする全動翼蒸気ガスタービン合体機関。
【請求項１８１１】
前記全動翼蒸気タービンの高温水溜（３２ａ）には、燃えるもの全部の燃料から熱回収した高温水（５ｂ）を供給することを特徴とする全動翼蒸気ガスタービン合体機関。
【請求項１８１２】
前記全動翼蒸気ガスタービンの高温水溜（３２ａ）には、燃えるもの全部の燃料から熱回収した超臨界圧力高温水（５ｂ）を供給することを特徴とする全動翼蒸気ガスタービン合体機関。
【請求項１８１３】
前記全動翼蒸気ガスタービンの高温水溜（３２ａ）には、燃えるもの全部の燃料から熱回収した高温水（５ｂ）を供給することを特徴とする全動翼蒸気ガスタービン合体機関。
【請求項１８１４】
前記全動翼蒸気タービンの高温水溜（３２ａ）には、微粉炭燃料から熱回収した超臨界圧力高温水（５ｂ）を供給し、電力にすることを特徴とする全動翼蒸気ガスタービン合体機関。
【請求項１８１５】
前記全動翼蒸気タービンの高温水溜（３２ａ）には、微粉炭燃料から熱回収した高温水（５ｂ）を供給し、電力にすることを特徴とする全動翼蒸気ガスタービン合体機関。
【請求項１８１６】
前記全動翼蒸気ガスタービンの高温水溜（３２ａ）には、微粉炭燃料から熱回収した超臨界圧力高温水（５ｂ）を供給し、電力にすることを特徴とする全動翼蒸気ガスタービン合体機関。
【請求項１８１７】
前記全動翼蒸気ガスタービンの高温水溜（３２ａ）には、微粉炭燃料から熱回収した高温水（５ｂ）を供給し、電力にすることを特徴とする全動翼蒸気ガスタービン合体機関。
【請求項１８１８】
前記全動翼蒸気タービンの高温水溜（３２ａ）には、ゴミガス化燃料から熱回収した超臨界圧力高温水（５ｂ）を供給し、電力にすることを特徴とする全動翼蒸気ガスタービン合体機関。
【請求項１８１９】
前記全動翼蒸気タービンの高温水溜（３２ａ）には、ゴミガス化燃料から熱回収した高温水（５ｂ）を供給し、電力にすることを特徴とする全動翼蒸気ガスタービン合体機関。
【請求項１８２０】
前記全動翼蒸気ガスタービンの高温水溜（３２ａ）には、ゴミガス化燃料から熱回収した超臨界圧力高温水（５ｂ）を供給し、電力にすることを特徴とする全動翼蒸気ガスタービン合体機関。
【請求項１８２１】
前記全動翼蒸気ガスタービンの高温水溜（３２ａ）には、ゴミガス化燃料から熱回収した高温水（５ｂ）を供給し、電力にすることを特徴とする全動翼蒸気ガスタービン合体機関。
【請求項１８２２】
前記全動翼蒸気タービンの高温水溜（３２ａ）には、ゴミ微細化燃料から熱回収した超臨界圧力高温水（５ｂ）を供給し、電力にすることを特徴とする全動翼蒸気ガスタービン合体機関。
【請求項１８２３】
前記全動翼蒸気タービンの高温水溜（３２ａ）には、ゴミ微細化燃料から熱回収した高温水（５ｂ）を供給し、電力にすることを特徴とする全動翼蒸気ガスタービン合体機関。
【請求項１８２４】
前記全動翼蒸気ガスタービンの高温水溜（３２ａ）には、ゴミ微細化燃料から熱回収した超臨界圧力高温水（５ｂ）を供給し、電力にすることを特徴とする全動翼蒸気ガスタービン合体機関。
【請求項１８２５】
前記全動翼蒸気ガスタービンの高温水溜（３２ａ）には、ゴミ微細化燃料から熱回収した高温水（５ｂ）を供給し、電力にすることを特徴とする全動翼蒸気ガスタービン合体機関。
【請求項１８２６】
前記全動翼蒸気タービンの高温水溜（３２ａ）には、燃えるもの全部の燃料から熱回収した超臨界圧力高温水（５ｂ）を供給し、電力にすることを特徴とする全動翼蒸気ガスタービン合体機関。
【請求項１８２７】
前記全動翼蒸気タービンの高温水溜（３２ａ）には、燃えるもの全部の燃料から熱回収した高温水（５ｂ）を供給し、電力にすることを特徴とする全動翼蒸気ガスタービン合体機関。
【請求項１８２８】
前記全動翼蒸気ガスタービンの高温水溜（３２ａ）には、燃えるもの全部の燃料から熱回収した超臨界圧力高温水（５ｂ）を供給し、電力にすることを特徴とする全動翼蒸気ガスタービン合体機関。
【請求項１８２９】
前記全動翼蒸気ガスタービンの高温水溜（３２ａ）には、燃えるもの全部の燃料から熱回収した高温水（５ｂ）を供給し、電力にすることを特徴とする全動翼蒸気ガスタービン合体機関。
【請求項１８３０】
前記全動翼蒸気タービンの高温水溜（３２ａ）には、微粉炭燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３１】
前記全動翼蒸気タービンの高温水溜（３２ａ）には、微粉炭燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３２】
前記全動翼蒸気ガスタービンの高温水溜（３２ａ）には、微粉炭燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３３】
前記全動翼蒸気ガスタービンの高温水溜（３２ａ）には、微粉炭燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３４】
前記全動翼蒸気タービンの高温水溜（３２ａ）には、ゴミガス化燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３５】
前記全動翼蒸気タービンの高温水溜（３２ａ）には、ゴミガス化燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３６】
前記全動翼蒸気ガスタービンの高温水溜（３２ａ）には、ゴミガス化燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３７】
前記全動翼蒸気ガスタービンの高温水溜（３２ａ）には、ゴミガス化燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３８】
前記全動翼蒸気タービンの高温水溜（３２ａ）には、ゴミ微細化燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８３９】
前記全動翼蒸気タービンの高温水溜（３２ａ）には、ゴミ微細化燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８４０】
前記全動翼蒸気ガスタービンの高温水溜（３２ａ）には、ゴミ微細化燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８４１】
前記全動翼蒸気ガスタービンの高温水溜（３２ａ）には、ゴミ微細化燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８４２】
前記全動翼蒸気タービンの高温水溜（３２ａ）には、燃えるもの全部の燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８４３】
前記全動翼蒸気タービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８４４】
前記全動翼蒸気ガスタービンの高温水溜（３２ａ）には、燃えるもの全部の燃料から熱回収した超臨界圧力高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８４５】
前記全動翼蒸気ガスタービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器４で再燃焼することを特徴とする全動翼蒸気ガスタービン合体機関。
【請求項１８４６】
前記全動翼蒸気タービンの高温水溜（３２ａ）には、微粉炭燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８４７】
前記全動翼蒸気タービンの高温水溜（３２ａ）には、微粉炭燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８４８】
前記全動翼蒸気ガスタービンの高温水溜（３２ａ）には、微粉炭燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８４９】
前記全動翼蒸気ガスタービンの高温水溜（３２ａ）には、微粉炭燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５０】
前記全動翼蒸気タービンの高温水溜（３２ａ）には、ゴミガス化燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５１】
前記全動翼蒸気タービンの高温水溜（３２ａ）には、ゴミガス化燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５２】
前記全動翼蒸気ガスタービンの高温水溜（３２ａ）には、ゴミガス化燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５３】
前記全動翼蒸気ガスタービンの高温水溜（３２ａ）には、ゴミガス化燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５４】
前記全動翼蒸気タービンの高温水溜（３２ａ）には、ゴミ微細化燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５５】
前記全動翼蒸気タービンの高温水溜（３２ａ）には、ゴミ微細化燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５６】
前記全動翼蒸気ガスタービンの高温水溜（３２ａ）には、ゴミ微細化燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５７】
前記全動翼蒸気ガスタービンの高温水溜（３２ａ）には、ゴミ微細化燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５８】
前記全動翼蒸気タービンの高温水溜（３２ａ）には、燃えるもの全部の燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８５９】
前記全動翼蒸気タービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８６０】
前記全動翼蒸気ガスタービンの高温水溜（３２ａ）には、燃えるもの全部の燃料から熱回収した超臨界圧力高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８６１】
前記全動翼蒸気ガスタービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１８６２】
前記全動翼蒸気タービンの高温水溜（３２ａ）には、微粉炭燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８６３】
前記全動翼蒸気タービンの高温水溜（３２ａ）には、微粉炭燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８６４】
前記全動翼蒸気ガスタービンの高温水溜（３２ａ）には、微粉炭燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８６５】
前記全動翼蒸気ガスタービンの高温水溜（３２ａ）には、微粉炭燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８６６】
前記全動翼蒸気タービンの高温水溜（３２ａ）には、ゴミガス化燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８６７】
前記全動翼蒸気タービンの高温水溜（３２ａ）には、ゴミガス化燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８６８】
前記全動翼蒸気ガスタービンの高温水溜（３２ａ）には、ゴミガス化燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８６９】
前記全動翼蒸気ガスタービンの高温水溜（３２ａ）には、ゴミガス化燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７０】
前記全動翼蒸気タービンの高温水溜（３２ａ）には、ゴミ微細化燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７１】
前記全動翼蒸気タービンの高温水溜（３２ａ）には、ゴミ微細化燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７２】
前記全動翼蒸気ガスタービンの高温水溜（３２ａ）には、ゴミ微細化燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７３】
前記全動翼蒸気ガスタービンの高温水溜（３２ａ）には、ゴミ微細化燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７４】
前記全動翼蒸気タービンの高温水溜（３２ａ）には、燃えるもの全部の燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７５】
前記全動翼蒸気タービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７６】
前記全動翼蒸気ガスタービンの高温水溜（３２ａ）には、燃えるもの全部の燃料から熱回収した超臨界圧力高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７７】
前記全動翼蒸気ガスタービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１８７８】
前記噴射推進する全動翼蒸気ガスタービンは、空気吸引力を含めた噴射高温水と燃焼ガスの質量速度の増大により噴射推進することを特徴とする全動翼蒸気ガスタービン合体機関。
【請求項１８７９】
前記噴射推進する全動翼蒸気タービンは、空気吸引力を含めた噴射高温水の質量速度の増大により噴射推進することを特徴とする全動翼蒸気ガスタービン合体機関。
【請求項１８８０】
前記噴射推進する全動翼蒸気ガスタービンは、霧吹きの原理９１ａの空気吸引力を含めた噴射高温水と燃焼ガスの質量速度の増大により噴射推進することを特徴とする全動翼蒸気ガスタービン合体機関。
【請求項１８８１】
前記噴射推進する全動翼蒸気タービンは、霧吹きの原理９１ａの空気吸引力を含めた噴射高温水の質量速度の増大により噴射推進することを特徴とする全動翼蒸気ガスタービン合体機関。
【請求項１８８２】
前記噴射推進する全動翼蒸気ガスタービンは、霧吹きの原理９１ａ・９１ｂの空気吸引力を含めた噴射高温水と燃焼ガスの質量速度の増大により噴射推進することを特徴とする全動翼蒸気ガスタービン合体機関。
【請求項１８８３】
前記噴射推進する全動翼蒸気タービンは、霧吹きの原理９１ａ・９１ｂの空気吸引力を含めた噴射高温水と燃焼ガスの質量速度の増大により噴射推進することを特徴とする全動翼蒸気ガスタービン合体機関。
【請求項１８８４】
前記噴射推進する全動翼蒸気ガスタービンは、空気吸引力を含めた噴射高温水と燃焼ガスの質量速度の増大により船体を浮上させて噴射推進することを特徴とする全動翼蒸気ガスタービン合体機関。
【請求項１８８５】
前記噴射推進する全動翼蒸気タービンは、空気吸引力を含めた噴射高温水の質量速度の増大により船体を浮上させて噴射推進することを特徴とする全動翼蒸気ガスタービン合体機関。
【請求項１８８６】
前記噴射推進する全動翼蒸気ガスタービンは、霧吹きの原理９１ｃ・９１ｄの水吸引力を含めた噴射高温水と燃焼ガスの質量速度の増大により噴射推進することを特徴とする全動翼蒸気ガスタービン合体機関。
【請求項１８８７】
前記噴射推進する全動翼蒸気タービンは、霧吹きの原理９１ｃ・９１ｄの水吸引力を含めた噴射高温水の質量速度の増大により噴射推進することを特徴とする全動翼蒸気ガスタービン合体機関。
【請求項１８８８】
前記噴射推進する全動翼蒸気ガスタービンは、霧吹きの原理９１ｃの水吸引力を含めた噴射高温水と燃焼ガスの質量速度の増大により噴射推進することを特徴とする全動翼蒸気ガスタービン合体機関。
【請求項１８８９】
前記噴射推進する全動翼蒸気タービンは、霧吹きの原理９１ｄの水吸引力を含めた噴射高温水と燃焼ガスの質量速度の増大により噴射推進することを特徴とする全動翼蒸気ガスタービン合体機関。
【請求項１８９０】
前記噴射推進する全動翼蒸気ガスタービンは、空気吸引力を含めた噴射高温水と燃焼ガスの質量速度の増大により燃料積載量を大幅に低減して噴射推進することを特徴とする全動翼蒸気ガスタービン合体機関。
【請求項１８９１】
前記噴射推進する全動翼蒸気タービンは、空気吸引力を含めた噴射高温水の質量速度の増大により燃料積載量を大幅に低減して噴射推進することを特徴とする全動翼蒸気ガスタービン合体機関。
【請求項１８９２】
前記噴射推進する全動翼蒸気ガスタービンは、霧吹きの原理９１ａの空気吸引力を含めた噴射高温水と燃焼ガスの質量速度の増大により燃料積載量を大幅に低減して噴射推進することを特徴とする全動翼蒸気ガスタービン合体機関。
【請求項１８９３】
前記噴射推進する全動翼蒸気タービンは、霧吹きの原理９１ａの空気吸引力を含めた噴射高温水の質量速度の増大により燃料積載量を大幅に低減して噴射推進することを特徴とする全動翼蒸気ガスタービン合体機関。
【請求項１８９４】
前記噴射推進する全動翼蒸気ガスタービンは、霧吹きの原理９１ａ・９１ｂの空気吸引力を含めた噴射高温水と燃焼ガスの質量速度の増大により燃料積載量を大幅に低減して噴射推進することを特徴とする全動翼蒸気ガスタービン合体機関。
【請求項１８９５】
前記噴射推進する全動翼蒸気タービンは、霧吹きの原理９１ａ・９１ｂの空気吸引力を含めた噴射高温水と燃焼ガスの質量速度の増大により燃料積載量を大幅に低減して噴射推進することを特徴とする全動翼蒸気ガスタービン合体機関。
【請求項１８９６】
前記噴射推進する全動翼蒸気ガスタービンは、空気吸引力を含めた噴射高温水と燃焼ガスの質量速度の増大により船体を浮上させて燃料積載量を大幅に低減して噴射推進することを特徴とする全動翼蒸気ガスタービン合体機関。
【請求項１８９７】
前記噴射推進する全動翼蒸気タービンは、空気吸引力を含めた噴射高温水の質量速度の増大により船体を浮上させて燃料積載量を大幅に低減して噴射推進することを特徴とする全動翼蒸気ガスタービン合体機関。
【請求項１８９８】
前記噴射推進する全動翼蒸気ガスタービンは、霧吹きの原理９１ｃ・９１ｄの水吸引力を含めた噴射高温水と燃焼ガスの質量速度の増大により燃料積載量を大幅に低減して噴射推進することを特徴とする全動翼蒸気ガスタービン合体機関。
【請求項１８９９】
前記噴射推進する全動翼蒸気タービンは、霧吹きの原理９１ｃ・９１ｄの水吸引力を含めた噴射高温水の質量速度の増大により燃料積載量を大幅に低減して噴射推進することを特徴とする全動翼蒸気ガスタービン合体機関。
【請求項１９００】
前記噴射推進する全動翼蒸気ガスタービンは、霧吹きの原理９１ｃの水吸引力を含めた噴射高温水と燃焼ガスの質量速度の増大により燃料積載量を大幅に低減して噴射推進することを特徴とする全動翼蒸気ガスタービン合体機関。
【請求項１９０１】
前記噴射推進する全動翼蒸気タービンは、霧吹きの原理９１ｄの水吸引力を含めた噴射高温水と燃焼ガスの質量速度の増大により燃料積載量を大幅に低減して噴射推進することを特徴とする全動翼蒸気ガスタービン合体機関。
【請求項１９０２】
前記噴射推進する全動翼蒸気ガスタービンは、空気吸引力を含めた噴射高温水と燃焼ガスの質量速度の増大により燃料積載量を大幅に低減して非常に安全に噴射推進することを特徴とする全動翼蒸気ガスタービン合体機関。
【請求項１９０３】
前記噴射推進する全動翼蒸気タービンは、空気吸引力を含めた噴射高温水の質量速度の増大により燃料積載量を大幅に低減して非常に安全に噴射推進することを特徴とする全動翼蒸気ガスタービン合体機関。
【請求項１９０４】
前記噴射推進する全動翼蒸気ガスタービンは、霧吹きの原理９１ａの空気吸引力を含めた噴射高温水と燃焼ガスの質量速度の増大により燃料積載量を大幅に低減して非常に安全に噴射推進することを特徴とする全動翼蒸気ガスタービン合体機関。
【請求項１９０５】
前記噴射推進する全動翼蒸気タービンは、霧吹きの原理９１ａの空気吸引力を含めた噴射高温水の質量速度の増大により燃料積載量を大幅に低減して非常に安全に噴射推進することを特徴とする全動翼蒸気ガスタービン合体機関。
【請求項１９０６】
前記噴射推進する全動翼蒸気ガスタービンは、霧吹きの原理９１ａ・９１ｂの空気吸引力を含めた噴射高温水と燃焼ガスの質量速度の増大により燃料積載量を大幅に低減して非常に安全に噴射推進することを特徴とする全動翼蒸気ガスタービン合体機関。
【請求項１９０７】
前記噴射推進する全動翼蒸気タービンは、霧吹きの原理９１ａ・９１ｂの空気吸引力を含めた噴射高温水と燃焼ガスの質量速度の増大により燃料積載量を大幅に低減して非常に安全に噴射推進することを特徴とする全動翼蒸気ガスタービン合体機関。
【請求項１９０８】
前記噴射推進する全動翼蒸気ガスタービンは、空気吸引力を含めた噴射高温水と燃焼ガスの質量速度の増大により船体を浮上させて燃料積載量を大幅に低減して非常に安全に噴射推進することを特徴とする全動翼蒸気ガスタービン合体機関。
【請求項１９０９】
前記噴射推進する全動翼蒸気タービンは、空気吸引力を含めた噴射高温水の質量速度の増大により船体を浮上させて燃料積載量を大幅に低減して非常に安全に噴射推進することを特徴とする全動翼蒸気ガスタービン合体機関。
【請求項１９１０】
前記噴射推進する全動翼蒸気ガスタービンは、霧吹きの原理９１ｃ・９１ｄの水吸引力を含めた噴射高温水と燃焼ガスの質量速度の増大により燃料積載量を大幅に低減して非常に安全に噴射推進することを特徴とする全動翼蒸気ガスタービン合体機関。
【請求項１９１１】
前記噴射推進する全動翼蒸気タービンは、霧吹きの原理９１ｃ・９１ｄの水吸引力を含めた噴射高温水の質量速度の増大により燃料積載量を大幅に低減して非常に安全に噴射推進することを特徴とする全動翼蒸気ガスタービン合体機関。
【請求項１９１２】
前記噴射推進する全動翼蒸気ガスタービンは、霧吹きの原理９１ｃの水吸引力を含めた噴射高温水と燃焼ガスの質量速度の増大により燃料積載量を大幅に低減して非常に安全に噴射推進することを特徴とする全動翼蒸気ガスタービン合体機関。
【請求項１９１３】
前記噴射推進する全動翼蒸気タービンは、霧吹きの原理９１ｄの水吸引力を含めた噴射高温水と燃焼ガスの質量速度の増大により燃料積載量を大幅に低減して非常に安全に噴射推進することを特徴とする全動翼蒸気ガスタービン合体機関。
【請求項１９１４】
前記低温燃焼ガスに石炭灰等を含めて、出力発生の過程で全重力仕事率を増大し、出力を増大することを特徴とする電磁加熱タービン動翼（８１）を具備した全動翼蒸気ガスタービン合体機関。
【請求項１９１５】
前記低温燃焼ガスに石炭灰等を含めて、出力発生の過程で全重力仕事率を増大し、出力を増大することを特徴とする超臨界圧力等の高温水（５ｂ）で出力を発生する全動翼蒸気ガスタービン合体機関。
【請求項１９１６】
前記電磁加熱タービン動翼（８１）に換えて撥水性タービン動翼（８７ａ）で出力を発生する全動翼蒸気ガスタービン合体機関。
【請求項１９１７】
前記電磁加熱タービン動翼（８１）の一部を撥水性タービン動翼（８７ａ）に換えて出力を発生することを特徴とする全動翼蒸気ガスタービン合体機関。
【請求項１９１８】
前記全動翼蒸気ガスタービンに於いて、燃焼ガスの一部を冷房用等別用途に使用することを特徴とする全動翼蒸気ガスタービン合体機関。
【請求項１９１９】
前記全動翼蒸気ガスタービンに於いて、燃焼ガスの全部を冷房用等別用途に使用することを特徴とする全動翼蒸気ガスタービン合体機関。
【請求項１９２０】
前記全動翼蒸気ガスタービンに於いて、燃焼ガスの一部を別用途に使用することを特徴とする全動翼蒸気ガスタービン合体機関。
【請求項１９２１】
前記全動翼蒸気ガスタービンに於いて、燃焼ガスの全部を別用途に使用することを特徴とする全動翼蒸気ガスタービン合体機関。
【請求項１９２２】
前記全動翼蒸気ガスタービンに於いて、燃焼ガスの全部を別用途の全動翼ガスタービンで使用することを特徴とする全動翼蒸気ガスタービン合体機関。
【請求項１９２３】
前記全動翼蒸気ガスタービンに於いて、燃焼ガスの全部を別用途の全動翼ガスタービンで使用して電力を発生することを特徴とする全動翼蒸気ガスタービン合体機関。
【請求項１９２４】
前記全動翼蒸気ガスタービンに於いて、燃焼ガスの全部を別用途の全動翼ガスタービンで使用してドライアイスを製造することを特徴とする全動翼蒸気ガスタービン合体機関。
【請求項１９２５】
前記全動翼蒸気ガスタービンに於いて、燃焼ガスの全部を別用途の全動翼ガスタービンで使用して液体窒素を製造することを特徴とする全動翼蒸気ガスタービン合体機関。
【請求項１９２６】
前記気化潜熱回収器６６ａに換えて空冷式気化潜熱回収器６６ｂを使用することを特徴とする全動翼蒸気ガスタービン合体機関。
【請求項１９２７】
前記気化潜熱回収器６６ａに換えて空冷式気化潜熱回収器６６ｂを使用する自動車としたことを特徴とする全動翼蒸気ガスタービン合体機関。
【請求項１９２８】
前記気化潜熱回収器６６ａに換えて空冷式気化潜熱回収器６６ｂを使用する輸送用機器としたことを特徴とする全動翼蒸気ガスタービン合体機関。
【請求項１９２９】
前記気化潜熱回収器６６ａに換えて空冷式気化潜熱回収器６６ｂを使用するプロペラ飛行機としたことを特徴とする全動翼蒸気ガスタービン合体機関。
【請求項１９３０】
前記気化潜熱回収器６６ａに換えて空冷式気化潜熱回収器６６ｂを使用するヘリコプターとしたことを特徴とする全動翼蒸気ガスタービン合体機関。
【請求項１９３１】
前記気化潜熱回収器６６ａに換えて空冷式気化潜熱回収器６６ｂを使用する飛行物体としたことを特徴とする全動翼蒸気ガスタービン合体機関。
【請求項１９３２】
前記高温水５ｂは、送水ポンプ兼二重反転磁気摩擦動力伝達装置１４ａにより昇圧することを特徴とする全動翼蒸気ガスタービン合体機関。
【請求項１９３３】
前記高温水５ｂは、送水ポンプ兼二重反転磁気摩擦動力伝達装置１４ａにより超臨界圧力等に昇圧することを特徴とする全動翼蒸気ガスタービン合体機関。
【請求項１９３４】
前記高温水５ｂは、送水ポンプ兼二重反転磁気摩擦動力伝達装置１４ａにより昇圧して動力を伝達することを特徴とする全動翼蒸気ガスタービン合体機関。
【請求項１９３５】
前記高温水５ｂは、送水ポンプ兼二重反転磁気摩擦動力伝達装置１４ａにより超臨界圧力等に昇圧して動力を伝達することを特徴とする全動翼蒸気ガスタービン合体機関。
【請求項１９３６】
前記高温水５ｂは、送水ポンプ兼二重反転磁気摩擦動力伝達装置１４ａにより昇圧して超臨界温度等複数温度にすることを特徴とする全動翼蒸気ガスタービン合体機関。
【請求項１９３７】
前記高温水５ｂは、送水ポンプ兼二重反転磁気摩擦動力伝達装置１４ａにより超臨界圧力等に昇圧して超臨界温度等複数温度にすることを特徴とする全動翼蒸気ガスタービン合体機関。
【請求項１９３８】
前記高温水５ｂは、送水ポンプ兼二重反転磁気摩擦動力伝達装置１４ａにより昇圧して超臨界温度等複数温度にして動力を伝達することを特徴とする全動翼蒸気ガスタービン合体機関。
【請求項１９３９】
前記高温水５ｂは、送水ポンプ兼二重反転磁気摩擦動力伝達装置１４ａにより超臨界圧力等に昇圧して超臨界温度等複数温度にして動力を伝達することを特徴とする全動翼蒸気ガスタービン合体機関。
【請求項１９４０】
前記高温水５ｂは、送水ポンプ兼二重反転磁気摩擦動力伝達装置１４ａにより超臨界圧力等に昇圧して超臨界温度等複数温度にして動力を伝達し、既存技術の倍回転数にすることを特徴とする全動翼蒸気ガスタービン合体機関。
【請求項１９４１】
前記高温水５ｂは、送水ポンプ兼二重反転磁気摩擦動力伝達装置１４ａにより超臨界圧力等に昇圧して超臨界温度等複数温度にして動力を伝達し、既存技術の３倍回転数にすることを特徴とする全動翼蒸気ガスタービン合体機関。
【請求項１９４２】
前記高温水５ｂは、送水ポンプ兼二重反転磁気摩擦動力伝達装置１４ａにより超臨界圧力等に昇圧して超臨界温度等複数温度にして動力を伝達し、既存技術の５倍回転数にすることを特徴とする全動翼蒸気ガスタービン合体機関。
【請求項１９４３】
前記高温水５ｂは、送水ポンプ兼二重反転磁気摩擦動力伝達装置１４ａにより超臨界圧力等に昇圧して超臨界温度等複数温度にして動力を伝達し、既存技術の８倍回転数にすることを特徴とする全動翼蒸気ガスタービン合体機関。
【請求項１９４４】
前記高温水５ｂは、送水ポンプ兼二重反転磁気摩擦動力伝達装置１４ａにより超臨界圧力等に昇圧して超臨界温度等複数温度にして動力を伝達し、既存技術の１０倍回転数にすることを特徴とする全動翼蒸気ガスタービン合体機関。
【請求項１９４５】
前記高温水５ｂは、送水ポンプ兼磁気摩擦動力伝達装置１００ａにより昇圧することを特徴とする全動翼蒸気ガスタービン合体機関。
【請求項１９４６】
前記高温水５ｂは、送水ポンプ兼磁気摩擦動力伝達装置１００ａにより超臨界圧力等に昇圧することを特徴とする全動翼蒸気ガスタービン合体機関。
【請求項１９４７】
前記高温水５ｂは、送水ポンプ兼磁気摩擦動力伝達装置１００ａにより昇圧して動力を伝達することを特徴とする全動翼蒸気ガスタービン合体機関。
【請求項１９４８】
前記高温水５ｂは、送水ポンプ兼磁気摩擦動力伝達装置１００ａにより超臨界圧力等に昇圧して動力を伝達することを特徴とする全動翼蒸気ガスタービン合体機関。
【請求項１９４９】
前記高温水５ｂは、送水ポンプ兼磁気摩擦動力伝達装置１００ａにより昇圧して超臨界温度等複数温度にすることを特徴とする全動翼蒸気ガスタービン合体機関。
【請求項１９５０】
前記高温水５ｂは、送水ポンプ兼磁気摩擦動力伝達装置１００ａにより超臨界圧力等に昇圧して超臨界温度等複数温度にすることを特徴とする全動翼蒸気ガスタービン合体機関。
【請求項１９５１】
前記高温水５ｂは、送水ポンプ兼磁気摩擦動力伝達装置１００ａにより昇圧して超臨界温度等複数温度にして動力を伝達することを特徴とする全動翼蒸気ガスタービン合体機関。
【請求項１９５２】
前記高温水５ｂは、送水ポンプ兼磁気摩擦動力伝達装置１００ａにより超臨界圧力等に昇圧して超臨界温度等複数温度にして動力を伝達することを特徴とする全動翼蒸気ガスタービン合体機関。
【請求項１９５３】
前記高温水５ｂは、送水ポンプ兼磁気摩擦動力伝達装置１００ａにより超臨界圧力等に昇圧して超臨界温度等複数温度にして動力を伝達し、既存技術の２倍回転数にすることを特徴とする全動翼蒸気ガスタービン合体機関。
【請求項１９５４】
前記高温水５ｂは、送水ポンプ兼磁気摩擦動力伝達装置１００ａにより超臨界圧力等に昇圧して超臨界温度等複数温度にして動力を伝達し、既存技術の３倍回転数にすることを特徴とする全動翼蒸気ガスタービン合体機関。
【請求項１９５５】
前記高温水５ｂは、送水ポンプ兼磁気摩擦動力伝達装置１００ａにより超臨界圧力等に昇圧して超臨界温度等複数温度にして動力を伝達し、既存技術の５倍回転数にすることを特徴とする全動翼蒸気ガスタービン合体機関。
【請求項１９５６】
前記高温水５ｂは、送水ポンプ兼磁気摩擦動力伝達装置１００ａにより超臨界圧力等に昇圧して超臨界温度等複数温度にして動力を伝達し、既存技術の８倍回転数にすることを特徴とする全動翼蒸気ガスタービン合体機関。
【請求項１９５７】
前記高温水５ｂは、送水ポンプ兼磁気摩擦動力伝達装置１００ａにより超臨界圧力等に昇圧して超臨界温度等複数温度にして動力を伝達し、既存技術の１０倍回転数にすることを特徴とする全動翼蒸気ガスタービン合体機関。
【請求項１９５８】
前記超臨界温度等複数温度の高温水５ｂは、中心に最高温度の高温水５ｂを配置して混合することを特徴とする全動翼蒸気ガスタービン合体機関。
【請求項１９５９】
前記超臨界温度等複数温度の高温水５ｂは、中心に超臨界温度等最高温度の高温水５ｂを配置して混合することを特徴とする全動翼蒸気ガスタービン合体機関。
【請求項１９６０】
前記超臨界温度等複数温度の高温水５ｂは、中心に最高温度の高温水５ｂを配置して１以上複数温度の高温水と混合することを特徴とする全動翼蒸気ガスタービン合体機関。
【請求項１９６１】
前記超臨界温度等複数温度の高温水５ｂは、中心に超臨界温度等最高温度の高温水５ｂを配置して１以上複数温度の高温水と混合することを特徴とする全動翼蒸気ガスタービン合体機関。
【請求項１９６２】
前記超臨界温度等複数温度の高温水５ｂは、中心に最高温度の高温水５ｂを配置して９０度前後で合流混合することを特徴とする全動翼蒸気ガスタービン合体機関。
【請求項１９６３】
前記超臨界温度等複数温度の高温水５ｂは、中心に超臨界温度等最高温度の高温水５ｂを配置して９０度前後で合流混合することを特徴とする全動翼蒸気ガスタービン合体機関。
【請求項１９６４】
前記超臨界温度等複数温度の高温水５ｂは、中心に最高温度の高温水５ｂを配置して１以上複数温度の高温水と９０度前後で合流混合することを特徴とする全動翼蒸気ガスタービン合体機関。
【請求項１９６５】
前記超臨界温度等複数温度の高温水５ｂは、中心に超臨界温度等最高温度の高温水５ｂを配置して１以上複数温度の高温水と９０度前後で合流混合することを特徴とする全動翼蒸気ガスタービン合体機関。
【請求項１９６６】
前記超臨界温度等複数温度の高温水５ｂは、中心に最高温度の高温水５ｂを配置して霧吹きの原理で合流混合することを特徴とする全動翼蒸気ガスタービン合体機関。
【請求項１９６７】
前記超臨界温度等複数温度の高温水５ｂは、中心に超臨界温度等最高温度の高温水５ｂを配置して霧吹きの原理で合流混合することを特徴とする全動翼蒸気ガスタービン合体機関。
【請求項１９６８】
前記超臨界温度等複数温度の高温水５ｂは、中心に最高温度の高温水５ｂを配置して１以上複数温度の高温水と霧吹きの原理で合流混合することを特徴とする全動翼蒸気ガスタービン合体機関。
【請求項１９６９】
前記超臨界温度等複数温度の高温水５ｂは、中心に超臨界温度等最高温度の高温水５ｂを配置して１以上複数温度の高温水と霧吹きの原理で合流混合することを特徴とする全動翼蒸気ガスタービン合体機関。
【請求項１９７０】
前記超臨界温度等複数温度の高温水５ｂは、中心に最高温度の高温水５ｂを配置して９０度前後で合流混合して高温水を加速することを特徴とする全動翼蒸気ガスタービン合体機関。
【請求項１９７１】
前記超臨界温度等複数温度の高温水５ｂは、中心に超臨界温度等最高温度の高温水５ｂを配置して９０度前後で合流混合して高温水を加速することを特徴とする全動翼蒸気ガスタービン合体機関。
【請求項１９７２】
前記超臨界温度等複数温度の高温水５ｂは、中心に最高温度の高温水５ｂを配置して１以上複数温度の高温水と９０度前後で合流混合して高温水を加速することを特徴とする全動翼蒸気ガスタービン合体機関。
【請求項１９７３】
前記超臨界温度等複数温度の高温水５ｂは、中心に超臨界温度等最高温度の高温水５ｂを配置して１以上複数温度の高温水と９０度前後で合流混合して高温水を加速することを特徴とする全動翼蒸気ガスタービン合体機関。
【請求項１９７４】
前記超臨界温度等複数温度の高温水５ｂは、中心に最高温度の高温水５ｂを配置して霧吹きの原理で合流混合して高温水を加速することを特徴とする全動翼蒸気ガスタービン合体機関。
【請求項１９７５】
前記超臨界温度等複数温度の高温水５ｂは、中心に超臨界温度等最高温度の高温水５ｂを配置して霧吹きの原理で合流混合して高温水を加速することを特徴とする全動翼蒸気ガスタービン合体機関。
【請求項１９７６】
前記超臨界温度等複数温度の高温水５ｂは、中心に最高温度の高温水５ｂを配置して１以上複数温度の高温水と霧吹きの原理で合流混合して高温水を加速することを特徴とする全動翼蒸気ガスタービン合体機関。
【請求項１９７７】
前記超臨界温度等複数温度の高温水５ｂは、中心に超臨界温度等最高温度の高温水５ｂを配置して１以上複数温度の高温水と霧吹きの原理で合流混合して高温水を加速することを特徴とする全動翼蒸気ガスタービン合体機関。
【請求項１９７８】
前記超臨界温度等複数温度の高温水５ｂは、中心に最高温度の高温水５ｂを配置して９０度前後で合流混合して高温水を加速する高温水噴射ノズル５９ｂとしたことを特徴とする全動翼蒸気ガスタービン合体機関。
【請求項１９７９】
前記超臨界温度等複数温度の高温水５ｂは、中心に超臨界温度等最高温度の高温水５ｂを配置して９０度前後で合流混合して高温水を加速する高温水噴射ノズル５９ｂとしたことを特徴とする全動翼蒸気ガスタービン合体機関。
【請求項１９８０】
前記超臨界温度等複数温度の高温水５ｂは、中心に最高温度の高温水５ｂを配置して１以上複数温度の高温水と９０度前後で合流混合して高温水を加速する高温水噴射ノズル５９ｂとしたことを特徴とする全動翼蒸気ガスタービン合体機関。
【請求項１９８１】
前記超臨界温度等複数温度の高温水５ｂは、中心に超臨界温度等最高温度の高温水５ｂを配置して１以上複数温度の高温水と９０度前後で合流混合して高温水を加速する高温水噴射ノズル５９ｂとしたことを特徴とする全動翼蒸気ガスタービン合体機関。
【請求項１９８２】
前記超臨界温度等複数温度の高温水５ｂは、中心に最高温度の高温水５ｂを配置して霧吹きの原理で合流混合して高温水を加速する高温水噴射ノズル５９ｂとしたことを特徴とする全動翼蒸気ガスタービン合体機関。
【請求項１９８３】
前記超臨界温度等複数温度の高温水５ｂは、中心に超臨界温度等最高温度の高温水５ｂを配置して霧吹きの原理で合流混合して高温水を加速する高温水噴射ノズル５９ｂとしたことを特徴とする全動翼蒸気ガスタービン合体機関。
【請求項１９８４】
前記超臨界温度等複数温度の高温水５ｂは、中心に最高温度の高温水５ｂを配置して１以上複数温度の高温水と霧吹きの原理で合流混合して高温水を加速する高温水噴射ノズル５９ｂとしたことを特徴とする全動翼蒸気ガスタービン合体機関。
【請求項１９８５】
前記超臨界温度等複数温度の高温水５ｂは、中心に超臨界温度等最高温度の高温水５ｂを配置して１以上複数温度の高温水と霧吹きの原理で合流混合して高温水を加速する高温水噴射ノズル５９ｂとしたことを特徴とする全動翼蒸気ガスタービン合体機関。
【請求項１９８６】
前記全動翼ガスタービン及び全動翼蒸気タービン及び全動翼蒸気ガスタービンの、何れか１以上の出力で駆動する装置を、大中小各種発電設備としたことを特徴とする全動翼蒸気ガスタービン合体機関。
【請求項１９８７】
前記全動翼ガスタービン及び全動翼蒸気タービン及び全動翼蒸気ガスタービンの、何れか１以上の出力で駆動する装置を、大中小各種熱と電気と冷熱の供給設備としたことを特徴とする全動翼蒸気ガスタービン合体機関。
【請求項１９８８】
前記全動翼ガスタービン及び全動翼蒸気タービン及び全動翼蒸気ガスタービンの何れか１以上の出力で駆動する装置を、大中小各種熱と電気の供給設備としたことを特徴とする全動翼蒸気ガスタービン合体機関。
【請求項１９８９】
前記全動翼ガスタービン及び全動翼蒸気タービン及び全動翼蒸気ガスタービン及び特殊装置及び水噴射装置の何れか１以上の出力で駆動する装置を、大中小各種船舶としたことを特徴とする全動翼蒸気ガスタービン合体機関。
【請求項１９９０】
前記全動翼ガスタービン及び全動翼蒸気タービン及び全動翼蒸気ガスタービン及び特殊装置及び水噴射装置の何れか１以上の出力で駆動する装置を、大中小各種航空機としたことを特徴とする全動翼蒸気ガスタービン合体機関。
【請求項１９９１】
前記全動翼ガスタービン及び全動翼蒸気タービン及び全動翼蒸気ガスタービン及び特殊装置及び水噴射装置の何れか１以上の出力で駆動する装置を、大中小各種超音速飛行機としたことを特徴とする全動翼蒸気ガスタービン合体機関。
【請求項１９９２】
前記全動翼ガスタービン及び全動翼蒸気タービン及び全動翼蒸気ガスタービン及び特殊装置及び水噴射装置の何れか１以上の出力で駆動する装置を、大中小各種宇宙往還親飛行機としたことを特徴とする全動翼蒸気ガスタービン合体機関。
【請求項１９９３】
前記全動翼ガスタービン及び全動翼蒸気タービン及び全動翼蒸気ガスタービン及び特殊装置及び水噴射装置の何れか１以上の出力で駆動する装置を、大中小各種車両としたことを特徴とする全動翼蒸気ガスタービン合体機関。
【請求項１９９４】
前記全動翼ガスタービン及び全動翼蒸気タービン及び全動翼蒸気ガスタービン及び特殊装置及び水噴射装置の何れか１以上の出力で駆動する装置を、大中小各種自動車としたことを特徴とする全動翼蒸気ガスタービン合体機関。
【請求項１９９５】
前記全動翼ガスタービン及び全動翼蒸気タービン及び全動翼蒸気ガスタービン及び特殊装置及び水噴射装置の何れか１以上の出力で駆動する装置を、大中小各種機械としたことを特徴とする全動翼蒸気ガスタービン合体機関。
【請求項１９９６】
前記全動翼ガスタービン及び全動翼蒸気タービン及び全動翼蒸気ガスタービン及び特殊装置及び水噴射装置の何れか１以上の出力で駆動する装置を、大中小各種艦船としたことを特徴とする全動翼蒸気ガスタービン合体機関。
【請求項１９９７】
前記全動翼ガスタービン及び全動翼蒸気タービン及び全動翼蒸気ガスタービン及び特殊装置及び水噴射装置の何れか１以上の出力で駆動する装置を、大中小各種戦車としたことを特徴とする全動翼蒸気ガスタービン合体機関。
【請求項１９９８】
前記全動翼ガスタービン及び全動翼蒸気タービン及び全動翼蒸気ガスタービン及び特殊装置及び水噴射装置の何れか１以上の出力で駆動する装置を、大中小各種戦闘機としたことを特徴とする全動翼蒸気ガスタービン合体機関。
【請求項１９９９】
前記全動翼蒸気タービン及び全動翼蒸気ガスタービン及び特殊装置及び水噴射装置の何れか１以上の出力で駆動する装置を、大中小各種発電設備としたことを特徴とする全動翼蒸気ガスタービン合体機関。
【請求項２０００】
前記全動翼蒸気タービン及び全動翼蒸気ガスタービンの何れか１以上の出力で駆動する装置を、大中小各種熱と電気と冷熱の供給設備としたことを特徴とする全動翼蒸気ガスタービン合体機関。
【請求項２００１】
前記全動翼蒸気タービン及び全動翼蒸気ガスタービンの何れか１以上の出力で駆動する装置を、大中小各種熱と電気の供給設備としたことを特徴とする全動翼蒸気ガスタービン合体機関。
【請求項２００２】
前記全動翼蒸気タービン及び全動翼蒸気ガスタービン及び特殊装置及び水噴射装置の何れか１以上の出力で駆動する装置を、大中小各種船舶としたことを特徴とする全動翼蒸気ガスタービン合体機関。
【請求項２００３】
前記全動翼蒸気タービン及び全動翼蒸気ガスタービン及び特殊装置及び水噴射装置の何れか１以上の出力で駆動する装置を、大中小各種航空機としたことを特徴とする全動翼蒸気ガスタービン合体機関。
【請求項２００４】
前記全動翼蒸気タービン及び全動翼蒸気ガスタービン及び特殊装置及び水噴射装置の何れか１以上の出力で駆動する装置を、大中小各種車両としたことを特徴とする全動翼蒸気ガスタービン合体機関。
【請求項２００５】
前記全動翼蒸気タービン及び全動翼蒸気ガスタービン及び特殊装置及び水噴射装置の何れか１以上の出力で駆動する装置を、大中小各種自動車としたことを特徴とする全動翼蒸気ガスタービン合体機関。
【請求項２００６】
前記全動翼蒸気タービン及び全動翼蒸気ガスタービン及び特殊装置及び水噴射装置の何れか１以上の出力で駆動する装置を、大中小各種機械としたことを特徴とする全動翼蒸気ガスタービン合体機関。
【請求項２００７】
前記全動翼蒸気タービン及び全動翼蒸気ガスタービン及び特殊装置及び水噴射装置の何れか１以上の出力で駆動する装置を、大中小各種艦船としたことを特徴とする全動翼蒸気ガスタービン合体機関。
【請求項２００８】
前記全動翼蒸気タービン及び全動翼蒸気ガスタービン及び特殊装置及び水噴射装置の何れか１以上の出力で駆動する装置を、大中小各種戦車としたことを特徴とする全動翼蒸気ガスタービン合体機関。
【請求項２００９】
前記全動翼蒸気タービン及び全動翼蒸気ガスタービン及び特殊装置及び水噴射装置の何れか１以上の出力で駆動する装置を、大中小各種戦闘機としたことを特徴とする全動翼蒸気ガスタービン合体機関。
【請求項２０１０】
前記全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか１種類にしたことを特徴とする全動翼蒸気ガスタービン合体機関。
【請求項２０１１】
前記全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか２種類にしたことを特徴とする全動翼蒸気ガスタービン合体機関。
【請求項２０１２】
前記全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか３種類以上にしたことを特徴とする全動翼蒸気ガスタービン合体機関。
【請求項２０１３】
前記全動翼蒸気ガスタービン合体機関で燃焼させる燃料は、その種類を問わないことを特徴とする全動翼蒸気ガスタービン合体機関。
【請求項２０１４】
前記全動翼蒸気ガスタービン合体機関の出力で駆動する装置の種類を問わないことを特徴とする全動翼蒸気ガスタービン合体機関。
【発明の詳細な説明】
【０００１】
【発明の属する技術分野】
本発明は既存内燃機関技術が、熱量を殆ど利用しない容積利用で、燃料電池や風力発電と競合する理由を、明快に説明するため、アイディアを仮説数字で説明するが、正解は実験数値とし、アイディア仮説数字に限定しない。例えば最先端再熱蒸気タービンは、熱量を全く利用しない容積利用ため、断熱膨張真空部では１００００倍以上に膨張し、重力仕事率が水の１／１００００以下に低減して、同一出力では１００００倍の動翼面積を必要とし、超臨界圧力等に落差を増大しても速度利用が不可能なため、動翼の１０〜２０倍前後も速度エネルギを消費し、回転仕事をしない静翼を１／２も設け、ボイラで加熱した熱量全部で海水温度を上昇して、仮説発電量を１／５００等に低減しております。そこで高温水と気化爆発力を利用して熱回収再利用再再利用することで、供給熱量を最少の気化熱に近付け、圧縮空気熱量等供給熱量全部の温熱を副産物として需要家に供給し、膨大な冷熱も副産物で供給して、地球温暖化防止する技術に関する。
【０００２】
再熱は逆転して全動翼蒸気ガスタービン合体機関（略称合体機関で説明）燃焼器兼熱交換器４により、限り無く高圧燃焼熱交換燃焼ガス温度を最低にし、熱回収して得た超臨界圧力温度等の高温水回収熱量を最大の、既存ボイラの２倍前後回収熱量にし、加熱高温手段１０１で加熱高温とし、霧吹きの原理９１ｅを利用して超臨界温度等複数温度の高温水５ｂを噴射する、高温水噴射ノズル５９ｂにより、超臨界温度等複数温度の高温水との間に気化膜を設けて、摩擦損失最少で超臨界温度等複数温度の高温水を噴射し、気化爆発エネルギによりノズル内では機関銃の弾丸のように高温水を加速して、気化爆発容積速度利用等により高温水を吹雪等のように加速し、ノズル外では高温水を散弾ロケットや吹雪等のように加速して、気化潜熱を最適利用して熱回収再再再利用し、重力仕事率を最大にして消費熱量を最少にする技術に関する。
【０００３】
大気圧重力仕事率を最先端再熱蒸気タービンの１７００倍高温水出力として、重力仕事率（以下単位容積質量×速度同じとする）を１７００倍に近付け、超臨界圧力から大気圧まで使用して気化熱を回収し、飽和温度１００℃凝縮水を再再再使用することで、回収熱量及び供給熱量を気化熱の最少に近付け、回収熱量全部を温熱として需要家に供給し、同一燃料量既存ガスタービンの５００倍仮説発電量等に上昇します。動翼面積の一部乃至大部分を既存再熱蒸気タービンの１／１７００に縮小して、重力仕事率を考慮することで合理的な動翼面積の設計を可能にし、高温水を略直線蛇行的に噴射して、機械効率を１０〜２０倍に上昇して出力を発生する、全動翼蒸気タービンや全動翼蒸気ガスタービン等とし、静翼で堰き止める無茶苦茶を全廃して、電気料金の１／１０等を狙う技術に関する。
【０００４】
再熱蒸気タービンの復水器真空まで断熱膨張や再熱を逆転して、超臨界圧力から大気圧まで落差も充分とし、気化潜熱回収器６６ａを設けた全動翼蒸気タービンとして、１００℃以下の気化熱全部を回収熱量の温熱として需要家に供給し、凝縮水全部を燃焼器兼熱交換器４に繰り返し再再再供給して、超臨界温度等複数温度の高温水５ｂとし、燃料燃焼熱量の供給を気化熱のみに近付け、単位熱量の重力仕事率を極限まで増大します。燃料燃焼熱量の低減と凝縮水の繰り返し循環使用が可能な、全動翼蒸気タービンにして、加えた燃料燃焼熱量の略全部の膨大な温熱を、副産物の水道水として貯蔵し、製造原価略０で需要家に供給して、既存技術の使用熱量全部で海水温度を上昇する、を皆無にする技術に関する。
【０００５】
既存最先端ガスタービンも容積利用のため、タービン耐熱限界温度により落差の上昇が不可能です。更に動翼の１０〜２０倍前後も速度エネルギを消費して、回転仕事をしない静翼を１／２も設けて、断熱膨張５００℃前後で高温排気し、発電量を１／５００等に低減して、地球温暖化を加速しています。そこで合体機関燃焼器兼熱交換器４により、限り無く高圧燃焼熱交換冷却燃焼して、熱回収量を既存ボイラの２倍前後に増大し、燃焼ガスタービン入口温度を最低にして、燃焼ガス温度と容積の障害を最低にし、燃焼ガスの熱量と質量を有効利用して、同一燃料量既存ガスタービンの５００倍仮説発電量等にする技術に関する。
【０００６】
通常燃料使用の場合、燃焼ガス温度と容積の障害を最低として２倍以上の落差とし、合体機関の全動翼ガスタービンにより略直線蛇行的に噴射して、機械効率を１０〜２０倍に上昇し、燃焼ガス質量出力を発生排気の過程で、燃焼ガス排気温度を−２７３℃に近付（−温度全部を含める）け、冷熱回収器１０２の低温燃焼ガスにより水道水を冷却して、復水器真空（−圧力全部を含める）まで膨張させ、製造原価略０で使用燃焼ガス全部を、膨大な副産物の冷熱水道水に変換して需要家に供給します。用途により燃焼器兼熱交換器４の圧縮空気圧力を、全動翼により極限まで上昇して、ドライアイスや液体窒素等の製造回収を可能にし、燃焼ガス質量仮説発電量を、既存ガスタービンの２０〜４０倍以上等に上昇する技術に関する。
【０００７】
そこで最先端ガスタービンを逆転して、燃焼ガスタービン入口温度を最低にするため、ガスタービン燃焼器を全動翼ガスタービン燃焼器兼熱交換器４とし、全動翼により限り無く高圧圧縮熱交換冷却燃焼して、熱回収量を既存ボイラの２倍前後にすることで、燃焼ガスタービン入口温度を最低とし、該排気温度を−２７３℃に近付け、圧縮した空気の保有熱量略全部を含めて、既存ボイラの２倍前後の回収熱量の燃焼ガス熱量出力とします。そして燃焼ガス熱量出力を、超臨界温度等複数温度の高温水５ｂとして各種用途に利用し、燃焼ガス熱量発電量乃至出力を（既存ガスタービンの５倍落差×２倍熱量×５０倍質量重力仕事率×１０〜２０倍機械効率×１／２０減少率）＝（既存ガスタービンの２５０〜５００倍燃焼ガス熱量仮説発電量乃至出力）等にする技術に関する。
【０００８】
微粉炭燃料燃焼の場合、発電量及び冷熱の回収量を最大にするため、超臨界温度等の最少最適量の高温水５ｂを、全動翼蒸気ガスタービンの最上流に供給し、加熱高温手段１０１により加熱高温として、高温水との間に気化膜を設けて摩擦損失を最少とした、高温水噴射ノズル５９ｂより高温水５ｂを、霧吹きの原理９１ｅを利用して噴射し、気化爆発エネルギや気化爆発容積速度により、ノズル内やノズル外では、高温水を機関銃の弾丸や散弾ロケットや吹雪等のように加速して、全動翼蒸気ガスタービンを駆動し、中流最適段に低温燃焼ガス全部を供給して、出力発生の過程で断熱膨張した低温燃焼ガス灰分を核に水分を凝集して、復水器真空まで膨張を可能にし、最適最少量高温水の使用で冷熱回収量と発電量を最大にして、ＣＯ２等の排気を０等として地球温暖化防止し、燃焼ガス全部を膨大な冷熱に変換して、製造原価略０で需要家に供給する技術に関する。
【０００９】
再熱蒸気タービンを逆転した全動翼蒸気タービンを駆動の過程では、既存ボイラの２倍前後の回収熱量を、超臨界温度等複数温度の高温水供給とし、出力発生の過程では、夫々の高温水加減弁７ａより高温水管６ａを介して、高温水５ｂを夫々の高温水溜３２ａに供給し、夫々加熱高温手段１０１により加熱高温となった高温水噴射ノズル５９ｂより、高温水との間に気化膜を設けて摩擦損失最少で、霧吹きの原理９１ｅを利用して噴射し、気化爆発エネルギや気化爆発容積速度により、ノズル内では機関銃の弾丸や吹雪等のように高温水を加速し、ノズル外では高温水５ｂを散弾ロケットや吹雪等のように加速して、重力仕事率が最先端再熱蒸気タービンの、大気圧部１７００倍重力仕事率の高温水噴射質量を、既存ガスタービンの５０倍等とする技術に関する。
【００１０】
全動翼蒸気ガスタービンでは超臨界温度等複数温度の高温水５ｂを、合体機関の最上流に霧吹きの原理９１ｅを利用して噴射する、高温水噴射ノズル５９ｂより高温水を噴射して駆動の過程で、全動翼により略直線蛇行的に噴射して、機械効率を１０〜２０倍に上昇し、中流最適段に燃料熱量０以下の燃焼ガス質量を供給して、全動翼ガスタービン燃焼ガス質量出力＝（既存ガスタービンの２倍落差×１倍質量×１０〜２０倍機械効率）＝（既存ガスタービンの２０〜４０倍燃焼ガス質量仮説出力）とし、合体機関出力＝（燃焼ガス質量出力＋燃焼ガス熱量出力）＝（既存ガスタービンの２０〜４０倍出力＋２５０〜５００倍出力）＝（既存ガスタービンの２７０〜５４０倍仮説出力）に増大する技術に関する。
【００１１】
供給熱量の略全部を高温水５ｂの気化爆発エネルギに変換して、高温水の重力仕事率を既存ガスタービン燃焼ガスの５０倍質量等に増大し、最適速度の高温水５ｂで出力を発生します。燃焼ガス熱量出力を発生の過程では、夫々加熱高温とした、高温水噴射ノズル５９ｂや、電磁加熱タービン動翼８１の全動翼蒸気タービン等として、高温水との間に気化膜を設けて摩擦損失を最小とし、略直線蛇行的に噴射して機械効率を１０〜２０倍に上昇します。そして既存ボイラの２倍回収熱量の（同一燃料量高温水熱量質量出力）＝（５０倍質量重力仕事率×５倍落差×２倍回収熱量×１０〜２０倍機械効率×１／２０減少率）＝（既存ガスタービンの２５０〜５００倍燃焼ガス熱量仮説出力）等に上昇する技術に関する。
【００１２】
全動翼タービン動翼を電磁誘導加熱高温とするため、電磁調理器と同様にコイル９８を設けて通電し、比透磁率の大きい鉄を含む材料の中に磁力線９９を集めて、うず電流による電気抵抗によってジュール熱を発生し、加熱高温各種の電磁加熱タービン動翼８１を構成します。そして電磁加熱タービン動翼８１と高温水との間に気化膜を設けて、全動翼により略直線蛇行的に噴射して、摩擦損失最小・重力仕事率最大で大気圧まで出力を発生して、構造や容積が１／１０等の大幅に小型簡単な、例えば回転出力輸送機器用としての、全動翼蒸気ガスタービン合体機関の、燃焼ガス熱量出力＋質量出力を（同一燃料量既存ガスタービンの２５０〜５００倍出力＋２０〜４０倍出力）＝（既存ガスタービンの２７０〜５４０倍仮説出力）等の、回転出力輸送機器にする技術に関する。
【００１３】
全動翼ガスタービン圧縮機翼を、撥水性金属・撥水性物質の被覆・撥水性セラミックス・撥水性加工の、何れか１以上で構成の撥水性水冷却翼８７にして、水冷却した低温の全動翼圧縮機翼により、略直線蛇行的に最も効率良く空気を圧縮して空気冷却し、摩擦損失最小で空気を圧縮し、全動翼圧縮機翼を冷却した水を噴射して、直接圧縮空気を冷却の過程で、撥水性水冷却翼８７と水等との間の摩擦損失を低減して熱回収し、圧縮空気圧力を全動翼により極限まで上昇して出力を発生し、ドライアイスや液体窒素等を製造可能にすると共に、燃焼器兼熱交換器４に最も効率良く低温空気を供給する、各種合体機関の技術に関する。
【００１４】
各種合体機関の燃焼器兼熱交換器４により限りなく高圧燃焼熱交換し、圧縮空気保有熱量を含め、燃料発熱量全部＋圧縮空気保有熱量を熱回収し、既存ボイラの２倍前後の熱回収量の超臨界温度等複数温度の高温水５ｂとして、各種合体機関を駆動します。そして起動時には高温水が皆無のため、起動時のみ（燃焼ガス質量×２倍落差×１０〜２０倍機械効率）＝（既存ガスタービンと同一燃焼ガス質量２０〜４０倍仮説出力）により、各種全動翼ガスタービンとして駆動し、燃料の消費熱量を０以下として、該熱効率を無限上昇とします。そして出力発生の過程で高温水温度を上昇し、大気圧や復水器真空まで膨張させる、各種全動翼蒸気ガスタービン合体機関に移行する技術に関する。
【００１５】
合体機関の燃焼器兼熱交換器４により限りなく高圧燃焼熱交換して得た、最低温度の燃焼ガス質量出力＋既存ボイラの２倍前後の回収熱量の超臨界温度等複数温度の高温水５ｂ出力を、夫々大気圧まで使用し（既存ガスタービンと同一質量２倍落差×１０〜２０倍機械効率＋２５０〜５００倍出力）＝（既存ガスタービンの２７０〜５４０倍仮説出力）とします。排気飽和温度１００℃の気化熱を気化潜熱回収器６６ａで回収して、燃焼器兼熱交換器４に給水３として利用の他方で、ＣＯ２等の燃焼ガスを５０倍質量等の凝縮水に溶解して回収し、膨大な窒素やＣＯ２等の回収により肥料等の製造を可能にして、大気圧まで回転出力として使用の合体機関で駆動する、自動車等の回転出力駆動機器の技術に関する。
【００１６】
回転出力輸送機器の自動車等の出力発生は、超臨界温度等複数温度の高温水５ｂ全部を、複数の高温水加減弁７ａより高温水管６ａを介して、全動翼蒸気ガスタービン合体機関の夫々の高温水溜３２ａに供給し、夫々の加熱高温手段１０１により加熱高温とした、夫々の高温水噴射ノズル５９ｂより複数温度の高温水５ｂを、複数の高温水溜３２ａより夫々の霧吹きの原理９１ｅに供給して噴射の過程で、最高温度の高温水５ｂを中核に複数温度の高温水５ｂで構成した、霧吹きの原理９１ｅより、ノズルと高温水との間に気化膜を設けて摩擦損失を最少とし、気化爆発エネルギや気化爆発容積速度等により、ノズル内では高温水を機関銃の弾丸や吹雪のように加速して、気化爆発エネルギを最も効率良く利用する技術に関する。
【００１７】
ノズル外では高温水を散弾ロケットや吹雪等のように加速して、電磁加熱高温とした全動翼タービン動翼８１により、高温水５ｂと動翼との間に気化膜を設けて、摩擦損失最少で略直線蛇行的に加速噴射して全動翼を高温水駆動し、機械効率を１０〜２０倍に上昇します。最適中流段に低温燃焼ガス質量を供給して、燃焼ガスを高温水で冷却しながら出力を発生させ、出力発生断熱膨張の過程で燃焼ガス排気温度を−２７３℃に近付け、飽和温度１００℃の水蒸気より気化潜熱回収器６６ａの給水３で熱回収して、給水３と低温燃焼ガスにより水蒸気を冷却して凝縮水とし、回転出力輸送機器でＣＯ２等の燃焼ガスを５０倍質量等の凝縮水に溶解して排水し、ＣＯ２等の燃焼ガス排気を０に近付ける技術に関する。
【００１８】
回転出力輸送機器用等は、低温燃焼ガス溶解用の凝縮水を最大として、ＣＯ２等燃焼ガス排気を０とするため、全出力を合体機関回転出力とし、既存ガスタービンの２７０〜５４０倍仮説出力とします。用途により高温水噴射用の水に化学物質等を混入し、ＣＯ２等の燃焼ガスを合成溶解容易とし、輸送用機器等からのＣＯ２等公害ガス排気を無害化し、燃焼ガス排気温度を−２７３℃に近付け、気化潜熱回収器６６ａの給水３と低温ＣＯ２等燃焼ガスにより、飽和水蒸気を冷却して５０倍質量等の凝縮水に溶解し、ＣＯ２等燃焼ガス排気を０にする過程で、動力を伝達しながら、多段に昇圧して超高圧少量送水する、送水ポンプ兼磁気摩擦動力伝達装置１００ａや、送水ポンプ兼二重反転磁気摩擦動力伝達装置１４ａを、全ての全動翼蒸気ガスタービン合体機関の中核技術とする技術に関する。
【００１９】
噴射推進出力発生の輸送機器用等としては、ＣＯ２等の燃焼ガス排気を０として、２７０〜５４０倍仮説出力等とするため、燃焼器兼熱交換器４により、限り無く高圧燃焼熱交換して最大の熱回収量とし、熱回収した超臨界温度等複数温度の高温水５ｂの一部で、用途により全動翼圧縮機を含む全動翼蒸気タービンを駆動します。残りの高温水５ｂの大部分及び燃焼ガス全部を、夫々の霧吹きの原理９１ｅ・９１ｂを利用してバイパス噴射推進し、残りの高温水を燃焼器兼熱交換器４等に適宜に貯蔵して最適利用し、火災や非常時に安全な１０倍速度等の超音速飛行機等として使用し、排気の過程では低温燃焼ガスにより水蒸気容積を１／１７００に冷却凝集して、排気騒音を１／１０等に低減する、各種輸送機器用等の全動翼蒸気ガスタービン合体機関技術に関する。
【００２０】
燃焼ガス１０全部や高温水５ｂの大部分をバイパス噴射推進する船舶等では、既存ガスタービンの２７０〜５４０倍仮説出力に増大することで、その噴射推進速度を１０倍の時速５００ｋｍ等に上昇します。噴射推進の過程では断熱膨張低温燃焼ガスにより直接海水を冷却して、ＣＯ２等の燃焼ガス全部を海底に供給する過程で、用途により酸素等の空気を吸引して供給し、膨大な海水域に僅少な窒素や酸素やＣＯ２を供給して海域を活性化し、微生物や藻類や魚介類等の食料増産を図ります。そして回転出力や噴射推進出力を利用する、各種発電設備や熱と電気と冷熱の併給設備や、熱と電気の併給設備や各種汎用機関や、各種車両や各種機械用や、各種航空機や各種飛行物体や、各種船舶や各種飛行船舶や、各種飛行車両等あらゆる用途に対応可能にする技術に関する。
【００２１】
【従来の技術】
既存ガスタービンは偶々出力を発生したものの改良で、基礎研究皆無の熱量を全く利用しない容積利用のため、タービンの耐熱限界温度に制約されて、燃焼ガス落差×質量＝重力仕事率の増大が不可能乃至困難に加えて、熱量を利用しないで断熱膨張５００℃前後に、単位容積の重力仕事率を大幅に低減して高温排気し、断熱膨張して熱回収が困難な排気後に熱回収する等、無茶苦茶設計です。更に動翼の１０倍〜２０倍前後も速度エネルギを消費して、回転仕事を全くしない静翼を１／２も設けているため、全熱出力が１／２７０や１／５４０等に低減して、燃料電池の出力に近付き大損失です。
【００２２】
既存蒸気タービンも偶々出力を発生したものの改良で、基礎研究皆無の熱量を全く利用しない容積利用のため、超臨界圧力過熱蒸気を再三再熱して、復水器真空では１００００倍以上に断熱膨張し、単位重力仕事率を１／１００００に低減して、同一出力に１００００倍の動翼面積が必要です。膨大過ぎる蒸気速度も全く利用不可のため、動翼の１０〜２０倍前後も速度エネルギを消費して、回転仕事を全くしない静翼を半分も設けて、蒸気速度を堰き止めて減速する等、無茶苦茶過ぎるのです。蒸気容積のみ利用のサイクルでは、合理的な設計が不可能なため、無茶苦茶な設計となり、全熱出力が１／２５０や１／５００等に低減して、風力発電や燃料電池の発電量に近付け、膨大な熱需要があるのに、ボイラで加熱した全熱量で海水温度等を上昇して大損失し、ＣＯ２等をボイラから排気して地球温暖化を加速する、無茶苦茶をしております。
【００２３】
先の出願としてガスタービン燃焼器を熱交換器と兼用した、特願２０００−０２４５５２号、特願２０００−０３２５３９号、特願２０００−０４３７０６号、特願２０００−０５８０７９号、特願２０００−１０７４４６号、特願２０００−３９２４０１号、特願２００１−０１１３９９号、特願２００１−０１５２３４号、特願２００１−０２０９６３号、特願２００１−１７１１２８号、特願２００１−３１２３３８号、特願２００１−３３６１３９号、特願２００２−１２５７２号、特願２００２−１１８９３３号、特願２００２−１４２２７０号、特願２００２−３４９５４４号、特願２００３−３１２５号があります。
【００２４】
以上先の出願に基づく優先権主張出願は概略的に、全動翼を含む及び／ガスタービンの全複数の燃焼器を、熱交換器としても兼用して、限りなく高圧燃焼熱交換して、燃焼ガス入り口温度を最低に近付けて該排気温度を-２７３℃に近付け、燃焼ガス熱量と燃焼ガス質量を、別々に使用可能とし、過熱蒸気や高温水や燃焼ガスを水噴射冷却して、大気圧重力仕事率１７００倍の水質量を最適最大として、発電用では供給熱量を気化熱のみの気化爆発エネルギに近付けて、重力仕事率を最大にすると共に、供給熱量略全部を１００℃以下で需要家に供給することで、水道水や低温燃焼ガスにより水蒸気を冷却凝集し、ＣＯ２等の燃焼ガス排気を〇等として地球温暖化防止して、用途に合わせて無駄の最少を狙うものです。
【００２５】
【発明が解決しようとする課題】
既存最先端再熱蒸気タービンは、熱量を全く利用しない容積利用のため、再三再熱して容積を増大し、最終段復水器真空では蒸気容積が１００００倍以上に増大し、重力仕事率が１／１００００等に低減するため、動翼面積を１００００倍に増大しないと、同一落差では同一出力が得られません。即ち、合理的な設計が不可能な動翼面積や大蒸気速度のため、動翼の１０〜２０倍も速度エネルギを消費して、回転仕事をしない膨大な量の静翼を設けて、多段に堰き止めて風向きを反転させ、実用過熱蒸気速度に減速する、無茶苦茶過ぎる設計のため、無茶苦茶設計の既存ガスタービンと比較説明します。そこで合理的な設計が可能な全動翼蒸気タービンや全動翼蒸気ガスタービン等の全動翼蒸気ガスタービン合体機関を提供することを目的とします。
【００２６】
更に問題なのは膨大な温熱や冷熱の需要が有るのに、ボイラで発生回収した熱量を全く利用しないで、断熱膨張させて使用した熱量全部で海水温度を上昇し、膨大なＣＯ２等の燃焼ガスをボイラから排気して地球温暖化を加速し、発電量を１／２７０〜１／５４０に低減しております。そこで供給熱量略全部を１００℃以下の温熱として需要家に供給し、海水温度の上昇を皆無として、ＣＯ２等燃焼ガス排気温度を−２７３℃に近付け、燃焼ガス略全部を冷熱に変換して需要家に供給し、ＣＯ２等の排気を０として、燃焼ガス熱量発電量＋燃焼ガス質量発電量を、２７０〜５４０倍仮説発電量に増大して、電気料金を１／１０等に低減し、地球温暖化防止することを目的とする。
【００２７】
そこで既存ガスタービン燃焼器を合体機関燃焼器兼熱交換器４として、限り無く高圧燃焼熱交換冷却燃焼して、燃焼ガスタービン入口温度を最低として、燃焼ガス排気温度を−２７３℃に近付け、熱交換して得た燃焼ガス熱量出力の、超臨界圧力等の高温水回収熱量を既存ボイラの２倍前後の最大とし、超臨界温度等複数温度の高温水気化爆発エネルギにより、ノズル内では機関銃の弾丸や吹雪のように高温水を加速し、ノズル外では散弾ロケットや吹雪のように高温水を加速して、大気圧単位容積の重力仕事率を、燃焼ガスの１０００倍に増大して出力を発生させ、燃焼ガス熱量出力を（既存ガスタービンの５倍落差×２倍熱量×５０倍重力仕事率×１０〜２０倍機械効率×１／２０減少率）＝（既存ガスタービンの２５０〜５００倍仮説発電量乃至出力）に増大することを目的にます。
【００２８】
用途により出力発生の過程で更に水噴射して水蒸気を冷却し、その容積を縮小して重力仕事率を増大し、減速した出力発生として、排気の過程では気化潜熱回収器６６ａを復水器と略同様に設けて、空気抽出器により用途に合わせた飽和温度にし、冷却水も用途に合わせて給水３や水道水７０を使用し、通常は１００℃以下の飽和温度として水道水７０や給水３で気化熱回収し、温熱水道水は貯蔵して給水３は補給水とし、燃焼器兼熱交換器４には凝縮水を繰り返し再再供給して、同一熱量を繰り返し使用します。貯蔵した供給熱量略全部の膨大な温熱を、製造原価略０で需要家に供給し、可能な限り発電の副産物の温熱有効利用を拡大し、海水温度の上昇を皆無にすることを目的とします。
【００２９】
気化潜熱回収器６６ａにより同一熱量を繰返し熱回収して、凝縮水を燃焼器兼熱交換器４に供給し、燃料燃焼熱量を気化熱に近付けて大幅に低減し、熱回収して得た超臨界温度等複数温度の高温水５ｂを、全動翼蒸気タービンの最上流複数の高温水溜３２ａに供給し、加熱高温手段１０１により加熱高温とした複数の高温水噴射ノズル５９ｂより、複数温度の高温水５ｂとの間に気化膜を設けて摩擦損失を最少とし、超臨界温度等高温水５ｂの気化爆発力や容積速度を利用して、ノズル内では機関銃の弾丸や吹雪のように高温水を加速し、ノズル外では散弾ロケットや吹雪のように高温水を加速して、落差や重力仕事率を最大に近付けた出力発生とし、電磁加熱高温とした、電磁加熱タービン動翼８１と高温水との間に気化膜を設けて、摩擦損失最少として全動翼により略直線蛇行的に噴射して、機械効率を１０〜２０倍に上昇させることを目的とします。
【００３０】
発電量と冷熱供給量を最大にする場合は、微粉炭燃焼と高温水５ｂ出力とし、最終段復水器真空での動翼面積の一部乃至大部分を、重力仕事率の増大で１／１００００に近付けて、合理的動翼面積の設計を可能にし、燃焼ガス排気温度を−２７３℃に近付けます。そして電磁加熱高温の電磁加熱タービン動翼８１を具備した、全動翼蒸気ガスタービンの最上流に最適最少量の高温水５ｂを供給し、全動翼電磁加熱タービン動翼８１により、略直線蛇行的に高温水５ｂを噴射して、電磁加熱タービン動翼８１と高温水５ｂとの間に気化膜を設けて、摩擦損失最少で出力を発生し、中流最適段に熱交換して得た低温燃焼ガス質量を供給して、燃焼ガス質量発電量を（既存ガスタービンの２倍落差×灰分等２倍質量×１０〜２０倍機械効率）＝（既存ガスタービンの４０〜８０倍仮説発電量）の最大にし、燃焼ガス全部の冷熱最大量を需要家に供給することを目的とする。
【００３１】
既存最先端ガスタービンも、熱量を全く利用しない容積利用のため、タービン耐熱限界温度の上昇により、落差の増大が不可能になり、排気温度が５００℃前後と非常に高く、動翼の１０〜２０倍も速度エネルギを消費して仕事をしない、静翼を１／２も設けて実用燃焼ガス速度に減速する、無茶苦茶設計です。そこで冷熱回収量を最大にする場合は、通常燃料全動翼ガスタービン燃焼器兼熱交換器４とし、全動翼により極限まで高圧燃焼熱交換冷却燃焼して、燃焼ガス質量出力を２０〜４０倍仮説出力とし、燃焼ガス排気温度を−２７３℃に近付け、冷熱回収器１０２により極低温燃焼ガス全部より、ドライアイスや液体窒素の製造を可能にし、又は最大量の冷熱水道水として需要家に供給し、全動翼送風機１０３の吐出側を昇圧して、ＣＯ２等の燃焼ガスを水中に移動し、ＣＯ２等の排気を０乃至０に近付けることを目的とします。
【００３２】
燃焼器兼熱交換器４で熱交換して得た燃焼ガス熱量出力を、圧縮空気保有熱量−２７３℃以上略全部も含めて、既存ボイラの２倍前後の熱回収量の、超臨界温度等複数温度の高温水５ｂ熱回収量とし、熱交換して得た燃焼ガス質量出力を含めて、全動翼蒸気タービン乃至全動翼ガスタービン乃至全動翼蒸気ガスタービンを駆動し、更に霧吹きの原理９１ｂ・９１ｄ・９１ｅ・９１ｆを利用して、特殊装置９２ｂ・９２ｅ乃至水噴射装置９３ｄ・９３ｆを駆動し、既存ガスタービンの２７０〜５４０倍仮説発電量乃至出力の、発電機器や輸送機器等にし、地球温暖化防止することを目的とする。
【００３３】
【課題を解決するための手段】
実験数値が正解ですが、前段階のアイディアを明快に説明するため、すべて仮説数字で説明しておりますが、アイディア仮説数字に限定はしません。既存最先端再熱蒸気タービンのように再熱して、熱量を全く利用しない容積利用では、超臨界圧力から真空部まで蒸気速度が膨大過ぎて、有効利用困難ないし不可能に加えて、蒸気容積も１００００倍等に膨張し、単位容積重力仕事率が１／１００００に減少して、同一落差同一出力に１００００倍の動翼面積が必要になり、合理的な設計は不可能になり、動翼の１０〜２０倍も蒸気速度を堰き止めて回転仕事をしない、静翼を１／２も設けて実用蒸気速度に減速する等、無茶苦茶過ぎるのです。そこで合理的設計が可能な各種全動翼合体機関を提供します。
【００３４】
即ち実現不可能な動翼面積のため、再熱を逆転した全動翼蒸気タービンを使用して、超臨界温度等複数温度の高温水を霧吹きの原理等適宜に混合して噴射し、落差及び気化爆発エネルギにより、高温水を加速して出力を発生し、発電用等では供給熱量を気化熱に近付けて最少にします。そして加熱高温手段１０１により加熱高温として高温水との間に気化膜を設けて、摩擦損失を最少として砲身状や末広砲身状とした、高温水噴射ノズル５９ｂより超臨界温度等複数温度の高温水を、霧吹きの原理等適宜に混合して噴射して、ノズル内では機関銃の弾丸や吹雪のように高温水を加速し、ノズル外では散弾ロケットや吹雪のように高温水を加速して、燃焼ガス熱量出力を（既存ガスタービンの５倍落差×２倍回収熱量質量×５０倍重力仕事率×１０〜２０倍機械効率×１／２０減少率）＝（既存ガスタービンの２５０〜５００倍燃焼ガス熱量仮説発電量乃至出力）に増大します。
【００３５】
大気圧部重力仕事率が、水蒸気の１７００倍の高温水質量を最適最大として、動翼面積の一部乃至大部分を、既存再熱蒸気タービンの１／１７００等に縮小し、合理的な設計を可能にます。超臨界温度等複数温度の高温水落差や気化爆発力を利用することで、容積の増大を僅少として合理的な全動翼の設計を可能にし、重力仕事率が全燃焼ガスの５０倍等の高温水と、加熱高温の電磁加熱外側タービン動翼群１９や、電磁加熱内側タービン動翼群２０との間に気化膜を設けて、摩擦損失最少で略直線蛇行的に噴射して、機械効率を１０〜２０倍に上昇して回転出力を発生し、高温水の気化爆発力や気化爆発容積により、噴射速度を合理的な設計が可能に減速して、重力仕事率を極限まで増大し、燃焼ガス熱量出力を、既存ガスタービンの２５０〜５００倍仮説発電量乃至出力等に上昇します。
【００３６】
既存最先端ガスタービンも熱量を全く利用しない容積利用のため、出力が小さく排気温度も５００℃前後と高温で、ＣＯ２等の排出で地球温暖化を加速するため、前述のように全熱量を回収して５００倍燃焼ガス熱量出力等とし、燃焼ガス質量出力も既存ガスタービンの４０倍等に上昇します。そこで先ず既存ガスタービン燃焼器を燃焼器兼熱交換器４として、燃焼ガス温度と容積の障害を最低にし、限りなく高圧燃焼熱交換冷却燃焼して、燃焼ガスタービン入口温度を最低にし、燃焼ガス排気温度を−２７３℃に近付け、圧縮した空気の保有熱量−２７３℃以上略全部も含めて、既存ボイラの２倍前後の熱回収量の、超臨界温度等各種温度の高温水として、熱回収量を用途に合わせて最大にし、低温燃焼ガス全部を冷熱回収器１０２により、用途に合わせてドライアイスや液体窒素等として回収利用し、又は水道水冷熱に変換して需要家に供給します。
【００３７】
発電設備の冷熱回収用に限定した全動翼ガスタービンでは、燃焼ガス排気温度を−２７３℃に近付け、従来復水器と略同様に冷熱回収器１０２を設けて、従来冷却水に換えて水道水により冷熱を回収して、需要家に供給します。ドライアイスや液体窒素等を回収する用途の場合は、全動翼圧縮機の圧縮空気圧力を上昇して遠心力を利用し、冷熱回収器前でドライアイスや液体窒素を分離回収利用します。圧縮圧力を既存ガスタービンの２〜４倍の１０〜２０ＭＰａ等として、理論空燃比まで燃料燃焼質量も、同一圧縮空気量既存ガスタービンの略４倍にし、同一圧縮空気量出力を（既存ガスタービンの２倍落差×４倍質量×１０〜２０倍機械効率）＝（既存ガスタービンの８０〜１６０倍仮説発電量）に増大します。そして燃焼ガス質量出力を（既存ガスタービンの２倍落差質量×１０〜２０倍機械効率）＝（既存ガスタービンの２０〜４０倍仮説発電量）に増大します。
【００３８】
燃焼ガス熱量の高温水により摩擦損失最少で出力を発生させるため、全動翼蒸気タービン電磁加熱タービン動翼８１の、外側軸装置及び内側軸装置にコイル９８を設け、公知技術により回転接点を設けて通電し、電磁誘導加熱調理器と略同様に、環状の電磁加熱噴口８３を含む、電磁加熱外側タービン動翼群１９及び電磁加熱内側タービン動翼群２０を、鉄系の比透磁率の大きい材料で構成して、磁力線９９の渦電流により加熱高温にし、電磁加熱タービン動翼８１と高温水との間に気化膜を設け、摩擦損失を最小の重力仕事率を最大として、最適高温水速度に減速して合理的な回転出力を発生し、全動翼により略直線蛇行的に噴射して機械効率を１０〜２０倍に上昇し、既存ガスタービンの５００倍仮説発電量乃至出力等に増大します。
【００３９】
全動翼蒸気タービン電磁加熱タービン動翼８１により、略直線蛇行的に噴射して、気化爆発エネルギを最適利用して既存技術静翼を全廃し、機械効率を１０〜２０倍に上昇し、排気の過程では復水器と略同様に設けた、気化潜熱回収器６６ａの空気抽出器により、用途に合わせて飽和温度を１００℃・８０℃以下等とし、冷却水も給水３や水道水７０を用途に合わせて使用して、既存技術海水温度の上昇を全廃し、気化潜熱回収器６６ａにより熱回収した凝縮水を、燃焼器兼熱交換器４に供給することで、同一熱量を限り無く繰り返し再再再使用して、供給熱量の燃料燃焼質量を略気化熱の最低に低減すると共に、供給熱量略全部の膨大な温熱を、製造原価略０の副産物として、１００℃以下の水道水温熱として需要家に供給し、電気料金も１／１０等とします。
【００４０】
発電量と冷熱回収量を最大にして、ＣＯ２等の燃焼ガス排気を０等にする場合は、起動時のみ全動翼ガスタービンとして使用する、安価微粉炭燃料燃焼の全動翼蒸気ガスタービンの最上流に、最適最少量の超臨界圧力高温水を供給し、電磁加熱タービン動翼８１により略直線蛇行的に噴射して出力発生の過程で、中流最適段に冷却された灰分を含む燃焼ガスを供給して、出力発生の過程で用途により低温水噴射し、灰分を含めて重力仕事率を増大して最適減速し、その気化爆発水蒸気や燃焼ガスを冷却して、最大量の電力を供給すると共に、断熱膨張低温燃焼ガス灰を核に全水分を凝集することで、ＣＯ２等の燃焼ガスに被覆を設けて、撥水性タービン動翼８７ａ又は電磁加熱タービン動翼８１を選択して、摩擦損失最少で出力を発生し、冷熱回収器１０２で水分を含む低温燃焼ガスより、最大量の冷熱を水道水で回収して貯蔵し、水道水冷熱として需要家に供給します。
【００４１】
最大量の冷熱を５℃前後の水道水冷熱で貯蔵しておき、冷熱水道水管を配管して需要家に供給し、既存の業務用家庭用冷蔵設備やクーラーに変えて、脱フロンの安価な水道水冷熱利用の、業務用家庭用の冷凍設備や冷蔵設備やクーラーを提供し、膨大過ぎる冷熱は散水して都市部を丸ごと冷却する等とし、冷房や冷凍設備や冷蔵設備の運用費を１／１０等に低減します。膨大になり過ぎる冷熱水で海水を冷却する過程では、低温ＣＯ２や窒素等を大量の海水に溶解して冷熱水とし、酸素等の空気を吸引して海底に最適量を希薄供給し、微生物や海草や魚介類を繁殖させる工夫をして海域の活性化を図ります。又は水道水等を冷却した冷熱のＣＯ２や窒素等の溶解水は、生ゴミや泥土や植物片に固定して膨大安価な肥料等とし、深海固定等の常識を逆転して発電による海水温度の上昇も逆転します。
【００４２】
空気圧縮の過程では、全動翼圧縮機を撥水性水冷却翼８７で構成し、撥水性金属・撥水性物質の被覆・撥水性セラミックス・撥水性加工の、何れか１以上で構成の撥水性全動翼圧縮機翼を水冷却翼にすることで、圧縮空気を略直線蛇行的に圧縮して水冷却し、更にその水を水噴射手段５６から水噴射して直接空気冷却し、低温圧縮空気にする過程で、撥水性水冷却翼８７と水等との間の摩擦損失を最小に近付けて、最低温度の圧縮空気を燃焼器兼熱交換器４に供給し、限りなく高圧燃焼熱交換冷却燃焼して、燃焼ガスのタービン入口温度を、用途に合わせた最低温度に低下させます。
【００４３】
全動翼蒸気ガスタービン合体機関の燃焼器兼熱交換器４により、限り無く高圧燃焼熱交換冷却燃焼して、燃焼ガスのタービン入口温度を最低にすることで、燃焼ガス排気温度を−２７３℃に近付けます。そして出力発生の過程では用途に合わせて、電磁加熱タービン動翼８１又は撥水性タービン動翼８７ａを選択し、全動翼により略直線蛇行的に高温水５ｂや燃焼ガスを噴射して、摩擦損失最少で出力を発生します。用途により水噴射手段５６ａにより低温水を噴射して、気化爆発水蒸気や燃焼ガスを冷却し、単位容積を縮小して重力仕事率を増大し、高温水の気化爆発水蒸気速度や燃焼ガス速度を、水質量の速度重力仕事率にエネルギ変換し、最適速度に減速します。
【００４４】
用途により気化爆発エネルギ水蒸気や燃焼ガスを低温水噴射冷却して、水の重力仕事率にエネルギ変換して最適速度に減速し、２７０〜５４０倍仮説発電量に増大する過程で、膨張低温燃焼ガスによる水蒸気の冷却を僅少にして、燃焼ガス排気温度を−２７３℃に近付ける過程で、低温燃焼ガス灰分を核に水分を凝集して、自然現象と同様に雹や水滴の被覆を設けて真空まで膨張させ、冷熱回収器１０２による回収冷熱を最大にします。冷熱として回収した燃焼ガス全部の膨大な冷熱で、水道水等を熱交換冷却して貯蔵する過程で、燃焼ガスの窒素やＣＯ２等を膨大な水に溶解して、非常に安価で膨大な肥料等の製造を可能にし、世界の火力発電所から排出されるＣＯ２等の燃焼ガス排気を０等にし、冷熱の回収利用を最大にして地球温暖化防止します。
【００４５】
有限の燃料資源を子孫にも残すためには、発電用は安価微粉炭燃料の燃焼とし、燃焼灰の重力仕事率により全重力仕事率を更に増大して、燃焼ガス質量発電量を増大し、有限の燃料資源を最も合理的に配分使用します。燃焼器兼熱交換器４で限りなく高圧燃焼熱交換冷却燃焼して、全動翼蒸気ガスタービン燃焼ガス入口温度を最低にする過程を、安価微粉炭燃料の燃焼にし、燃焼ガス排気温度を−２７３℃に近付けて、圧縮空気保有熱量−２７３℃以上略全部を含め、既存ボイラの２倍前後の回収熱量を、超臨界温度等複数温度の高温水に変換した、全動翼蒸気タービン出力を含む燃焼ガス熱量出力は、前記同様に、既存ガスタービンの２５０〜５００倍仮設発電量にします。
【００４６】
そして同一燃料量燃焼ガス質量発電量を（既存ガスタービンの２倍落差×１０〜２０倍機械効率×燃焼灰を含め２倍質量）＝（既存ガスタービンの４０〜８０倍燃焼ガス質量発電量）に増大します。出力発生の過程では前述のように、全動翼蒸気ガスタービンの最上流に供給した最少最適量の高温水出力とし、中流最適段に供給した燃焼ガス質量出力の、燃焼灰を含む低温燃焼ガスを核に低温水分を凝集し、真空を可能にして冷熱回収量と発電量を最大にします。そして（燃焼ガス質量発電量）＋（燃焼ガス熱量発電量）＝（既存ガスタービンの４０〜８０倍燃焼ガス質量発電量）＋（既存ガスタービンの２５０〜５００倍燃焼ガス熱量発電量）＝（既存ガスタービンの２９０〜５８０倍仮説発電量）に増大します。
【００４７】
燃焼ガス熱量出力＋燃焼ガス質量出力全部を、回転出力として燃焼ガス排気を０等とする、輸送機器の自動車等で使用する場合は、全動翼蒸気ガスタービンの最上流複数の高温水溜３２ａに、燃焼器兼熱交換器４で熱交換して得た超臨界温度等複数温度の高温水全部を、夫々の高温水加減弁７ａより燃焼ガス熱量出力として供給し、加熱高温手段１０１で加熱高温とした、砲身状乃至末広砲身状の高温水噴射ノズル５９ｂより噴射して、ノズルと高温水との間に気化膜を設けて、摩擦損失最少で気化爆発力や気化容積速度を最適利用し、ノズル内やノズル外では、機関銃の弾丸や散弾ロケットや吹雪のように高温水を加速して、加熱高温とした電磁加熱タービン動翼８１と高温水との間にも気化膜を設けて、摩擦損失最少の重力仕事率最大の高温水速度最適で、略直線蛇行的に噴射し、機械効率を１０〜２０倍に上昇します。
【００４８】
大気圧重力仕事率が既存蒸気タービンの１７００倍の、高温水５ｂの質量を用途に合わせて最大にし、中流最適段に最低温度の燃焼ガスを供給し、一瞬高温水５ｂで燃焼ガス１０を冷却し、出力発生の過程で逆転して、低温燃焼ガスにより高温水を冷却して、気化潜熱回収器６６ａにより給水３により熱回収して、燃焼器兼熱交換器４に供給使用し、ＣＯ２等の燃焼ガスを５０倍質量等の凝縮水に溶解して排水し、ＣＯ２等の燃焼ガス排気を０等にすると共に、大気圧部重力仕事率を既存技術の１７００倍の高温水出力にして、タービン動翼面積の一部乃至大部分を１／１７００の、合理的な動翼面積にします。即ち回収熱量を高温水の気化爆発力として使用することで、タービンの動翼面積も１／１００動翼面積等に縮小し、合理的な設計や回転数を可能にすると共に、構造を１／１０等に小型簡単にします。
【００４９】
自動車等の回転出力輸送用機器の場合は、飽和温度が１００℃前後に限定され、気化潜熱回収器６６ａは重量が大きい空冷となり、凝縮水を燃焼器兼熱交換器４に限り無く再再供給使用が通常のため、燃焼ガス溶解水の用途が無い場合は、燃焼ガスの全部又は一部により、全動翼ガスタービンを駆動して発電等で利用して、その排気を冷房用等の別用途に使用し、又はドライアイスや液体窒素等として回収利用する、全動翼蒸気ガスタービンとします。凝縮水を再再使用して超臨界温度等複数温度の高温水にしますが、構造が簡単となり、燃焼ガス熱量出力が（同一燃料量既存ガスタービンの５０倍質量重力仕事率×５倍落差×２倍回収熱量×１０〜２０倍機械効率×１／２０減少率）＝（２５０〜５００倍仮説出力）等となり、燃焼ガス質量出力を０等とした、各種輸送機器用の、全動翼蒸気ガスタービン合体機関として使用します。
【００５０】
回転出力＋噴射推進力利用の場合、回転出力用の超臨界温度等複数温度の高温水温度は、排気噴射速度等も推進力として利用するため過熱蒸気に近付き、霧吹きの原理を利用した、空気吸引噴射乃至水吸引噴射する、噴射推進出力発生用の超臨界圧力等の高温水温度も、非常に大きな速度を利用可能なため、過熱蒸気温度に近付きます。従って全動翼蒸気ガスタービン合体機関の空気圧縮機を駆動するため、高温水の気化爆発エネルギを回転出力にエネルギ変換する部分を除き、霧吹きの原理を利用した構造が非常に簡単になるため、廃熱回収が不可能を相殺した出力となり、既存ガスタービンの２７０〜５４０倍仮設出力等の、全動翼蒸気ガスタービン合体機関として、超音速旅客機や宇宙往還親飛行機や噴射推進船舶等として使用し、その速度を１０倍前後に増大します。
【００５１】
例えば図６の、全動翼蒸気タービン合体機関乃至全動翼蒸気ガスタービン合体機関は、通常の起動装置により全動翼蒸気タービンを含む全動翼圧縮機を駆動し、前方の空気を吸入して、燃焼器兼熱交換器４により限り無く高圧燃焼熱交換冷却燃焼して、起動時のみ全動翼蒸気タービンを全動翼ガスタービンで使用し、公知技術により図に無いバルブ制御して、熱交換して得た燃焼ガス熱量出力の、高温水を超臨界圧力等として貯蔵しながら、熱交換して得た燃焼ガス質量出力の低温燃焼ガスを、全動翼蒸気タービンの最上流に供給し、その回転出力で全動翼圧縮機を駆動し、超臨界温度等複数温度の高温水温度を上昇しながら、排気速度質量を噴射推進力として、起動準備運転を継続します。
【００５２】
起動準備運転で熱交換して得た超臨界温度等の高温水温度上昇時には、図に無いバルブ制御により、燃焼ガス質量の低温燃焼ガス１０全部を、霧吹きの原理９１ｂよりバイパス噴射して、前方の空気を吸引して噴射し、その吸引力と噴射速度質量を噴射推進力とし、熱交換して得た燃焼ガス熱量の超臨界温度等複数温度の高温水の一部を、全動翼蒸気タービンの最上流複数の高温水溜り３２ａに供給して、夫々の高温水噴射ノズル５９ｂにより適宜に混合して噴射し、電磁加熱タービン動翼８１により摩擦損失最少で回転出力を発生して、その回転出力により全動翼空気圧縮機を駆動し、その空気吸引力と排気噴射速度×質量を噴射推進力とし、残りの高温水全部を適宜に貯蔵してバイパス噴射して、既存超音速ジェット機の１０倍前後の速度で高速飛行します。
【００５３】
即ち公知技術による図に無いバルブ制御により、熱交換して得た燃焼ガス全部と残りの高温水は、夫々の霧吹きの原理９１ｂと９１ｅを利用してバイパス噴射し、断熱膨張ラムジエツトを遥かに越える大落差で燃焼ガスをバイパス噴射し、ラムジェットの５倍落差前後５０倍仮説質量等で高温水をバイパス噴射して、前方の空気を吸引して噴射推進し、空気吸引力と噴射速度×質量により、既存ジェット機の１０倍前後の超音速飛行を含めて、超音速ジエツト機や宇宙往還親飛行機や、飛行船舶や飛行物体等を最も効率良く噴射推進し、噴射推進の過程で低温燃焼ガスにより、水蒸気容積を１/１７００容積等に冷却縮小して、溶解水を海上等に希薄供給して海域の活性化を図り、排気騒音を１／１０等に低減して、騒音公害を皆無に近付けます。
【００５４】
【発明の実施の形態】
発明の実施の形態や実施例を、図面を参照して説明するが、既説明の実施形態や実施例と、その構成が略同じ部分には、同一の名称又は符号を付して、重複説明は省略し、特徴的な部分や説明不足部分は、順次追加重複説明する。又、発明の意図する所及び予想を具体的に明快に説明するため、アイディアを仮説数字で説明しておりますが、前記仮説倍率を含めて数字に限定しません。
【００５５】
この発明により最も簡単に効率良く空気を冷却圧縮し、熱回収して低温空気として使用する燃焼器兼熱交換器４は、既に特許出願済の燃焼器兼熱交換器を、用途に合わせて選択使用します。又、極低温燃焼ガスや高温水５ｂ等で、最も効率良く出力を発生させるため、加熱高温の電磁加熱タービン動翼８１を使用しますが、用途によりその一部又は全部を、撥水性タービン動翼８７ａに置換します。また燃焼ガス排気温度を−２７３℃に近付けて、極低温燃焼ガスとしますが、前記説明を含めて、−２７３℃に近付けるは、実用的な最低温度として使用し、−１００℃前後や−２０℃前後等−温度全部に拡大して使用します。
【００５６】
図１の全動翼蒸気タービンの第１実施例には、図３等の燃焼器兼熱交換器４により熱交換して得た、同一燃料量既存ボイラの２倍前後の回収熱量の全部又は大部分を、超臨界温度等複数温度の高温水５ｂとして高温水管６ａにより、高温水加減弁７ａを介して、全動翼蒸気タービンの最上流複数の高温水溜３２ａに、夫々複数温度の高温水を別々に供給し、断熱材４８ａを介して設けて、直接の電気抵抗や電磁加熱等公知技術により加熱高温とする、加熱高温手段１０１により加熱高温とした、砲身状乃至末広砲身状の高温水噴射ノズル５９ｂにより、高温水５ｂとの間に気化膜を設けて、摩擦損失最少で大落差容積利用や気化爆発エネルギ利用により、高温水５ｂを重力仕事率最大の消費熱量最少で加速して、最も効率良く回転出力を発生します。
【００５７】
従って高温水噴射ノズル５９ｂ内では超臨界温度等複数温度の高温水を、機関銃の弾丸や吹雪のように加速し、ノズル外では散弾ロケットや吹雪のように高温水５ｂを加速して、電磁誘導加熱高温の電磁加熱タービン動翼８１との間に気化膜を設け、摩擦損失最少で略直線蛇行的に噴射して、機械効率を既存蒸気タービンの１０〜２０倍に上昇し、例えば燃焼ガス熱量出力を（既存ガスタービンの５倍落差×２倍回収熱量×５０倍質量重力仕事率×１０〜２０倍機械効率×１／２０減少率）＝（既存ガスタービンの２５０〜５００倍仮説出力）等に増大し、出力発生の過程でも用途により水噴射して、高温水気化爆発や容積利用による水蒸気５を冷却して、水蒸気容積を大気圧部１／１７００等に縮小し、蒸気速度の大部分は高温水質量の速度重力仕事率にエネルギ変換し、最適速度に減速して、合理的な設計が可能な回転数にし、構造を１／１０等に小型簡単にします。
【００５８】
落差は超臨界圧力より大気圧まで使用で充分等とし、大気圧部単位容積重力仕事率が、最先端蒸気タービンの１７００倍の高温水落差×質量を、既存ガスタービン燃焼ガスの５倍落差超臨界圧力×５０倍質量等とし、重力仕事率最大×最適速度に減速し、電磁加熱タービン動翼８１の動翼面積の一部乃至大部分を、１／１７００に縮小して、合理的な設計が可能な動翼面積に縮小し、大気圧部単位動翼面積の最大出力を１７００倍に増大します。電磁加熱タービン動翼８１の大幅な動翼面積の縮小及び、全重力仕事率の大幅な増大及び、高温水速度の最適速度に減速により、全動翼蒸気タービンの合理的設計を可能にし、低速回転の可能や１／１０等の小型簡単化や、５００倍等の仮説出力に増大します。
【００５９】
合理的設計や低速大出力回転可能や小型簡単大出力にすることで、全動翼翼形として略直線蛇行的に噴射を可能にすると共に、電磁加熱外側タービン動翼群１９及び、電磁加熱内側タービン動翼群２０を、段落毎環状に一体鋳造８４及び全自動加工も可能にします。そして鋳造時のタービン翼等に、用途により断熱して設けた図に無い適宜の冷却手段５５の水を噴射する、断熱して設けた水噴射手段５６ａの鋳込みを可能にし、外径組立環状部８５や内径組立環状部８６の接続部付近に、水噴射手段５６ａを設けて、電磁加熱外側タービン動翼群１９及び、電磁加熱内側タービン動翼群２０の電磁加熱タービン動翼８１とし、略直線蛇行的に噴射して、機械効率を既存蒸気タービンの１０〜２０倍に上昇します。
【００６０】
翼間隔を拡大した全動翼翼形や全動翼翼幅や全動翼翼角度を、重力仕事率大気圧部１７００倍等の増大に合わせた形状にします。そして鋳造時の電磁加熱タービン動翼８１を、磁力線を通し易い鉄を主成分とした材料で構成し、磁力線を集めて渦電流により、電磁調理器と略同様に電磁誘導加熱高温にします。外側軸装置及び内側軸装置にコイル９８を設け、公知技術による回転接点により通電して、電磁加熱外側タービン動翼群１９及び、電磁加熱内側タービン動翼群２０に、磁力線を集めて渦電流による電気抵抗により電磁誘導加熱高温にし、出力発生の過程では高温水との間に気化膜を設けて、摩擦損失最少として略直線蛇行的に高温水５ｂを噴射して、重力仕事率最大の最適噴射速度で、機械効率を既存蒸気タービンの１０〜２０倍に上昇します。
【００６１】
排気の過程では、既存復水器と略同様に設けた気化潜熱回収器６６ａの空気抽出器により、飽和温度１００℃以下等を可能とし、冷却水の海水に換えて水道水７０で熱回収することで、１００℃等の回収凝縮水を限り無く繰り返し燃焼器兼熱交換器４に供給して再再再使用し、供給燃料燃焼質量を気化熱の最低に節減すると共に、供給燃料燃焼熱量全部を飽和温度１００℃以下の水道水温熱として、気化潜熱回収器６６ａにより熱回収して貯蔵しておき、供給熱量略全部の膨大な水道水温熱を発電の副産物として、製造原価略０で需要家に供給して需要の拡大を図り、燃料燃焼使用熱量全部による、既存蒸気タービンの海水温度の上昇を皆無として、電気料金を１／１０等とします。
【００６２】
図２の超臨界温度等複数温度の高温水５ｂを、霧吹きの原理等により適宜に混合して噴射する、各種高温水噴射ノズル５９ｂを説明する。既存蒸気タービンのように、堰き止めて蒸気速度を実用速度に減速する無茶苦茶や、１７００倍容積に増大して合理的な設計を不可能にする無茶苦茶を全廃して、超臨界温度等複数温度の高温水５ｂの内、最高温度の高温水５ｂを中心に配置して、１以上複数温度の高温水と９０°前後で交差・合流混合して噴射する、又は１以上複数温度の高温水と霧吹きの原理で合流混合して噴射する、何れかの高温水噴射ノズル５９ｂとして、合理的に電磁加熱タービン動翼８１を、最も効率良く高温水５ｂを加速して駆動するものが、各種高温水噴射ノズル５９ｂです。
【００６３】
そこで超臨界温度等最高温度温度の高温水５ｂを中心として、複数温度の高温水５ｂを霧吹きの原理等により適宜に混合して噴射し、超臨界温度等最高温度の高温水容積利用により、水蒸気速度を確保しながら複数温度の高温水質量により、重力仕事率を増大して最適減速する過程で、複数温度の高温水気化爆発力を最適利用して、供給熱量最少の発電量乃至出力最大を狙うものです。従って最高温度の高温水５ｂを通水する高温水噴射ノズル５９ｂを中心として、複数温度の高温水５ｂを通水する高温水噴射ノズル５９ａを合流して、超臨界温度等複数温度の高温水を霧吹きの原理等で適宜に混合して噴射する、高温水噴射ノズル５９ｂを構成します。
【００６４】
図２では紙面の都合で砲身状又は末広砲身状の部分が不明ですが、図に無い延長部分が中核部分の砲身状又は末広砲身状のノズル部分で、このノズル内では高温水５ｂを機関銃の弾丸や吹雪のように加速します。電気抵抗等の公知技術で加熱する加熱高温手段１０１により加熱高温として、高温水管６ａより高温水溜３２ａ経由で供給された、高温水５ｂとの間に気化膜を設けて、摩擦損失最少で高温水を加速します。加熱高温手段１０１の外側には断熱材４８ａを設けて、全動翼蒸気タービンや全動翼蒸気ガスタービンの最上流及び、霧吹きの原理９１ｅ・９１ｆの最上流に具備して、全動翼蒸気タービンや全動翼蒸気ガスタービン及び、特殊装置９２ｅや水噴射装置９３ｆを構成し、最も効率良く回転出力及び噴射推進出力を発生します。
【００６５】
図３の全動翼ガスタービンの第一実施例は、全動翼圧縮機の主要部分の、外側圧縮機動翼群１６及び内側圧縮機動翼群１７の、撥水性金属・撥水性物質の被覆・撥水性セラミックス・撥水性加工の、何れか１以上で構成の撥水性水冷却翼８７等を、図にない冷却手段５５により通水して水冷却し、その水を水噴射手段５６より水噴射して圧縮空気を直接接触冷却し、その熱を給水３で熱回収して空気容積を縮小します。撥水性水冷却翼８７で成る全動翼とすることで、翼間隔を増大した全動翼翼形として、圧縮空気を略直線蛇行的に効率よく圧縮し、水との摩擦損失最小で圧縮する、撥水性の外側圧縮機動翼群１６及び内側圧縮機動翼群１７を、段落毎圧縮機翼群を環状に一体鋳造８４とし、全自動加工仕上げを可能にします。
【００６６】
全自動加工が可能な環状に一体鋳造８４の組立構造とし、環状鋳造組立接続部で冷却手段５５の水路を連結して、該組立接続部付近に水噴射手段５６を設けます。冷却手段５５の水路を、１以上複数又は段落全部又は段落半分の撥水性水冷却翼８７を冷却後に、水噴射手段５６より水噴射して直接空気冷却し、最も効率良く水冷却した低温空気を、用途に合わせて全動翼により限り無く高圧圧縮します。熱回収した高温給水と低温圧縮空気により、燃焼器兼熱交換器４で限りなく高圧燃焼熱交換冷却燃焼して熱回収し、全動翼ガスタービン燃焼ガス入口温度を最低に低下させ、熱回収量を既存ボイラの２倍前後に増大して、低温燃焼ガス排気温度を−２７３℃に近付けます。
【００６７】
燃焼器兼熱交換器４で限りなく高圧燃焼熱交換冷却燃焼熱回収して、燃焼ガスの温度と容積の障害を最低にし、圧縮圧力を既存ガスタービンの２倍以上の１０ＭＰa以上とし、燃料燃焼質量も理論空燃比まで、同一圧縮空気量既存ガスタービンの略４倍燃焼とし、燃料燃焼熱量の消費を０以下とした、燃焼ガス質量出力を（同一圧縮空気量最低温度の燃焼ガス質量出力）＝（既存ガスタービンの２倍落差×４倍燃料質量×１０〜２０倍機械効率）＝（同一圧縮空気量既存ガスタービンの８０〜１６０倍仮説発電量）とし、（同一燃料量既存ガスタービンの２０〜４０倍仮説発電量）とします。
【００６８】
熱交換して得た最低温度の燃焼ガス１０質量を、全動翼ガスタービンの最上流の環状の燃焼ガス溜９より、外側軸装置の環状の受け口２３を介して、全動翼ガスタービンの最上流に供給して出力を発生させ、全動翼圧縮機を駆動しながら燃焼器兼熱交換器４内で、超臨界温度等複数温度の高温水温度を上昇して保存貯金増大し、その高温水５ｂの温度上昇時に、夫々の高温水加減弁７ａを開放制御して、高温水５ｂを図１の全動翼蒸気タービンの、夫々複数の高温水溜３２ａに別々に供給して、断熱して設けて加熱高温とした加熱高温手段１０１により、加熱高温とした砲身状乃至末広砲身状の高温水噴射ノズル５９ｂより、高温水５ｂとの間に気化膜を設けて、摩擦損失最少で容積利用及び気化爆発エネルギにより高温水を加速して、既存ガスタービンの５００倍仮説発電量や出力等を発生し、電気料金を１／１０等に低減します。
【００６９】
出力発生の過程では、撥水性タービン動翼と燃焼ガスとの間の摩擦損失を最少として、略直線蛇行的に噴射して機械効率を１０〜２０倍に上昇し、用途により水噴射して燃焼ガス温度を低下させて最適速度に低減し、又は全動翼圧縮機により限り無く高圧圧縮して、排気の過程では冷熱回収器１０２により極低温燃焼ガス全部を、ドライアイスや液体窒素等として遠心力により分別回収して利用し、又は熱交換２〜５℃の水道水冷熱に変換して需要家に供給します。同時にドライアイスや液体窒素や水道水冷熱により圧縮空気を冷却する、業務用や家庭用の冷凍設備機器や冷蔵設備機器や空冷設備機器を提供して、脱フロンによる地球温暖化防止すると共に、ＣＯ２等の燃焼ガスを水に溶解可能にして、ＣＯ２等燃焼ガス排気０を可能とします。
【００７０】
図４の全動翼蒸気ガスタービン乃至、全動翼ガスタービン乃至、全動翼蒸気ガスタービン合体機関の第一実施例は、第１実施例を含めてすべて熱量を利用するため、従来型のガスタービンが無くなります。そして起動時には超臨界温度等の高温水５ａが皆無のため、燃焼ガス１０のみにより超臨界温度等複数温度の高温水を発生させる、全動翼ガスタービンとして使用し、高温水加減弁７ａを閉止して、内側軸装置の最適中間段に燃焼ガスを供給する、全動翼ガスタービンとして使用し、燃焼器兼熱交換器４により限り無く高圧燃焼熱交換冷却燃焼して、燃焼ガスタービン入口温度を用途に合わせて最低温度とし、熱交換して得た、超臨界温度等複数温度にする高温水５ｂの温度を上昇させて、起動準備をします。
【００７１】
全動翼圧縮機及び燃焼器兼熱交換器４を、全動翼ガスタービンと同様に設けて、限りなく高圧燃焼熱交換冷却燃焼して熱回収し、全動翼蒸気ガスタービン燃焼ガス入口温度を最低に低下させ、熱回収量を既存ボイラの２倍前後に増大し、低温燃焼ガス排気温度を−２７３℃に近付けます。燃焼ガスの温度と容積の障害を最低にして、圧縮圧力を既存ガスタービンの２倍以上の１０ＭＰa以上とし、燃料燃焼質量も理論空燃比まで、同一圧縮空気量既存ガスタービンの略４倍燃焼を可能とします。
【００７２】
公害低減・地球温暖化防止が急務であり、例えば有限の燃料資源を子孫にも残すため、公知のゴミガス化燃料やゴミ微細化燃料や、燃えるもの全部を燃焼して熱回収補助使用して、超臨界温度等複数温度の高温水として高温水加減弁７ａを介して、夫々複数の高温水溜３２ａに別々に供給して電力に変換します。そして該燃焼ガス空気も全動翼圧縮機で圧縮して、水噴射手段５６により直接低温空気に冷却し、燃焼器兼熱交換器４により再燃焼させて再熱回収して、通常使用乃至通常使用に合流して補助使用し、熱回収量を増大します。
【００７３】
発電用には安価豊富な微粉炭燃料の燃焼として、全動翼蒸気ガスタービン燃焼器兼熱交換器４により、限り無く高圧燃焼熱交換冷却燃焼して、燃焼ガス排気温度を−２７３℃に近付け、気化潜熱回収器６６ａにより給水３により、気化潜熱を回収して燃焼器兼熱交換器４に供給し、熱交換して得た既存ボイラの２倍前後の燃焼ガス熱量の、超臨界温度等複数温度の高温水５ｂ全部を、全動翼蒸気ガスタービンの最上流に供給し、中流最適段に低温燃焼ガス質量を供給して出力を発生し、気化潜熱回収器６６ａで給水３により気化熱を回収して、５０倍質量等の凝縮水にＣＯ２等燃焼ガス排気を溶解して排水し、ＣＯ２等の燃焼ガス排気を０等にします。
【００７４】
全回転出力の全動翼蒸気ガスタービン合体機関の起動時には、公知の起動装置により全動翼圧縮機を含めて駆動し、燃焼器兼熱交換器４により限り無く高圧燃焼熱交換冷却燃焼して、最低温度の燃焼ガス１０を環状の燃焼ガス溜９より、外側軸装置の環状の通路を介して内側軸装置の内側より、中流最適段に供給して出力を発生させ、全動翼圧縮機を駆動しながら燃焼器兼熱交換器４内で、超臨界温度等複数温度の高温水温度を上昇して保存貯金増大し、その高温水５ｂの温度上昇時に、夫々の高温水加減弁７ａを開放制御して、高温水全部を夫々複数の高温水溜３２ａに別々に供給して、断熱して設けて加熱高温とした加熱高温手段１０１により、加熱高温とした砲身状乃至末広砲身状の高温水噴射ノズル５９ｂより、高温水５ｂとの間に気化膜を設けて、摩擦損失最少で容積利用及び気化爆発エネルギにより高温水を加速して、既存ガスタービンの５４０倍仮説発電量や出力等を発生し、電気料金を１／１０等に低減します。
【００７５】
出力発生の過程では、高温水噴射ノズル５９ｂと高温水５ｂとの間に気化膜を設けて、摩擦損失最少として気化爆発力や容積利用により、高温水噴射ノズル５９ｂ内では高温水を機関銃の弾丸や吹雪のように加速し、ノズル外では散弾ロケットや吹雪のように高温水５ｂを加速して、加熱高温の電磁加熱タービン動翼８１との間でも気化膜を設け、摩擦損失最少で全動翼により略直線蛇行的に噴射して、機械効率を既存蒸気タービンの１０〜２０倍に上昇し、用途により水噴射して気化爆発水蒸気を冷却し、蒸気速度の一部乃至大部分を、水質量の速度重力仕事率にエネルギ変換して最適速度に低減します。そして排気前には低温燃焼ガス灰分等を核に水分を凝集して、水滴等の被覆を生成させて５０倍質量等の凝縮水に溶解することで、ＣＯ２等の燃焼ガス排気０等を可能とします。
【００７６】
発電量と冷熱の回収量を最大にする場合は、全動翼蒸気タービン＋全動翼蒸気ガスタービンとして使用し、大部分の高温水５ｂは全動翼蒸気タービンで使用し、最適少量の高温水５ｂを全動翼蒸気ガスタービンの最上流に供給し、中流最適段に冷却した最低温度の燃焼ガス１０を供給して、最初は高温水で更に燃焼ガスを冷却し、出力発生の過程で逆転し、全量の低温燃焼ガス灰分等を核に水分を凝集することで、燃焼ガス全部に被覆を設けて真空を可能にし、燃焼ガス全部を−２７３℃に近付けて、発電量及び冷熱の回収量を最大に増大します。
【００７７】
燃焼ガス全部を冷熱として分別回収した膨大な水滴は、その一部乃至全部で水道水を冷却して冷熱として貯蔵しておき、電気料金を１／１０等に低減した電力の副産物として、製造原価が略０の安価な水道水冷熱を需要家に供給し、その安価な冷熱利用の冷蔵庫やクーラーや業務用冷蔵設備を提供し、販路を爆発させることで、既存の家庭用や業務用の冷蔵庫やクーラーや業務用冷蔵設備等を全廃して、脱フロンとした地球温暖化防止すると共に冷熱水道管を満杯し、膨大過ぎる水道水冷熱は散水して都市部等を丸ごと冷却します。
【００７８】
又は膨大な残りのＣＯ２や燃焼灰等を含む冷熱は、含有する窒素やＣＯ２等を植物が要求しており、有効利用するため生ゴミや植物片や泥土等に合成固定して、膨大な肥料を生成して食料の増産を図ります。残りの冷熱は別途海水を冷却して、海底にＣＯ２や窒素等の希釈した冷熱を供給する過程で、酸素等の必要物質を吸引して海中に供給し、海の生物の生態を微生物まで徹底的に研究して、最適濃度で供給します。魚介類や海藻類を繁殖させる、最適微生物や動植物を先ず繁殖させ、微生物や魚介類や海草類や海藻類を繁殖させて、ＣＯ２や窒素等の燃焼ガスにより食料の増産を図り、地球温暖化防止します。
【００７９】
そして燃焼器兼熱交換器４により限り無く高圧燃焼熱交換冷却燃焼して、熱交換して得た最低温度の燃焼ガス質量発電量を（既存ガスタービンの２倍落差×石炭灰等２倍質量×１０〜２０倍機械効率）＝（既存ガスタービンの４０〜８０倍燃焼ガス質量発電量）に増大して、資源の有効利用にします。そして（燃焼ガス質量発電量＋燃焼ガス熱量発電量）＝（４０〜８０倍＋２５０〜５００倍）＝（既存ガスタービンの２９０〜５８０倍全動翼蒸気ガスタービン＋全動翼蒸気タービン仮説発電量）に増大し、同一燃料量の発電量を増大して地球温暖化防止します。
【００８０】
大気圧付近で排気する、全動翼蒸気ガスタービン合体機関第１実施例の別形態として、全出力を回転力で利用する自動車等の各種陸上輸送機器や、陸海空の各種輸送機器の用途では、ＣＯ２等の燃焼ガスを凝縮水に溶解して回収しても、有効利用が困難なため凝縮水を繰返し燃焼器兼熱交換器４に再再供給して、限りなく高圧燃焼熱交換冷却燃焼熱回収が必要です。そこで熱交換して得た既存ボイラの２倍前後の燃焼ガス熱量出力を、超臨界温度等複数温度の高温水５ｂ全部として、図１・６の全動翼蒸気タービンの最上流に供給し、略直線蛇行的に噴射して出力を発生し、空冷式気化潜熱回収器６６ｂにより熱回収した空気は、暖房用等として使用して凝縮水を繰返し燃焼器兼熱交換器４に再再供給し、限りなく高圧燃焼熱交換冷却燃焼熱回収して、既存ガスタービンの２５０〜５００倍仮説出力にします。
【００８１】
低温燃焼ガス１０全部は図６の燃焼ガス取出口８８より、全動翼圧縮機や燃焼器兼熱交換器の無い、図３の小型簡単大出力の全動翼ガスタービンに供給し、出力発生の過程で用途により、低温水噴射して燃焼ガス１０を冷却し、容積を縮小して全重力仕事率を増大し、既存ガスタービンの２０〜４０倍仮説発電量等の別用途使用として、電気モーターによる駆動を可能にし、燃焼ガス排気温度を−２７３℃に近付けて、冷熱回収器１０２により用途に合わせて、ドライアイスや液体窒素等として回収可能とし、又は冷房用等として使用する、各種自動車等の輸送用機器として使用し、地球温暖化防止します。
【００８２】
全出力で回転力発生の全動翼蒸気ガスタービン合体機関は、排気水蒸気５の飽和温度が１００℃と高温のため、出力発生の過程で最低温度の燃焼ガス１０を圧力に合わせて、最適中間段に供給して出力を発生し、用途により低温水噴射により水蒸気５や燃焼ガスを冷却して、水蒸気容積や燃焼ガス容積を縮小し、最低温度の高温水質量を増大します。排気前には蒸気速度の大部分を、高温水質量の大気圧１７００倍重力仕事率にエネルギ変換して最適減速し、全重力仕事率や回転出力を、既存ガスタービンの２７０〜５４０倍仮説出力等に大幅に増大し、構造を１／１０等に大幅に小型簡単大出力にします。
【００８３】
全重力仕事率の大幅増大により、電磁加熱タービン動翼８１面積の大幅縮小及び、全動翼蒸気ガスタービン合体機関を小型簡単大出力・設計容易にし、水蒸気５や高温水５ｂや燃焼ガス１０等を、略直線蛇行的に噴射して出力を発生する、全動翼翼形にすると共に、翼間隔を拡大して翼幅や翼形や翼角度も、重力仕事率増大に合わせた形状にします。そして電磁加熱外側タービン動翼群１９及び、電磁加熱内側タービン動翼群２０を、電磁調理器と略同様に、外側軸装置及び内側軸装置にコイル９８を設けて通電し、夫々のコイル９８の磁力線を、夫々の電磁加熱タービン動翼８１に集めて、磁力線の渦電流の電気抵抗により電磁誘導加熱高温とした、全動翼電磁加熱タービン動翼８１と、高温水５ｂとの間に気化膜を設けて、摩擦損失を最小にし、略直線蛇行的に噴射して出力を発生し、機械効率を既存蒸気タービンの１０〜２０倍に上昇します。
【００８４】
図５の空気を吸引して噴射推進する、全動翼蒸気ガスタービン合体機関の第２実施例は、通常の起動装置により起動して、全動翼ガスタービンとして駆動の過程で、全動翼圧縮機により限り無く高圧圧縮して、燃焼器兼熱交換器４により高圧燃焼熱交換冷却燃焼熱回収して、燃焼ガス質量の低温燃焼ガス１０を、内側軸装置の内側から最適中流段に供給して出力を発生させる、全動翼ガスタービンとして使用し、燃焼ガス熱量の超臨界温度等複数温度の高温水温度を上昇します。全動翼とすることで翼間隔を増大した全動翼翼形として、圧縮空気を略直線蛇行的に圧縮する、撥水性水冷却翼８７で成る、外側圧縮機動翼群１６及び内側圧縮機動翼群１７を、段落毎圧縮機翼を環状に一体鋳造８４とします。全自動加工が可能な環状に一体鋳造８４の組立構造とし、環状鋳造組立接続部で冷却手段５５の水路を連結して、該組立環状接続部付近に水噴射手段５６を設けます。
【００８５】
全動翼圧縮機の主要部分の、外側圧縮機動翼群１６及び内側圧縮機動翼群１７の撥水性水冷却翼８７等を、図にない冷却手段５５により給水３で水冷却し、その給水を水噴射手段５６より噴射して圧縮空気を直接冷却し、低温圧縮空気として容積を縮小し、最も効率良く水冷却した低温圧縮空気にします。熱回収した給水３と低温圧縮空気により、燃焼器兼熱交換器４で限りなく高圧燃焼熱交換冷却燃焼熱回収して、全動翼蒸気ガスタービン燃焼ガス入口温度を最低に低下させ、同一燃料量の回収燃焼ガス熱量を、既存ボイラの２倍前後の熱回収量の、超臨界温度等複数温度の高温水５ｂとして燃焼ガス熱量出力とし、熱交換して得た低温燃焼ガスを燃焼ガス質量出力にします。
【００８６】
燃焼器兼熱交換器４で限りなく高圧燃焼熱交換冷却燃焼して熱回収し、既存ガスタービンの５００倍仮説出力等を発生して、燃焼ガス排気温度を−２７３℃に近付ける過程を、温度と容積の障害を最低にし、圧縮空気圧力を既存ガスタービンの２倍以上の、１０ＭＰａ以上を可能にして理論空燃比まで、同一圧縮空気量既存ガスタービンの４倍前後の燃料を燃焼可能にします。該熱交換して得た従来４倍燃料全発熱量＋圧縮した空気の−２７３℃以上略全熱量を（同一圧縮空気量既存ガスタービンの５倍落差×４倍回収熱量×５０倍超臨界圧力高温水重力仕事率×１０〜２０倍機械効率×１／２０減少率）＝（同一圧縮空気量既存ガスタービンの５００〜１０００倍仮説出力）等に増大します。
【００８７】
ＣＯ２等の燃焼ガス排気を０に近付けるため、超臨界温度等複数温度の高温水５ｂの貯蔵温度上昇時に、高温水加減弁７ａを開放制御して通常の出力を発生します。例えば超臨界温度等複数温度の高温水５ｂの一部を、全動翼蒸気ガスタービンの最上流に供給し、前述同様に中流最適段に最低温度の燃焼ガス１０全部を供給し、全動翼圧縮機を含む全動翼蒸気ガスタービンを駆動して、用途により出力を発生の過程で低温水噴射して、気化爆発水蒸気や燃焼ガスを冷却し、最低温度最少容積の単位容積重力仕事率を最大で、高温水や燃焼ガスや水蒸気を噴射して、空気吸引力と噴射質量最適速度により噴射推進出力を発生します。
【００８８】
高温水質量の速度重力仕事率にエネルギ変換して最適減速し、最大の噴射推進力を発生して、内側軸装置の中空部や外側軸装置の外周部の空気を吸引し、噴射推進する過程で、霧吹きの原理９１ｅの噴射高温水を含めて、低温燃焼ガスを５０倍質量等の水分に凝集溶解して、ＣＯ２等の燃焼ガス排気や水蒸気の容積を、１／１０００や１／１７００の水滴に縮小して、排気騒音を１/１０等とし、ＣＯ２等の燃焼ガス排気を０に近付け、海上等を噴射推進して、ＣＯ２や窒素や酸素等を希薄供給します。
【００８９】
大部分の超臨界温度等複数温度の高温水５ｂを、既存ガスタービンの５倍落差等により、複数の高温水加減弁７ａより、夫々複数の高温水溜３２ａに供給し、公知技術を含む複数の霧吹きの原理９１ｅを利用して、加熱高温手段１０１により適宜に加熱高温として、高温水５ｂとの間に気化膜を設けて摩擦損失を最少とした、砲身状乃至末広砲身状の高温水噴射ノズル５９ｂより、超臨界温度等複数温度の高温水５ｂを、霧吹きの原理等で適宜に混合して噴射し、超臨界圧力等の容積利用と気化爆発エネルギ利用により、重力仕事率を合理的な最大に上昇して出力を発生します。
【００９０】
出力発生の過程では高温水５ｂの気化爆発力や容積速度利用により、ノズル内では高温水５ｂを機関銃の弾丸や吹雪のように加速し、ノズル外では高温水を散弾ロケットや吹雪のように加速して、夫々霧吹きの原理９１ｅを利用して、前方の空気を多段に吸引して最適速度で噴射し、空気吸引力を含めて噴射質量速度により噴射推進する、夫々の特殊装置９２ｅよりバイパス噴射して、既存ガスタービンの２７０〜５４０倍仮説出力とし、ジェット旅客機等の速度を１０倍前後に増大して、排気騒音は１／１０等に低減して噴射推進します。
【００９１】
ジェット機や飛行船舶や飛行物体等を噴射推進させる過程を、霧吹きの原理を利用して、直接空気質量の速度エネルギに変換し、ラムジエツトを遥かに越える高速度で、最も効率良く空気を吸引して噴射推進し、１０倍前後の速度のマッハ１０以上に上昇して噴射推進します。超臨界温度等複数温度の高温水５ｂの貯蔵温度上昇により、非常に安全な噴射推進にすると共に、燃料の積載量を１／１０等に低減して使用量を１／１００等に低減し、火災の発生を１／１００等に低減して、火災発生時も高温水５ｂを噴射して消火容易にし、非常に安全なジェット機や飛行船舶や飛行物体や超高速船舶等にします。
【００９２】
超臨界温度等複数温度の高温水５ｂの一部と燃焼ガス１０全部により、全動翼蒸気ガスタービンを駆動して全動翼圧縮機を駆動して、前方の空気を吸引して噴射推進し、大部分の高温水５ｂを、公知技術を含む複数の霧吹きの原理９１ｅを利用して、夫々の特殊装置９２ｅにより高温水５ｂを、ラムジェットを遥かに越える大落差でバイパス噴射し、夫々前方の空気を多段に吸引して噴射し、超臨界温度等複数温度の高温水５ｂの、容積利用及び気化爆発エネルギ利用による質量速度を、直接空気質量の速度エネルギに変換して最適減速し、最適噴射速度で最も効率良く大質量噴射して、夫々の空気吸引力を加えて最適の噴射質量速度で噴射推進させるものです。
【００９３】
図６の全動翼蒸気ガスタービン合体機関の第３実施例も、起動時は図に無い弁を開閉制御して、燃焼器兼熱交換器４により限り無く高圧燃焼熱交換冷却燃焼して、熱交換して得た低温燃焼ガス１０を、高温水溜３２ａに供給して全動翼蒸気タービンを駆動する、全動翼ガスタービンとして使用します。燃焼器兼熱交換器４の超臨界温度等複数温度の高温水５ｂの温度上昇時に、燃焼ガス１０から高温水５ｂに切り替える、弁開弁閉弁制御して、高温水加減弁７ａを開放制御し、超臨界温度等複数温度の高温水５ｂの一部により、全動翼圧縮機を含む全動翼蒸気タービンを駆動して、高温水や気化爆発水蒸気を排気して、全動翼圧縮機や内側軸装置の中空部や外側軸装置の外周部から空気を吸引して、空気吸入出力と噴射質量速度により噴射推進出力を発生します。
【００９４】
燃焼ガス熱量を取り除いた、燃焼ガス質量出力の低温燃焼ガス１０全部や、残り大部分の高温水５ｂは夫々の霧吹きの原理を利用して、構造を簡単にすることでエネルギ変換効率を最高とし、ラムジエツトの５倍落差×５０倍質量重力仕事率等の噴射質量速度で噴射推進し、既存ガスタービンの２７０〜５４０倍仮説出力の、ジェット旅客機や飛行船舶や宇宙往還親飛行機等とし、その速度を１０倍前後に増大します。燃焼ガス１０や高温水５ｂは、夫々複数の霧吹きの原理９１ｂや９１ｅを利用して、夫々の特殊装置９２ｂや９２ｅによりバイパス噴射し、夫々前方の空気を多段に吸引して噴射推進力にする過程で、低温燃焼ガスにより水蒸気を冷却凝集して、水蒸気容積を１／１７００等に縮小し、排気騒音を１／１０等に低減します。
【００９５】
全動翼圧縮機の主要部分の、外側圧縮機動翼群１６及び内側圧縮機動翼群１７の撥水性水冷却翼８７等を、送水ポンプ兼二重反転磁気摩擦動力伝達装置１４ａにより、昇圧した給水３を冷却手段５５により通水して水冷却し、その給水を水噴射手段５６より水噴射して圧縮空気を直接冷却し、その熱を回収した給水として空気容積を縮小します。全動翼とすることで翼間隔を増大した全動翼翼形として、圧縮空気を略直線蛇行的に圧縮して、最も効率良く低温空気を圧縮する撥水性水冷却翼８７で成る、外側圧縮機動翼群１６及び内側圧縮機動翼群１７を、段落毎に環状に一体鋳造８４とします。
【００９６】
全自動加工が可能な環状に一体鋳造８４の組立構造とし、環状鋳造組立接続部で冷却手段５５の水路を連結して、該組立環状接続部付近に水噴射手段５６を設けます。冷却手段５５の水路は撥水性水冷却翼８７を冷却後に、水噴射手段５６より水噴射直接接触空気冷却し、最も効率良く給水３で空気冷却して、低温空気を全動翼圧縮機で用途により限り無く高圧圧縮します。熱回収した給水３と低温圧縮空気により、燃焼器兼熱交換器４で限りなく高圧燃焼熱交換冷却燃焼して、既存ボイラの２倍前後の熱回収し、全動翼蒸気タービンの環状の燃焼ガス溜９の、燃焼ガス温度を用途に合わせて最低に低下させます。
【００９７】
全動翼蒸気タービン等、動圧や反動で駆動する回転出力機関は、超臨界温度等複数温度の高温水５ｂは、超臨界圧力から大気圧までで充分大きな落差で、燃焼ガスの５０倍質量など大きな重力仕事率のため、構造を１/１０等の小型簡単合理的な設計を可能にします。既存蒸気タービンのように落差を増大した容積利用にしても、重力仕事率を極限まで低減すると、膨大な静翼を設けて蒸気速度を堰き止めて実用速度に減速する等、無茶苦茶設計になるため、動圧出力を増大する単位容積重力仕事率の増大を最重要とし、大気圧単位容積重力仕事率の最大を１７００倍に増大して、該動翼面積の一部乃至大部分を１／１７００に縮小し、合理的な全動翼の設計や１／１０等の小型簡単大出力を可能にます。
【００９８】
燃焼器兼熱交換器４で限りなく高圧燃焼熱交換して熱回収し、燃焼ガス取出口８８の燃焼ガス温度を最低に低下させて、既存ボイラの２倍前後の回収熱量を、超臨界温度等複数温度の高温水５ｂの回収熱量として最大に増大し、大部分の出力を構造が最も簡単な霧吹きの原理を利用することで、エネルギ変換効率を最高として、熱交換して得た（燃焼ガス熱量出力既存ガスタービンの２５０〜５００倍出力）＋（燃焼ガス質量出力既存ガスタービンの２０〜４０倍出力）＝（同一燃料量既存ガスタービンの２７０〜５４０倍仮説出力）にします。
【００９９】
超臨界温度等複数温度の高温水５ｂとしてその一部を、全動翼蒸気タービンの最上流に供給し、出力発生の過程で用途により水噴射して、気化爆発水蒸気や容積利用水蒸気を冷却し、水蒸気容積速度の一部分を、大気圧１７００倍単位容積重力仕事率の水に変換して、最適容積速度に縮小減速し、最も効率良く回転出力を発生させます。そして夫々の霧吹きの原理９１ｅ・９１ｂを利用して、残りの高温水５ｂと燃焼ガス１０を、夫々既存ガスタービンの５倍落差や２倍落差でバイパス噴射し、既存ガスタービンの２７０〜５４０倍仮説出力にする過程で、低温燃焼ガスにより水蒸気を冷却して１／１７００容積に縮小し、排気騒音を１／１０等に低減して、ＣＯ２等燃焼ガス排気を０に近付けて水滴で排出し、地球温暖化防止します。
【０１００】
図７の全動翼蒸気ガスタービン合体機関の第４実施例は、全動翼翼形として外側圧縮機動翼群１６及び内側圧縮機動翼群１７を、段落毎に環状に一体鋳造８４し、全自動加工が可能な組立構造とし、環状鋳造組立接続部で冷却手段５５の水路を連結して、該組立環状接続部付近に水噴射手段５６を設けます。そして全動翼圧縮機の撥水性水冷却翼８７の、段落半分又は段落全部又は段落複数を、冷却手段５５により通水して水冷却し、その水を水噴射手段５６より噴射して、圧縮空気を直接接触水冷却し、その熱を給水３で最も効率良く熱回収して、送水ポンプ兼二重反転磁気摩擦動力伝達装置１４ａ等により、燃焼器兼熱交換器４に供給し、低温空気を限り無く高圧圧縮して燃焼器兼熱交換器４に供給します。
【０１０１】
熱回収した給水３と低温圧縮空気により、燃焼器兼熱交換器４で限りなく高圧燃焼熱交換冷却燃焼熱回収して、燃焼ガス取出口８８の温度を用途に合わせて最低に低下させ、同一燃料量既存ボイラの２倍前後の回収熱量の燃焼ガス熱量出力を、超臨界温度等複数温度の高温水５ｂ等として、その一部を単位重力仕事率が重要な、全動翼蒸気タービンの最上流に供給し、出力発生の過程で用途により給水３を噴射して、容積利用水蒸気や気化爆発水蒸気を冷却し、水蒸気容積速度の一部分を、大気圧１７００倍単位容積重力仕事率の水に変換して、最適容積に縮小して最適減速し、最も効率良く回転出力を発生させ、回転出力により全動翼圧縮機を駆動し、排気噴射出力は船舶等の浮上推進出力とします。
【０１０２】
燃焼ガス１０全部及び残り大部分の超臨界温度等複数温度の高温水５ｂを、夫々の霧吹きの原理９１ｄ・９１ｆを利用して、前方の水を多段に吸引して噴射し、夫々の速度を直接水の速度質量にエネルギ変換して最適減速し、最も効率良く大量の水を吸引して噴射する、夫々１以上複数の水噴射装置９３ｄ・９３ｆにより出力を発生し、大部分の出力を構造が最も簡単な霧吹きの原理を利用することで、エネルギ変換効率を最高として、既存ガスタービンの２７０〜５４０倍仮説出力の、各種高速船舶や各種高速水上移動機器を、同一燃料量既存技術の１０倍前後等適宜の速度で噴射推進させ、地球温暖化防止します。
【０１０３】
燃焼ガス１０全部を夫々の霧吹きの原理９１ｄを利用して噴射し、前方の水を多段に吸引して噴射して、直接水の速度質量にエネルギ変換する過程では、燃焼ガス１０が断熱膨張大気圧−２７３℃に近付くため、海水等を冷却してＣＯ２や窒素等の燃焼ガスを大量の海水に溶解し、海底などに冷熱として供給する過程でも、霧吹きの原理を適宜に利用して、空気や酸素等を吸引して海中に希薄供給し、海の生物の生態を微生物まで徹底的に研究し、微生物や魚介類や海草類や海藻類を繁殖させて、食料の増産を図り、ＣＯ２等の燃焼ガス排気を０等にし、地球温暖化防止します。
【０１０４】
図８・図９・図１０・図１１を参照して、送水ポンプ兼磁気摩擦動力伝達装置１００ａ及び、送水ポンプ兼二重反転磁気摩擦動力伝達装置１４ａを説明する。通常の変速や逆転を含む各種動力伝達装置は、主として歯車装置を使用している。このため、歯面に大きな荷重を含む、滑り歯面を必須とするため、潤滑油を必要とするのに加えて、摩擦熱損失も非常に大きく、高速回転を含む大動力の伝達装置には、使用不可という問題がある。
【０１０５】
全動翼蒸気ガスタービン合体機関を実用化するには、ころがり接触による、超高速大動力伝達装置が必須です。超高速大動力伝達装置を可能にすると共に、潤滑油も不用にするためには、歯車装置の滑り歯面を皆無に近づけた転がり接触の、水冷却した摩擦熱を回収して燃焼器兼熱交換器４に供給する、多段多数で超高圧少量送水して、既存技術の２〜１０倍回転数を狙う宇宙往還親飛行機等の、送水ポンプ兼二重反転磁気摩擦動力伝達装置１４ａや、送水ポンプ兼磁気摩擦動力伝達装置１００ａとして使用し、互いに反対方向に回転する外側軸装置と内側軸装置を結合して、超高圧少量送水ポンプや各種動力伝達装置としても使用し、給水３により熱回収して超高圧少量送水します。
【０１０６】
歯車のかみ合い高さを限りなく縮小した低凹凸４０として、転がり接触の送水ポンプ兼磁気摩擦動力伝達装置１００ａとし、回転方向３５上流側及び下流側、又は上流側又は下流側に、棒磁石３３又は電磁石３４を設けます。そして磁石の強い吸引力を利用して、各種着磁摩擦車装置５１や、図にない各種磁着摩擦車装置９０や、各種内着磁摩擦車装置４９や、図にない各種内磁着摩擦車装置８９等の、すべての噛み合わせ使用を可能にし、既存技術の２〜１０倍回転数を狙います。
【０１０７】
超高圧少量送水の各種送水ポンプ兼各種二重反転磁気摩擦動力伝達装置１４ａとし、外箱９４に吸水路９５や送水路９６を設け、各種送水ポンプ９７兼用として、公知技術を含めて全面的に使用します。即ち、転がり接触に近付けて、摩擦熱損失を大幅に低減し、更に超高圧少量送水する送水ポンプ９７と兼用として、自己発熱を回収する、超高速で大動力を伝達する、送水ポンプ兼磁気摩擦動力伝達装置１００ａや、送水ポンプ兼二重反転磁気摩擦動力伝達装置１４ａや、潤滑油に換えて無公害の水冷却とし、熱回収した給水３を、燃焼器兼熱交換器４側に供給して使用する、送水ポンプ９７兼用の二重反転磁気摩擦動力伝達装置１４とするものです。
【０１０８】
超高速大動力を伝達する、二重反転磁気摩擦動力伝達装置１４や、磁気摩擦動力伝達装置１００とするために、転がり接触に近付けても、摩擦熱の発生を避けられません。一方全動翼蒸気ガスタービン合体機関は、超高圧少量の水や大量の熱を利用して、内側軸装置と外側軸装置を二重反転させて、出力を発生させるため、超高速大動力を伝達すると共に、熱回収して超高圧少量送水する送水ポンプ９７が必要なため、送水ポンプ兼二重反転磁気摩擦動力伝達装置１４ａや、送水ポンプ兼磁気摩擦動力伝達装置１００ａとして使用します。
【０１０９】
そこで各種歯車に換えて、各種着磁摩擦車３７や各種内着磁摩擦車３８や、各種磁着摩擦車３９や図にない各種内磁着摩擦車４４等を使用し、二重反転磁気摩擦動力伝達装置１４として使用の過程で、回転方向上流側及び下流側又は上流側又は下流側に、棒磁石３３乃至電磁石３４を設けることで、着磁摩擦車や磁着摩擦車や内着磁摩擦車や内磁着摩擦車の、すべての組み合わせを、磁石の強い吸引力により、互いに互換して使用を可能にし、既存技術の２〜１０倍回転数を狙う、各種送水ポンプ兼二重反転磁気摩擦動力伝達装置１４ａや、各種送水ポンプ兼磁気摩擦動力伝達装置１００ａとして使用します。
【０１１０】
着磁摩擦車３７や磁着摩擦車３９や内着磁摩擦車３８や内磁着摩擦車４４の、動力伝達面３１には低凹凸４０を設けます。低凹凸４０は噛み合い高さを限りなく低下させて、転がり接触として歯車以外の形状を可能にし、図に無いすべての噛み合う形状全部とします。歯車形低凹凸４０として具体的には、平歯車に換えて平凹凸４１車とし、ハスバ歯車に換えてハスバ凹凸４２車とし、ヤマバ歯車に換えてヤマバ凹凸４３車を設けて、超高圧少量送水や大動力高速伝達を可能にします。
【０１１１】
又は図に無い平内歯車に換えて平内凹凸４１ａ車とし、ハスバ内歯車に換えてハスバ内凹凸４２ａ車とし、ヤマバ内歯車に換えてヤマバ内凹凸４３ａ車を設ける。そして公知の各種歯車ポンプと同様に、外箱９４や吸水路９５や送水路９６を設けて、摩擦熱を回収して超高圧少量送水する送水ポンプ９７兼用として、超高速大動力を伝達する、既存技術の２〜１０倍回転数を狙う、各種送水ポンプ兼二重反転磁気摩擦動力伝達装置１４ａや、各種送水ポンプ兼磁気摩擦動力伝達装置１００ａとして使用します。
【０１１２】
図８ａ・図８ｂの着磁摩擦車３７ａの実施例は、環筒状の強磁性材料の径方向左右に、磁極のＮ極及びＳ極を着磁して、その両側を環板状のヨーク４７で挟んで、外径方向動力伝達面３１に延長して固着します。該動力伝達面３１の外周面に低凹凸４０の平凹凸４１やハスバ凹凸４２等を設けて、夫々着磁摩擦車３７ａ・３７ａ等として、各要素を互いに互換して、着磁摩擦車３７ａ・磁着摩擦車３９や、転がり接触の着磁摩擦車装置５１とし、図９の着磁摩擦車装置５１ｃ＋９７や図１１の９７＋１４と同様に外箱９４や吸水路９５や送水路９６等を設けて、各種送水ポンプ兼二重反転磁気摩擦動力伝達装置１４ａや、各種送水ポンプ兼磁気摩擦動力伝達装置１００ａとして使用します。
【０１１３】
図８ｃの着磁摩擦車３７ｂの実施例は、環筒状の強磁性材料の内径側と外径側に磁極のＮ極及びＳ極を着磁して、ヨーク４７を磁石の内周側から左右外径動力伝達面３１に延長します。該動力伝達面近傍のヨークと磁石の間に、摩擦増大手段４５を環状に設けて固着し、その外周面に低凹凸４０のヤマバ凹凸４３を設けて、夫々着磁摩擦車３７ｂ・３７ｂとして、各要素を互いに互換して磁着摩擦車３９・着磁摩擦車３７ｂや、図１０の着磁摩擦車装置５１ｄ＋９７や図１１の９７＋１４と同様に外箱９４や吸水路９５や送水路９６等を設けて、各種送水ポンプ兼二重反転磁気摩擦動力伝達装置１４ａや、各種送水ポンプ兼磁気摩擦動力伝達装置１００ａとして使用します。
【０１１４】
図８ｄ・図８ｅ・図８ｆの磁着摩擦車３９の実施例は、環筒状の強磁性材料の外径面の動力伝達面３１に、摩擦増大手段４５を設けます。又は動力伝達面３１のまま、その外周面に低凹凸４０の平凹凸４１又はハスバ凹凸４２又はヤマバ凹凸４３を設けて、夫々各種磁着摩擦車３９・３９等とします。図９・図１０図１１のように、回転方向上流側及び下流側に棒磁石３３又は電磁石３４を設けることで、夫々各要素を互いに互換して、図番の無い転がり接触の各種磁着摩擦車装置９０や、各種磁気摩擦動力伝達装置１００とします。
【０１１５】
又は図にない環筒状の強磁性材料の内径面の動力伝達面３１に、摩擦増大手段４５を設けます。又は動力伝達面３１のまま、その内周面に低凹凸４０の平凹凸４１又はハスバ凹凸４２又はヤマバ凹凸４３を設けて、夫々各種内磁着摩擦車４４・４４等とします。夫々各要素を互いに互換して、転がり接触の各種内磁着摩擦車装置８９等とし、図９や図１０や図１１の、磁気摩擦動力伝達装置１００や二重反転磁気摩擦動力伝達装置１４と略同様に、外箱９４や多数の吸水路９５や多数の送水路９６等を設けて、送水ポンプ兼二重反転磁気摩擦動力伝達装置１４ａや、送水ポンプ兼磁気摩擦動力伝達装置１００ａ等として使用します。
【０１１６】
例えば図９・図１０の各種送水ポンプ兼磁気摩擦動力伝達装置１００ａの、第１実施例及び第２実施例は、着磁摩擦車装置５１ｃ・５１ｄに、既存歯車ポンプと同様に外箱９４を設け、夫々に吸水路９５及び送水路９６を設けて、各種送水ポンプ９７を構成使用します。そして吸水路９５より給水３を供給して、各種磁気摩擦動力伝達装置１００で発生する熱を回収して、送水路９６より燃焼器兼熱交換器４側に送水します。
【０１１７】
しかし着磁摩擦車装置５１ｃ・５１ｄ等、多種多数の各種送水ポンプ兼磁気摩擦動力伝達装置１００ａにより、送水ポンプ兼用となるのと動力伝達が主力のため、回転数も変化します。そこで公知の制御装置により、１以上多数の送水路９６や吸水路９５を最適制御して、１以上多段に昇圧の過程で水噴射手段５６・５６ａに供給し、燃焼器兼熱交換器４で超臨界温度等複数温度の高温水５ｂとします。即ち１以上多数の送水ポンプ９７により、摩擦熱を回収して自己水冷却し、超高速大動力を伝達しながら超高圧少量送水する、各種送水ポンプ兼二重反転磁気摩擦動力伝達装置１４ａや、各種送水ポンプ兼磁気摩擦動力伝達装置１００ａとして使用します。
【０１１８】
例えば、図１１の超高速大動力を伝達して、超高圧少量送水を可能にする、送水ポンプ兼二重反転磁気摩擦動力伝達装置１４ａは、外箱９４に多数の吸水路９５及び多数の送水路９６及び多数の着磁摩擦車３７ａ及び内着磁摩擦車３８ａ等で、多数の送水ポンプ９７が構成されるため、外箱９４も非常に複雑になります。しかし着磁摩擦車３７ａの周速度は２種類のため、同じ周速度のものを合流して、この場合は２段や多段に昇圧して圧力制御し、用途に合わせて他の送水ポンプとも組み合わせて、燃焼器兼熱交換器４側に給水します。多数の送水ポンプ９７により摩擦熱を回収して自己水冷却し、超高速大動力を伝達する、送水ポンプ９７兼用の各種二重反転磁気摩擦動力伝達装置１４として使用します。
【０１１９】
図１１（ａ）（ｂ）（ｃ）を参照して説明する。（ｂ）（ｃ）は夫々（ａ）のｃ−ｃ及びｄ−ｄ視図であり、互いに反対方向に回転する全動翼蒸気ガスタービン合体機関の、内側軸装置と外側軸装置の回転動力を結合する、二重反転磁気摩擦動力伝達装置１４は、多数の送水ポンプ９７により摩擦熱を多段に回収して自己水冷却し、互いに反対方向に回転する２軸の超高速大動力を、最適回転比で二重反転伝達する、二重反転磁気摩擦動力伝達装置１４として使用します。
【０１２０】
全動翼蒸気ガスタービン合体機関の外側軸装置に固着された、磁石部４６及びヨーク４７を含む、第一主動内着磁摩擦車３８ａの回転により、機関本体に固定された外箱９４に軸支された、支軸５０の左端に固着された複数の第一従動着磁摩擦車３７ａが回転し、その回転により支軸５０の右端に固着した、複数の第二主動着磁摩擦車３７ａが回転し、その回転により内側軸装置に固着された、第二従動着磁摩擦車３７ａが回転し、互いに反対方向に回転する外側軸装置の回転力と、内側軸装置の回転力を結合して、内側軸装置又は外側軸装置より全回転出力を取り出し可能にし、又は両方より夫々回転出力を取り出し可能とします。
【０１２１】
図１１（ｂ）（ｃ）は、超高速大動力の伝達と超高圧少量送水する、送水ポンプ９７兼用の二重反転磁気摩擦動力伝達装置１４として使用の過程で、回転方向上流側及び下流側又は上流側又は下流側に、棒磁石３３乃至電磁石３４を設けることで、着磁摩擦車３７や磁着摩擦車３９や内着磁摩擦車３８や内磁着摩擦車４４の、すべての組み合わせを、磁石の強い吸引力により、互いに互換して使用を可能にします。外側軸装置に固着の内着磁摩擦車３８ａや、内側軸装置に固着の着磁摩擦車３７ａや、夫々に噛み合う夫々複数の着磁摩擦車３７ａを含めて、既存歯車ポンプと略同様に外箱９４を設けます。
【０１２２】
そして内着磁摩擦車３８ａに噛み合う複数の着磁摩擦車３７ａの、回転方向棒磁石３３又は電磁石３４を含む上流側に送水路９６を設け、回転方向棒磁石３３又は電磁石３４を含む下流側に吸水路９５を設け、内側軸装置に固着の着磁摩擦車３７ａに噛み合う複数の着磁摩擦車３７ａの、回転方向電磁石３４又は棒磁石３３を含む上流側に送水路９６を設け、回転方向電磁石３４又は棒磁石３３を含む下流側に吸水路９５を設けて、送水ポンプ９７兼超高速大動力を伝達する送水ポンプ兼二重反転磁気摩擦動力伝達装置１４ａを構成します。
【０１２３】
図１２により本発明による地球温暖化防止を説明する。世界の火力発電所や原子力発電所では、ボイラや原子力等で加熱した超臨界圧力過熱蒸気は、蒸気タービンにより断熱膨張させて、容積のみ利用して熱量を全く利用しないで、ボイラや原子力等で加熱した熱量全部で海水温度を上昇するため、膨大な熱量の損失と環境破壊になります。更に超臨界圧力過熱蒸気から復水器真空まで再熱等で断熱膨張させると、容積は１００００倍を超えて重力仕事率が１／１００００以下となり、同一条件の出力に１００００倍以上の動翼面積が必要で、膨大な蒸気速度も利用困難となり、動翼の１０〜２０倍も蒸気速度を消費して、回転仕事をしない静翼を１／２も設けて、蒸気速度を堰き止めて実用速度に減速する等、無茶苦茶設計による地球温暖化加速を避けられません。
【０１２４】
最も甚大な無茶苦茶は、動翼の１０〜２０倍も速度エネルギを消費して、全く回転仕事をしない静翼を１／２も設けて、過熱蒸気速度を堰き止めて減速していることです。そこで熱量を有効利用するため、ガスタービン燃焼器を熱交換器と兼用して、全動翼蒸気ガスタービン燃焼器兼熱交換器４により、限り無く高圧燃焼熱交換冷却燃焼して、燃焼ガス排気温度を−２７３℃に近付け、膨大な冷熱や温熱を発電の副産物として製造原価略０で供給し、ＣＯ２等燃焼ガス排気により水蒸気を冷却して、凝縮水等にＣＯ２等の燃焼ガスを溶解して、ＣＯ２等の排気を０等として地球温暖化防止します。そして同一燃料量既存ボイラの２倍前後に回収熱量を増大し、超臨界温度等複数温度の高温水５ｂ等として回収して（燃焼ガス熱量出力＋燃焼ガス質量出力）＝（既存ガスタービンの２７０〜５４０倍仮説出力）に増大し、地球温暖化防止します。
【０１２５】
既存ボイラの２倍前後の超臨界温度等複数温度の高温水５ｂの熱量を、全動翼蒸気タービンの最上流に供給し、大気圧既存再熱蒸気タービンの１７００倍重力仕事率の超臨界圧力高温水５ｂを、加熱高温として高温水との間に気化膜を設けて、摩擦損失を最少とした高温水噴射ノズル５９ｂ内やノズル外では、気化爆発力や容積速度利用により、高温水５ｂを機関銃の弾丸や散弾ロケットや吹雪のように加速して、大気圧単位容積重力仕事率を既存蒸気タービンの１７００倍に近付け、燃焼ガス熱量出力＋燃焼ガス質量出力を、同一燃料量既存ガスタービンの２７０〜５４０倍仮説出力に上昇し、地球温暖化防止します。
【０１２６】
全動翼蒸気タービンでは加えた熱全部を回収利用するため、気化潜熱回収器６６ａを既存復水器と略同様に設けて、例えば飽和温度１００℃の気化熱を海水に換えて水道水で冷却し、熱回収して得た膨大な気化熱全部を、発電の副産物として製造原価略０の水道水温熱として、１００℃以下で貯蔵しておき、１/１０等の安価な電気料金と共に水道水温熱として需要家に供給し、需要の爆発的拡大を図ります。そして凝縮水全部は、燃焼器兼熱交換器４に限り無く繰り返し循環供給することで、燃焼器兼熱交換器４では高温水の気化爆発エネルギの供給のみとし、燃料燃焼質量を最少に低減して、気化熱全部＋αで海水温度を上昇していた、既存技術蒸気タービンの無茶苦茶を全廃します。
【０１２７】
全動翼ガスタービン発電の副産物を簡略説明する、全動翼ガスタービン燃焼器兼熱交換器４により、限り無く高圧燃焼熱交換冷却燃焼して、燃焼ガス排気温度を−２７３℃に近付け、冷熱回収器１０２により、低温燃焼ガス全部の膨大な冷熱を水道水で回収し、発電の副産物の製造原価略０の水道水冷熱として、２〜５℃等で貯蔵しておき、１/１０等の安価な電気料金と共に、水道水冷熱として需要家に供給し、業務用や家庭用の冷蔵設備やクーラーや冷凍設備を全廃して、水道水冷熱利用の冷蔵設備やクーラーや冷凍設備を供給し、膨大過ぎる水道水冷熱は散水して都市部を丸ごと冷却する等、ＣＯ２等の燃焼ガス排気０や脱フロンにより、地球温暖化防止します。
【０１２８】
図１３の全動翼ガスタービン及び全動翼蒸気タービンの回転力で駆動する、各種装置を説明する。燃焼器兼熱交換器４により限り無く高圧燃焼熱交換冷却燃焼して、既存ボイラの２倍前後の熱回収量として、燃焼ガス排気温度を−２７３℃に近付け、全動翼ガスタービン及び全動翼蒸気タービンにより、電気料金を１／１０等に低減して、気化潜熱回収器６６ａにより供給熱量全部を、発電の副産物として１００℃以下の水道水温熱として需要家に供給し、冷熱回収器１０２により燃焼ガス全部を発電の副産物の、膨大な水道水冷熱として需要家に供給する、各種熱と電気と冷熱の供給設備を駆動します。
【０１２９】
回転出力発生用の全動翼蒸気タービンの、燃焼器兼熱交換器４により限り無く高圧燃焼熱交換冷却燃焼し、燃焼ガス排気温度を−２７３℃に近付けて、全動翼ガスタービンを駆動して、発電や冷房等の別用途に使用します。熱交換して得た既存ボイラの２倍前後の熱回収量の高温水５ｂとして、大気圧まで出力を発生させて、既存ガスタービンの２５０〜５００倍仮説出力とし、空冷式気化潜熱回収器６６ｂにより凝縮水を回収して、燃焼器兼熱交換器４に限り無く供給し、凝縮水を限り無く循環使用する、各種全動翼蒸気ガスタービン合体機関により、各種自動車・各種車両・各種機械・各種汎用機関・各種戦車等を駆動します。
【０１３０】
高温水５ｂの一部で回転出力発生の全動翼蒸気タービンの、燃焼器兼熱交換器４により限り無く高圧燃焼熱交換冷却燃焼し、燃焼ガス排気温度を−２７３℃に近付けます。大部分の高温水５ｂや燃焼ガス全部を、霧吹きの原理を利用してバイパス噴射し、前方の空気又は水を吸引して噴射し、既存ガスタービンの２７０〜５４０倍仮説出力として、既存技術の１０倍速度や排気騒音の１／１０等を狙う、各種全動翼蒸気ガスタービン合体機関により、各種超高速船舶・各種垂直昇降飛行機・各種超高速艦船・各種超高速戦闘機・各種宇宙往還親飛行機・各種超高速音速機・各種超高速飛行機器等を駆動します。
【０１３１】
【発明の効果】
超臨界温度等複数温度の高温水５ｂを、高温水噴射ノズル５９ｂより噴射するため、最も効率良く大気圧単位容積重力仕事率を、既存蒸気タービンの１７００倍に近付けて、同一燃料量既存ガスタービンの５００倍仮説出力等に増大する効果がある。
【０１３２】
超臨界温度等複数温度の高温水５ｂを、高温水噴射ノズル５９ｂより噴射するため、最も効率良く大気圧単位容積重力仕事率を、既存蒸気タービンの１７００倍に近付け、動翼面積の一部乃至大部分を１／１７００に縮小して、合理的な動翼面積を設計可能にし、構造を１／１０等の小型簡単大出力にする効果がある。
【０１３３】
超臨界温度等複数温度の高温水５ｂを使用するため、加熱高温手段により加熱高温とした高温水噴射ノズル５９ｂにより、高温水との間に気化膜を設けて、摩擦損失最少で高温水の気化爆発力や容積速度利用により、高温水噴射ノズル５９ｂ内では高温水を機関銃の弾丸や吹雪のように加速し、ノズル外では散弾ロケットや吹雪のように高温水を加速して、同一燃料量既存ガスタービンの５００倍仮説出力等にする効果がある。
【０１３４】
全動翼電磁加熱タービン動翼８１及び電磁加熱噴口８３を、電磁加熱高温として高温水との間に気化膜を設けて、摩擦損失を僅少として全動翼により略直線蛇行的に噴射するため、最も効率良く出力を発生する効果があります。
【０１３５】
電磁加熱外側タービン動翼群１９及び、電磁加熱内側タービン動翼群２０を段落毎環状に一体鋳造として、容易確実に電磁加熱高温にする効果があります。
【０１３６】
断熱して設けた水噴射手段５６ａの鋳込みにより、水噴射して燃焼ガスや気化爆発水蒸気を冷却し、単位容積質量や全質量を増大して温度低下し、ＣＯ２等の燃焼ガス排気を０に近付けることを、確実容易にする効果があります。
【０１３７】
燃焼ガス排気温度を−２７３℃に近付けて、大きな単位容積重力仕事率や全重力仕事率にしても、全動翼電磁加熱タービン動翼８１により、高温水等との間に気化膜を設けて摩擦損失最小で、大きな出力を発生させる効果があります。
【０１３８】
低温高圧空気を燃焼器兼熱交換器で、限りなく高圧燃焼熱交換することで、理論空燃比まで燃料燃焼質量を、既存ガスタービンの４倍前後に増大し、全動翼蒸気ガスタービン合体機関の燃焼ガス入口温度や、燃焼器兼熱交換器の燃焼ガス出口温度を最低としたため、圧縮圧力を２倍以上の１０ＭＰａ以上に上昇し、燃焼ガス質量出力を、既存ガスタービンの２０〜４０倍仮説出力に上昇する効果があります。
【０１３９】
熱交換して得た燃焼ガス熱量に、圧縮空気−２７３℃以上略全部を加えて、同一燃料量既存ボイラの２倍前後の燃焼ガス熱量を、超臨界温度等複数温度の高温水５ｂに変換して回収し、燃焼ガス熱量出力を、既存ガスタービンの２５０〜５００倍仮説出力に上昇する効果がある。
【０１４０】
超臨界温度等複数温度の高温水５ｂとして、全動翼蒸気ガスタービンや、全動翼蒸気タービンや、特殊装置９２ｅ・９２ｂを駆動して、最も効率良く空気を吸引して噴射推進し、燃焼ガス質量出力＋燃焼ガス熱量出力を、既存ガスタービンの２７０〜５４０倍仮説出力に増大する効果があります。
【０１４１】
超臨界温度等複数温度の高温水として、全動翼蒸気ガスタービンや、全動翼蒸気タービンや、水噴射装置９３ｄ・９３ｆを駆動して、最も効率良く水を吸引して噴射推進し、燃焼ガス質量出力＋燃焼ガス熱量出力を、既存ガスタービンの２７０〜５４０倍仮説出力に増大する効果があります。
【０１４２】
燃焼ガス排気温度を−２７３℃に近付けて、全動翼ガスタービンの燃焼ガス熱量消費０以下の、同一燃料量燃焼ガス質量出力を、既存ガスタービンの２０〜４０倍仮説出力に上昇する効果があります。
【０１４３】
低温水噴射して気化爆発水蒸気や燃焼ガスを冷却し、重力仕事率が１０００倍や１７００倍の水質量の速度パワーに、エネルギ変換して最適減速するため、全動翼蒸気ガスタービン合体機関の構造を、１／１０前後等に小型簡単大出力に設計できる効果があります。
【０１４４】
燃焼器兼熱交換器で限りなく高圧燃焼熱交換して、既存ボイラの２倍前後の熱回収量とし、電気料金を１／１０等に低下させて、発電所等から排出されるＣＯ２等の地球温暖化燃焼ガスを、最も効率良く回収利用する効果もあります。
【０１４５】
既存の業務用や家庭用の冷蔵設備や冷凍設備や冷房設備を全廃し、水道水冷熱利用の業務用や家庭用の冷蔵設備や冷凍設備や冷房設備を提供し、脱フロンやＣＯ２排気０等による地球温暖化防止の効果もあります。
【０１４６】
発電量を増大する程極低温燃焼ガスの増産になるため、海水を冷却すると海底にＣＯ２や窒素や酸素を希薄供給して、餌となる微生物や海藻や魚類等を繁殖させて、海域等を活性化する効果があり、濃度さえ適正なら有効利用可能で、海底固定等の誤りを逆転して、人類のために貢献する手法を皆で考える効果がある。
【０１４７】
各種全動翼蒸気ガスタービン合体機関の燃焼器兼熱交換器で、限りなく高圧燃焼熱交換することで、理論空燃比まで同一圧縮空気量の燃料燃焼質量を、既存ガスタービンの４倍前後とし、燃焼ガス入口温度を最低としたため、圧縮圧力を２倍以上の１０ＭＰａ以上を可能にし、同一燃料量既存ガスタービンの５００倍仮説出力等に増大する効果があります。
【０１４８】
熱交換して得た低温燃焼ガスや高温水５ｂの水蒸気を水冷却し、単位容積重力仕事率が既存蒸気タービンの大気圧１７００倍の水質量を、最大最適に増大して重力仕事率を５０倍前後に増大可能する効果があります。
【０１４９】
既存蒸気タービン過熱蒸気の大気圧部１７００倍重力仕事率の、大きな動圧により出力を発生出来る大きな効果があります。
【０１５０】
重力仕事率を大気圧部既存蒸気タービンの１７００倍に増大することで、タービン動翼面積の一部乃至大部分を、１／１７００に縮小して、構造を１／１０等の大幅に小型簡単に出来る効果があります。
【０１５１】
既存再熱蒸気タービンの再熱や静翼を全廃して、構造を全動翼小型簡単大出力に出来る大きな効果があります。
【０１５２】
全動翼蒸気ガスタービンや、全動翼蒸気ガスタービン合体機関で出力を発生の過程で、水噴射して水蒸気や燃焼ガスを冷却して、低温水質量を増大するため、断熱膨張低温燃焼ガスにより水分を冷却凝集して、自然現象と同様に水滴等として、５０倍質量等の水にＣＯ２等の燃焼ガスを合成溶解混合する過程で、化学物質等を加えて無害で排出可能にする効果もあります。
【０１５３】
各種自動車や各種船舶や各種飛行機や、各種機械装置等から排出される、ＣＯ２等の公害燃焼ガス排気を水滴として排出して、ＣＯ２等の排気を大幅に低減する効果があります。
【０１５４】
全動翼蒸気ガスタービン合体機関としたため、全動翼ガスタービンの全動翼圧縮機や燃焼器兼熱交換器４を除去して、非常に小型簡単な全動翼ガスタービンに出来る効果があります。
【０１５５】
空冷式気化潜熱回収器６６ｂを含めたため、各種自動車等の輸送用機器では、凝縮水を燃焼器兼熱交換器４に限り無く繰返し供給して、凝縮水を循環使用出来る効果があります。
【図面の簡単な説明】
【図１】全動翼蒸気タービンの第１実施例を示す一部断面図。
【図２】高温水噴射ノズル５９ｂの実施例を示す断面説明図。
【図３】全動翼ガスタービンの第１実施例を示す一部断面図。
【図４】全動翼蒸気ガスタービン合体機関の第１実施例を示す一部断面図。
【図５】全動翼蒸気ガスタービン合体機関の第２実施例を示す一部断面図。
【図６】全動翼蒸気ガスタービン合体機関の第3実施例を示す一部断面図。
【図７】全動翼蒸気ガスタービン合体機関の第４実施例を示す一部断面図。
【図８】着磁摩擦車及び磁着摩擦車の実施例を示す一部断面図。
【図９】送水ポンプ兼磁気摩擦動力伝達装置の第１実施例の一部断面図。
【図１０】送水ポンプ兼磁気摩擦動力伝達装置の第２実施例の一部断面図。
【図１１】送水ポンプ兼二重反転磁気摩擦動力伝達装置の実施例の一部断面図。
【図１２】全動翼蒸気ガスタービン合体機関で地球温暖化防止する説明図。
【図１３】全動翼蒸気ガスタービン合体機関で駆動する装置を示す説明図。
【符号の説明】
１：導水管    ２：給水ポンプ    ３：給水    ４：燃焼器兼熱交換器    ５：水蒸気    ５ａ：高温水    ５ｂ：高温水（霧吹きの原理等で適宜に混合して噴射する超臨界温度等複数温度の高温水）    ６：蒸気管    ６ａ：高温水管  ７：蒸気加減弁    ７ａ：高温水加減弁    ８：環状の圧縮空気溜    ９：環状の燃焼ガス溜    １０：燃焼ガス    １１：燃料    １２：出力軸    １３：止め弁    １４：二重反転磁気摩擦動力伝達装置    １４ａ：送水ポンプ兼二重反転磁気摩擦動力伝達装置    １５：圧縮空気    １６：外側圧縮機動翼群    １７：内側圧縮機動翼群    １９：電磁加熱外側タービン動翼群    ２０：電磁加熱内側タービン動翼群    ２１：環状の出口    ２２：環状の受け口    ２３：環状の受け口    ２４：環状の電磁加熱噴口群    ２５：燃焼器外箱部    ２６：水冷外壁    ２７：燃料蒸気供給手段    ２８：バイパス    ３１：動力伝達面    ３２：過熱蒸気溜    ３２ａ：高温水溜    ３３：棒磁石    ３４：電磁石    ３５：回転方向    ３６：磁極    ３７：着磁摩擦車    ３８：内着磁摩擦車    ３９：磁着摩擦車    ４０：低凹凸    ４１：平凹凸    ４２：ハスバ凹凸    ４３：ヤマバ凹凸    ４４：内磁着摩擦車    ４５：摩擦増大耐久手段    ４６：磁石部    ４７：ヨーク（着磁摩擦車用）    ４８：絶縁材料    ４８ａ：断熱材    ４９ａ：内着磁摩擦車装置    ４９ｂ：内着磁摩擦車装置  ５０：支軸    ５１ａ：着磁摩擦車装置    ５１ｂ：着磁摩擦車装置    ５１ｃ：着磁摩擦車装置    ５１ｄ：着磁摩擦車装置    ５２：水冷外壁単位    ５３：鍔    ５４：水冷内壁    ５５：冷却手段    ５６：水噴射手段    ５６ａ：水噴射手段    ５７：毛細管放出手段    ５８：排気熱交換器    ５９：過熱蒸気筒口    ５９ａ：高温水噴射ノズル    ５９ｂ：高温水噴射ノズル（超臨界温度等複数温度の高温水を霧吹きの原理等適宜に混合して噴射）    ６０：燃料噴口    ６１：針弁    ６２：燃料小穴    ６３：燃料穴開閉器    ６４：空気穴開閉器    ６５：空気穴    ６６：凝縮水熱交換器    ６６ａ：気化潜熱回収器    ６６ｂ：空冷式気化潜熱回収器    ６７：復水器    ６８：凝縮水    ６９：排気    ７０：水道水    ７１：温熱    ７２：冷熱    ７３：冷却水    ７４：推力    ８０：ヨーク    ８１：電磁加熱タービン動翼    ８３：電磁加熱噴口    ８４：環状に一体鋳造    ８５：外径組立環状部    ８６：内径組立環状部    ８７：撥水性水冷却翼    ８７ａ：撥水性タービン動翼    ８８：燃焼ガス取出口    ８９：内磁着摩擦車装置    ９０：磁着摩擦車装置    ９１ａ：霧吹きの原理（高温水噴射で空気を吸引噴射）    ９１ｂ：霧吹きの原理（燃焼ガス噴射で空気を吸引噴射）    ９１ｃ：霧吹きの原理（高温水噴射で水を吸引噴射）    ９１ｄ：霧吹きの原理（燃焼ガス多段噴射で水を吸引噴射）    ９１ｅ：霧吹きの原理（複数温度高温水噴射で空気を吸引噴射）    ９１ｆ：霧吹きの原理（複数温度高温水噴射で水を吸引噴射）    ９２ａ：特殊装置（高温水噴射で空気を吸引噴射）    ９２ｂ：特殊装置（燃焼ガス噴射で空気吸引噴射）９２ｅ：特殊装置（複数温度高温水噴射で空気を吸引噴射）    ９３ａ：水噴射装置（高温水複数段噴射で水を吸引噴射）    ９３ｂ：水噴射装置（燃焼ガス噴射で水を吸引噴射）    ９３ｄ：水噴射装置（燃焼ガス複数段噴射で水を吸引���射）    ９３ｆ：水噴射装置（複数温度高温水複数段噴射で水を吸引噴射）９４：外箱    ９５：吸水路    ９６：送水路    ９７：送水ポンプ    ９８：コイル    ９９：磁力線          １００：磁気摩擦動力伝達装置    １００ａ：送水ポンプ兼磁気摩擦動力伝達装置    １０１：加熱高温手段    １０２：冷熱回収器    １０３：全動翼送風機
【図１】
2005113683.tif 000003
【図２】
2005113683.tif 000004
【図３】
2005113683.tif 000005
【図４】
2005113683.tif 000006
【図５】
2005113683.tif 000007
【図６】
2005113683.tif 000008
【図７】
2005113683.tif 000009
【図８】
2005113683.tif 000010
【図９】
2005113683.tif 000011
【図１０】
2005113683.tif 000012
【図１１】
2005113683.tif 000013
【図１２】
2005113683.tif 000014
【図１３】
2005113683.tif 000015